(57)【要約】【課題】過去の測位結果の再利用を可能にし且つ測位結果の再利用時にもユーザーのプライバシを保護する。【解決手段】クライアント１０１がＧＭＬＣ１０２に対し移動機の測位を要求すると（１）、ＧＭＬＣ１０２は、移動機のプライバシ設定情報を参照し、この測位要求を確認する（３）。測位が禁止されておらず、過去の位置でも良いとき、ＧＭＬＣ１０２は、移動機の測位結果を保持しており、それを再利用できるかを確認する（４）。再利用可能で、移動機への通知が必要な場合、ＧＭＬＣ１０２は、ＳＧＳＮ／ＭＳＣ装置１０３に対し、プライバシに関するメッセージを送る（７）。ＳＧＳＮ／ＭＳＣ装置１０３は、移動機に対して通知もしくは確認処理を行い（８）、プライバシの確認結果をＧＭＬＣ１０２に送信する（９）。ＧＭＬＣ１０２は、追加のプライバシチェックを行い（１０）、問題がなければ、測位結果をクライアント１０１に送る（１１）。【選択図】　図４
2004129026.tif 000002
【特許請求の範囲】
【請求項１】
複数の移動機と、移動機に対するクライアントからの測位要求を受け付けるひとつもしくは複数の測位ゲートウェイ装置と、その他必要な複数の通信装置から構成される移動通信ネットワークにおける測位システムにおいて、各移動機の過去の測位結果を移動通信ネットワーク内部の装置に蓄積し、クライアントからの測位要求に対して過去の測位結果を応答することを特徴とする移動通信ネットワークにおける測位システム。
【請求項２】
請求項１に記載の移動通信ネットワークにおける測位システムにおいて、過去の測位結果が利用可能な場合には過去の測位結果を応答し、過去の測位結果が利用不可能な場合には現在の位置を測定して応答することを特徴とする、移動通信ネットワークにおける測位システム。
【請求項３】
請求項２に記載の移動通信ネットワークにおける測位システムにおいて、要求する測位結果の鮮度情報を付加してクライアントが測位要求を送信し、過去の測位結果が要求される鮮度情報を満たすことができない場合には現在の位置を測定することを特徴とする移動通信ネットワークにおける測位システム。
【請求項４】
請求項２または３に記載の移動通信ネットワークにおける測位システムにおいて、該移動機を使用するユーザーのプライバシ設定を移動通信ネットワーク内部の装置に保持し、過去の測位結果を外部に通知する前に該移動機を使用するユーザーのプライバシ設定を確認することを特徴とする、移動通信ネットワークにおける測位システム。
【請求項５】
請求項４に記載の移動通信ネットワークにおける測位システムにおいて、該移動機を使用するユーザーのプライバシ設定を測位ゲートウェイ装置が保持することを特徴とする、移動通信ネットワークにおける測位システム。
【請求項６】
請求項５に記載の移動通信ネットワークにおける測位システムにおいて、過去の測位結果を測位ゲートウェイ装置が保持することを特徴とする、移動通信ネットワークにおける測位システム。
【請求項７】
請求項６に記載の移動通信ネットワークにおける測位システムにおいて、プライバシ設定を確認した結果、該移動機に対して通知もしくは確認処理を行なう必要がある場合に、測位ゲートウェイ装置がプライバシチェック要求メッセージをネットワーク内の装置に送信し、前記装置が該移動機に対して通知もしくは確認処理を行なうことを特徴とする、移動通信ネットワークにおける測位システム。
【請求項８】
請求項７に記載の移動通信ネットワークにおける測位システムにおいて、測位ゲートウェイ装置が前記装置に送信する測位要求メッセージに専用のパラメータを追加することでプライバシチェック要求メッセージを実現することを特徴とする、移動通信ネットワークにおける測位システム。
【請求項９】
請求項５に記載の移動通信ネットワークにおける測位システムにおいて、過去の測位結果を測位ゲートウェイ装置以外のネットワーク内の装置が保持することを特徴とする、移動通信ネットワークにおける測位システム。
【請求項１０】
請求項６に記載の移動通信ネットワークにおける測位システムにおいて、測位ゲートウェイ装置がプライバシ設定を確認した後、測位要求メッセージを前記ネットワーク内の装置に送信し、前記ネットワーク内の装置が過去の測位結果を応答することを特徴とする、移動通信ネットワークにおける測位システム。
【請求項１１】
請求項１０に記載の移動通信ネットワークにおける測位システムにおいて、測位ゲートウェイ装置が送信する測位要求メッセージに、測位結果の鮮度情報を付加して送信することを特徴とする、移動通信ネットワークにおける測位システム。
【請求項１２】
複数の移動機と、移動機に対するクライアントからの測位要求を受け付けるひとつもしくは複数の測位ゲートウェイ装置と、その他必要な複数の通信装置から構成される移動通信ネットワークにおける測位システムにおいて、各移動機の過去の測位結果を移動通信ネットワーク内部の装置に蓄積し、移動機からの測位要求に対して過去の測位結果を応答することを特徴とする移動通信ネットワークにおける測位システム。
【請求項１３】
請求項１２に記載の移動通信ネットワークにおける測位システムにおいて、過去の測位結果が利用可能な場合には過去の測位結果を該移動機に対して応答し、過去の測位結果が利用不可能な場合には現在の位置を測定して該移動機に対して応答することを特徴とする、移動通信ネットワークにおける測位システム。
【請求項１４】
請求項１３に記載の移動通信ネットワークにおける測位システムにおいて、要求する測位結果の鮮度情報を付加して該移動機が測位要求を送信し、過去の測位結果が要求される鮮度情報を満たすことができない場合には現在の位置を測定して該移動機に対して応答することを特徴とする移動通信ネットワークにおける測位システム。
【請求項１５】
（１）クライアントが、測位ゲートウェイに対し移動機の測位を要求し、
（２）前記測位ゲートウェイは、前記測位要求された移動機のプライバシ設定情報を参照し、この測位要求を確認し、
（３）この確認の結果、測位要求が禁止されておらず、測位要求種別が過去の位置でも構わないとき、前記測位ゲートウェイは前記測位要求された移動機の測位結果を保持しているか確認し、測位結果を保持している場合には、この測位結果が再利用できるかを確認し、
（４）再利用可能であり、前記測位要求された移動機への通知が必要である場合、測位ゲートウェイは、前記移動機管理装置に対し、前記測位要求された移動機が接続する地域無線網を管理する地域無線網管理装置について問い合わせ、
（５）前記移動機管理装置は、前記測位要求された移動機が接続する地域無線網を管理する地域無線網管理装置について返信し、
（６）前記測位ゲートウェイは、前記測位要求された移動機が接続する地域無線網を管理する地域無線網管理装置に対し、プライバシに関するメッセージを送り、（７）前記地域無線網管理装置は、前記測位要求された移動機に対して通知もしくは確認処理を行い、
（８）前記地域無線網管理装置は、プライバシの確認結果を前記測位ゲートウェイに送信し、
（９）前記測位ゲートウェイは、追加のプライバシチェックを行い、
（１０）前記測位ゲートウェイは、測位結果を前記クライアントに送る測位方法。
【請求項１６】
（１）クライアントが、測位ゲートウェイに対し移動機の測位を要求し、
（２）前記測位ゲートウェイは、前記測位要求された移動機のプライバシ設定情報を管理しているプライバシ情報管理装置に対し、測位処理許可要求を送信し、
（３）この測位処理要求を受け取ったプライバシ情報管理装置は、測位対象の移動機のプライバシ設定情報に基づいてプライバシチェックを行い、
（４）この確認の結果、測位要求が禁止されておらず、測位要求種別が過去の位置でも構わないとき、前記プライバシ情報管理装置は前記測位要求された移動機の測位結果を保持しているか確認し、測位結果を保持している場合には、この測位結果が再利用できるかを確認し、
（５）再利用可能であり、前記測位要求された移動機への通知が必要である場合、測位ゲートウェイは、前記移動機管理装置に対し、前記測位要求された移動機が接続する地域無線網を管理する地域無線網管理装置について問い合わせ、
（６）前記移動機管理装置は、前記測位要求された移動機が接続する地域無線網を管理する地域無線網管理装置について返信し、
（７）前記測位ゲートウェイは、前記測位要求された移動機が接続する地域無線網を管理する地域無線網管理装置に対し、プライバシに関するメッセージを送り、（８）前記地域無線網管理装置は、前記測位要求された移動機に対して通知もしくは確認処理を行い、
（９）前記地域無線網管理装置は、プライバシの確認結果を前記測位ゲートウェイに送信し、
（１０）前記プライバシの確認結果が、前記測位対象の移動機の位置情報を前記クライアントに渡してもよいという結果である場合は、前記測位ゲートウェイは、前記測位要求された移動機のプライバシ設定情報を管理しているプライバシ情報管理装置に対し、測位処理許可要求を送信し、
（１１）この測位処理要求を受け取ったプライバシ情報管理装置は、測位対象の移動機のプライバシ設定情報に基づいて追加のプライバシチェックを行い、
（１２）前記測位対象の移動機の位置情報を前記クライアントに渡してもよいという結果である場合は、このプライバシチェック結果を前記測位ゲートウェイに送信し
（１３）前記測位ゲートウェイは、測位結果を前記クライアントに送る測位方法。
【請求項１７】
（１）クライアントが、測位ゲートウェイに対し移動機の測位を要求し、
（２）前記測位ゲートウェイは、前記測位要求された移動機のプライバシ設定情報を管理しているプライバシ情報管理装置に対し、測位処理許可要求を送信し、
（３）この測位処理要求を受け取ったプライバシ情報管理装置は、測位対象の移動機のプライバシ設定情報に基づいてプライバシチェックを行い、
（４）このチェックの結果、前記クライアントからの測位要求を受け付けると判断したきは、前記測位ゲートウェイに応答し、
（５）この応答を受けた前記測位ゲートウェイは、測位要求が禁止されておらず、測位要求種別が過去の位置でも構わないとき、前記測位ゲートウェイは前記測位要求された移動機の測位結果を保持しているか確認し、測位結果を保持している場合には、この測位結果が再利用できるかを確認し、
（６）再利用可能であり、前記測位要求された移動機への通知が必要である場合、測位ゲートウェイは、前記移動機管理装置に対し、前記測位要求された移動機が接続する地域無線網を管理する地域無線網管理装置について問い合わせ、
（７）前記移動機管理装置は、前記測位要求された移動機が接続する地域無線網を管理する地域無線網管理装置について返信し、
（８）前記測位ゲートウェイは、前記測位要求された移動機が接続する地域無線網を管理する地域無線網管理装置に対し、プライバシに関するメッセージを送り、（９）前記地域無線網管理装置は、前記測位要求された移動機に対して通知もしくは確認処理を行い、
（１０）前記地域無線網管理装置は、プライバシの確認結果を前記測位ゲートウェイに送信し、
（１１）前記プライバシの確認結果が、前記測位対象の移動機の位置情報を前記クライアントに渡してもよいという結果である場合は、前記測位ゲートウェイは、前記測位要求された移動機のプライバシ設定情報を管理しているプライバシ情報管理装置に対し、測位処理許可要求を送信し、
（１２）この測位処理要求を受け取ったプライバシ情報管理装置は、測位対象の移動機のプライバシ設定情報に基づいて追加のプライバシチェックを行い、
（１３）このチェックの結果、前記クライアントからの測位要求を受け付けると判断したきは、前記測位ゲートウェイに応答し、
（１４）前記測位ゲートウェイは、測位結果を前記クライアントに送る測位方法。
【請求項１８】
（１）クライアントが、測位ゲートウェイ１に対し移動機の測位を要求し、
（２）前記測位ゲートウェイは、前記測位要求された移動機の情報を管理している移動機管理装置に対し、前記測位要求された移動機のプライバシ設定情報を保持している測位ゲートウェイ２について問い合わせ、
（３）前記移動機管理装置は、前記測位要求された移動機の情報を保持している測位ゲートウェイ２の情報を前記測位ゲートウェイ１に送り、
（４）前記測位ゲートウェイ１は、前記クライアントからの測位要求を前記測位ゲートウェイ２に送り、
（５）前記測位ゲートウェイ２は、前記測位要求された移動機のプライバシ設定情報を参照し、この測位要求を確認し、
（６）この確認の結果、測位要求が禁止されておらず、測位要求種別が過去の位置でも構わないとき、前記測位ゲートウェイ２は前記測位要求された移動機の測位結果を保持しているか確認し、測位結果を保持している場合には、この測位結果が再利用できるかを確認し、
（７）再利用可能であり、前記測位要求された移動機への通知が必要である場合、測位ゲートウェイ２は、前記移動機管理装置に対し、前記測位要求された移動機が接続する地域無線網を管理する地域無線網管理装置について問い合わせ、
（８）前記移動機管理装置は、前記測位要求された移動機が接続する地域無線網を管理する地域無線網管理装置について返信し、
（９）前記測位ゲートウェイ２は、前記測位要求された移動機が接続する地域無線網を管理する地域無線網管理装置に対し、プライバシに関するメッセージを送り、
（１０）前記地域無線網管理装置は、前記測位要求された移動機に対して通知もしくは確認処理を行い、
（１１）前記地域無線網管理装置は、プライバシの確認結果を前記測位ゲートウェイ２に送信し、
（１２）前記測位ゲートウェイ２は、追加のプライバシチェックを行い、
（１３）前記測位ゲートウェイ２は、測位結果を前記測位ゲートウェイ１に送り、
（１４）前記測位ゲートウェイ１は、測位結果を前記クライアントに送る測位方法。
【請求項１９】
（１）クライアントが、測位ゲートウェイ１に対し移動機の測位を要求し、
（２）前記測位ゲートウェイは、前記測位要求された移動機の情報を管理している移動機管理装置に対し、前記測位要求された移動機のプライバシ設定情報を保持している測位ゲートウェイ２について問い合わせ、
（３）前記移動機管理装置は、前記測位要求された移動機の情報を保持している測位ゲートウェイ２の情報を前記測位ゲートウェイ１に送り、
（４）前記測位ゲートウェイ１は、前記クライアントからの測位要求を前記測位ゲートウェイ２に送り、
（５）前記測位ゲートウェイ２は、前記測位要求された移動機のプライバシ設定情報を管理しているプライバシ情報管理装置に対し、測位処理許可要求を送信し、（６）この測位処理要求を受け取ったプライバシ情報管理装置は、測位対象の移動機のプライバシ設定情報に基づいてプライバシチェックを行い、
（７）この確認の結果、測位要求が禁止されておらず、測位要求種別が過去の位置でも構わないとき、前記プライバシ情報管理装置は前記測位要求された移動機の測位結果を保持しているか確認し、測位結果を保持している場合には、この測位結果が再利用できるかを確認し、
（８）再利用可能であり、前記測位要求された移動機への通知が必要である場合、測位ゲートウェイ２は、前記移動機管理装置に対し、前記測位要求された移動機が接続する地域無線網を管理する地域無線網管理装置について問い合わせ、
（９）前記移動機管理装置は、前記測位要求された移動機が接続する地域無線網を管理する地域無線網管理装置について返信し、
（１０）前記測位ゲートウェイ２は、前記測位要求された移動機が接続する地域無線網を管理する地域無線網管理装置に対し、プライバシに関するメッセージを送り、
（１１）前記地域無線網管理装置は、前記測位要求された移動機に対して通知もしくは確認処理を行い、
（１２）前記地域無線網管理装置は、プライバシの確認結果を前記測位ゲートウェイ２に送信し、
（１３）前記プライバシの確認結果が、前記測位対象の移動機の位置情報を前記クライアントに渡してもよいという結果である場合は、前記測位ゲートウェイは、前記測位要求された移動機のプライバシ設定情報を管理しているプライバシ情報管理装置に対し、測位処理許可要求を送信し、
（１４）この測位処理要求を受け取ったプライバシ情報管理装置は、測位対象の移動機のプライバシ設定情報に基づいて追加のプライバシチェックを行い、
（１５）前記測位対象の移動機の位置情報を前記クライアントに渡してもよいという結果である場合は、このプライバシチェック結果を前記測位ゲートウェイ２に送信し
（１６）前記測位ゲートウェイ２は、測位結果を前記測位ゲートウェイ１に送り、
（１７）前記測位ゲートウェイ１は、測位結果を前記クライアントに送る測位方法。
【請求項２０】
（１）クライアントが、測位ゲートウェイ１に対し移動機の測位を要求し、
（２）前記測位ゲートウェイは、前記測位要求された移動機の情報を管理している移動機管理装置に対し、前記測位要求された移動機のプライバシ設定情報を保持している測位ゲートウェイ２について問い合わせ、
（３）前記移動機管理装置は、前記測位要求された移動機の情報を保持している測位ゲートウェイ２の情報を前記測位ゲートウェイ１に送り、
（４）前記測位ゲートウェイ１は、前記クライアントからの測位要求を前記測位ゲートウェイ２に送り、
（５）前記測位ゲートウェイ２は、前記測位要求された移動機のプライバシ設定情報を管理しているプライバシ情報管理装置に対し、測位処理許可要求を送信し、（６）この測位処理要求を受け取ったプライバシ情報管理装置は、測位対象の移動機のプライバシ設定情報に基づいてプライバシチェックを行い、
（７）このチェックの結果、前記クライアントからの測位要求を受け付けると判断したきは、前記測位ゲートウェイ２に応答し、
（８）この応答を受けた前記測位ゲートウェイ２は、測位要求が禁止されておらず、測位要求種別が過去の位置でも構わないとき、前記測位ゲートウェイ２は前記測位要求された移動機の測位結果を保持しているか確認し、測位結果を保持している場合には、この測位結果が再利用できるかを確認し、
（９）再利用可能であり、前記測位要求された移動機への通知が必要である場合、測位ゲートウェイ２は、前記移動機管理装置に対し、前記測位要求された移動機が接続する地域無線網を管理する地域無線網管理装置について問い合わせ、
（１０）前記移動機管理装置は、前記測位要求された移動機が接続する地域無線網を管理する地域無線網管理装置について返信し、
（１１）前記測位ゲートウェイ２は、前記測位要求された移動機が接続する地域無線網を管理する地域無線網管理装置に対し、プライバシに関するメッセージを送り、
（１２）前記地域無線網管理装置は、前記測位要求された移動機に対して通知もしくは確認処理を行い、
（１３）前記地域無線網管理装置は、プライバシの確認結果を前記測位ゲートウェイ２に送信し、
（１４）前記プライバシ確認結果が、前記測位対象の移動機の位置情報を前記クライアントに渡してもよいという結果である場合は、前記測位ゲートウェイ２は、前記測位要求された移動機のプライバシ設定情報を管理しているプライバシ情報管理装置に対し、測位処理許可要求を送信し、
（１５）この測位処理要求を受け取ったプライバシ情報管理装置は、測位対象の移動機のプライバシ設定情報に基づいて追加のプライバシチェックを行い、
（１６）このチェックの結果、前記クライアントからの測位要求を受け付けると判断したきは、前記測位ゲートウェイ２に応答し、
（１７）前記測位ゲートウェイ２は、測位結果を前記測位ゲートウェイ１に送り、
（１８）前記測位ゲートウェイ１は、測位結果を前記クライアントに送る測位方法。
【請求項２１】
（１）クライアントが、測位ゲートウェイ１に対し移動機の測位を要求し、
（２）前記測位ゲートウェイ１は、前記測位要求された移動機の情報を管理している移動機管理装置に対し、前記測位要求された移動機のプライバシ設定情報を保持している測位ゲートウェイ２について問い合わせ、
（３）前記移動機管理装置は、前記測位要求された移動機の情報を保持している測位ゲートウェイ２の情報を前記測位ゲートウェイ１に送り、
（４）前記測位ゲートウェイ１は、前記クライアントからの測位要求を前記測位ゲートウェイ２に送り、
（５）前記測位ゲートウェイ２は、前記測位要求された移動機のプライバシ設定情報を参照し、この測位要求を確認し、
（６）この確認の結果、測位要求が禁止されておらず、測位要求種別が過去の位置でも構わないとき、前記測位ゲートウェイ２は前記測位要求された移動機の測位結果を保持しているか確認し、測位結果を保持している場合には、この測位結果が再利用できるかを確認し、
（７）再利用可能であり、前記測位要求された移動機への通知が必要である場合、測位ゲートウェイ２は、前記移動機管理装置に対し、前記測位要求された移動機が接続する地域無線網を管理する地域無線網管理装置について問い合わせ、
（８）前記移動機管理装置は、前記測位要求された移動機が接続する地域無線網を管理する地域無線網管理装置の情報、および、前記測位要求された移動機が接続する移動通信ネットワークの測位ゲートウェイ３の情報を保持している場合は、当該測位ゲートウェイ３の情報について返信し、
（９）前記測位ゲートウェイ２は、前記測位要求された移動機が接続する移動通信ネットワークの測位ゲートウェイ３に対し、測位要求をプライバシに関するメッセージを送り、
（１０）前記測位ゲートウェイ３は、前記測位要求された移動機が接続する地域無線網を管理する地域無線網管理装置に対し、プライバシに関するメッセージを送り、
（１１）前記地域無線網管理装置は、前記測位要求された移動機に対して通知もしくは確認処理を行い、
（１２）前記地域無線網管理装置は、プライバシの確認結果を前記測位ゲートウェイ３に送信し、
（１３）前記測位ゲートウェイ３は、このプライバシの確認結果を前記測位ゲートウェイ２に送信し、
（１４）前記測位ゲートウェイ２は、追加のプライバシチェックを行い、
（１５）前記測位ゲートウェイ２は、測位結果を前記測位ゲートウェイ１に送り、
（１６）前記測位ゲートウェイ１は、測位結果を前記クライアントに送る測位方法。
【請求項２２】
（１）クライアントが、測位ゲートウェイ１に対し移動機の測位を要求し、
（２）前記測位ゲートウェイ１は、前記測位要求された移動機の情報を管理している移動機管理装置に対し、前記測位要求された移動機のプライバシ設定情報を保持している測位ゲートウェイ２について問い合わせ、
（３）前記移動機管理装置は、前記測位要求された移動機の情報を保持している測位ゲートウェイ２の情報を前記測位ゲートウェイ１に送り、
（４）前記測位ゲートウェイ１は、前記クライアントからの測位要求を前記測位ゲートウェイ２に送り、
（５）前記測位ゲートウェイ２は、前記測位要求された移動機のプライバシ設定情報を管理しているプライバシ情報管理装置に対し、測位処理許可要求を送信し、（６）この測位処理要求を受け取ったプライバシ情報管理装置は、測位対象の移動機のプライバシ設定情報に基づいてプライバシチェックを行い、
（７）この確認の結果、測位要求が禁止されておらず、測位要求種別が過去の位置でも構わないとき、前記プライバシ情報管理装置は前記測位要求された移動機の測位結果を保持しているか確認し、測位結果を保持している場合には、この測位結果が再利用できるかを確認し、
（８）再利用可能であり、前記測位要求された移動機への通知が必要である場合、測位ゲートウェイ２は、前記移動機管理装置に対し、前記測位要求された移動機が接続する地域無線網を管理する地域無線網管理装置について問い合わせ、
（９）前記移動機管理装置は、前記測位要求された移動機が接続する地域無線網を管理する地域無線網管理装置の情報、および、前記測位要求された移動機が接続する移動通信ネットワークの測位ゲートウェイ３の情報を保持している場合は、当該測位ゲートウェイ３の情報について返信し、
（１０）前記測位ゲートウェイ２は、前記測位要求された移動機が接続する移動通信ネットワークの測位ゲートウェイ３に対し、測位要求をプライバシに関するメッセージを送り、
（１１）前記測位ゲートウェイ３は、前記測位要求された移動機が接続する地域無線網を管理する地域無線網管理装置に対し、プライバシに関するメッセージを送り、
（１２）前記地域無線網管理装置は、前記測位要求された移動機に対して通知もしくは確認処理を行い、
（１３）前記地域無線網管理装置は、プライバシの確認結果を前記測位ゲートウェイ３に送信し、
（１４）前記測位ゲートウェイ３は、このプライバシの確認結果を前記測位ゲートウェイ２に送信し、
（１５）前記プライバシの確認結果が、前記測位対象の移動機の位置情報を前記クライアントに渡してもよいという結果である場合は、前記測位ゲートウェイ２は、前記測位要求された移動機のプライバシ設定情報を管理しているプライバシ情報管理装置に対し、測位処理許可要求を送信し、
（１６）この測位処理要求を受け取ったプライバシ情報管理装置は、測位対象の移動機のプライバシ設定情報に基づいて追加のプライバシチェックを行い、
（１７）前記測位対象の移動機の位置情報を前記クライアントに渡してもよいという結果である場合は、このプライバシチェック結果を前記測位ゲートウェイ２に送信し
（１８）前記測位ゲートウェイ２は、測位結果を前記測位ゲートウェイ１に送り、
（１９）前記測位ゲートウェイ１は、測位結果を前記クライアントに送る測位方法。
【請求項２３】
（１）クライアントが、測位ゲートウェイ１に対し移動機の測位を要求し、
（２）前記測位ゲートウェイ１は、前記測位要求された移動機の情報を管理している移動機管理装置に対し、前記測位要求された移動機のプライバシ設定情報を保持している測位ゲートウェイ２について問い合わせ、
（３）前記移動機管理装置は、前記測位要求された移動機の情報を保持している測位ゲートウェイ２の情報を前記測位ゲートウェイ１に送り、
（４）前記測位ゲートウェイ１は、前記クライアントからの測位要求を前記測位ゲートウェイ２に送り、
（５）前記測位ゲートウェイ２は、前記測位要求された移動機のプライバシ設定情報を管理しているプライバシ情報管理装置に対し、測位処理許可要求を送信し、（６）この測位処理要求を受け取ったプライバシ情報管理装置は、測位対象の移動機のプライバシ設定情報に基づいてプライバシチェックを行い、
（７）このチェックの結果、前記クライアントからの測位要求を受け付けると判断したきは、前記測位ゲートウェイ２に応答し、
（８）この応答を受けた前記測位ゲートウェイ２は、測位要求が禁止されておらず、測位要求種別が過去の位置でも構わないとき、前記測位ゲートウェイは前記測位要求された移動機の測位結果を保持しているか確認し、測位結果を保持している場合には、この測位結果が再利用できるかを確認し、
（９）再利用可能であり、前記測位要求された移動機への通知が必要である場合、測位ゲートウェイ２は、前記移動機管理装置に対し、前記測位要求された移動機が接続する地域無線網を管理する地域無線網管理装置について問い合わせ、
（１０）前記移動機管理装置は、前記測位要求された移動機が接続する地域無線網を管理する地域無線網管理装置の情報、および、前記測位要求された移動機が接続する移動通信ネットワークの測位ゲートウェイ３の情報を保持している場合は、当該測位ゲートウェイ３の情報について返信し、
（１１）前記測位ゲートウェイ２は、前記測位要求された移動機が接続する移動通信ネットワークの測位ゲートウェイ３に対し、測位要求をプライバシに関するメッセージを送り、
（１２）前記測位ゲートウェイ３は、前記測位要求された移動機が接続する地域無線網を管理する地域無線網管理装置に対し、プライバシに関するメッセージを送り、
（１３）前記地域無線網管理装置は、前記測位要求された移動機に対して通知もしくは確認処理を行い、
（１４）前記地域無線網管理装置は、プライバシの確認結果を前記測位ゲートウェイ３に送信し、
（１５）前記測位ゲートウェイ３は、このプライバシの確認結果を前記測位ゲートウェイ２に送信し、
（１６）前記プライバシチェック結果が、前記測位対象の移動機の位置情報を前記クライアントに渡してもよいという結果である場合は、前記測位ゲートウェイ２は、前記測位要求された移動機のプライバシ設定情報を管理しているプライバシ情報管理装置に対し、測位処理許可要求を送信し、
（１７）この測位処理要求を受け取ったプライバシ情報管理装置は、測位対象の移動機のプライバシ設定情報に基づいて追加のプライバシチェックを行い、
（１８）このチェックの結果、前記クライアントからの測位要求を受け付けると判断したきは、前記測位ゲートウェイ２に応答し、
（１９）前記測位ゲートウェイ２は、測位結果を前記測位ゲートウェイ１に送り、
（２０）前記測位ゲートウェイ１は、測位結果を前記クライアントに送る測位方法。
【請求項２４】
（１）クライアントが、測位ゲートウェイ１に対し移動機の測位を要求し、
（２）前記測位ゲートウェイ１は、前記測位要求された移動機のプライバシ設定情報を参照し、この測位要求を確認し、
（３）この確認の結果、測位要求が禁止されておらず、測位要求種別が過去の位置でも構わないとき、前記測位ゲートウェイ１は前記測位要求された移動機の測位結果を保持しているか確認し、測位結果を保持している場合には、この測位結果が再利用できるかを確認し、
（４）再利用可能であり、前記測位要求された移動機への通知が必要である場合、測位ゲートウェイ１は、前記移動機管理装置に対し、前記測位要求された移動機が接続する地域無線網を管理する地域無線網管理装置について問い合わせ、
（５）前記移動機管理装置は、前記測位要求された移動機が接続する地域無線網を管理する地域無線網管理装置の情報、および、前記測位要求された移動機が接続する移動通信ネットワークの測位ゲートウェイ２の情報を保持している場合は、当該測位ゲートウェイ２の情報について返信し、
（６）前記測位ゲートウェイ１は、前記測位要求された移動機が接続する移動通信ネットワークの測位ゲートウェイ２に対し、測位要求をプライバシに関するメッセージを送り、
（７）前記測位ゲートウェイ２は、前記測位要求された移動機が接続する地域無線網を管理する地域無線網管理装置に対し、プライバシに関するメッセージを送り、
（８）前記地域無線網管理装置は、前記測位要求された移動機に対して通知もしくは確認処理を行い、
（９）前記地域無線網管理装置は、プライバシの確認結果を前記測位ゲートウェイ２に送信し、
（１０）前記測位ゲートウェイ２は、このプライバシの確認結果を前記測位ゲートウェイ１に送信し、
（１１）前記測位ゲートウェイ１は、追加のプライバシチェックを行い、
（１２）前記測位ゲートウェイ１は、測位結果を前記クライアントに送る測位方法。
【請求項２５】
（１）クライアントが、測位ゲートウェイ１に対し移動機の測位を要求し、
（２）前記測位ゲートウェイ１は、前記測位要求された移動機のプライバシ設定情報を管理しているプライバシ情報管理装置に対し、測位処理許可要求を送信し、（３）この測位処理要求を受け取ったプライバシ情報管理装置は、測位対象の移動機のプライバシ設定情報に基づいてプライバシチェックを行い、
（４）この確認の結果、測位要求が禁止されておらず、測位要求種別が過去の位置でも構わないとき、前記プライバシ情報管理装置は前記測位要求された移動機の測位結果を保持しているか確認し、測位結果を保持している場合には、この測位結果が再利用できるかを確認し、
（５）再利用可能であり、前記測位要求された移動機への通知が必要である場合、測位ゲートウェイ１は、前記移動機管理装置に対し、前記測位要求された移動機が接続する地域無線網を管理する地域無線網管理装置について問い合わせ、
（６）前記移動機管理装置は、前記測位要求された移動機が接続する地域無線網を管理する地域無線網管理装置の情報、および、前記測位要求された移動機が接続する移動通信ネットワークの測位ゲートウェイ２の情報を保持している場合は、当該測位ゲートウェイ２の情報について返信し、
（７）前記測位ゲートウェイ１は、前記測位要求された移動機が接続する移動通信ネットワークの測位ゲートウェイ２に対し、測位要求をプライバシに関するメッセージを送り、
（８）前記測位ゲートウェイ２は、前記測位要求された移動機が接続する地域無線網を管理する地域無線網管理装置に対し、プライバシに関するメッセージを送り、
（９）前記地域無線網管理装置は、前記測位要求された移動機に対して通知もしくは確認処理を行い、
（１０）前記地域無線網管理装置は、プライバシの確認結果を前記測位ゲートウェイ２に送信し、
（１１）前記測位ゲートウェイ２は、このプライバシの確認結果を前記測位ゲートウェイ１に送信し、
（１２）前記プライバシの確認結果が、前記測位対象の移動機の位置情報を前記クライアントに渡してもよいという結果である場合は、前記測位ゲートウェイ１は、前記測位要求された移動機のプライバシ設定情報を管理しているプライバシ情報管理装置に対し、測位処理許可要求を送信し、
（１３）この測位処理要求を受け取ったプライバシ情報管理装置は、測位対象の移動機のプライバシ設定情報に基づいて追加のプライバシチェックを行い、
（１４）前記測位対象の移動機の位置情報を前記クライアントに渡してもよいという結果である場合は、このプライバシチェック結果を前記測位ゲートウェイ１に送信し
（１５）前記測位ゲートウェイ１は、測位結果を前記クライアントに送る測位方法。
【請求項２６】
（１）クライアントが、測位ゲートウェイ１に対し移動機の測位を要求し、
（２）前記測位ゲートウェイ１は、前記測位要求された移動機のプライバシ設定情報を管理しているプライバシ情報管理装置に対し、測位処理許可要求を送信し、（３）この測位処理要求を受け取ったプライバシ情報管理装置は、測位対象の移動機のプライバシ設定情報に基づいてプライバシチェックを行い、
（４）このチェックの結果、前記クライアントからの測位要求を受け付けると判断したきは、前記測位ゲートウェイ１に応答し、
（５）この応答を受けた前記測位ゲートウェイ１は、測位要求が禁止されておらず、測位要求種別が過去の位置でも構わないとき、前記測位ゲートウェイは前記測位要求された移動機の測位結果を保持しているか確認し、測位結果を保持している場合には、この測位結果が再利用できるかを確認し、
（６）再利用可能であり、前記測位要求された移動機への通知が必要である場合、測位ゲートウェイ１は、前記移動機管理装置に対し、前記測位要求された移動機が接続する地域無線網を管理する地域無線網管理装置について問い合わせ、
（７）前記移動機管理装置は、前記測位要求された移動機が接続する地域無線網を管理する地域無線網管理装置の情報、および、前記測位要求された移動機が接続する移動通信ネットワークの測位ゲートウェイ２の情報を保持している場合は、当該測位ゲートウェイ２の情報について返信し、
（８）前記測位ゲートウェイ１は、前記測位要求された移動機が接続する移動通信ネットワークの測位ゲートウェイ２に対し、測位要求をプライバシに関するメッセージを送り、
（９）前記測位ゲートウェイ２は、前記測位要求された移動機が接続する地域無線網を管理する地域無線網管理装置に対し、プライバシに関するメッセージを送り、
（１０）前記地域無線網管理装置は、前記測位要求された移動機に対して通知もしくは確認処理を行い、
（１１）前記地域無線網管理装置は、プライバシの確認結果を前記測位ゲートウェイ２に送信し、
（１２）前記測位ゲートウェイ２は、このプライバシの確認結果を前記測位ゲートウェイ１に送信し、
（１３）前記プライバシの確認結果が、前記測位対象の移動機の位置情報を前記クライアントに渡してもよいという結果である場合は、前記測位ゲートウェイ１は、前記測位要求された移動機のプライバシ設定情報を管理しているプライバシ情報管理装置に対し、測位処理許可要求を送信し、
（１４）この測位処理要求を受け取ったプライバシ情報管理装置は、測位対象の移動機のプライバシ設定情報に基づいて追加のプライバシチェックを行い、
（１５）このチェックの結果、前記クライアントからの測位要求を受け付けると判断したきは、前記測位ゲートウェイ１に応答し、
（１６）前記測位ゲートウェイ１は、測位結果を前記クライアントに送る測位方法。
【請求項２７】
（１）クライアントが、測位ゲートウェイ１に対し移動機の測位を要求し、
（２）前記測位ゲートウェイ１は、前記測位要求された移動機の情報を管理している移動機管理装置に対し、前記測位要求された移動機のプライバシ設定情報を保持している測位ゲートウェイ２について問い合わせ、
（３）前記移動機管理装置は、前記測位要求された移動機の情報を保持している測位ゲートウェイ２の情報を前記測位ゲートウェイ１に送り、
（４）前記測位ゲートウェイ１は、前記クライアントからの測位要求を前記測位ゲートウェイ２に送り、
（５）前記測位ゲートウェイ２は、前記測位要求された移動機のプライバシ設定情報を参照し、この測位要求を確認し、
（６）この確認の結果、測位要求が禁止されておらず、測位要求種別が過去の位置でも構わないとき、前記測位ゲートウェイ２は前記測位要求された移動機の測位結果を保持しているか確認し、測位結果を保持している場合には、この測位結果が再利用できるかを確認し、
（７）再利用可能であり、前記測位要求された移動機への通知が必要である場合、測位ゲートウェイ２は、前記移動機管理装置に対し、前記測位要求された移動機が接続する地域無線網を管理する地域無線網管理装置について問い合わせ、
（８）前記移動機管理装置は、前記測位要求された移動機が接続する地域無線網を管理する地域無線網管理装置の情報、および、前記測位要求された移動機が接続する移動通信ネットワークの測位ゲートウェイ１の情報を保持している場合は、当該測位ゲートウェイ１の情報について返信し、
（９）前記測位ゲートウェイ２は、前記測位要求された移動機が接続する移動通信ネットワークの測位ゲートウェイ１に対し、測位要求をプライバシに関するメッセージを送り、
（１０）前記測位ゲートウェイ１は、前記測位要求された移動機が接続する地域無線網を管理する地域無線網管理装置に対し、プライバシに関するメッセージを送り、
（１１）前記地域無線網管理装置は、前記測位要求された移動機に対して通知もしくは確認処理を行い、
（１２）前記地域無線網管理装置は、プライバシの確認結果を前記測位ゲートウェイ１に送信し、
（１３）前記測位ゲートウェイ１は、このプライバシの確認結果を前記測位ゲートウェイ２に送信し、
（１４）前記測位ゲートウェイ２は、追加のプライバシチェックを行い、
（１５）前記測位ゲートウェイ２は、測位結果を前記測位ゲートウェイ１に送り、
（１６）前記測位ゲートウェイ１は、測位結果を前記クライアントに送る測位方法。
【請求項２８】
（１）クライアントが、測位ゲートウェイ１に対し移動機の測位を要求し、
（２）前記測位ゲートウェイ１は、前記測位要求された移動機の情報を管理している移動機管理装置に対し、前記測位要求された移動機のプライバシ設定情報を保持している測位ゲートウェイ２について問い合わせ、
（３）前記移動機管理装置は、前記測位要求された移動機の情報を保持している測位ゲートウェイ２の情報を前記測位ゲートウェイ１に送り、
（４）前記測位ゲートウェイ１は、前記クライアントからの測位要求を前記測位ゲートウェイ２に送り、
（５）前記測位ゲートウェイ２は、前記測位要求された移動機のプライバシ設定情報を管理しているプライバシ情報管理装置に対し、測位処理許可要求を送信し、（６）この測位処理要求を受け取ったプライバシ情報管理装置は、測位対象の移動機のプライバシ設定情報に基づいてプライバシチェックを行い、
（７）この確認の結果、測位要求が禁止されておらず、測位要求種別が過去の位置でも構わないとき、前記プライバシ情報管理装置は前記測位要求された移動機の測位結果を保持しているか確認し、測位結果を保持している場合には、この測位結果が再利用できるかを確認し、
（８）再利用可能であり、前記測位要求された移動機への通知が必要である場合、測位ゲートウェイ２は、前記移動機管理装置に対し、前記測位要求された移動機が接続する地域無線網を管理する地域無線網管理装置について問い合わせ、
（９）前記移動機管理装置は、前記測位要求された移動機が接続する地域無線網を管理する地域無線網管理装置の情報、および、前記測位要求された移動機が接続する移動通信ネットワークの測位ゲートウェイ１の情報を保持している場合は、当該測位ゲートウェイ１の情報について返信し、
（１０）前記測位ゲートウェイ２は、前記測位要求された移動機が接続する移動通信ネットワークの測位ゲートウェイ１に対し、測位要求をプライバシに関するメッセージを送り、
（１１）前記測位ゲートウェイ１は、前記測位要求された移動機が接続する地域無線網を管理する地域無線網管理装置に対し、プライバシに関するメッセージを送り、
（１２）前記地域無線網管理装置は、前記測位要求された移動機に対して通知もしくは確認処理を行い、
（１３）前記地域無線網管理装置は、プライバシの確認結果を前記測位ゲートウェイ１に送信し、
（１４）前記測位ゲートウェイ１は、このプライバシの確認結果を前記測位ゲートウェイ２に送信し、
（１５）前記プライバシの確認結果が、前記測位対象の移動機の位置情報を前記クライアントに渡してもよいという結果である場合は、前記測位ゲートウェイ２は、前記測位要求された移動機のプライバシ設定情報を管理しているプライバシ情報管理装置に対し、測位処理許可要求を送信し、
（１６）この測位処理要求を受け取ったプライバシ情報管理装置は、測位対象の移動機のプライバシ設定情報に基づいて追加のプライバシチェックを行い、
（１７）前記測位対象の移動機の位置情報を前記クライアントに渡してもよいという結果である場合は、このプライバシチェック結果を前記測位ゲートウェイ２に送信し、
（１８）前記測位ゲートウェイ２は、測位結果を前記測位ゲートウェイ１に送り、
（１９）前記測位ゲートウェイ１は、測位結果を前記クライアントに送る測位方法。
【請求項２９】
（１）クライアントが、測位ゲートウェイ１に対し移動機の測位を要求し、
（２）前記測位ゲートウェイ１は、前記測位要求された移動機の情報を管理している移動機管理装置に対し、前記測位要求された移動機のプライバシ設定情報を保持している測位ゲートウェイ２について問い合わせ、
（３）前記移動機管理装置は、前記測位要求された移動機の情報を保持している測位ゲートウェイ２の情報を前記測位ゲートウェイ１に送り、
（４）前記測位ゲートウェイ１は、前記クライアントからの測位要求を前記測位ゲートウェイ２に送り、
（５）前記測位ゲートウェイ２は、前記測位要求された移動機のプライバシ設定情報を管理しているプライバシ情報管理装置に対し、測位処理許可要求を送信し、（６）この測位処理要求を受け取ったプライバシ情報管理装置は、測位対象の移動機のプライバシ設定情報に基づいてプライバシチェックを行い、
（７）このチェックの結果、前記クライアントからの測位要求を受け付けると判断したきは、前記測位ゲートウェイ２に応答し、
（８）この応答を受けた前記測位ゲートウェイ２は、測位要求が禁止されておらず、測位要求種別が過去の位置でも構わないとき、前記測位ゲートウェイは前記測位要求された移動機の測位結果を保持しているか確認し、測位結果を保持している場合には、この測位結果が再利用できるかを確認し、
（９）再利用可能であり、前記測位要求された移動機への通知が必要である場合、測位ゲートウェイ２は、前記移動機管理装置に対し、前記測位要求された移動機が接続する地域無線網を管理する地域無線網管理装置について問い合わせ、
（１０）前記移動機管理装置は、前記測位要求された移動機が接続する地域無線網を管理する地域無線網管理装置の情報、および、前記測位要求された移動機が接続する移動通信ネットワークの測位ゲートウェイ１の情報を保持している場合は、当該測位ゲートウェイ１の情報について返信し、
（１１）前記測位ゲートウェイ２は、前記測位要求された移動機が接続する移動通信ネットワークの測位ゲートウェイ１に対し、測位要求をプライバシに関するメッセージを送り、
（１２）前記測位ゲートウェイ１は、前記測位要求された移動機が接続する地域無線網を管理する地域無線網管理装置に対し、プライバシに関するメッセージを送り、
（１３）前記地域無線網管理装置は、前記測位要求された移動機に対して通知もしくは確認処理を行い、
（１４）前記地域無線網管理装置は、プライバシの確認結果を前記測位ゲートウェイ１に送信し、
（１５）前記測位ゲートウェイ１は、このプライバシの確認結果を前記測位ゲートウェイ２に送信し、
（１６）前記プライバシの確認結果が、前記測位対象の移動機の位置情報を前記クライアントに渡してもよいという結果である場合は、前記測位ゲートウェイ２は、前記測位要求された移動機のプライバシ設定情報を管理しているプライバシ情報管理装置に対し、測位処理許可要求を送信し、
（１７）この測位処理要求を受け取ったプライバシ情報管理装置は、測位対象の移動機のプライバシ設定情報に基づいて追加のプライバシチェックを行い、
（１８）このチェックの結果、前記クライアントからの測位要求を受け付けると判断したきは、前記測位ゲートウェイ２に応答し、
（１９）前記測位ゲートウェイ２は、測位結果を前記測位ゲートウェイ１に送り、
（２０）前記測位ゲートウェイ１は、測位結果を前記クライアントに送る測位方法。
【請求項３０】
（１０１）移動機が、地域無線網管理装置に対し移動機の測位を要求し、
（１０２）前記地域無線網管理装置は、前記測位要求のタイプが「過去の位置でも構わない」場合には、前記測位対象の移動機の過去の測位結果を保持しているかを確認し、過去の測位結果を保持しており過去の測位結果を再利用することができるときは、この再利用可能な測位結果を前記測位を要求した移動機に返送する測位方法。
【請求項３１】
移動機のプライバシ設定情報および過去の測位結果を保持する手段と、
クライアントから前記移動機の測位要求を受信したときに前記移動機の前記プライバシ設定情報を参照し、前記測位要求を確認する手段と、
前記確認の結果、前記測位要求が禁止されておらず、測位要求種別が過去の位置でも良いとき、前記移動機の過去の測位結果を保持しており且つ保持している測位結果が再利用できるかを確認する手段と、
前記移動機の過去の測位結果を再利用可能であり、前記測位要求された前記移動機への通知もしくは確認が必要である場合に、前記移動機が接続する地域無線網を管理する地域無線網管理装置に対し、プライバシ要求メッセージを送る手段と、
前記地域無線網管理装置が前記移動機に対して通知もしくは確認処理を行ってプライバシの確認結果を送信してきた場合に、追加のプライバシチェックを行う手段と、
前記追加のプライバシチェックの結果、過去の測位結果を前記クライアントに渡しても良い場合、前記過去の測位結果を前記クライアントへ送る手段と、
を備えたことを特徴とする測位ゲートウェイ装置。
【請求項３２】
クライアントから前記移動機の測位要求を受信したときに、前記移動機のプライバシ設定情報および過去の測位結果を保持するプライバシ情報管理装置に対して測位処理許可要求を送る手段と、
前記プライバシ情報管理装置が、前記移動機の前記プライバシ設定情報を参照して前記測位要求を確認し、前記確認の結果、前記測位要求が禁止されておらず、測位要求種別が過去の位置でも良いとき、前記移動機の過去の測位結果を保持しており且つ保持している測位結果が再利用できるかを確認し、プライバシチェックの結果と共に前記過去の測位結果を前記測位処理許可要求の応答として返してきたとき、前記移動機の過去の測位結果を再利用可能であり、前記測位要求された前記移動機への通知もしくは確認が必要である場合に、前記移動機が接続する地域無線網を管理する地域無線網管理装置に対し、プライバシ要求メッセージを送る手段と、
前記地域無線網管理装置が前記移動機に対して通知もしくは確認処理を行ってプライバシの確認結果を送信してきた場合に、前記プライバシ情報管理装置に対して追加のプライバシチェックを要求する手段と、
前記プライバシ情報管理装置から返される前記追加のプライバシチェックの結果、過去の測位結果を前記クライアントに渡しても良い場合、前記過去の測位結果を前記クライアントへ送る手段と、
を備えたことを特徴とする測位ゲートウェイ装置。
【請求項３３】
移動機の過去の測位結果を保持する手段と、
クライアントから前記移動機の測位要求を受信したときに、前記移動機のプライバシ設定情報を保持するプライバシ情報管理装置に対して測位処理許可要求を送る手段と、
前記プライバシ情報管理装置が、前記移動機の前記プライバシ設定情報を参照して前記測位要求を確認し、該確認の結果を返してきたときに、前記測位要求が禁止されておらず、測位要求種別が過去の位置でも良い場合、前記移動機の過去の測位結果を保持しており且つ保持している測位結果が再利用できるかを確認する手段と、
前記移動機の過去の測位結果を再利用可能であり、前記測位要求された前記移動機への通知もしくは確認が必要である場合に、前記移動機が接続する地域無線網を管理する地域無線網管理装置に対し、プライバシ要求メッセージを送る手段と、
前記地域無線網管理装置が前記移動機に対して通知もしくは確認処理を行ってプライバシの確認結果を送信してきた場合に、前記プライバシ情報管理装置に対して追加のプライバシチェックを要求する手段と、
前記プライバシ情報管理装置から返される前記追加のプライバシチェックの結果、過去の測位結果を前記クライアントに渡しても良い場合、前記過去の測位結果を前記クライアントへ送る手段と、
を備えたことを特徴とする測位ゲートウェイ装置。
【請求項３４】
過去の位置でも良いかを示す測位要求種別を指定した移動機の測位要求を測位ゲートウェイに送信する手段と、前記測位ゲートウェイからの前記測位要求に対する応答を受信する手段とを備えたクライアントであって、前記測位ゲートウェイは、
前記移動機のプライバシ設定情報および過去の測位結果を保持する手段と、
前記クライアントから前記移動機の測位要求を受信したときに前記移動機の前記プライバシ設定情報を参照し、前記測位要求を確認する手段と、
前記確認の結果、前記測位要求が禁止されておらず、測位要求種別が過去の位置でも良いとき、前記移動機の過去の測位結果を保持しており且つ保持している測位結果が再利用できるかを確認する手段と、
前記移動機の過去の測位結果を再利用可能であり、前記測位要求された前記移動機への通知もしくは確認が必要である場合に、前記移動機が接続する地域無線網を管理する地域無線網管理装置に対し、プライバシ要求メッセージを送る手段と、
前記地域無線網管理装置が前記移動機に対して通知もしくは確認処理を行ってプライバシの確認結果を送信してきた場合に、追加のプライバシチェックを行う手段と、
前記追加のプライバシチェックの結果、過去の測位結果を前記クライアントに渡しても良い場合、前記過去の測位結果を前記クライアントへ送る手段とを備えるものであることを特徴とするクライアント装置。
【請求項３５】
過去の位置でも良いかを示す測位要求種別を指定した移動機の測位要求を測位ゲートウェイに送信する手段と、前記測位ゲートウェイからの前記測位要求に対する応答を受信する手段とを備えたクライアントであって、前記測位ゲートウェイは、
前記クライアントから前記移動機の測位要求を受信したときに、前記移動機のプライバシ設定情報および過去の測位結果を保持するプライバシ情報管理装置に対して測位処理許可要求を送る手段と、
前記プライバシ情報管理装置が、前記移動機の前記プライバシ設定情報を参照して前記測位要求を確認し、前記確認の結果、前記測位要求が禁止されておらず、測位要求種別が過去の位置でも良いとき、前記移動機の過去の測位結果を保持しており且つ保持している測位結果が再利用できるかを確認し、プライバシチェックの結果と共に前記過去の測位結果を前記測位処理許可要求の応答として返してきたとき、前記移動機の過去の測位結果を再利用可能であり、前記測位要求された前記移動機への通知もしくは確認が必要である場合に、前記移動機が接続する地域無線網を管理する地域無線網管理装置に対し、プライバシ要求メッセージを送る手段と、
前記地域無線網管理装置が前記移動機に対して通知もしくは確認処理を行ってプライバシの確認結果を送信してきた場合に、前記プライバシ情報管理装置に対して追加のプライバシチェックを要求する手段と、
前記プライバシ情報管理装置から返される前記追加のプライバシチェックの結果、過去の測位結果を前記クライアントに渡しても良い場合、前記過去の測位結果を前記クライアントへ送る手段とを備えるものであることを特徴とするクライアント装置。
【請求項３６】
過去の位置でも良いかを示す測位要求種別を指定した移動機の測位要求を測位ゲートウェイに送信する手段と、前記測位ゲートウェイからの前記測位要求に対する応答を受信する手段とを備えたクライアントであって、前記測位ゲートウェイは、
移動機の過去の測位結果を保持する手段と、
前記クライアントから前記移動機の測位要求を受信したときに、前記移動機のプライバシ設定情報を保持するプライバシ情報管理装置に対して測位処理許可要求を送る手段と、
前記プライバシ情報管理装置が、前記移動機の前記プライバシ設定情報を参照して前記測位要求を確認し、該確認の結果を返してきたときに、前記測位要求が禁止されておらず、測位要求種別が過去の位置でも良い場合、前記移動機の過去の測位結果を保持しており且つ保持している測位結果が再利用できるかを確認する手段と、
前記移動機の過去の測位結果を再利用可能であり、前記測位要求された前記移動機への通知もしくは確認が必要である場合に、前記移動機が接続する地域無線網を管理する地域無線網管理装置に対し、プライバシ要求メッセージを送る手段と、
前記地域無線網管理装置が前記移動機に対して通知もしくは確認処理を行ってプライバシの確認結果を送信してきた場合に、前記プライバシ情報管理装置に対して追加のプライバシチェックを要求する手段と、
前記プライバシ情報管理装置から返される前記追加のプライバシチェックの結果、過去の測位結果を前記クライアントに渡しても良い場合、前記過去の測位結果を前記クライアントへ送る手段とを備えるものであることを特徴とするクライアント装置。
【請求項３７】
移動機のプライバシ設定情報および過去の測位結果を保持する手段と、
クライアントから前記移動機の測位要求を受信した他の測位ゲートウェイから前記移動機の測位要求が転送されてきたときに前記移動機の前記プライバシ設定情報を参照し、前記測位要求を確認する手段と、
前記確認の結果、前記測位要求が禁止されておらず、測位要求種別が過去の位置でも良いとき、前記移動機の過去の測位結果を保持しており且つ保持している測位結果が再利用できるかを確認する手段と、
前記移動機の過去の測位結果を再利用可能であり、前記測位要求された前記移動機への通知もしくは確認が必要である場合に、
前記移動機が接続する地域無線網を管理する地域無線網管理装置に対し、プライバシ要求メッセージを送る手段と、
前記地域無線網管理装置が前記移動機に対して通知もしくは確認処理を行ってプライバシの確認結果を送信してきた場合に、追加のプライバシチェックを行う手段と、
前記追加のプライバシチェックの結果、過去の測位結果を前記クライアントに渡しても良い場合、前記過去の測位結果を前記測位要求を転送してきた前記他のゲートウェイ装置へ送る手段と、
を備えたことを特徴とする測位ゲートウェイ装置。
【請求項３８】
クライアントから前記移動機の測位要求を受信した他の測位ゲートウェイから前記移動機の測位要求が転送されてきたときに、前記移動機のプライバシ設定情報および過去の測位結果を保持するプライバシ情報管理装置に対して測位処理許可要求を送る手段と、
前記プライバシ情報管理装置が、前記移動機の前記プライバシ設定情報を参照して前記測位要求を確認し、該確認の結果、前記測位要求が禁止されておらず、測位要求種別が過去の位置でも良いとき、前記移動機の過去の測位結果を保持しており且つ保持している測位結果が再利用できるかを確認し、プライバシチェックの結果と共に前記過去の測位結果を前記測位処理許可要求の応答として返してきたとき、前記移動機の過去の測位結果を再利用可能であり、前記測位要求された前記移動機への通知もしくは確認が必要である場合に、前記移動機が接続する地域無線網を管理する地域無線網管理装置に対し、プライバシ要求メッセージを送る手段と、
前記地域無線網管理装置が前記移動機に対して通知もしくは確認処理を行ってプライバシの確認結果を送信してきた場合に、前記プライバシ情報管理装置に対して追加のプライバシチェックを要求する手段と、
前記プライバシ情報管理装置から返される前記追加のプライバシチェックの結果、過去の測位結果を前記クライアントに渡しても良い場合、前記過去の測位結果を前記測位要求を転送してきた前記他のゲートウェイ装置へ送る手段と、
を備えたことを特徴とする測位ゲートウェイ装置。
【請求項３９】
移動機の過去の測位結果を保持する手段と、
クライアントから前記移動機の測位要求を受信した他の測位ゲートウェイから前記移動機の測位要求が転送されてきたときに、前記移動機のプライバシ設定情報を保持するプライバシ情報管理装置に対して測位処理許可要求を送る手段と、
前記プライバシ情報管理装置が、前記移動機の前記プライバシ設定情報を参照して前記測位要求を確認し、該確認の結果を返してきたときに、前記測位要求が禁止されておらず、測位要求種別が過去の位置でも良い場合、前記移動機の過去の測位結果を保持しており且つ保持している測位結果が再利用できるかを確認する手段と、
前記移動機の過去の測位結果を再利用可能であり、前記測位要求された前記移動機への通知もしくは確認が必要である場合に、前記移動機が接続する地域無線網を管理する地域無線網管理装置に対し、プライバシ要求メッセージを送る手段と、
前記地域無線網管理装置が前記移動機に対して通知もしくは確認処理を行ってプライバシの確認結果を送信してきた場合に、前記プライバシ情報管理装置に対して追加のプライバシチェックを要求する手段と、
前記プライバシ情報管理装置から返される前記追加のプライバシチェックの結果、過去の測位結果を前記クライアントに渡しても良い場合、前記過去の測位結果を前記測位要求を転送してきた前記他のゲートウェイ装置へ送る手段と、
を備えたことを特徴とする測位ゲートウェイ装置。
【請求項４０】
クライアントから移動機の測位要求を受信したときに、前記移動機のプライバシ設定情報を保持する他の測位ゲートウェイを特定し、該特定した他の測位ゲートウェイへ前記受信した前記移動機の測位要求を転送する手段と、
前記他の測位ゲートウェイから前記転送した測位要求に対する応答を受信したときに、該応答を前記クライアントへ送る手段とを備え、
前記他の測位ゲートウェイは、
移動機のプライバシ設定情報および過去の測位結果を保持する手段と、
前記移動機の測位要求が転送されてきたときに前記移動機の前記プライバシ設定情報を参照し、前記測位要求を確認する手段と、
前記確認の結果、前記測位要求が禁止されておらず、測位要求種別が過去の位置でも良いとき、前記移動機の過去の測位結果を保持しており且つ保持している測位結果が再利用できるかを確認する手段と、
前記移動機の過去の測位結果を再利用可能であり、前記測位要求された前記移動機への通知もしくは確認が必要である場合に、前記移動機が接続する地域無線網を管理する地域無線網管理装置に対し、プライバシ要求メッセージを送る手段と、
前記地域無線網管理装置が前記移動機に対して通知もしくは確認処理を行ってプライバシの確認結果を送信してきた場合に、追加のプライバシチェックを行う手段と、
前記追加のプライバシチェックの結果、過去の測位結果を前記クライアントに渡しても良い場合、前記過去の測位結果を前記測位要求を転送してきた前記他のゲートウェイ装置へ送る手段とを備えるものであることを特徴とする測位ゲートウェイ装置。
【請求項４１】
クライアントから移動機の測位要求を受信したときに、前記移動機のプライバシ設定情報を保持する他の測位ゲートウェイを特定し、該特定した他の測位ゲートウェイへ前記受信した前記移動機の測位要求を転送する手段と、
前記他の測位ゲートウェイから前記転送した測位要求に対する応答を受信したときに、該応答を前記クライアントへ送る手段とを備え、
前記他の測位ゲートウェイは、
前記移動機の測位要求が転送されてきたときに、前記移動機のプライバシ設定情報および過去の測位結果を保持するプライバシ情報管理装置に対して測位処理許可要求を送る手段と、
前記プライバシ情報管理装置が、前記移動機の前記プライバシ設定情報を参照して前記測位要求を確認し、該確認の結果、前記測位要求が禁止されておらず、測位要求種別が過去の位置でも良いとき、前記移動機の過去の測位結果を保持しており且つ保持している測位結果が再利用できるかを確認し、プライバシチェックの結果と共に前記過去の測位結果を前記測位処理許可要求の応答として返してきたとき、前記移動機の過去の測位結果を再利用可能であり、前記測位要求された前記移動機への通知もしくは確認が必要である場合に、前記移動機が接続する地域無線網を管理する地域無線網管理装置に対し、プライバシ要求メッセージを送る手段と、
前記地域無線網管理装置が前記移動機に対して通知もしくは確認処理を行ってプライバシの確認結果を送信してきた場合に、前記プライバシ情報管理装置に対して追加のプライバシチェックを要求する手段と、
前記プライバシ情報管理装置から返される前記追加のプライバシチェックの結果、過去の測位結果を前記クライアントに渡しても良い場合、前記過去の測位結果を前記測位要求を転送してきた前記他のゲートウェイ装置へ送る手段とを備えるものであることを特徴とする測位ゲートウェイ装置。
【請求項４２】
クライアントから移動機の測位要求を受信したときに、前記移動機のプライバシ設定情報を保持する他の測位ゲートウェイを特定し、該特定した他の測位ゲートウェイへ前記受信した前記移動機の測位要求を転送する手段と、
前記他の測位ゲートウェイから前記転送した測位要求に対する応答を受信したときに、該応答を前記クライアントへ送る手段とを備え、
前記他の測位ゲートウェイは、
移動機の過去の測位結果を保持する手段と、
前記移動機の測位要求が転送されてきたときに、前記移動機のプライバシ設定情報を保持するプライバシ情報管理装置に対して測位処理許可要求を送る手段と、前記プライバシ情報管理装置が、前記移動機の前記プライバシ設定情報を参照して前記測位要求を確認し、該確認の結果を返してきたときに、前記測位要求が禁止されておらず、測位要求種別が過去の位置でも良い場合、前記移動機の過去の測位結果を保持しており且つ保持している測位結果が再利用できるかを確認する手段と、
前記移動機の過去の測位結果を再利用可能であり、前記測位要求された前記移動機への通知もしくは確認が必要である場合に、前記移動機が接続する地域無線網を管理する地域無線網管理装置に対し、プライバシ要求メッセージを送る手段と、
前記地域無線網管理装置が前記移動機に対して通知もしくは確認処理を行ってプライバシの確認結果を送信してきた場合に、前記プライバシ情報管理装置に対して追加のプライバシチェックを要求する手段と、
前記プライバシ情報管理装置から返される前記追加のプライバシチェックの結果、過去の測位結果を前記クライアントに渡しても良い場合、前記過去の測位結果を前記測位要求を転送してきた前記他のゲートウェイ装置へ送る手段とを備えるものであることを特徴とする測位ゲートウェイ装置。
【請求項４３】
過去の位置でも良いかを示す測位要求種別を指定した移動機の測位要求を測位ゲートウェイに送信する手段と、前記測位ゲートウェイからの前記測位要求に対する応答を受信する手段とを備えたクライアントであって、前記測位ゲートウェイは、
前記クライアントから移動機の測位要求を受信したときに、前記移動機のプライバシ設定情報を保持する他の測位ゲートウェイを特定し、該特定した他の測位ゲートウェイへ前記受信した前記移動機の測位要求を転送する手段と、
前記他の測位ゲートウェイから前記転送した測位要求に対する応答を受信したときに、該応答を前記クライアントへ送る手段とを備えるものであり、
前記他の測位ゲートウェイは、
前記移動機のプライバシ設定情報および過去の測位結果を保持する手段と、
前記移動機の測位要求が転送されてきたときに前記移動機の前記プライバシ設定情報を参照し、前記測位要求を確認する手段と、
前記確認の結果、前記測位要求が禁止されておらず、測位要求種別が過去の位置でも良いとき、前記移動機の過去の測位結果を保持しており且つ保持している測位結果が再利用できるかを確認する手段と、
前記移動機の過去の測位結果を再利用可能であり、前記測位要求された前記移動機への通知もしくは確認が必要である場合に、前記移動機が接続する地域無線網を管理する地域無線網管理装置に対し、プライバシ要求メッセージを送る手段と、
前記地域無線網管理装置が前記移動機に対して通知もしくは確認処理を行ってプライバシの確認結果を送信してきた場合に、追加のプライバシチェックを行う手段と、
前記追加のプライバシチェックの結果、過去の測位結果を前記クライアントに渡しても良い場合、前記過去の測位結果を前記測位要求を転送してきた前記他のゲートウェイ装置へ送る手段とを備えるものであることを特徴とするクライアント装置。
【請求項４４】
過去の位置でも良いかを示す測位要求種別を指定した移動機の測位要求を測位ゲートウェイに送信する手段と、前記測位ゲートウェイからの前記測位要求に対する応答を受信する手段とを備えたクライアントであって、前記測位ゲートウェイは、
前記クライアントから移動機の測位要求を受信したときに、前記移動機のプライバシ設定情報を保持する他の測位ゲートウェイを特定し、該特定した他の測位ゲートウェイへ前記受信した前記移動機の測位要求を転送する手段と、
前記他の測位ゲートウェイから前記転送した測位要求に対する応答を受信したときに、該応答を前記クライアントへ送る手段とを備えるものであり、
前記他の測位ゲートウェイは、
前記移動機の測位要求が転送されてきたときに、前記移動機のプライバシ設定情報および過去の測位結果を保持するプライバシ情報管理装置に対して測位処理許可要求を送る手段と、
前記プライバシ情報管理装置が、前記移動機の前記プライバシ設定情報を参照して前記測位要求を確認し、該確認の結果、前記測位要求が禁止されておらず、測位要求種別が過去の位置でも良いとき、前記移動機の過去の測位結果を保持しており且つ保持している測位結果が再利用できるかを確認し、プライバシチェックの結果と共に前記過去の測位結果を前記測位処理許可要求の応答として返してきたとき、前記移動機の過去の測位結果を再利用可能であり、前記測位要求された前記移動機への通知もしくは確認が必要である場合に、前記移動機が接続する地域無線網を管理する地域無線網管理装置に対し、プライバシ要求メッセージを送る手段と、
前記地域無線網管理装置が前記移動機に対して通知もしくは確認処理を行ってプライバシの確認結果を送信してきた場合に、前記プライバシ情報管理装置に対して追加のプライバシチェックを要求する手段と、
前記プライバシ情報管理装置から返される前記追加のプライバシチェックの結果、過去の測位結果を前記クライアントに渡しても良い場合、前記過去の測位結果を前記測位要求を転送してきた前記他のゲートウェイ装置へ送る手段とを備えるものであることを特徴とするクライアント装置。
【請求項４５】
過去の位置でも良いかを示す測位要求種別を指定した移動機の測位要求を測位ゲートウェイに送信する手段と、前記測位ゲートウェイからの前記測位要求に対する応答を受信する手段とを備えたクライアントであって、前記測位ゲートウェイは、
前記クライアントから移動機の測位要求を受信したときに、前記移動機のプライバシ設定情報を保持する他の測位ゲートウェイを特定し、該特定した他の測位ゲートウェイへ前記受信した前記移動機の測位要求を転送する手段と、
前記他の測位ゲートウェイから前記転送した測位要求に対する応答を受信したときに、該応答を前記クライアントへ送る手段とを備えるものであり、
前記他の測位ゲートウェイは、
移動機の過去の測位結果を保持する手段と、
前記移動機の測位要求が転送されてきたときに、前記移動機のプライバシ設定情報を保持するプライバシ情報管理装置に対して測位処理許可要求を送る手段と、前記プライバシ情報管理装置が、前記移動機の前記プライバシ設定情報を参照して前記測位要求を確認し、該確認の結果を返してきたときに、前記測位要求が禁止されておらず、測位要求種別が過去の位置でも良い場合、前記移動機の過去の測位結果を保持しており且つ保持している測位結果が再利用できるかを確認する手段と、
前記移動機の過去の測位結果を再利用可能であり、前記測位要求された前記移動機への通知もしくは確認が必要である場合に、前記移動機が接続する地域無線網を管理する地域無線網管理装置に対し、プライバシ要求メッセージを送る手段と、
前記地域無線網管理装置が前記移動機に対して通知もしくは確認処理を行ってプライバシの確認結果を送信してきた場合に、前記プライバシ情報管理装置に対して追加のプライバシチェックを要求する手段と、
前記プライバシ情報管理装置から返される前記追加のプライバシチェックの結果、過去の測位結果を前記クライアントに渡しても良い場合、前記過去の測位結果を前記測位要求を転送してきた前記他のゲートウェイ装置へ送る手段とを備えるものであることを特徴とするクライアント装置。
【請求項４６】
移動機のプライバシ設定情報および過去の測位結果を保持する手段と、
クライアントから前記移動機の測位要求を受信した他の測位ゲートウェイから前記移動機の測位要求が転送されてきたときに前記移動機の前記プライバシ設定情報を参照し、前記測位要求を確認する手段と、
前記確認の結果、前記測位要求が禁止されておらず、測位要求種別が過去の位置でも良いとき、前記移動機の過去の測位結果を保持しており且つ保持している測位結果が再利用できるかを確認する手段と、
前記移動機の過去の測位結果を再利用可能であり、前記測位要求された前記移動機への通知もしくは確認が必要である場合に、前記移動機の移動先通信ネットワークの測位ゲートウェイに対し、プライバシチェック要求メッセージを送る手段と、
前記移動機の移動先通信ネットワークの測位ゲートウェイが、前記移動機が接続する地域無線網を管理する地域無線網管理装置に対し、プライバシ要求メッセージを送り、前記地域無線網管理装置が前記移動機に対して通知もしくは確認処理を行ってプライバシの確認結果を送信し、該送信された確認結果を前記移動先ネットワークの測位ゲートウェイが送信してきた場合に、追加のプライバシチェックを行う手段と、
前記追加のプライバシチェックの結果、過去の測位結果を前記クライアントに渡しても良い場合、前記過去の測位結果を前記測位要求を転送してきた前記他のゲートウェイ装置へ送る手段と、
を備えたことを特徴とする測位ゲートウェイ装置。
【請求項４７】
クライアントから前記移動機の測位要求を受信した他の測位ゲートウェイから前記移動機の測位要求が転送されてきたときに、前記移動機のプライバシ設定情報および過去の測位結果を保持するプライバシ情報管理装置に対して測位処理許可要求を送る手段と、
前記プライバシ情報管理装置が、前記移動機の前記プライバシ設定情報を参照して前記測位要求を確認し、該確認の結果、前記測位要求が禁止されておらず、測位要求種別が過去の位置でも良いとき、前記移動機の過去の測位結果を保持しており且つ保持している測位結果が再利用できるかを確認し、プライバシチェックの結果と共に前記過去の測位結果を前記測位処理許可要求の応答として返してきたとき、前記移動機の過去の測位結果を再利用可能であり、前記測位要求された前記移動機への通知もしくは確認が必要である場合に、前記移動機の移動先通信ネットワークの測位ゲートウェイに対し、プライバシチェック要求メッセージを送る手段と、
前記移動機の移動先通信ネットワークの測位ゲートウェイが、前記移動機が接続する地域無線網を管理する地域無線網管理装置に対し、プライバシ要求メッセージを送り、前記地域無線網管理装置が前記移動機に対して通知もしくは確認処理を行ってプライバシの確認結果を送信し、該送信された確認結果を前記移動先ネットワークの測位ゲートウェイが送信してきた場合に、前記プライバシ情報管理装置に対して追加のプライバシチェックを要求する手段と、
前記プライバシ情報管理装置から返される前記追加のプライバシチェックの結果、過去の測位結果を前記クライアントに渡しても良い場合、前記過去の測位結果を前記測位要求を転送してきた前記他のゲートウェイ装置へ送る手段と、
を備えたことを特徴とする測位ゲートウェイ装置。
【請求項４８】
移動機の過去の測位結果を保持する手段と、
クライアントから前記移動機の測位要求を受信した他の測位ゲートウェイから前記移動機の測位要求が転送されてきたときに、前記移動機のプライバシ設定情報を保持するプライバシ情報管理装置に対して測位処理許可要求を送る手段と、
前記プライバシ情報管理装置が、前記移動機の前記プライバシ設定情報を参照して前記測位要求を確認し、該確認の結果を返してきたときに、前記測位要求が禁止されておらず、測位要求種別が過去の位置でも良い場合、前記移動機の過去の測位結果を保持しており且つ保持している測位結果が再利用できるかを確認する手段と、
前記移動機の過去の測位結果を再利用可能であり、前記測位要求された前記移動機への通知もしくは確認が必要である場合に、前記移動機の移動先通信ネットワークの測位ゲートウェイに対し、プライバシチェック要求メッセージを送る手段と、
前記移動機の移動先通信ネットワークの測位ゲートウェイが、前記移動機が接続する地域無線網を管理する地域無線網管理装置に対し、プライバシ要求メッセージを送り、前記地域無線網管理装置が前記移動機に対して通知もしくは確認処理を行ってプライバシの確認結果を送信し、該送信された確認結果を前記移動先ネットワークの測位ゲートウェイが送信してきた場合に、前記プライバシ情報管理装置に対して追加のプライバシチェックを要求する手段と、
前記プライバシ情報管理装置から返される前記追加のプライバシチェックの結果、過去の測位結果を前記クライアントに渡しても良い場合、前記過去の測位結果を前記測位要求を転送してきた前記他のゲートウェイ装置へ送る手段と、
を備えたことを特徴とする測位ゲートウェイ装置。
【請求項４９】
クライアントから移動機の測位要求を受信したときに、前記移動機のプライバシ設定情報を保持する他の測位ゲートウェイを特定し、該特定した他の測位ゲートウェイへ前記受信した前記移動機の測位要求を転送する手段と、
前記他の測位ゲートウェイから前記転送した測位要求に対する応答を受信したときに、該応答を前記クライアントへ送る手段とを備え、
前記他の測位ゲートウェイは、
移動機のプライバシ設定情報および過去の測位結果を保持する手段と、
前記移動機の測位要求が転送されてきたときに前記移動機の前記プライバシ設定情報を参照し、前記測位要求を確認する手段と、
前記確認の結果、前記測位要求が禁止されておらず、測位要求種別が過去の位置でも良いとき、前記移動機の過去の測位結果を保持しており且つ保持している測位結果が再利用できるかを確認する手段と、
前記移動機の過去の測位結果を再利用可能であり、前記測位要求された前記移動機への通知もしくは確認が必要である場合に、前記移動機の移動先通信ネットワークの測位ゲートウェイに対し、プライバシチェック要求メッセージを送る手段と、
前記移動機の移動先通信ネットワークの測位ゲートウェイが、前記移動機が接続する地域無線網を管理する地域無線網管理装置に対し、プライバシ要求メッセージを送り、前記地域無線網管理装置が前記移動機に対して通知もしくは確認処理を行ってプライバシの確認結果を送信し、該送信された確認結果を前記移動先ネットワークの測位ゲートウェイが送信してきた場合に、追加のプライバシチェックを行う手段と、
前記追加のプライバシチェックの結果、過去の測位結果を前記クライアントに渡しても良い場合、前記過去の測位結果を前記測位要求を転送してきた前記他のゲートウェイ装置へ送る手段とを備えるものであることを特徴とする測位ゲートウェイ装置。
【請求項５０】
クライアントから移動機の測位要求を受信したときに、前記移動機のプライバシ設定情報を保持する他の測位ゲートウェイを特定し、該特定した他の測位ゲートウェイへ前記受信した前記移動機の測位要求を転送する手段と、
前記他の測位ゲートウェイから前記転送した測位要求に対する応答を受信したときに、該応答を前記クライアントへ送る手段とを備え、
前記他の測位ゲートウェイは、
前記移動機の測位要求が転送されてきたときに、前記移動機のプライバシ設定情報および過去の測位結果を保持するプライバシ情報管理装置に対して測位処理許可要求を送る手段と、
前記プライバシ情報管理装置が、前記移動機の前記プライバシ設定情報を参照して前記測位要求を確認し、該確認の結果、前記測位要求が禁止されておらず、測位要求種別が過去の位置でも良いとき、前記移動機の過去の測位結果を保持しており且つ保持している測位結果が再利用できるかを確認し、プライバシチェックの結果と共に前記過去の測位結果を前記測位処理許可要求の応答として返してきたとき、前記移動機の過去の測位結果を再利用可能であり、前記測位要求された前記移動機への通知もしくは確認が必要である場合に、前記移動機の移動先通信ネットワークの測位ゲートウェイに対し、プライバシチェック要求メッセージを送る手段と、
前記移動機の移動先通信ネットワークの測位ゲートウェイが、前記移動機が接続する地域無線網を管理する地域無線網管理装置に対し、プライバシ要求メッセージを送り、前記地域無線網管理装置が前記移動機に対して通知もしくは確認処理を行ってプライバシの確認結果を送信し、該送信された確認結果を前記移動先ネットワークの測位ゲートウェイが送信してきた場合に、前記プライバシ情報管理装置に対して追加のプライバシチェックを要求する手段と、
前記プライバシ情報管理装置から返される前記追加のプライバシチェックの結果、過去の測位結果を前記クライアントに渡しても良い場合、前記過去の測位結果を前記測位要求を転送してきた前記他のゲートウェイ装置へ送る手段とを備えるものであることを特徴とする測位ゲートウェイ装置。
【請求項５１】
クライアントから移動機の測位要求を受信したときに、前記移動機のプライバシ設定情報を保持する他の測位ゲートウェイを特定し、該特定した他の測位ゲートウェイへ前記受信した前記移動機の測位要求を転送する手段と、
前記他の測位ゲートウェイから前記転送した測位要求に対する応答を受信したときに、該応答を前記クライアントへ送る手段とを備え、
前記他の測位ゲートウェイは、
移動機の過去の測位結果を保持する手段と、
クライアントから前記移動機の測位要求を受信した他の測位ゲートウェイから前記移動機の測位要求が転送されてきたときに、前記移動機のプライバシ設定情報を保持するプライバシ情報管理装置に対して測位処理許可要求を送る手段と、
前記プライバシ情報管理装置が、前記移動機の前記プライバシ設定情報を参照して前記測位要求を確認し、該確認の結果を返してきたときに、前記測位要求が禁止されておらず、測位要求種別が過去の位置でも良い場合、前記移動機の過去の測位結果を保持しており且つ保持している測位結果が再利用できるかを確認する手段と、
前記移動機の過去の測位結果を再利用可能であり、前記測位要求された前記移動機への通知もしくは確認が必要である場合に、前記移動機の移動先通信ネットワークの測位ゲートウェイに対し、プライバシチェック要求メッセージを送る手段と、
前記移動機の移動先通信ネットワークの測位ゲートウェイが、前記移動機が接続する地域無線網を管理する地域無線網管理装置に対し、プライバシ要求メッセージを送り、前記地域無線網管理装置が前記移動機に対して通知もしくは確認処理を行ってプライバシの確認結果を送信し、該送信された確認結果を前記移動先ネットワークの測位ゲートウェイが送信してきた場合に、前記プライバシ情報管理装置に対して追加のプライバシチェックを要求する手段と、
前記プライバシ情報管理装置から返される前記追加のプライバシチェックの結果、過去の測位結果を前記クライアントに渡しても良い場合、前記過去の測位結果を前記測位要求を転送してきた前記他のゲートウェイ装置へ送る手段とを備えるものであることを特徴とする測位ゲートウェイ装置。
【請求項５２】
移動機のプライバシ設定情報を保持するホスト側測位ゲートウェイから前記移動機にかかるプライバシチェック要求メッセージを受信したときに、前記移動機が接続する地域無線網を管理する地域無線網管理装置に対し、プライバシ要求メッセージを送る手段と、
前記地域無線網管理装置が前記移動機に対して通知もしくは確認処理を行ってプライバシの確認結果を送信してきたときに、該送信された確認結果を前記ホスト側測位ゲートウェイに送信する手段とを備える、前記移動機の移動先通信ネットワーク側測位ゲートウェイであって、
前記ホスト側測位ゲートウェイは、
前記移動機のプライバシ設定情報および過去の測位結果を保持する手段と、
前記移動機の測位要求が要求側測位ゲートウェイから転送されてきたときに前記移動機の前記プライバシ設定情報を参照し、前記測位要求を確認する手段と、
前記確認の結果、前記測位要求が禁止されておらず、測位要求種別が過去の位置でも良いとき、前記移動機の過去の測位結果を保持しており且つ保持している測位結果が再利用できるかを確認する手段と、
前記移動機の過去の測位結果を再利用可能であり、前記測位要求された前記移動機への通知もしくは確認が必要である場合に、前記移動機の移動先通信ネットワーク側測位ゲートウェイに対し前記プライバシチェック要求メッセージを送り、前記移動機の移動先通信ネットワーク側測位ゲートウェイからプライバシの確認結果が返されたときに、追加のプライバシチェックを行う手段と、
前記追加のプライバシチェックの結果、過去の測位結果を前記クライアントに渡しても良い場合、前記過去の測位結果を前記要求側ゲートウェイ装置へ送る手段とを備えるものであり、
前記要求側測位ゲートウェイは、
クライアントから前記移動機の測位要求を受信したときに、前記移動機のプライバシ設定情報を保持する前記ホスト側測位ゲートウェイを特定し、該特定した前記ホスト側測位ゲートウェイへ前記受信した前記移動機の測位要求を転送する手段と、
前記ホスト側測位ゲートウェイから前記転送した測位要求に対する応答を受信したときに、該応答を前記クライアントへ送る手段とを備えるものであることを特徴とする測位ゲートウェイ装置。
【請求項５３】
移動機のプライバシ設定情報を保持するホスト側測位ゲートウェイから前記移動機にかかるプライバシチェック要求メッセージを受信したときに、前記移動機が接続する地域無線網を管理する地域無線網管理装置に対し、プライバシ要求メッセージを送る手段と、
前記地域無線網管理装置が前記移動機に対して通知もしくは確認処理を行ってプライバシの確認結果を送信してきたときに、該送信された確認結果を前記ホスト側測位ゲートウェイに送信する手段とを備える、前記移動機の移動先通信ネットワーク側測位ゲートウェイであって、
前記ホスト側測位ゲートウェイは、
前記移動機の測位要求が要求側測位ゲートウェイから転送されてきたときに、前記移動機のプライバシ設定情報および過去の測位結果を保持するプライバシ情報管理装置に対して測位処理許可要求を送る手段と、
前記プライバシ情報管理装置が、前記移動機の前記プライバシ設定情報を参照して前記測位要求を確認し、該確認の結果、前記測位要求が禁止されておらず、測位要求種別が過去の位置でも良いとき、前記移動機の過去の測位結果を保持しており且つ保持している測位結果が再利用できるかを確認し、プライバシチェックの結果と共に前記過去の測位結果を前記測位処理許可要求の応答として返してきたとき、前記移動機の過去の測位結果を再利用可能であり、前記測位要求された前記移動機への通知もしくは確認が必要である場合に、前記移動機の移動先通信ネットワーク側測位ゲートウェイに対し、プライバシチェック要求メッセージを送り、前記移動機の移動先通信ネットワークの測位ゲートウェイからプライバシの確認結果を受信した場合に、前記プライバシ情報管理装置に対して追加のプライバシチェックを要求する手段と、
前記プライバシ情報管理装置から返される前記追加のプライバシチェックの結果、過去の測位結果を前記クライアントに渡しても良い場合、前記過去の測位結果を前記要求側測位ゲートウェイへ送る手段とを備えるものであり、
前記要求側測位ゲートウェイは、
クライアントから移動機の測位要求を受信したときに、前記ホスト側測位ゲートウェイを特定し、該特定したホスト側測位ゲートウェイへ前記受信した前記移動機の測位要求を転送する手段と、
前記ホスト側測位ゲートウェイから前記転送した測位要求に対する応答を受信したときに、該応答を前記クライアントへ送る手段とを備えるものであることを特徴とする測位ゲートウェイ装置。
【請求項５４】
移動機のプライバシ設定情報を保持するホスト側測位ゲートウェイから前記移動機にかかるプライバシチェック要求メッセージを受信したときに、前記移動機が接続する地域無線網を管理する地域無線網管理装置に対し、プライバシ要求メッセージを送る手段と、
前記地域無線網管理装置が前記移動機に対して通知もしくは確認処理を行ってプライバシの確認結果を送信してきたときに、該送信された確認結果を前記ホスト側測位ゲートウェイに送信する手段とを備える、前記移動機の移動先通信ネットワーク側測位ゲートウェイであって、
前記ホスト側測位ゲートウェイは、
移動機の過去の測位結果を保持する手段と、
要求側測位ゲートウェイから前記移動機の測位要求が転送されてきたときに、前記移動機のプライバシ設定情報を保持するプライバシ情報管理装置に対して測位処理許可要求を送る手段と、
前記プライバシ情報管理装置が、前記移動機の前記プライバシ設定情報を参照して前記測位要求を確認し、該確認の結果を返してきたときに、前記測位要求が禁止されておらず、測位要求種別が過去の位置でも良い場合、前記移動機の過去の測位結果を保持しており且つ保持している測位結果が再利用できるかを確認する手段と、
前記移動機の過去の測位結果を再利用可能であり、前記測位要求された前記移動機への通知もしくは確認が必要である場合に、前記移動機の移動先通信ネットワーク側測位ゲートウェイに対し、プライバシチェック要求メッセージを送り、前記移動機の移動先通信ネットワーク側測位ゲートウェイからプライバシの確認結果を受信したときに、前記プライバシ情報管理装置に対して追加のプライバシチェックを要求する手段と、
前記プライバシ情報管理装置から返される前記追加のプライバシチェックの結果、過去の測位結果を前記クライアントに渡しても良い場合、前記過去の測位結果を前記要求側測位ゲートウェイへ送る手段とを備えるものであり、
前記要求側測位ゲートウェイは、
クライアントから移動機の測位要求を受信したときに、前記ホスト側測位ゲートウェイを特定し、該特定したホスト側測位ゲートウェイへ前記受信した前記移動機の測位要求を転送する手段と、
前記ホスト側測位ゲートウェイから前記転送した測位要求に対する応答を受信したときに、該応答を前記クライアントへ送る手段とを備えるものであることを特徴とする測位ゲートウェイ装置。
【請求項５５】
過去の位置でも良いかを示す測位要求種別を指定した移動機の測位要求を測位ゲートウェイに送信する手段と、前記測位ゲートウェイからの前記測位要求に対する応答を受信する手段とを備えたクライアントであって、前記測位ゲートウェイは、
前記クライアントから移動機の測位要求を受信したときに、前記移動機のプライバシ設定情報を保持する他の測位ゲートウェイを特定し、該特定した他の測位ゲートウェイへ前記受信した前記移動機の測位要求を転送する手段と、
前記他の測位ゲートウェイから前記転送した測位要求に対する応答を受信したときに、該応答を前記クライアントへ送る手段とを備えるものであり、
前記他の測位ゲートウェイは、
移動機のプライバシ設定情報および過去の測位結果を保持する手段と、
前記移動機の測位要求が転送されてきたときに前記移動機の前記プライバシ設定情報を参照し、前記測位要求を確認する手段と、
前記確認の結果、前記測位要求が禁止されておらず、測位要求種別が過去の位置でも良いとき、前記移動機の過去の測位結果を保持しており且つ保持している測位結果が再利用できるかを確認する手段と、
前記移動機の過去の測位結果を再利用可能であり、前記測位要求された前記移動機への通知もしくは確認が必要である場合に、前記移動機の移動先通信ネットワークの測位ゲートウェイに対し、プライバシチェック要求メッセージを送る手段と、
前記移動機の移動先通信ネットワークの測位ゲートウェイが、前記移動機が接続する地域無線網を管理する地域無線網管理装置に対し、プライバシ要求メッセージを送り、前記地域無線網管理装置が前記移動機に対して通知もしくは確認処理を行ってプライバシの確認結果を送信し、該送信された確認結果を前記移動先ネットワークの測位ゲートウェイが送信してきた場合に、追加のプライバシチェックを行う手段と、
前記追加のプライバシチェックの結果、過去の測位結果を前記クライアントに渡しても良い場合、前記過去の測位結果を前記測位要求を転送してきた前記他のゲートウェイ装置へ送る手段とを備えるものであることを特徴とするクライアント装置。
【請求項５６】
過去の位置でも良いかを示す測位要求種別を指定した移動機の測位要求を測位ゲートウェイに送信する手段と、前記測位ゲートウェイからの前記測位要求に対する応答を受信する手段とを備えたクライアントであって、前記測位ゲートウェイは、
前記クライアントから移動機の測位要求を受信したときに、前記移動機のプライバシ設定情報を保持する他の測位ゲートウェイを特定し、該特定した他の測位ゲートウェイへ前記受信した前記移動機の測位要求を転送する手段と、
前記他の測位ゲートウェイから前記転送した測位要求に対する応答を受信したときに、該応答を前記クライアントへ送る手段とを備えるものであり、
前記他の測位ゲートウェイは、
前記移動機の測位要求が転送されてきたときに、前記移動機のプライバシ設定情報および過去の測位結果を保持するプライバシ情報管理装置に対して測位処理許可要求を送る手段と、
前記プライバシ情報管理装置が、前記移動機の前記プライバシ設定情報を参照して前記測位要求を確認し、該確認の結果、前記測位要求が禁止されておらず、測位要求種別が過去の位置でも良いとき、前記移動機の過去の測位結果を保持しており且つ保持している測位結果が再利用できるかを確認し、プライバシチェックの結果と共に前記過去の測位結果を前記測位処理許可要求の応答として返してきたとき、前記移動機の過去の測位結果を再利用可能であり、前記測位要求された前記移動機への通知もしくは確認が必要である場合に、前記移動機の移動先通信ネットワークの測位ゲートウェイに対し、プライバシチェック要求メッセージを送る手段と、
前記移動機の移動先通信ネットワークの測位ゲートウェイが、前記移動機が接続する地域無線網を管理する地域無線網管理装置に対し、プライバシ要求メッセージを送り、前記地域無線網管理装置が前記移動機に対して通知もしくは確認処理を行ってプライバシの確認結果を送信し、該送信された確認結果を前記移動先ネットワークの測位ゲートウェイが送信してきた場合に、前記プライバシ情報管理装置に対して追加のプライバシチェックを要求する手段と、
前記プライバシ情報管理装置から返される前記追加のプライバシチェックの結果、過去の測位結果を前記クライアントに渡しても良い場合、前記過去の測位結果を前記測位要求を転送してきた前記他のゲートウェイ装置へ送る手段とを備えるものであることを特徴とするクライアント装置。
【請求項５７】
過去の位置でも良いかを示す測位要求種別を指定した移動機の測位要求を測位ゲートウェイに送信する手段と、前記測位ゲートウェイからの前記測位要求に対する応答を受信する手段とを備えたクライアントであって、前記測位ゲートウェイは、
前記クライアントから移動機の測位要求を受信したときに、前記移動機のプライバシ設定情報を保持する他の測位ゲートウェイを特定し、該特定した他の測位ゲートウェイへ前記受信した前記移動機の測位要求を転送する手段と、
前記他の測位ゲートウェイから前記転送した測位要求に対する応答を受信したときに、該応答を前記クライアントへ送る手段とを備えるものであり、
前記他の測位ゲートウェイは、
移動機の過去の測位結果を保持する手段と、
クライアントから前記移動機の測位要求を受信した他の測位ゲートウェイから前記移動機の測位要求が転送されてきたときに、前記移動機のプライバシ設定情報を保持するプライバシ情報管理装置に対して測位処理許可要求を送る手段と、
前記プライバシ情報管理装置が、前記移動機の前記プライバシ設定情報を参照して前記測位要求を確認し、該確認の結果を返してきたときに、前記測位要求が禁止されておらず、測位要求種別が過去の位置でも良い場合、前記移動機の過去の測位結果を保持しており且つ保持している測位結果が再利用できるかを確認する手段と、
前記移動機の過去の測位結果を再利用可能であり、前記測位要求された前記移動機への通知もしくは確認が必要である場合に、前記移動機の移動先通信ネットワークの測位ゲートウェイに対し、プライバシチェック要求メッセージを送る手段と、
前記移動機の移動先通信ネットワークの測位ゲートウェイが、前記移動機が接続する地域無線網を管理する地域無線網管理装置に対し、プライバシ要求メッセージを送り、前記地域無線網管理装置が前記移動機に対して通知もしくは確認処理を行ってプライバシの確認結果を送信し、該送信された確認結果を前記移動先ネットワークの測位ゲートウェイが送信してきた場合に、前記プライバシ情報管理装置に対して追加のプライバシチェックを要求する手段と、
前記プライバシ情報管理装置から返される前記追加のプライバシチェックの結果、過去の測位結果を前記クライアントに渡しても良い場合、前記過去の測位結果を前記測位要求を転送してきた前記他のゲートウェイ装置へ送る手段とを備えるものであることを特徴とするクライアント装置。
【請求項５８】
移動機のプライバシ設定情報および過去の測位結果を保持する手段と、
クライアントから前記移動機の測位要求を受信したときに前記移動機の前記プライバシ設定情報を参照し、前記測位要求を確認する手段と、
前記確認の結果、前記測位要求が禁止されておらず、測位要求種別が過去の位置でも良いとき、前記移動機の過去の測位結果を保持しており且つ保持している測位結果が再利用できるかを確認する手段と、
前記移動機の過去の測位結果を再利用可能であり、前記測位要求された前記移動機への通知もしくは確認が必要である場合に、前記移動機の移動先通信ネットワークの測位ゲートウェイに対し、プライバシチェック要求メッセージを送る手段と、
前記移動機の移動先通信ネットワークの測位ゲートウェイが、前記移動機が接続する地域無線網を管理する地域無線網管理装置に対し、プライバシ要求メッセージを送り、前記地域無線網管理装置が前記移動機に対して通知もしくは確認処理を行ってプライバシの確認結果を送信し、該送信された確認結果を前記移動先ネットワークの測位ゲートウェイが送信してきた場合に、追加のプライバシチェックを行う手段と、
前記追加のプライバシチェックの結果、過去の測位結果を前記クライアントに渡しても良い場合、前記過去の測位結果を前記クライアントへ送る手段と、
を備えたことを特徴とする測位ゲートウェイ装置。
【請求項５９】
クライアントから前記移動機の測位要求を受信したときに、前記移動機のプライバシ設定情報および過去の測位結果を保持するプライバシ情報管理装置に対して測位処理許可要求を送る手段と、
前記プライバシ情報管理装置が、前記移動機の前記プライバシ設定情報を参照して前記測位要求を確認し、該確認の結果、前記測位要求が禁止されておらず、測位要求種別が過去の位置でも良いとき、前記移動機の過去の測位結果を保持しており且つ保持している測位結果が再利用できるかを確認してプライバシチェックの結果と共に前記過去の測位結果を前記測位処理許可要求の応答として返してきたとき、前記移動機の過去の測位結果を再利用可能であり、前記測位要求された前記移動機への通知もしくは確認が必要である場合に、前記移動機の移動先通信ネットワークの測位ゲートウェイに対し、プライバシチェック要求メッセージを送る手段と、
前記移動機の移動先通信ネットワークの測位ゲートウェイが、前記移動機が接続する地域無線網を管理する地域無線網管理装置に対し、プライバシ要求メッセージを送り、前記地域無線網管理装置が前記移動機に対して通知もしくは確認処理を行ってプライバシの確認結果を送信し、該送信された確認結果を前記移動先ネットワークの測位ゲートウェイが送信してきた場合に、前記プライバシ情報管理装置に対して追加のプライバシチェックを要求する手段と、
前記プライバシ情報管理装置から返される前記追加のプライバシチェックの結果、過去の測位結果を前記クライアントに渡しても良い場合、前記過去の測位結果を前記クライアントへ送る手段と、
を備えたことを特徴とする測位ゲートウェイ装置。
【請求項６０】
移動機の過去の測位結果を保持する手段と、
クライアントから前記移動機の測位要求を受信したときに、前記移動機のプライバシ設定情報を保持するプライバシ情報管理装置に対して測位処理許可要求を送る手段と、
前記プライバシ情報管理装置が、前記移動機の前記プライバシ設定情報を参照して前記測位要求を確認し、該確認の結果を返してきたときに、前記測位要求が禁止されておらず、測位要求種別が過去の位置でも良い場合、前記移動機の過去の測位結果を保持しており且つ保持している測位結果が再利用できるかを確認する手段と、
前記移動機の過去の測位結果を再利用可能であり、前記測位要求された前記移動機への通知もしくは確認が必要である場合に前記移動機の移動先通信ネットワークの測位ゲートウェイに対し、プライバシチェック要求メッセージを送る手段と、
前記移動機の移動先通信ネットワークの測位ゲートウェイが、前記移動機が接続する地域無線網を管理する地域無線網管理装置に対し、プライバシ要求メッセージを送り、前記地域無線網管理装置が前記移動機に対して通知もしくは確認処理を行ってプライバシの確認結果を送信し、該送信された確認結果を前記移動先ネットワークの測位ゲートウェイが送信してきた場合に、前記プライバシ情報管理装置に対して追加のプライバシチェックを要求する手段と、
前記プライバシ情報管理装置から返される前記追加のプライバシチェックの結果、過去の測位結果を前記クライアントに渡しても良い場合、前記過去の測位結果を前記クライアントへ送る手段と、
を備えたことを特徴とする測位ゲートウェイ装置。
【請求項６１】
移動機のプライバシ設定情報を保持するホスト側測位ゲートウェイから前記移動機にかかるプライバシチェック要求メッセージを受信したときに、前記移動機が接続する地域無線網を管理する地域無線網管理装置に対し、プライバシ要求メッセージを送る手段と、
前記地域無線網管理装置が前記移動機に対して通知もしくは確認処理を行ってプライバシの確認結果を送信してきたときに、該送信された確認結果を前記ホスト側測位ゲートウェイに送信する手段とを備える、前記移動機の移動先通信ネットワーク側測位ゲートウェイであって、
前記ホスト側測位ゲートウェイは、
前記移動機のプライバシ設定情報および過去の測位結果を保持する手段と、
クライアントから前記移動機の測位要求を受信したときに前記移動機の前記プライバシ設定情報を参照し、前記測位要求を確認する手段と、
前記確認の結果、前記測位要求が禁止されておらず、測位要求種別が過去の位置でも良いとき、前記移動機の過去の測位結果を保持しており且つ保持している測位結果が再利用できるかを確認する手段と、
前記移動機の過去の測位結果を再利用可能であり、前記測位要求された前記移動機への通知もしくは確認が必要である場合に、前記移動機の移動先通信ネットワーク側測位ゲートウェイに対し、プライバシチェック要求メッセージを送り、前記移動機の移動先通信ネットワーク側測位ゲートウェイからプライバシの確認結果を受信したときに、追加のプライバシチェックを行う手段と、
前記追加のプライバシチェックの結果、過去の測位結果を前記クライアントに渡しても良い場合、前記過去の測位結果を前記クライアントへ送る手段とを備えるものであることを特徴とする測位ゲートウェイ装置。
【請求項６２】
移動機のプライバシ設定情報を保持するホスト側測位ゲートウェイから前記移動機にかかるプライバシチェック要求メッセージを受信したときに、前記移動機が接続する地域無線網を管理する地域無線網管理装置に対し、プライバシ要求メッセージを送る手段と、
前記地域無線網管理装置が前記移動機に対して通知もしくは確認処理を行ってプライバシの確認結果を送信してきたときに、該送信された確認結果を前記ホスト側測位ゲートウェイに送信する手段とを備える、前記移動機の移動先通信ネットワーク側測位ゲートウェイであって、
前記ホスト側測位ゲートウェイは、
クライアントから前記移動機の測位要求を受信したときに、前記移動機のプライバシ設定情報および過去の測位結果を保持するプライバシ情報管理装置に対して測位処理許可要求を送る手段と、
前記プライバシ情報管理装置が、前記移動機の前記プライバシ設定情報を参照して前記測位要求を確認し、該確認の結果、前記測位要求が禁止されておらず、測位要求種別が過去の位置でも良いとき、前記移動機の過去の測位結果を保持しており且つ保持している測位結果が再利用できるかを確認し、プライバシチェックの結果と共に前記過去の測位結果を前記測位処理許可要求の応答として返してきたとき、前記移動機の過去の測位結果を再利用可能であり、前記測位要求された前記移動機への通知もしくは確認が必要である場合に、前記移動機の移動先通信ネットワーク側測位ゲートウェイに対し、プライバシチェック要求メッセージを送り、前記移動機の移動先通信ネットワーク側測位ゲートウェイからプライバシの確認結果を受信したときに、前記プライバシ情報管理装置に対して追加のプライバシチェックを要求する手段と、
前記プライバシ情報管理装置から返される前記追加のプライバシチェックの結果、過去の測位結果を前記クライアントに渡しても良い場合、前記過去の測位結果を前記クライアントへ送る手段とを備えるものであることを特徴とする測位ゲートウェイ装置。
【請求項６３】
移動機のプライバシ設定情報を保持するホスト側測位ゲートウェイから前記移動機にかかるプライバシチェック要求メッセージを受信したときに、前記移動機が接続する地域無線網を管理する地域無線網管理装置に対し、プライバシ要求メッセージを送る手段と、
前記地域無線網管理装置が前記移動機に対して通知もしくは確認処理を行ってプライバシの確認結果を送信してきたときに、該送信された確認結果を前記ホスト側測位ゲートウェイに送信する手段とを備える、前記移動機の移動先通信ネットワーク側測位ゲートウェイであって、
前記ホスト側測位ゲートウェイは、
移動機の過去の測位結果を保持する手段と、
クライアントから前記移動機の測位要求を受信したときに、前記移動機のプライバシ設定情報を保持するプライバシ情報管理装置に対して測位処理許可要求を送る手段と、
前記プライバシ情報管理装置が、前記移動機の前記プライバシ設定情報を参照して前記測位要求を確認し、該確認の結果を返してきたときに、前記測位要求が禁止されておらず、測位要求種別が過去の位置でも良い場合、前記移動機の過去の測位結果を保持しており且つ保持している測位結果が再利用できるかを確認する手段と、
前記移動機の過去の測位結果を再利用可能であり、前記測位要求された前記移動機への通知もしくは確認が必要である場合に前記移動機の移動先通信ネットワーク側測位ゲートウェイに対し、プライバシチェック要求メッセージを送り、前記移動機の移動先通信ネットワーク側測位ゲートウェイからプライバシの確認結果を受信したときに、前記プライバシ情報管理装置に対して追加のプライバシチェックを要求する手段と、
前記プライバシ情報管理装置から返される前記追加のプライバシチェックの結果、過去の測位結果を前記クライアントに渡しても良い場合、前記過去の測位結果を前記クライアントへ送る手段とを備えるものであることを特徴とする測位ゲートウェイ装置。
【請求項６４】
過去の位置でも良いかを示す測位要求種別を指定した移動機の測位要求を測位ゲートウェイに送信する手段と、前記測位ゲートウェイからの前記測位要求に対する応答を受信する手段とを備えたクライアントであって、前記測位ゲートウェイは、
移動機のプライバシ設定情報および過去の測位結果を保持する手段と、
前記クライアントから前記移動機の測位要求を受信したときに前記移動機の前記プライバシ設定情報を参照し、前記測位要求を確認する手段と、
前記確認の結果、前記測位要求が禁止されておらず、測位要求種別が過去の位置でも良いとき、前記移動機の過去の測位結果を保持しており且つ保持している測位結果が再利用できるかを確認する手段と、
前記移動機の過去の測位結果を再利用可能であり、前記測位要求された前記移動機への通知もしくは確認が必要である場合に、前記移動機の移動先通信ネットワークの測位ゲートウェイに対し、プライバシチェック要求メッセージを送る手段と、
前記移動機の移動先通信ネットワークの測位ゲートウェイが、前記移動機が接続する地域無線網を管理する地域無線網管理装置に対し、プライバシ要求メッセージを送り、前記地域無線網管理装置が前記移動機に対して通知もしくは確認処理を行ってプライバシの確認結果を送信し、該送信された確認結果を前記移動先ネットワークの測位ゲートウェイが送信してきた場合に、追加のプライバシチェックを行う手段と、
前記追加のプライバシチェックの結果、過去の測位結果を前記クライアントに渡しても良い場合、前記過去の測位結果を前記クライアントへ送る手段とを備えるものであることを特徴とするクライアント装置。
【請求項６５】
過去の位置でも良いかを示す測位要求種別を指定した移動機の測位要求を測位ゲートウェイに送信する手段と、前記測位ゲートウェイからの前記測位要求に対する応答を受信する手段とを備えたクライアントであって、前記測位ゲートウェイは、
前記クライアントから前記移動機の測位要求を受信したときに、前記移動機のプライバシ設定情報および過去の測位結果を保持するプライバシ情報管理装置に対して測位処理許可要求を送る手段と、
前記プライバシ情報管理装置が、前記移動機の前記プライバシ設定情報を参照して前記測位要求を確認し、該確認の結果、前記測位要求が禁止されておらず、測位要求種別が過去の位置でも良いとき、前記移動機の過去の測位結果を保持しており且つ保持している測位結果が再利用できるかを確認してプライバシチェックの結果と共に前記過去の測位結果を前記測位処理許可要求の応答として返してきたとき、前記移動機の過去の測位結果を再利用可能であり、前記測位要求された前記移動機への通知もしくは確認が必要である場合に、前記移動機の移動先通信ネットワークの測位ゲートウェイに対し、プライバシチェック要求メッセージを送る手段と、
前記移動機の移動先通信ネットワークの測位ゲートウェイが、前記移動機が接続する地域無線網を管理する地域無線網管理装置に対し、プライバシ要求メッセージを送り、前記地域無線網管理装置が前記移動機に対して通知もしくは確認処理を行ってプライバシの確認結果を送信し、該送信された確認結果を前記移動先ネットワークの測位ゲートウェイが送信してきた場合に、前記プライバシ情報管理装置に対して追加のプライバシチェックを要求する手段と、
前記プライバシ情報管理装置から返される前記追加のプライバシチェックの結果、過去の測位結果を前記クライアントに渡しても良い場合、前記過去の測位結果を前記クライアントへ送る手段とを備えるものであることを特徴とするクライアント装置。
【請求項６６】
過去の位置でも良いかを示す測位要求種別を指定した移動機の測位要求を測位ゲートウェイに送信する手段と、前記測位ゲートウェイからの前記測位要求に対する応答を受信する手段とを備えたクライアントであって、前記測位ゲートウェイは、
移動機の過去の測位結果を保持する手段と、
前記クライアントから前記移動機の測位要求を受信したときに、前記移動機のプライバシ設定情報を保持するプライバシ情報管理装置に対して測位処理許可要求を送る手段と、
前記プライバシ情報管理装置が、前記移動機の前記プライバシ設定情報を参照して前記測位要求を確認し、該確認の結果を返してきたときに、前記測位要求が禁止されておらず、測位要求種別が過去の位置でも良い場合、前記移動機の過去の測位結果を保持しており且つ保持している測位結果が再利用できるかを確認する手段と、
前記移動機の過去の測位結果を再利用可能であり、前記測位要求された前記移動機への通知もしくは確認が必要である場合に前記移動機の移動先通信ネットワークの測位ゲートウェイに対し、プライバシチェック要求メッセージを送る手段と、
前記移動機の移動先通信ネットワークの測位ゲートウェイが、前記移動機が接続する地域無線網を管理する地域無線網管理装置に対し、プライバシ要求メッセージを送り、前記地域無線網管理装置が前記移動機に対して通知もしくは確認処理を行ってプライバシの確認結果を送信し、該送信された確認結果を前記移動先ネットワークの測位ゲートウェイが送信してきた場合に、前記プライバシ情報管理装置に対して追加のプライバシチェックを要求する手段と、
前記プライバシ情報管理装置から返される前記追加のプライバシチェックの結果、過去の測位結果を前記クライアントに渡しても良い場合、前記過去の測位結果を前記クライアントへ送る手段とを備えるものであることを特徴とするクライアント装置。
【請求項６７】
移動機のプライバシ設定情報および過去の測位結果を保持する手段と、
クライアントから前記移動機の測位要求を受信した他の測位ゲートウェイから前記移動機の測位要求が転送されてきたときに前記移動機の前記プライバシ設定情報を参照し、前記測位要求を確認する手段と、
前記確認の結果、前記測位要求が禁止されておらず、測位要求種別が過去の位置でも良いとき、前記移動機の過去の測位結果を保持しており且つ保持している測位結果が再利用できるかを確認する手段と、
前記移動機の過去の測位結果を再利用可能であり、前記測位要求された前記移動機への通知もしくは確認が必要である場合に、前記移動機の移動先通信ネットワークの測位ゲートウェイである前記他の測位ゲートウェイに対し、プライバシチェック要求メッセージを送る手段と、
前記他の測位ゲートウェイが、前記移動機が接続する地域無線網を管理する地域無線網管理装置に対し、プライバシ要求メッセージを送り、前記地域無線網管理装置が前記移動機に対して通知もしくは確認処理を行ってプライバシの確認結果を送信し、該送信された確認結果を前記他の測位ゲートウェイが送信してきた場合に、追加のプライバシチェックを行う手段と、
前記追加のプライバシチェックの結果、過去の測位結果を前記クライアントに渡しても良い場合、前記過去の測位結果を前記測位要求を転送してきた前記他の測位ゲートウェイへ送る手段と、
を備えたことを特徴とする測位ゲートウェイ装置。
【請求項６８】
クライアントから前記移動機の測位要求を受信した他の測位ゲートウェイから前記移動機の測位要求が転送されてきたときに、前記移動機のプライバシ設定情報および過去の測位結果を保持するプライバシ情報管理装置に対して測位処理許可要求を送る手段と、
前記プライバシ情報管理装置が、前記移動機の前記プライバシ設定情報を参照して前記測位要求を確認し、該確認の結果、前記測位要求が禁止されておらず、測位要求種別が過去の位置でも良いとき、前記移動機の過去の測位結果を保持しており且つ保持している測位結果が再利用できるかを確認してプライバシチェックの結果と共に前記過去の測位結果を前記測位処理許可要求の応答として返してきたとき、前記移動機の過去の測位結果を再利用可能であり、前記測位要求された前記移動機への通知もしくは確認が必要である場合に、前記移動機の移動先通信ネットワークの測位ゲートウェイである前記他の測位ゲートウェイに対し、プライバシチェック要求メッセージを送る手段と、
前記他の測位ゲートウェイが、前記移動機が接続する地域無線網を管理する地域無線網管理装置に対し、プライバシ要求メッセージを送り、前記地域無線網管理装置が前記移動機に対して通知もしくは確認処理を行ってプライバシの確認結果を送信し、該送信された確認結果を前記他の測位ゲートウェイが送信してきた場合に、前記プライバシ情報管理装置に対して追加のプライバシチェックを要求する手段と、
前記プライバシ情報管理装置から返される前記追加のプライバシチェックの結果、過去の測位結果を前記クライアントに渡しても良い場合、前記過去の測位結果を前記測位要求を転送してきた前記他の測位ゲートウェイへ送る手段と、
を備えたことを特徴とする測位ゲートウェイ装置。
【請求項６９】
移動機の過去の測位結果を保持する手段と、
クライアントから前記移動機の測位要求を受信した他の測位ゲートウェイから前記移動機の測位要求が転送されてきたときに、前記移動機のプライバシ設定情報を保持するプライバシ情報管理装置に対して測位処理許可要求を送る手段と、
前記プライバシ情報管理装置が、前記移動機の前記プライバシ設定情報を参照して前記測位要求を確認し、該確認の結果を返してきたときに、前記測位要求が禁止されておらず、測位要求種別が過去の位置でも良い場合、前記移動機の過去の測位結果を保持しており且つ保持している測位結果が再利用できるかを確認する手段と、
前記移動機の過去の測位結果を再利用可能であり、前記測位要求された前記移動機への通知もしくは確認が必要である場合に前記移動機の移動先通信ネットワークである前記他の測位ゲートウェイに対し、プライバシチェック要求メッセージを送る手段と、
前記他の測位ゲートウェイが、前記移動機が接続する地域無線網を管理する地域無線網管理装置に対し、プライバシ要求メッセージを送り、前記地域無線網管理装置が前記移動機に対して通知もしくは確認処理を行ってプライバシの確認結果を送信し、該送信された確認結果を前記他の測位ゲートウェイが送信してきた場合に、前記プライバシ情報管理装置に対して追加のプライバシチェックを要求する手段と、
前記プライバシ情報管理装置から返される前記追加のプライバシチェックの結果、過去の測位結果を前記クライアントに渡しても良い場合、前記過去の測位結果を前記測位要求を転送してきた前記他の測位ゲートウェイへ送る手段と、
を備えたことを特徴とする測位ゲートウェイ装置。
【請求項７０】
クライアントから移動機の測位要求を受信したときに、前記移動機のプライバシ設定情報を保持する他の測位ゲートウェイを特定し、該特定した他の測位ゲートウェイへ前記受信した前記移動機の測位要求を転送する手段と、
前記他の測位ゲートウェイから前記移動機にかかるプライバシチェック要求メッセージを受信したときに、前記移動機が接続する地域無線網を管理する地域無線網管理装置に対し、プライバシ要求メッセージを送り、前記地域無線網管理装置が前記移動機に対して通知もしくは確認処理を行ってプライバシの確認結果を送信してきたときに、該送信された確認結果を前記他の測位ゲートウェイに送信する手段と、
前記他の測位ゲートウェイから前記転送した測位要求に対する応答を受信したときに、該応答を前記クライアントへ送る手段とを備えた、要求側測位ゲートウェイであって、
前記他の測位ゲートウェイは、
移動機のプライバシ設定情報および過去の測位結果を保持する手段と、
前記移動機の測位要求が転送されてきたときに前記移動機の前記プライバシ設定情報を参照し、前記測位要求を確認する手段と、
前記確認の結果、前記測位要求が禁止されておらず、測位要求種別が過去の位置でも良いとき、前記移動機の過去の測位結果を保持しており且つ保持している測位結果が再利用できるかを確認する手段と、
前記移動機の過去の測位結果を再利用可能であり、前記測位要求された前記移動機への通知もしくは確認が必要である場合に前記移動機の移動先通信ネットワークの測位ゲートウェイである前記要求側測位ゲートウェイに対し、プライバシチェック要求メッセージを送り、前記要求側測位ゲートウェイからプライバシの確認結果を受信したときに、追加のプライバシチェックを行う手段と、
前記追加のプライバシチェックの結果、過去の測位結果を前記クライアントに渡しても良い場合、前記過去の測位結果を前記要求側測位ゲートウェイへ送る手段とを備えるものであることを特徴とする測位ゲートウェイ装置。
【請求項７１】
クライアントから移動機の測位要求を受信したときに、前記移動機のプライバシ設定情報を保持する他の測位ゲートウェイを特定し、該特定した他の測位ゲートウェイへ前記受信した前記移動機の測位要求を転送する手段と、
前記他の測位ゲートウェイから前記移動機にかかるプライバシチェック要求メッセージを受信したときに、前記移動機が接続する地域無線網を管理する地域無線網管理装置に対し、プライバシ要求メッセージを送り、前記地域無線網管理装置が前記移動機に対して通知もしくは確認処理を行ってプライバシの確認結果を送信してきたときに、該送信された確認結果を前記他の測位ゲートウェイに送信する手段と、
前記他の測位ゲートウェイから前記転送した測位要求に対する応答を受信したときに、該応答を前記クライアントへ送る手段とを備えた、要求側測位ゲートウェイであって、
前記他の測位ゲートウェイは、
前記移動機の測位要求が転送されてきたときに、前記移動機のプライバシ設定情報および過去の測位結果を保持するプライバシ情報管理装置に対して測位処理許可要求を送る手段と、
前記プライバシ情報管理装置が、前記移動機の前記プライバシ設定情報を参照して前記測位要求を確認し、該確認の結果、前記測位要求が禁止されておらず、測位要求種別が過去の位置でも良いとき、前記移動機の過去の測位結果を保持しており且つ保持している測位結果が再利用できるかを確認してプライバシチェックの結果と共に前記過去の測位結果を前記測位処理許可要求の応答として返してきたとき、前記移動機の過去の測位結果を再利用可能であり、前記測位要求された前記移動機への通知もしくは確認が必要である場合に、前記移動機の移動先通信ネットワークの測位ゲートウェイである前記要求側測位ゲートウェイに対し、プライバシチェック要求メッセージを送り、前記要求側測位ゲートウェイからプライバシの確認結果を受信したときに、前記プライバシ情報管理装置に対して追加のプライバシチェックを要求する手段と、
前記プライバシ情報管理装置から返される前記追加のプライバシチェックの結果、過去の測位結果を前記クライアントに渡しても良い場合、前記過去の測位結果を前記要求側測位ゲートウェイへ送る手段とを備えるものであることを特徴とする測位ゲートウェイ装置。
【請求項７２】
クライアントから移動機の測位要求を受信したときに、前記移動機のプライバシ設定情報を保持する他の測位ゲートウェイを特定し、該特定した他の測位ゲートウェイへ前記受信した前記移動機の測位要求を転送する手段と、
前記他の測位ゲートウェイから前記移動機にかかるプライバシチェック要求メッセージを受信したときに、前記移動機が接続する地域無線網を管理する地域無線網管理装置に対し、プライバシ要求メッセージを送り、前記地域無線網管理装置が前記移動機に対して通知もしくは確認処理を行ってプライバシの確認結果を送信してきたときに、該送信された確認結果を前記他の測位ゲートウェイに送信する手段と、
前記他の測位ゲートウェイから前記転送した測位要求に対する応答を受信したときに、該応答を前記クライアントへ送る手段とを備えた、要求側測位ゲートウェイであって、
前記他の測位ゲートウェイは、
前記移動機の過去の測位結果を保持する手段と、
前記移動機の測位要求が転送されてきたときに、前記移動機のプライバシ設定情報を保持するプライバシ情報管理装置に対して測位処理許可要求を送る手段と、前記プライバシ情報管理装置が、前記移動機の前記プライバシ設定情報を参照して前記測位要求を確認し、該確認の結果を返してきたときに、前記測位要求が禁止されておらず、測位要求種別が過去の位置でも良い場合、前記移動機の過去の測位結果を保持しており且つ保持している測位結果が再利用できるかを確認する手段と、
前記移動機の過去の測位結果を再利用可能であり、前記測位要求された前記移動機への通知もしくは確認が必要である場合に前記移動機の移動先通信ネットワークである前記要求側測位ゲートウェイに対し、プライバシチェック要求メッセージを送り、前記要求側測位ゲートウェイからプライバシの確認結果を受信したときに、前記プライバシ情報管理装置に対して追加のプライバシチェックを要求する手段と、
前記プライバシ情報管理装置から返される前記追加のプライバシチェックの結果、過去の測位結果を前記クライアントに渡しても良い場合、前記過去の測位結果を前記測位要求を転送してきた前記他の測位ゲートウェイへ送る手段とを備えるものであることを特徴とする測位ゲートウェイ装置。
【請求項７３】
過去の位置でも良いかを示す測位要求種別を指定した移動機の測位要求を測位ゲートウェイに送信する手段と、前記測位ゲートウェイからの前記測位要求に対する応答を受信する手段とを備えたクライアントであって、前記測位ゲートウェイは、
前記クライアントから移動機の測位要求を受信したときに、前記移動機のプライバシ設定情報を保持する他の測位ゲートウェイを特定し、該特定した他の測位ゲートウェイへ前記受信した前記移動機の測位要求を転送する手段と、
前記他の測位ゲートウェイから前記移動機にかかるプライバシチェック要求メッセージを受信したときに、前記移動機が接続する地域無線網を管理する地域無線網管理装置に対し、プライバシ要求メッセージを送り、前記地域無線網管理装置が前記移動機に対して通知もしくは確認処理を行ってプライバシの確認結果を送信してきたときに、該送信された確認結果を前記他の測位ゲートウェイに送信する手段と、
前記他の測位ゲートウェイから前記転送した測位要求に対する応答を受信したときに、該応答を前記クライアントへ送る手段とを備えた、要求側測位ゲートウェイであり、
前記他の測位ゲートウェイは、
移動機のプライバシ設定情報および過去の測位結果を保持する手段と、
前記移動機の測位要求が転送されてきたときに前記移動機の前記プライバシ設定情報を参照し、前記測位要求を確認する手段と、
前記確認の結果、前記測位要求が禁止されておらず、測位要求種別が過去の位置でも良いとき、前記移動機の過去の測位結果を保持しており且つ保持している測位結果が再利用できるかを確認する手段と、
前記移動機の過去の測位結果を再利用可能であり、前記測位要求された前記移動機への通知もしくは確認が必要である場合に前記移動機の移動先通信ネットワークの測位ゲートウェイである前記要求側測位ゲートウェイに対し、プライバシチェック要求メッセージを送り、前記要求側測位ゲートウェイからプライバシの確認結果を受信したときに、追加のプライバシチェックを行う手段と、
前記追加のプライバシチェックの結果、過去の測位結果を前記クライアントに渡しても良い場合、前記過去の測位結果を前記要求側測位ゲートウェイへ送る手段とを備えるものであることを特徴とするクライアント装置。
【請求項７４】
過去の位置でも良いかを示す測位要求種別を指定した移動機の測位要求を測位ゲートウェイに送信する手段と、前記測位ゲートウェイからの前記測位要求に対する応答を受信する手段とを備えたクライアントであって、前記測位ゲートウェイは、
前記クライアントから移動機の測位要求を受信したときに、前記移動機のプライバシ設定情報を保持する他の測位ゲートウェイを特定し、該特定した他の測位ゲートウェイへ前記受信した前記移動機の測位要求を転送する手段と、
前記他の測位ゲートウェイから前記移動機にかかるプライバシチェック要求メッセージを受信したときに、前記移動機が接続する地域無線網を管理する地域無線網管理装置に対し、プライバシ要求メッセージを送り、前記地域無線網管理装置が前記移動機に対して通知もしくは確認処理を行ってプライバシの確認結果を送信してきたときに、該送信された確認結果を前記他の測位ゲートウェイに送信する手段と、
前記他の測位ゲートウェイから前記転送した測位要求に対する応答を受信したときに、該応答を前記クライアントへ送る手段とを備えた、要求側測位ゲートウェイであり、
前記他の測位ゲートウェイは、
前記移動機の測位要求が転送されてきたときに、前記移動機のプライバシ設定情報および過去の測位結果を保持するプライバシ情報管理装置に対して測位処理許可要求を送る手段と、
前記プライバシ情報管理装置が、前記移動機の前記プライバシ設定情報を参照して前記測位要求を確認し、該確認の結果、前記測位要求が禁止されておらず、測位要求種別が過去の位置でも良いとき、前記移動機の過去の測位結果を保持しており且つ保持している測位結果が再利用できるかを確認してプライバシチェックの結果と共に前記過去の測位結果を前記測位処理許可要求の応答として返してきたとき、前記移動機の過去の測位結果を再利用可能であり、前記測位要求された前記移動機への通知もしくは確認が必要である場合に、前記移動機の移動先通信ネットワークの測位ゲートウェイである前記要求側測位ゲートウェイに対し、プライバシチェック要求メッセージを送り、前記要求側測位ゲートウェイからプライバシの確認結果を受信したときに、前記プライバシ情報管理装置に対して追加のプライバシチェックを要求する手段と、
前記プライバシ情報管理装置から返される前記追加のプライバシチェックの結果、過去の測位結果を前記クライアントに渡しても良い場合、前記過去の測位結果を前記要求側測位ゲートウェイへ送る手段とを備えるものであることを特徴とするクライアント装置。
【請求項７５】
過去の位置でも良いかを示す測位要求種別を指定した移動機の測位要求を測位ゲートウェイに送信する手段と、前記測位ゲートウェイからの前記測位要求に対する応答を受信する手段とを備えたクライアントであって、前記測位ゲートウェイは、
前記クライアントから移動機の測位要求を受信したときに、前記移動機のプライバシ設定情報を保持する他の測位ゲートウェイを特定し、該特定した他の測位ゲートウェイへ前記受信した前記移動機の測位要求を転送する手段と、
前記他の測位ゲートウェイから前記移動機にかかるプライバシチェック要求メッセージを受信したときに、前記移動機が接続する地域無線網を管理する地域無線網管理装置に対し、プライバシ要求メッセージを送り、前記地域無線網管理装置が前記移動機に対して通知もしくは確認処理を行ってプライバシの確認結果を送信してきたときに、該送信された確認結果を前記他の測位ゲートウェイに送信する手段と、
前記他の測位ゲートウェイから前記転送した測位要求に対する応答を受信したときに、該応答を前記クライアントへ送る手段とを備えた、要求側測位ゲートウェイであり、
前記他の測位ゲートウェイは、
前記移動機の過去の測位結果を保持する手段と、
前記移動機の測位要求が転送されてきたときに、前記移動機のプライバシ設定情報を保持するプライバシ情報管理装置に対して測位処理許可要求を送る手段と、前記プライバシ情報管理装置が、前記移動機の前記プライバシ設定情報を参照して前記測位要求を確認し、該確認の結果を返してきたときに、前記測位要求が禁止されておらず、測位要求種別が過去の位置でも良い場合、前記移動機の過去の測位結果を保持しており且つ保持している測位結果が再利用できるかを確認する手段と、
前記移動機の過去の測位結果を再利用可能であり、前記測位要求された前記移動機への通知もしくは確認が必要である場合に前記移動機の移動先通信ネットワークである前記要求側測位ゲートウェイに対し、プライバシチェック要求メッセージを送り、前記要求側測位ゲートウェイからプライバシの確認結果を受信したときに、前記プライバシ情報管理装置に対して追加のプライバシチェックを要求する手段と、
前記プライバシ情報管理装置から返される前記追加のプライバシチェックの結果、過去の測位結果を前記クライアントに渡しても良い場合、前記過去の測位結果を前記測位要求を転送してきた前記他の測位ゲートウェイへ送る手段とを備えるものであることを特徴とするクライアント装置。
【請求項７６】
測位ゲートウェイを構成するコンピュータを、
クライアントからの移動機の測位要求を受け付ける手段、
前記測位要求に対する応答に過去の測位結果が利用できるかどうかを確認する手段、
過去の測位結果を前記クライアントに通知する前に前記移動機を使用するユーザーのプライバシ設定情報を確認し、前記移動機に対する通知もしくは確認処理を行う必要がある場合に、ネットワーク内の装置を通じて前記移動機に対して通知もしくは確認処理を行う手段、
として機能させるプログラム。
【請求項７７】
移動機のプライバシ設定情報および過去の測位結果を保持する記憶手段を備え、測位ゲートウェイを構成するコンピュータを、
クライアントから前記移動機の測位要求を受信したときに前記移動機の前記プライバシ設定情報を参照し、前記測位要求を確認する手段、
前記確認の結果、前記測位要求が禁止されておらず、測位要求種別が過去の位置でも良いとき、前記移動機の過去の測位結果を保持しており且つ保持している測位結果が再利用できるかを確認する手段、
前記移動機の過去の測位結果を再利用可能であり、前記測位要求された前記移動機への通知もしくは確認が必要である場合に、前記移動機が接続する地域無線網を管理する地域無線網管理装置に対し、プライバシ要求メッセージを送る手段、前記地域無線網管理装置が前記移動機に対して通知もしくは確認処理を行ってプライバシの確認結果を送信してきた場合に、追加のプライバシチェックを行う手段、
前記追加のプライバシチェックの結果、過去の測位結果を前記クライアントに渡しても良い場合、前記過去の測位結果を前記クライアントへ送る手段、
として機能させるプログラム。
【請求項７８】
測位ゲートウェイを構成するコンピュータを、
クライアントから前記移動機の測位要求を受信したときに、前記移動機のプライバシ設定情報および過去の測位結果を保持するプライバシ情報管理装置に対して測位処理許可要求を送る手段、
前記プライバシ情報管理装置が、前記移動機の前記プライバシ設定情報を参照して前記測位要求を確認し、前記確認の結果、前記測位要求が禁止されておらず、測位要求種別が過去の位置でも良いとき、前記移動機の過去の測位結果を保持しており且つ保持している測位結果が再利用できるかを確認し、プライバシチェックの結果と共に前記過去の測位結果を前記測位処理許可要求の応答として返してきたとき、前記移動機の過去の測位結果を再利用可能であり、前記測位要求された前記移動機への通知もしくは確認が必要である場合に、前記移動機が接続する地域無線網を管理する地域無線網管理装置に対し、プライバシ要求メッセージを送る手段、
前記地域無線網管理装置が前記移動機に対して通知もしくは確認処理を行ってプライバシの確認結果を送信してきた場合に、前記プライバシ情報管理装置に対して追加のプライバシチェックを要求する手段、
前記プライバシ情報管理装置から返される前記追加のプライバシチェックの結果、過去の測位結果を前記クライアントに渡しても良い場合、前記過去の測位結果を前記クライアントへ送る手段、
として機能させるプログラム。
【請求項７９】
移動機の過去の測位結果を保持する記憶手段を備え、測位ゲートウェイを構成するコンピュータを、
クライアントから前記移動機の測位要求を受信したときに、前記移動機のプライバシ設定情報を保持するプライバシ情報管理装置に対して測位処理許可要求を送る手段、
前記プライバシ情報管理装置が、前記移動機の前記プライバシ設定情報を参照して前記測位要求を確認し、該確認の結果を返してきたときに、前記測位要求が禁止されておらず、測位要求種別が過去の位置でも良い場合、前記移動機の過去の測位結果を保持しており且つ保持している測位結果が再利用できるかを確認する手段、
前記移動機の過去の測位結果を再利用可能であり、前記測位要求された前記移動機への通知もしくは確認が必要である場合に、前記移動機が接続する地域無線網を管理する地域無線網管理装置に対し、プライバシ要求メッセージを送る手段、前記地域無線網管理装置が前記移動機に対して通知もしくは確認処理を行ってプライバシの確認結果を送信してきた場合に、前記プライバシ情報管理装置に対して追加のプライバシチェックを要求する手段、
前記プライバシ情報管理装置から返される前記追加のプライバシチェックの結果、過去の測位結果を前記クライアントに渡しても良い場合、前記過去の測位結果を前記クライアントへ送る手段、
として機能させるプログラム。
【請求項８０】
移動機のプライバシ設定情報および過去の測位結果を保持する記憶手段を備え、測位ゲートウェイを構成するコンピュータを、
クライアントから前記移動機の測位要求を受信した他の測位ゲートウェイから前記移動機の測位要求が転送されてきたときに前記移動機の前記プライバシ設定情報を参照し、前記測位要求を確認する手段、
前記確認の結果、前記測位要求が禁止されておらず、測位要求種別が過去の位置でも良いとき、前記移動機の過去の測位結果を保持しており且つ保持している測位結果が再利用できるかを確認する手段、
前記移動機の過去の測位結果を再利用可能であり、前記測位要求された前記移動機への通知もしくは確認が必要である場合に、前記移動機が接続する地域無線網を管理する地域無線網管理装置に対し、プライバシ要求メッセージを送る手段、前記地域無線網管理装置が前記移動機に対して通知もしくは確認処理を行ってプライバシの確認結果を送信してきた場合に、追加のプライバシチェックを行う手段、
前記追加のプライバシチェックの結果、過去の測位結果を前記クライアントに渡しても良い場合、前記過去の測位結果を前記測位要求を転送してきた前記他のゲートウェイ装置へ送る手段、
として機能させるプログラム。
【請求項８１】
測位ゲートウェイを構成するコンピュータを、
クライアントから前記移動機の測位要求を受信した他の測位ゲートウェイから前記移動機の測位要求が転送されてきたときに、前記移動機のプライバシ設定情報および過去の測位結果を保持するプライバシ情報管理装置に対して測位処理許可要求を送る手段、
前記プライバシ情報管理装置が、前記移動機の前記プライバシ設定情報を参照して前記測位要求を確認し、該確認の結果、前記測位要求が禁止されておらず、測位要求種別が過去の位置でも良いとき、前記移動機の過去の測位結果を保持しており且つ保持している測位結果が再利用できるかを確認し、プライバシチェックの結果と共に前記過去の測位結果を前記測位処理許可要求の応答として返してきたとき、前記移動機の過去の測位結果を再利用可能であり、前記測位要求された前記移動機への通知もしくは確認が必要である場合に、前記移動機が接続する地域無線網を管理する地域無線網管理装置に対し、プライバシ要求メッセージを送る手段、
前記地域無線網管理装置が前記移動機に対して通知もしくは確認処理を行ってプライバシの確認結果を送信してきた場合に、前記プライバシ情報管理装置に対して追加のプライバシチェックを要求する手段、
前記プライバシ情報管理装置から返される前記追加のプライバシチェックの結果、過去の測位結果を前記クライアントに渡しても良い場合、前記過去の測位結果を前記測位要求を転送してきた前記他のゲートウェイ装置へ送る手段、
として機能させるプログラム。
【請求項８２】
移動機の過去の測位結果を保持する記憶手段を備え、測位ゲートウェイを構成するコンピュータを、
クライアントから前記移動機の測位要求を受信した他の測位ゲートウェイから前記移動機の測位要求が転送されてきたときに、前記移動機のプライバシ設定情報を保持するプライバシ情報管理装置に対して測位処理許可要求を送る手段、
前記プライバシ情報管理装置が、前記移動機の前記プライバシ設定情報を参照して前記測位要求を確認し、該確認の結果を返してきたときに、前記測位要求が禁止されておらず、測位要求種別が過去の位置でも良い場合、前記移動機の過去の測位結果を保持しており且つ保持している測位結果が再利用できるかを確認する手段、
前記移動機の過去の測位結果を再利用可能であり、前記測位要求された前記移動機への通知もしくは確認が必要である場合に、前記移動機が接続する地域無線網を管理する地域無線網管理装置に対し、プライバシ要求メッセージを送る手段、前記地域無線網管理装置が前記移動機に対して通知もしくは確認処理を行ってプライバシの確認結果を送信してきた場合に、前記プライバシ情報管理装置に対して追加のプライバシチェックを要求する手段、
前記プライバシ情報管理装置から返される前記追加のプライバシチェックの結果、過去の測位結果を前記クライアントに渡しても良い場合、前記過去の測位結果を前記測位要求を転送してきた前記他のゲートウェイ装置へ送る手段、
として機能させるプログラム。
【請求項８３】
移動機のプライバシ設定情報および過去の測位結果を保持する記憶手段を備え、測位ゲートウェイを構成するコンピュータを、
クライアントから前記移動機の測位要求を受信した他の測位ゲートウェイから前記移動機の測位要求が転送されてきたときに前記移動機の前記プライバシ設定情報を参照し、前記測位要求を確認する手段、
前記確認の結果、前記測位要求が禁止されておらず、測位要求種別が過去の位置でも良いとき、前記移動機の過去の測位結果を保持しており且つ保持している測位結果が再利用できるかを確認する手段、
前記移動機の過去の測位結果を再利用可能であり、前記測位要求された前記移動機への通知もしくは確認が必要である場合に、前記移動機の移動先通信ネットワークの測位ゲートウェイに対し、プライバシチェック要求メッセージを送る手段、
前記移動機の移動先通信ネットワークの測位ゲートウェイが、前記移動機が接続する地域無線網を管理する地域無線網管理装置に対し、プライバシ要求メッセージを送り、前記地域無線網管理装置が前記移動機に対して通知もしくは確認処理を行ってプライバシの確認結果を送信し、該送信された確認結果を前記移動先ネットワークの測位ゲートウェイが送信してきた場合に、追加のプライバシチェックを行う手段、
前記追加のプライバシチェックの結果、過去の測位結果を前記クライアントに渡しても良い場合、前記過去の測位結果を前記測位要求を転送してきた前記他のゲートウェイ装置へ送る手段、
として機能させるプログラム。
【請求項８４】
測位ゲートウェイを構成するコンピュータを、
クライアントから前記移動機の測位要求を受信した他の測位ゲートウェイから前記移動機の測位要求が転送されてきたときに、前記移動機のプライバシ設定情報および過去の測位結果を保持するプライバシ情報管理装置に対して測位処理許可要求を送る手段、
前記プライバシ情報管理装置が、前記移動機の前記プライバシ設定情報を参照して前記測位要求を確認し、該確認の結果、前記測位要求が禁止されておらず、測位要求種別が過去の位置でも良いとき、前記移動機の過去の測位結果を保持しており且つ保持している測位結果が再利用できるかを確認し、プライバシチェックの結果と共に前記過去の測位結果を前記測位処理許可要求の応答として返してきたとき、前記移動機の過去の測位結果を再利用可能であり、前記測位要求された前記移動機への通知もしくは確認が必要である場合に、前記移動機の移動先通信ネットワークの測位ゲートウェイに対し、プライバシチェック要求メッセージを送る手段、
前記移動機の移動先通信ネットワークの測位ゲートウェイが、前記移動機が接続する地域無線網を管理する地域無線網管理装置に対し、プライバシ要求メッセージを送り、前記地域無線網管理装置が前記移動機に対して通知もしくは確認処理を行ってプライバシの確認結果を送信し、該送信された確認結果を前記移動先ネットワークの測位ゲートウェイが送信してきた場合に、前記プライバシ情報管理装置に対して追加のプライバシチェックを要求する手段、
前記プライバシ情報管理装置から返される前記追加のプライバシチェックの結果、過去の測位結果を前記クライアントに渡しても良い場合、前記過去の測位結果を前記測位要求を転送してきた前記他のゲートウェイ装置へ送る手段、
として機能させるプログラム。
【請求項８５】
移動機の過去の測位結果を保持する記憶手段を備え、測位ゲートウェイを構成するコンピュータを、
クライアントから前記移動機の測位要求を受信した他の測位ゲートウェイから前記移動機の測位要求が転送されてきたときに、前記移動機のプライバシ設定情報を保持するプライバシ情報管理装置に対して測位処理許可要求を送る手段、
前記プライバシ情報管理装置が、前記移動機の前記プライバシ設定情報を参照して前記測位要求を確認し、該確認の結果を返してきたときに、前記測位要求が禁止されておらず、測位要求種別が過去の位置でも良い場合、前記移動機の過去の測位結果を保持しており且つ保持している測位結果が再利用できるかを確認する手段、
前記移動機の過去の測位結果を再利用可能であり、前記測位要求された前記移動機への通知もしくは確認が必要である場合に、前記移動機の移動先通信ネットワークの測位ゲートウェイに対し、プライバシチェック要求メッセージを送る手段、
前記移動機の移動先通信ネットワークの測位ゲートウェイが、前記移動機が接続する地域無線網を管理する地域無線網管理装置に対し、プライバシ要求メッセージを送り、前記地域無線網管理装置が前記移動機に対して通知もしくは確認処理を行ってプライバシの確認結果を送信し、該送信された確認結果を前記移動先ネットワークの測位ゲートウェイが送信してきた場合に、前記プライバシ情報管理装置に対して追加のプライバシチェックを要求する手段、
前記プライバシ情報管理装置から返される前記追加のプライバシチェックの結果、過去の測位結果を前記クライアントに渡しても良い場合、前記過去の測位結果を前記測位要求を転送してきた前記他のゲートウェイ装置へ送る手段、
として機能させるプログラム。
【請求項８６】
移動機のプライバシ設定情報および過去の測位結果を保持する記憶手段を備え、測位ゲートウェイを構成するコンピュータを、
クライアントから前記移動機の測位要求を受信したときに前記移動機の前記プライバシ設定情報を参照し、前記測位要求を確認する手段、
前記確認の結果、前記測位要求が禁止されておらず、測位要求種別が過去の位置でも良いとき、前記移動機の過去の測位結果を保持しており且つ保持している測位結果が再利用できるかを確認する手段、
前記移動機の過去の測位結果を再利用可能であり、前記測位要求された前記移動機への通知もしくは確認が必要である場合に、前記移動機の移動先通信ネットワークの測位ゲートウェイに対し、プライバシチェック要求メッセージを送る手段、
前記移動機の移動先通信ネットワークの測位ゲートウェイが、前記移動機が接続する地域無線網を管理する地域無線網管理装置に対し、プライバシ要求メッセージを送り、前記地域無線網管理装置が前記移動機に対して通知もしくは確認処理を行ってプライバシの確認結果を送信し、該送信された確認結果を前記移動先ネットワークの測位ゲートウェイが送信してきた場合に、追加のプライバシチェックを行う手段、
前記追加のプライバシチェックの結果、過去の測位結果を前記クライアントに渡しても良い場合、前記過去の測位結果を前記クライアントへ送る手段、
として機能させるプログラム。
【請求項８７】
測位ゲートウェイを構成するコンピュータを、
クライアントから前記移動機の測位要求を受信したときに、前記移動機のプライバシ設定情報および過去の測位結果を保持するプライバシ情報管理装置に対して測位処理許可要求を送る手段、
前記プライバシ情報管理装置が、前記移動機の前記プライバシ設定情報を参照して前記測位要求を確認し、該確認の結果、前記測位要求が禁止されておらず、測位要求種別が過去の位置でも良いとき、前記移動機の過去の測位結果を保持しており且つ保持している測位結果が再利用できるかを確認してプライバシチェックの結果と共に前記過去の測位結果を前記測位処理許可要求の応答として返してきたとき、前記移動機の過去の測位結果を再利用可能であり、前記測位要求された前記移動機への通知もしくは確認が必要である場合に、前記移動機の移動先通信ネットワークの測位ゲートウェイに対し、プライバシチェック要求メッセージを送る手段、
前記移動機の移動先通信ネットワークの測位ゲートウェイが、前記移動機が接続する地域無線網を管理する地域無線網管理装置に対し、プライバシ要求メッセージを送り、前記地域無線網管理装置が前記移動機に対して通知もしくは確認処理を行ってプライバシの確認結果を送信し、該送信された確認結果を前記移動先ネットワークの測位ゲートウェイが送信してきた場合に、前記プライバシ情報管理装置に対して追加のプライバシチェックを要求する手段、
前記プライバシ情報管理装置から返される前記追加のプライバシチェックの結果、過去の測位結果を前記クライアントに渡しても良い場合、前記過去の測位結果を前記クライアントへ送る手段、
として機能させるプログラム。
【請求項８８】
移動機の過去の測位結果を保持する記憶手段を備え、測位ゲートウェイを構成するコンピュータを、
クライアントから前記移動機の測位要求を受信したときに、前記移動機のプライバシ設定情報を保持するプライバシ情報管理装置に対して測位処理許可要求を送る手段、
前記プライバシ情報管理装置が、前記移動機の前記プライバシ設定情報を参照して前記測位要求を確認し、該確認の結果を返してきたときに、前記測位要求が禁止されておらず、測位要求種別が過去の位置でも良い場合、前記移動機の過去の測位結果を保持しており且つ保持している測位結果が再利用できるかを確認する手段、
前記移動機の過去の測位結果を再利用可能であり、前記測位要求された前記移動機への通知もしくは確認が必要である場合に前記移動機の移動先通信ネットワークの測位ゲートウェイに対し、プライバシチェック要求メッセージを送る手段、前記移動機の移動先通信ネットワークの測位ゲートウェイが、前記移動機が接続する地域無線網を管理する地域無線網管理装置に対し、プライバシ要求メッセージを送り、前記地域無線網管理装置が前記移動機に対して通知もしくは確認処理を行ってプライバシの確認結果を送信し、該送信された確認結果を前記移動先ネットワークの測位ゲートウェイが送信してきた場合に、前記プライバシ情報管理装置に対して追加のプライバシチェックを要求する手段、
前記プライバシ情報管理装置から返される前記追加のプライバシチェックの結果、過去の測位結果を前記クライアントに渡しても良い場合、前記過去の測位結果を前記クライアントへ送る手段、
として機能させるプログラム。
【請求項８９】
移動機のプライバシ設定情報および過去の測位結果を保持する記憶手段を備え、測位ゲートウェイを構成するコンピュータを、
クライアントから前記移動機の測位要求を受信した他の測位ゲートウェイから前記移動機の測位要求が転送されてきたときに前記移動機の前記プライバシ設定情報を参照し、前記測位要求を確認する手段、
前記確認の結果、前記測位要求が禁止されておらず、測位要求種別が過去の位置でも良いとき、前記移動機の過去の測位結果を保持しており且つ保持している測位結果が再利用できるかを確認する手段、
前記移動機の過去の測位結果を再利用可能であり、前記測位要求された前記移動機への通知もしくは確認が必要である場合に、前記移動機の移動先通信ネットワークの測位ゲートウェイである前記他の測位ゲートウェイに対し、プライバシチェック要求メッセージを送る手段、
前記他の測位ゲートウェイが、前記移動機が接続する地域無線網を管理する地域無線網管理装置に対し、プライバシ要求メッセージを送り、前記地域無線網管理装置が前記移動機に対して通知もしくは確認処理を行ってプライバシの確認結果を送信し、該送信された確認結果を前記他の測位ゲートウェイが送信してきた場合に、追加のプライバシチェックを行う手段、
前記追加のプライバシチェックの結果、過去の測位結果を前記クライアントに渡しても良い場合、前記過去の測位結果を前記測位要求を転送してきた前記他の測位ゲートウェイへ送る手段、
として機能させるプログラム。
【請求項９０】
測位ゲートウェイを構成するコンピュータを、
クライアントから前記移動機の測位要求を受信した他の測位ゲートウェイから前記移動機の測位要求が転送されてきたときに、前記移動機のプライバシ設定情報および過去の測位結果を保持するプライバシ情報管理装置に対して測位処理許可要求を送る手段、
前記プライバシ情報管理装置が、前記移動機の前記プライバシ設定情報を参照して前記測位要求を確認し、該確認の結果、前記測位要求が禁止されておらず、測位要求種別が過去の位置でも良いとき、前記移動機の過去の測位結果を保持しており且つ保持している測位結果が再利用できるかを確認してプライバシチェックの結果と共に前記過去の測位結果を前記測位処理許可要求の応答として返してきたとき、前記移動機の過去の測位結果を再利用可能であり、前記測位要求された前記移動機への通知もしくは確認が必要である場合に、前記移動機の移動先通信ネットワークの測位ゲートウェイである前記他の測位ゲートウェイに対し、プライバシチェック要求メッセージを送る手段、
前記他の測位ゲートウェイが、前記移動機が接続する地域無線網を管理する地域無線網管理装置に対し、プライバシ要求メッセージを送り、前記地域無線網管理装置が前記移動機に対して通知もしくは確認処理を行ってプライバシの確認結果を送信し、該送信された確認結果を前記他の測位ゲートウェイが送信してきた場合に、前記プライバシ情報管理装置に対して追加のプライバシチェックを要求する手段、
前記プライバシ情報管理装置から返される前記追加のプライバシチェックの結果、過去の測位結果を前記クライアントに渡しても良い場合、前記過去の測位結果を前記測位要求を転送してきた前記他の測位ゲートウェイへ送る手段、
として機能させるプログラム。
【請求項９１】
移動機の過去の測位結果を保持する記憶手段を備え、測位ゲートウェイを構成するコンピュータを、
クライアントから前記移動機の測位要求を受信した他の測位ゲートウェイから前記移動機の測位要求が転送されてきたときに、前記移動機のプライバシ設定情報を保持するプライバシ情報管理装置に対して測位処理許可要求を送る手段、
前記プライバシ情報管理装置が、前記移動機の前記プライバシ設定情報を参照して前記測位要求を確認し、該確認の結果を返してきたときに、前記測位要求が禁止されておらず、測位要求種別が過去の位置でも良い場合、前記移動機の過去の測位結果を保持しており且つ保持している測位結果が再利用できるかを確認する手段、
前記移動機の過去の測位結果を再利用可能であり、前記測位要求された前記移動機への通知もしくは確認が必要である場合に前記移動機の移動先通信ネットワークである前記他の測位ゲートウェイに対し、プライバシチェック要求メッセージを送る手段、
前記他の測位ゲートウェイが、前記移動機が接続する地域無線網を管理する地域無線網管理装置に対し、プライバシ要求メッセージを送り、前記地域無線網管理装置が前記移動機に対して通知もしくは確認処理を行ってプライバシの確認結果を送信し、該送信された確認結果を前記他の測位ゲートウェイが送信してきた場合に、前記プライバシ情報管理装置に対して追加のプライバシチェックを要求する手段、
前記プライバシ情報管理装置から返される前記追加のプライバシチェックの結果、過去の測位結果を前記クライアントに渡しても良い場合、前記過去の測位結果を前記測位要求を転送してきた前記他の測位ゲートウェイへ送る手段、
として機能させるプログラム。
【発明の詳細な説明】
【０００１】
【発明の属する技術分野】
本発明は、移動通信システムに関し、特に端末の地理的位置情報を提供する位置情報サービス機能に関する。
【０００２】
【従来の技術】
移動通信ネットワークにおいて、移動機の位置情報を提供する位置情報サービス機能は、さまざまな付加価値情報サービスを可能にする重要な機能である。移動通信ネットワークの世界標準を定めている３ＧＰＰ（Ｔｈｉｒｄ　Ｇｅｎｅｒａｔｉｏｎ　Ｐａｒｔｎｅｒｓｈｉｐ　Ｐｒｏｇｒａｍ）においては、位置情報サービス機能の仕様として非特許文献１を制定している。
【０００３】
移動機の位置情報は、移動機が現在どこにいるかがわかるため移動機を使用するユーザーにとって重要なプライバシ情報である。そのため、位置情報の不正な取得を防ぐ手段や、移動機ユーザーの要求に応じて、時間や場所などに基づいた位置情報へのアクセス制限を行なう高度なプライバシ保護機能が移動通信ネットワークに求められるようになってきている。プライバシ保護機能としては、測位要求を受け付けるクライアントやサービスを登録する場合のように測位要求受付時に判断できるものと、特定の場所や時間帯のみでの測位を許可する場合のように測位後でないと判断できないものの２つがある。
【０００４】
一方、移動通信ネットワーク事業者は、位置情報サービスを提供するためには移動機の位置を測定しなければならない。移動機位置の測定のためにネットワーク内の各ノード間で位置測定用のメッセージを送受信する必要があり、移動機とも無線回線を介してメッセージを送受する必要がある。
【０００５】
３ＧＰＰにおいては前述の文献１において、移動機の位置情報を取得する仕組みである測位システムの構成および処理を規定している。文献１における測位システムの構成図を図１に示す。図１を参照すると３ＧＰＰにおける測位システムは、測位要求を移動通信ネットワークに対して送信するＣｌｉｅｎｔ装置１０１他複数のＣｌｉｅｎｔ装置と、移動通信ネットワークにおいてＣｌｉｅｎｔ装置からの測位要求を受け付けるゲートウェイであるＧＭＬＣ（Ｇａｔｅｗａｙ　Ｍｏｂｉｌｅ　Ｌｏｃａｔｉｏｎ　Ｃｅｎｔｅｒ）装置１０２他複数のＧＭＬＣ装置と、ひとつもしくは複数の地域無線網を管理するノードであるＳＧＳＮ／ＭＳＣ（Ｓｅｒｖｉｎｇ　Ｇｅｎｅｒａｌ　ｐａｃｋｅｔ　ｒａｄｉｏ　ｓｅｒｖｉｃｅ　Ｓｕｐｐｏｒｔ　Ｎｏｄｅ　／　Ｍｏｂｉｌｅ　Ｓｅｒｖｉｃｅｓ　ｓｗｉｔｃｈｉｎｇ　Ｃｅｎｔｅｒ）装置１０３他複数のＳＧＳＮ／ＭＳＣ装置と、地域無線網（ＲＡＮ：Ｒａｄｉｏ　Ａｃｃｅｓｓ　Ｎｅｔｗｏｒｋ）１０４他複数の地域無線網（ＲＡＮ）と、測位対象となる移動機であるＵＥ（Ｕｓｅｒ　Ｅｑｕｉｐｍｅｎｔ）装置１０５他複数のＵＥ装置と、各移動機の接続する地域無線網の情報を保持する移動機管理装置であるＨＬＲ／ＨＳＳ（Ｈｏｍｅ　Ｌｏｃａｔｉｏｎ　Ｒｅｓｉｓｔｅｒ　／　Ｈｏｍｅ　Ｓｕｂｓｃｒｉｂｅｒ　Ｓｅｒｖｅｒ：）装置１０６他複数のＨＬＲ／ＨＳＳ装置などの複数のノードから構成される。
【０００６】
３ＧＰＰにおいては、前記Ｃｌｉｅｎｔ装置がＵＥ装置の位置を要求する外部起動測位（ＭＴ−ＬＲ：　Ｍｏｂｉｌｅ　Ｔｅｒｍｉｎａｔｅｄ　Ｌｏｃａｔｉｏｎ　Ｒｅｑｕｅｓｔ）と、ＵＥ装置が自局の位置を要求する移動機起動測位（ＭＯ−ＬＲ：　Ｍｏｂｉｌｅ　Ｏｒｉｇｉｎａｔｅｄ　Ｌｏｃａｔｉｏｎ　Ｒｅｑｕｅｓｔ）の２種類の測位機能が提供されている。
【０００７】
３ＧＰＰにおける外部起動測位（ＭＴ−ＬＲ）においては、前記Ｃｌｉｅｎｔ装置はＵＥ装置の現在位置（Ｃｕｒｒｅｎｔ　Ｌｏｃａｔｉｏｎ）を要求するか、現在位置もしくは最新過去位置（Ｃｕｒｒｅｎｔ　ｏｒ　Ｌａｓｔ　ｋｎｏｗｎ　Ｌｏｃａｔｉｏｎ）を要求することができる。最新過去位置（Ｌａｓｔ　ｋｎｏｗｎ　Ｌｏｃａｔｉｏｎ）は、Ｃｌｉｅｎｔ装置が測位要求を行なったときに、何らかの理由でＵＥ装置の現在位置を取得できない場合に、過去に測位した結果が利用可能であれば、過去の測位結果がＣｌｉｅｎｔ装置に返送される。一方、３ＧＰＰにおける移動機起動測位（ＭＯ−ＬＲ）においては、ＵＥ装置が要求するのは自局の現在位置のみである。
【０００８】
３ＧＰＰにおけるプライバシ保護は、測位要求時に測位対象のＵＥ装置が接続しているＲＡＮを管理しているＳＧＳＮ／ＭＳＣ装置において行なわれる。３ＧＰＰにおいて規定されているプライバシ保護は、外部起動測位（ＭＴ−ＬＲ）において、測位要求を許可するＣｌｉｅｎｔ装置などのプライバシ情報を各ＵＥ装置が登録することで、不正なＣｌｉｅｎｔ装置からの測位要求を防ぐ機能を提供している。ＳＧＳＮ／ＭＳＣ装置は測位要求を受信すると、測位対象のＵＥ装置が事前に登録したプライバシ情報を参照し、測位要求元のＣｌｉｅｎｔ装置からの測位要求が許可されているかどうかを確認し、前記プライバシ情報によってＵＥ装置への通知もしくは確認が必要とされる場合には、ＵＥ装置への通知もしくは確認を行なう。
【０００９】
３ＧＰＰで規定される外部起動測位（ＭＴ−ＬＲ）の手順を図２に示す。外部起動測位においては、Ｃｌｉｅｎｔ装置１０１がＵＥ装置１０５の測位要求をＧＭＬＣ装置１０２に送信すると（ステップ１）、ＧＭＬＣ装置１０２はＨＬＲ／ＨＳＳ装置１０６に測位対象のＵＥ装置１０５が属するＳＧＳＮ／ＭＳＣ装置の情報を問い合わせ（ステップ２）、ＨＬＲ／ＨＳＳ装置１０６からＵＥ装置１０５が属するＳＧＳＮ／ＭＳＣ装置１０３の情報を受け取る（ステップ３）。次にＧＭＬＣ装置１０１は、ＨＬＲ／ＨＳＳ装置１０６からの情報に基づきＳＧＳＮ／ＭＳＣ装置１０３へ測位要求を送信する（ステップ４）。測位要求を受け取ったＳＧＳＮ／ＭＳＣ装置１０３はＵＥ装置１０５のプライバシ設定を参照してプライバシチェックを行ない測位要求を受け付けてもいいかどうかを判断する（ステップ５）。ステップ５のプライバシチェックにおいては、ＵＥ装置１０５への通知もしくは確認が必要であると判断された場合には、ＳＧＳＮ／ＭＳＣ装置１０３はＵＥ装置１０５と通知もしくは確認のためのメッセージを送受する。ステップ５において測位要求を受け付けてもよいと判断した場合には、ＳＧＳＮ／ＭＳＣ装置１０３はＲＡＮ１０４、ＵＥ装置１０５と連携してＵＥ装置１０５の位置を測定する（ステップ６）。Ｃｌｉｅｎｔ装置１０１がＵＥ装置の現在位置もしくは最新過去位置（Ｃｕｒｒｅｎｔ　ｏｒ　Ｌａｓｔ　ｋｎｏｗｎ　Ｌｏｃａｔｉｏｎ）を要求しておりステップ６においてＵＥ装置１０５の位置を測定できなかった場合には、ＳＧＳＮ／ＭＳＣ装置１０３は過去に測定したＵＥ装置１０５位置情報を保持していたならば、その位置情報をＵＥ装置１０５の位置とする（ステップ７）。その後、ＳＧＳＮ／ＭＳＣ装置１０３は測位結果をＧＭＬＣ装置１０２に返信し（ステップ８）、ＧＭＬＣ装置１０２はＣｌｉｅｎｔ装置１０１に転送する（ステップ９）。
【００１０】
３ＧＰＰで規定される端末起動測位（ＭＯ−ＬＲ）の手順を図３に示す。端末起動測位（ＭＯ−ＬＲ）においては、ＵＥ装置１０５はＳＧＳＮ／ＭＳＣ装置１０３に対して測位要求を送信する（ステップ１）。ＳＧＳＮ／ＭＳＣ装置はＲＡＮ１０４、ＵＥ装置１０５と連携してＵＥ装置１０５の位置を測定する（ステップ２）。その後、ＳＧＳＮ／ＭＳＣ装置１０３は測位結果をＵＥ装置１０５に返信する（ステップ３）。ステップ２においてＵＥ装置１０５の位置の測定に失敗した場合には、ステップ３においてエラーメッセージがＵＥ装置１０５に返信される。
【００１１】
【非特許文献１】
３ＧＰＰ　Ｔｅｃｈｎｉｃａｌ　Ｓｐｅｃｉｆｉｃａｔｉｏｎ　２３．２７１　ｖ．５．３．０，　”Ｆｕｎｃｔｉｏｎａｌ　ｓｔａｇｅ　２　ｄｅｓｃｒｉｐｔｉｏｎ　ｏｆ　ＬＣＳ”，　ｐ．３３−６２、２００２年６月
【００１２】
【発明が解決しようとする課題】
第１の課題は、外部起動測位（ＭＴ−ＬＲ）においてＳＧＳＮ／ＭＳＣ装置が測位処理に失敗した場合以外にも過去の測位結果の再利用を可能にすることである。
【００１３】
その理由は、前述のように３ＧＰＰにおける外部起動測位（ＭＴ−ＬＲ）においては、Ｃｌｉｅｎｔ装置がＵＥ装置の位置を要求しネットワークがＵＥ装置の位置をｃｌｉｅｎｔ装置に返送する場合には必ずＳＧＳＮ／ＭＳＣ装置において測位処理が実行されるため、ｃｌｉｅｎｔ装置からの測位要求が増加した場合に測位トラヒックおよび測位処理負荷が比例して増加してしまい移動通信事業者のネットワーク運用に支障がでる可能性があるためである。前述のようにＳＧＳＮ／ＭＳＣ装置が保持する過去の測位結果の再利用は、ＳＧＳＮ／ＭＳＣ装置が測位処理に失敗した場合のみに可能であり、測位トラヒックや測位処理負荷の軽減にはあまり有効に使われていないためである。また、測位結果の再利用によって測位トラヒックおよび測位処理負荷を減らすことができれば、測位にかかるコストも削減することができるためである。
【００１４】
第２の課題は、端末起動測位（ＭＯ−ＬＲ）において過去の測位結果の再利用を可能にすることである。
【００１５】
その理由は、前述のように３ＧＰＰにおける端末起動測位（ＭＯ−ＬＲ）においては、ＵＥ装置が自局の位置をＳＧＳＮ／ＭＳＣ装置に要求した場合には必ず測位処理が実行されるため、ＵＥ装置からの測位要求が増加した場合に測位トラヒックおよび測位処理負荷が比例して増加してしまい移動通信事業者のネットワーク運用に支障がでる可能性があるためである。ＳＧＳＮ／ＭＳＣ装置における測位処理が失敗した場合にはＵＥ装置にはエラーが通知されるため、過去の測位結果の再利用はまったく行なわれていないためである。また、測位結果の再利用によって測位トラヒックおよび測位処理負荷を減らすことができれば、測位にかかるコストも削減することができるためである。
【００１６】
第３の課題は、外部起動測位（ＭＴ−ＬＲ）における測位結果の再利用時のプライバシ保護機能の実現である。
【００１７】
その理由は、前述のように３ＧＰＰにおける外部起動測位（ＭＴ−ＬＲ）においては、プライバシチェックはＳＧＳＮ／ＭＳＣ装置で実行されている。そのため、例えばＧＭＬＣ装置が過去の測位結果を保持しておりその測位結果を再利用しようとする場合には、プライバシチェックのみをＳＧＳＮ／ＭＳＣ装置に要求すればいいのだが、現在はその手段が提供されていないので、プライバシ保護を実現しつつＧＭＬＣ装置が保持する過去の測位結果の再利用を行なうことはできないためである。
【００１８】
第４の課題は、過去の測位結果再利用時に、どれぐらい過去に測定された位置ならば受け入れることができるかを示す鮮度情報を、ｃｌｉｅｎｔ装置やＵＥ装置が指定できるようにし、その鮮度情報に基づいて過去の測位結果の再利用を実現することである。
【００１９】
その理由は、前述のように３ＧＰＰにおける外部起動測位（ＭＴ−ＬＲ）における過去の測位結果の再利用はＳＧＳＮ／ＭＳＣ装置が過去の測位結果を保持しているかどうかのみに基づいており、過去の測位結果としてどれくらい古い位置情報がＳＧＳＮ／ＭＳＣ装置から返送されるかは個々のＳＧＳＮ／ＭＳＣ装置の仕様に依存しており、ｃｌｉｅｎｔ装置やＵＥ装置が要求する測位結果の鮮度情報に基づいて過去の測位結果の再利用の可否を判断することができないためである。
【００２０】
【発明の目的】
本発明の目的は、移動通信ネットワークにおける測位システムにおいて、過去の測位結果の再利用を可能にすることであり、測位結果の再利用時にもユーザーのプライバシを保護し、位置要求者が必要とする鮮度情報を満たす測位結果のみ再利用することを可能とすることである。
【００２１】
【課題を解決するための手段】
請求項１記載の測位システムにおいては、複数の移動機と、移動機に対するクライアントからの測位要求を受け付けるひとつもしくは複数の測位ゲートウェイ装置と、その他必要な複数の通信装置から構成される移動通信ネットワークにおける測位システムにおいて、各移動機の過去の測位結果を移動通信ネットワーク内部の装置に蓄積し、クライアントからの測位要求に対して過去の測位結果を応答する手段を有する。
【００２２】
請求項２記載の測位システムにおいては、過去の測位結果が利用可能な場合には過去の測位結果を応答し、過去の測位結果が利用不可能な場合には現在の位置を測定して応答する手段を有する。
【００２３】
請求項３記載の測位システムにおいては、要求する測位結果の鮮度情報を付加してクライアントが測位要求を送信し、過去の測位結果が要求される鮮度情報を満たすことができない場合には現在の位置を測定する手段を有する。
請求項４記載の測位システムにおいては、該移動機を使用するユーザーのプライバシ設定を移動通信ネットワーク内部の装置に保持し、過去の測位結果を外部に通知する前に該移動機を使用するユーザーのプライバシ設定を確認する手段を有する。
【００２４】
請求項５記載の測位システムにおいては、該移動機を使用するユーザーのプライバシ設定を測位ゲートウェイ装置が保持する手段を有する。
【００２５】
請求項６記載の測位システムにおいては、過去の測位結果を測位ゲートウェイ装置が保持する手段を有する。
【００２６】
請求項７記載の測位システムにおいては、プライバシ設定を確認した結果、該移動機に対して通知もしくは確認処理を行なう必要がある場合に、測位ゲートウェイ装置がプライバシチェック要求メッセージをネットワーク内の装置に送信し、前記装置が該移動機に対して通知もしくは確認処理を行なう手段を有する。
【００２７】
請求項８記載の測位システムにおいては、測位ゲートウェイ装置が前記装置に送信する測位要求メッセージに専用のパラメータを追加することでプライバシチェック要求メッセージを実現する手段を有する。
【００２８】
請求項９記載の測位システムにおいては、過去の測位結果を測位ゲートウェイ装置以外のネットワーク内の装置が保持する手段を有する。
【００２９】
請求項１０記載の測位システムにおいては、測位ゲートウェイ装置がプライバシ設定を確認した後、測位要求メッセージを前記ネットワーク内の装置に送信し、前記ネットワーク内の装置が過去の測位結果を応答する手段を有する。
【００３０】
請求項１１記載の測位システムにおいては、測位ゲートウェイ装置が送信する測位要求メッセージに、測位結果の鮮度情報を付加して送信する手段を有する。
【００３１】
請求項１２記載の測位システムにおいては、複数の移動機と、移動機に対するクライアントからの測位要求を受け付けるひとつもしくは複数の測位ゲートウェイ装置と、その他必要な複数の通信装置から構成される移動通信ネットワークにおける測位システムにおいて、各移動機の過去の測位結果を移動通信ネットワーク内部の装置に蓄積し、移動機からの測位要求に対して過去の測位結果を応答する手段を有する。
【００３２】
請求項１３記載の測位システムにおいては、過去の測位結果が利用可能な場合には過去の測位結果を該移動機に対して応答し、過去の測位結果が利用不可能な場合には現在の位置を測定して該移動機に対して応答する手段を有する。
【００３３】
請求項１４記載の測位システムにおいては、要求する測位結果の鮮度情報を付加して該移動機が測位要求を送信し、過去の測位結果が要求される鮮度情報を満たすことができない場合には現在の位置を測定して該移動機に対して応答する手段を有する。
【００３４】
【作用】
請求項１記載の測位システムにおいては、クライアントからの測位要求に対して過去の測位結果を応答する。
【００３５】
請求項２記載の測位システムにおいては、過去の測位結果が利用可能な場合には過去の測位結果を応答し、過去の測位結果が利用不可能な場合には現在の位置を測定して応答する。
【００３６】
請求項３記載の測位システムにおいては、要求する測位結果の鮮度情報を付加してクライアントが測位要求を送信し、過去の測位結果が要求される鮮度情報を満たすことができない場合には現在の位置を測定する。
【００３７】
請求項４記載の測位システムにおいては、該移動機を使用するユーザーのプライバシ設定を移動通信ネットワーク内部の装置に保持し、過去の測位結果を外部に通知する前に該移動機を使用するユーザーのプライバシ設定を確認する。
【００３８】
請求項５記載の測位システムにおいては、該移動機を使用するユーザーのプライバシ設定を測位ゲートウェイ装置が保持する。
【００３９】
請求項６記載の測位システムにおいては、過去の測位結果を測位ゲートウェイ装置が保持する。
【００４０】
請求項７記載の測位システムにおいては、プライバシ設定を確認した結果、該移動機に対して通知もしくは確認処理を行なう必要がある場合に、測位ゲートウェイ装置がプライバシチェック要求メッセージをネットワーク内の装置に送信し、前記装置が該移動機に対して通知もしくは確認処理を行なう。
【００４１】
請求項８記載の測位システムにおいては、測位ゲートウェイ装置が前記装置に送信する測位要求メッセージに専用のパラメータを追加することでプライバシチェック要求メッセージを実現する。
【００４２】
請求項９記載の測位システムにおいては、過去の測位結果を測位ゲートウェイ装置以外のネットワーク内の装置が保持する。
【００４３】
請求項１０記載の測位システムにおいては、測位ゲートウェイ装置がプライバシ設定を確認した後、測位要求メッセージを前記ネットワーク内の装置に送信し、前記ネットワーク内の装置が過去の測位結果を応答する。
【００４４】
請求項１１記載の測位システムにおいては、測位ゲートウェイ装置が送信する測位要求メッセージに、測位結果の鮮度情報を付加して送信する。
【００４５】
請求項１２記載の測位システムにおいては、各移動機の過去の測位結果を移動通信ネットワーク内部の装置に蓄積し、移動機からの測位要求に対して過去の測位結果を応答する。
【００４６】
請求項１３記載の測位システムにおいては、過去の測位結果が利用可能な場合には過去の測位結果を該移動機に対して応答し、過去の測位結果が利用不可能な場合には現在の位置を測定して該移動機に対して応答する。
【００４７】
請求項１４記載の測位システムにおいては、要求する測位結果の鮮度情報を付加して該移動機が測位要求を送信し、過去の測位結果が要求される鮮度情報を満たすことができない場合には現在の位置を測定して該移動機に対して応答する。
【００４８】
【発明の実施の形態】
次に本発明の幾つかの実施の形態の概略について説明する。本発明においては、クライアント装置が移動機の位置を要求する移動通信ネットワークと、移動機と契約を持ちプライバシ情報等を管理する移動通信ネットワークと、移動機が接続する地域無線網が属する移動通信ネットワークとが存在する。下記、第一の実施の形態においては、クライアント装置が移動機の位置を要求する移動通信ネットワークと、移動機と契約を持ちプライバシ情報等を管理する移動通信ネットワークと、移動機が接続する地域無線網が属する移動通信ネットワークが同一である場合について説明する。下記、第二の実施の形態においては、移動機と契約を持ちプライバシ情報等を管理する移動通信ネットワークと、移動機が接続する地域無線網が属する移動通信ネットワークが同一であり、クライアント装置が移動機の位置を要求する移動通信ネットワークは異なる場合について説明する。下記、第三の実施の形態においては、クライアント装置が移動機の位置を要求する移動通信ネットワークと、移動機と契約を持ちプライバシ情報等を管理する移動通信ネットワークと、移動機が接続する地域無線網が属する移動通信ネットワークが全て異なる場合について説明する。下記、第四の実施の形態においては、クライアント装置が移動機の位置を要求する移動通信ネットワークと、移動機と契約を持ちプライバシ情報等を管理する移動通信ネットワークが同一であり、移動機が接続する地域無線網が属する移動通信ネットワークは異なる場合について説明する。下記、第五の実施の形態においては、クライアント装置が移動機の位置を要求する移動通信ネットワークと、移動機が接続する地域無線網が属する移動通信ネットワークが同一であり、移動機と契約を持ちプライバシ情報等を管理する移動通信ネットワークは異なる場合について説明する。また、下記第一から第五の実施の形態においては、移動機のプライバシ情報をＧＭＬＣ装置で管理する場合について説明し、下記第六から第十の実施の形態においては、下記第一から第五の実施の形態のそれぞれの変形例として、移動機のプライバシ情報をＧＭＬＣ装置でなく、ＰＰＲ（Ｐｒｉｖａｃｙ　Ｐｒｏｆｉｌｅ　Ｒｅｇｉｓｔｅｒ）と呼ばれるプライバシ情報管理装置で管理する場合について説明する。
【００４９】
【発明の実施の形態の概要】
先ず、第一乃至第十の実施の形態の概要について図２３乃至図３７を参照して説明する。
【００５０】
【第一の実施の形態の概要】
第一の実施の形態の主要な構成の概要を図２３を参照して説明する。第一の実施の形態においては、クライアント１０１は、過去の位置でも良いかを示す測位要求種別を指定した移動機の測位要求をＧＭＬＣ１０２に送信する送信手段１０１１と、ＧＭＬＣ１０２からの前記測位要求に対する応答を受信する受信手段１０１２とを備える。ＧＭＬＣ装置１０２は、移動機のプライバシ設定情報および過去の測位結果を保持する記憶手段１０２１と、クライアント１０１から移動機の測位要求を受信したときに移動機のプライバシ設定情報を参照し、前記測位要求を確認する測位要求確認手段１０２２と、この確認の結果、前記測位要求が禁止されておらず、測位要求種別が過去の位置でも良いとき、前記移動機の過去の測位結果を保持しており且つ保持している測位結果が再利用できるかを確認する再利用性確認手段１０２３と、前記移動機の過去の測位結果を再利用可能であり、前記測位要求された前記移動機への通知もしくは確認が必要である場合に、前記移動機が接続する地域無線網を管理するＳＧＳＮ／ＭＳＣ装置１０３に対し、プライバシ要求メッセージを送る通知／確認手段１０２４と、ＳＧＳＮ／ＭＳＣ装置１０３が前記移動機に対して通知もしくは確認処理を行ってプライバシの確認結果を送信してきた場合に、追加のプライバシチェックを行う追加チェック手段１０２５と、この追加のプライバシチェックの結果、過去の測位結果をクライアント１０１に渡しても良い場合、前記過去の測位結果をクライアント１０１へ送る応答送出手段１０２６とを備える。
【００５１】
次に、第一の実施の形態の主要な動作の概要を図２３を参照して説明する。クライアント１０１が、送信手段１０１１を用いてＧＭＬＣ１０２に対し移動機の測位を要求すると、ＧＭＬＣ１０２は、測位要求確認手段１０２２を用いて、前記測位要求された移動機のプライバシ設定情報を記憶手段１０２１から参照し、この測位要求を確認する。次に、この確認の結果、測位要求が禁止されておらず、測位要求種別が過去の位置でも構わないとき、ＧＭＬＣ１０２は、再利用性確認手段１０２３を用いて前記測位要求された移動機の測位結果を記憶手段１０２１に保持しているか確認し、測位結果を保持している場合には、この測位結果が再利用できるかを確認する。次に、再利用可能であり、前記測位要求された移動機への通知が必要である場合、ＧＭＬＣ１０２は、通知／確認手段１０２４を用いて前記測位要求された移動機が接続する地域無線網を管理するＳＧＳＮ／ＭＳＣ装置１０３に対し、プライバシに関するメッセージを送る。なお、このとき、ＧＭＬＣ１０２は、前記移動機の管理を行う移動機管理装置であるＨＬＲ／ＨＳＳ装置に対し、前記測位要求された移動機が接続する地域無線網を管理するＳＧＳＮ／ＭＳＣ装置について問い合わせ、前記ＨＬＲ／ＨＳＳ装置は、前記測位要求された移動機が接続する地域無線網を管理するＳＧＳＮ／ＭＳＣ装置について返信するといった処理が行われる。ＳＧＳＮ／ＭＳＣ装置１０３は、前記測位要求された移動機に対して通知もしくは確認処理を行い、プライバシの確認結果をＧＭＬＣ１０２に送信する。ＧＭＬＣ１０２は、追加チェック手段１０２５を用いて追加のプライバシチェックを行い、問題がなければ、応答送出手段１０２６を用いて測位結果をクライアント１０１に送る。クライアント１０１では、送られてきた測位結果を受信手段１０１２を用いて受信する。
【００５２】
【第二の実施の形態の概要】
第二の実施の形態の主要な構成の概要を図２４を参照して説明する。第二の実施の形態においては、クライアント１１１は、過去の位置でも良いかを示す測位要求種別を指定した移動機の測位要求をＧＭＬＣ１１２に送信する送信手段１１１１と、ＧＭＬＣ１１２からの前記測位要求に対する応答を受信する受信手段１１１２とを備える。また、ＧＭＬＣ１１２は、クライアント１１１から移動機の測位要求を受信したときに、前記移動機のプライバシ設定情報を保持する他の測位ゲートウェイであるＧＭＬＣ１０２を特定し、この特定したＧＭＬＣ１０２へ前記受信した前記移動機の測位要求を転送する要求転送手段１１２１と、ＧＭＬＣ１０２から前記転送した測位要求に対する応答を受信したときに、この応答をクライアント１１１へ送る応答転送手段１１２２とを備える。更に、ＧＭＬＣ１０２は、前記移動機のプライバシ設定情報および過去の測位結果を保持する記憶手段１０２１と、前記移動機の測位要求が転送されてきたときに前記移動機の前記プライバシ設定情報を参照し、前記測位要求を確認する測位要求確認手段１０２２と、この確認の結果、前記測位要求が禁止されておらず、測位要求種別が過去の位置でも良いとき、前記移動機の過去の測位結果を記憶手段１０２１に保持しており且つ保持している測位結果が再利用できるかを確認する再利用性確認手段１０２３と、前記移動機の過去の測位結果を再利用可能であり、前記測位要求された前記移動機への通知もしくは確認が必要である場合に、前記移動機が接続する地域無線網を管理するＳＧＳＮ／ＭＳＣ装置１０３に対し、プライバシ要求メッセージを送る通知／確認手段１０２４と、ＳＧＳＮ／ＭＳＣ装置１０３が前記移動機に対して通知もしくは確認処理を行ってプライバシの確認結果を送信してきた場合に、追加のプライバシチェックを行う追加チェック手段１０２５と、この追加のプライバシチェックの結果、過去の測位結果をクライアントに渡しても良い場合、前記過去の測位結果を前記測位要求を転送してきたＧＭＬＣ１１２へ送る応答送出手段１０２６とを備える。
【００５３】
次に第二の実施の形態の主要な動作の概要を図２４を参照して説明する。クライアント１１１が、送信手段１１１１を用いてＧＭＬＣ１１２に対し移動機の測位を要求すると、ＧＭＬＣ１１２は、要求転送手段１１２１を用いて測位要求された移動機のプライバシ設定情報を保持しているＧＭＬＣ１０２に対して、クライアント１１１からの測位要求を送る。なお、このとき、ＧＭＬＣ１１２は、前記測位要求された移動機の情報を管理しているＨＬＲ／ＨＳＳ装置に対し、前記測位要求された移動機のプライバシ設定情報を保持しているＧＭＬＣ１０２について問い合わせ、ＨＬＲ／ＨＳＳ装置は、前記測位要求された移動機の情報を保持しているＧＭＬＣ１０２の情報をＧＭＬＣ１１２に送るといった処理が行われる。次に、ＧＭＬＣ１０２は、測位要求確認手段１０２２を用いて前記測位要求された移動機のプライバシ設定情報を参照し、この測位要求を確認する。次に、この確認の結果、測位要求が禁止されておらず、測位要求種別が過去の位置でも構わないとき、ＧＭＬＣ１０２は、再利用性確認手段１０２３を用いて前記測位要求された移動機の測位結果を記憶手段１０２１保持しているか確認し、測位結果を保持している場合には、この測位結果が再利用できるかを確認する。次に、再利用可能であり、前記測位要求された移動機への通知が必要である場合、ＧＭＬＣ１０２は、通知／確認手段１０２４を用いて前記測位要求された移動機が接続する地域無線網を管理するＳＧＳＮ／ＭＳＣ装置１０３に対し、プライバシに関するメッセージを送る。なお、このとき、ＧＭＬＣ１０２は、ＨＬＲ／ＨＳＳ装置に対し、前記測位要求された移動機が接続する地域無線網を管理するＳＧＳＮ／ＭＳＣ装置１０３について問い合わせ、前記ＨＬＲ／ＨＳＳ装置は、前記測位要求された移動機が接続する地域無線網を管理するＳＧＳＮ／ＭＳＣ装置１０３について返信するといった処理が行われる。ＳＧＳＮ／ＭＳＣ装置１０３は、前記測位要求された移動機に対して通知もしくは確認処理を行い、プライバシの確認結果をＧＭＬＣ１０２に送信する。ＧＭＬＣ１０２は、追加チェック手段１０２５を用いて、追加のプライバシチェックを行い、問題がなければ、応答送出手段１０２６を用いて測位結果をＧＭＬＣ１１２に送る。ＧＭＬＣ１１２は、応答転送手段１１２２を用いて、測位結果をクライアント１１１に送る。クライアント１１１では、測位結果を受信手段１１１２を用いて受信する。
【００５４】
【第三の実施の形態の概要】
第三の実施の形態の主要な構成の概要を図２５を参照して説明する。第三の実施の形態においては、クライアント１１１は、過去の位置でも良いかを示す測位要求種別を指定した移動機の測位要求をＧＭＬＣ１１２に送信する送信手段１１１１と、ＧＭＬＣ１１２からの前記測位要求に対する応答を受信する受信手段１１１２とを備える。また、ＧＭＬＣ１１２は、クライアント１１１から移動機の測位要求を受信したときに、前記移動機のプライバシ設定情報を保持する他のＧＭＬＣ１０２を特定し、この特定したＧＭＬＣ１０２へ前記受信した前記移動機の測位要求を転送する要求転送手段１１２１と、ＧＭＬＣ１０２から前記転送した測位要求に対する応答を受信したときに、この応答をクライアント１１１へ送る応答転送手段１１２２とを備える。また、ＧＭＬＣ１０２は、前記移動機のプライバシ設定情報および過去の測位結果を保持する記憶手段１０２１と、前記移動機の測位要求が転送されてきたときに前記移動機の前記プライバシ設定情報を参照し、前記測位要求を確認する測位要求確認手段１０２２と、この確認の結果、前記測位要求が禁止されておらず、測位要求種別が過去の位置でも良いとき、前記移動機の過去の測位結果を記憶手段１０２１に保持しており且つ保持している測位結果が再利用できるかを確認する再利用性確認手段１０２３と、前記移動機の過去の測位結果を再利用可能であり、前記測位要求された前記移動機への通知もしくは確認が必要である場合に、前記移動機の移動先通信ネットワークのＧＭＬＣ１２２に対し、プライバシ要求メッセージを送る通知／確認手段１０２４と、ＧＭＬＣ１２２からプライバシの確認結果を受信した場合に、追加のプライバシチェックを行う追加チェック手段１０２５と、この追加のプライバシチェックの結果、過去の測位結果をクライアントに渡しても良い場合、前記過去の測位結果を前記測位要求を転送してきたＧＭＬＣ１１２へ送る応答送出手段１０２６とを備える。更に、ＧＭＬＣ１２２は、移動機のプライバシ設定情報を保持するＧＭＬＣ１０２から前記移動機にかかるプライバシチェック要求メッセージを受信したときに、前記移動機が接続する地域無線網を管理するＳＧＳＮ／ＭＳＣ装置１１３に対し、プライバシ要求メッセージを送るメッセージ転送手段１２２１と、ＳＧＳＮ／ＭＳＣ装置１２３が前記移動機に対して通知もしくは確認処理を行ってプライバシの確認結果を送信してきたときに、この送信された確認結果をＧＭＬＣ１０２に送信する結果転送手段１２２２とを備える。
【００５５】
次に第三の実施の形態の主要な動作の概要を図２５を参照して説明する。クライアント１１１が、送信手段１１１１を用いてＧＭＬＣ１１２に対し移動機の測位を要求すると、ＧＭＬＣ１１２は、要求転送手段１１２１を用いて測位要求された移動機のプライバシ設定情報を保持しているＧＭＬＣ１０２に対して、クライアント１１１からの測位要求を送る。なお、このとき、ＧＭＬＣ１１２は、前記測位要求された移動機の情報を管理しているＨＬＲ／ＨＳＳ装置に対し、前記測位要求された移動機のプライバシ設定情報を保持しているＧＭＬＣ１０２について問い合わせ、ＨＬＲ／ＨＳＳ装置は、前記測位要求された移動機の情報を保持しているＧＭＬＣ１０２の情報をＧＭＬＣ１１２に送るといった処理が行われる。次に、ＧＭＬＣ１０２は、測位要求確認手段１０２２を用いて前記測位要求された移動機のプライバシ設定情報を参照し、この測位要求を確認する。次に、この確認の結果、測位要求が禁止されておらず、測位要求種別が過去の位置でも構わないとき、ＧＭＬＣ１０２は、再利用性確認手段１０２３を用いて前記測位要求された移動機の測位結果を記憶手段１０２１保持しているか確認し、測位結果を保持している場合には、この測位結果が再利用できるかを確認する。次に、再利用可能であり、前記測位要求された移動機への通知が必要である場合、ＧＭＬＣ１０２は、通知／確認手段１０２４を用いて、前記測位要求された移動機が接続する移動通信ネットワークのＧＭＬＣ１２２に対し、プライバシに関するメッセージを送る。なお、このとき、ＧＭＬＣ１０２は、ＨＬＲ／ＨＳＳ装置に対し、前記測位要求された移動機が接続する地域無線網を管理するＳＧＳＮ／ＭＳＣ装置１２３について問い合わせ、前記ＨＬＲ／ＨＳＳ装置は、前記測位要求された移動機が接続する地域無線網を管理するＳＧＳＮ／ＭＳＣ装置１２３の情報、および、前記測位要求された移動機が接続する移動通信ネットワークのＧＭＬＣ１２２の情報を保持している場合は、当該ＧＭＬＣ１２２の情報について返信するといった処理が行われる。ＧＭＬＣ１２２は、メッセージ転送手段１２２１を用いて、前記測位要求された移動機が接続する地域無線網を管理するＳＧＳＮ／ＭＳＣ装置１２３に対し、プライバシに関するメッセージを送る。次に、ＳＧＳＮ／ＭＳＣ装置１２３は、前記測位要求された移動機に対して通知もしくは確認処理を行い、プライバシの確認結果をＧＭＬＣ１２２に送信する。ＧＭＬＣ１２２は、結果転送手段１２２２を用いてこのプライバシの確認結果をＧＭＬＣ１０２に送信し、ＧＭＬＣ１０２は、追加チェック手段１０２５を用いて追加のプライバシチェックを行い、問題がなければ、応答送出手段１０２６を用いて、測位結果をＧＭＬＣ１１２送る。ＧＭＬＣ１１２は、応答転送手段１１２２を用いて、測位結果をクライアント１１１に送る。クライアント１１１では、この測位結果を受信手段１１１２を用いて受信する。
【００５６】
【第四の実施の形態の概要】
第四の実施の形態の主要な構成の概要を図２６を参照して説明する。第四の実施の形態においては、クライアント１０１は、過去の位置でも良いかを示す測位要求種別を指定した移動機の測位要求を測位ゲートウェイであるＧＭＬＣ１０２に送信する送信手段１０１１と、ＧＭＬＣ１０２からの前記測位要求に対する応答を受信する受信手段１０１２とを備える。ＧＭＬＣ装置１０２は、移動機のプライバシ設定情報および過去の測位結果を保持する記憶手段１０２１と、クライアント１０１から移動機の測位要求を受信したときに移動機のプライバシ設定情報を参照し、前記測位要求を確認する測位要求確認手段１０２２と、この確認の結果、前記測位要求が禁止されておらず、測位要求種別が過去の位置でも良いとき、前記移動機の過去の測位結果を保持しており且つ保持している測位結果が再利用できるかを確認する再利用性確認手段１０２３と、前記移動機の過去の測位結果を再利用可能であり、前記測位要求された前記移動機への通知もしくは確認が必要である場合に、前記移動機の移動先通信ネットワークのＧＭＬＣ１１２に対し、プライバシ要求メッセージを送る通知／確認手段１０２４と、ＧＭＬＣ１１２からプライバシの確認結果を受信した場合に、追加のプライバシチェックを行う追加チェック手段１０２５と、この追加のプライバシチェックの結果、過去の測位結果をクライアントに渡しても良い場合、前記過去の測位結果をクライアント１０１へ送る応答送出手段１０２６とを備える。また、ＧＭＬＣ１１２は、移動機のプライバシ設定情報を保持するＧＭＬＣ１０２から前記移動機にかかるプライバシチェック要求メッセージを受信したときに、前記移動機が接続する地域無線網を管理するＳＧＳＮ／ＭＳＣ装置１０３に対し、プライバシ要求メッセージを送るメッセージ転送手段１１２３と、ＳＧＳＮ／ＭＳＣ装置１１３が前記移動機に対して通知もしくは確認処理を行ってプライバシの確認結果を送信してきたときに、この送信された確認結果をＧＭＬＣ１０２に送信する結果転送手段１１２４とを備える。
【００５７】
次に、第四の実施の形態の主要な動作の概要を図２６を参照して説明する。クライアント１０１が、送信手段１０１１を用いてＧＭＬＣ１０２に対し移動機の測位を要求すると、ＧＭＬＣ１０２は、測位要求確認手段１０２２を用いて、前記測位要求された移動機のプライバシ設定情報を記憶手段１０２１から参照し、この測位要求を確認する。次に、この確認の結果、測位要求が禁止されておらず、測位要求種別が過去の位置でも構わないとき、ＧＭＬＣ１０２は、再利用性確認手段１０２３を用いて前記測位要求された移動機の測位結果を記憶手段１０２１に保持しているか確認し、測位結果を保持している場合には、この測位結果が再利用できるかを確認する。次に、再利用可能であり、前記測位要求された移動機への通知が必要である場合、ＧＭＬＣ１０２は、通知／確認手段１０２４を用いて、前記測位要求された移動機が接続する移動通信ネットワークのＧＭＬＣ１１２に対し、プライバシに関するメッセージを送る。なお、このとき、ＧＭＬＣ１０２は、ＨＬＲ／ＨＳＳ装置に対し、前記測位要求された移動機が接続する地域無線網を管理するＳＧＳＮ／ＭＳＣ装置１０３について問い合わせ、前記ＨＬＲ／ＨＳＳ装置は、前記測位要求された移動機が接続する地域無線網を管理するＳＧＳＮ／ＭＳＣ装置１０３の情報、および、前記測位要求された移動機が接続する移動通信ネットワークのＧＭＬＣ１１２の情報を保持している場合は、当該ＧＭＬＣ１１２の情報について返信するといった処理が行われる。ＧＭＬＣ１１２は、メッセージ転送手段１１２３を用いて、前記測位要求された移動機が接続する地域無線網を管理するＳＧＳＮ／ＭＳＣ装置１０３に対し、プライバシに関するメッセージを送る。次に、ＳＧＳＮ／ＭＳＣ装置１０３は、前記測位要求された移動機に対して通知もしくは確認処理を行い、プライバシの確認結果をＧＭＬＣ１１２に送信する。ＧＭＬＣ１１２は、結果転送手段１１２４を用いてこのプライバシの確認結果をＧＭＬＣ１０２に送信し、ＧＭＬＣ１０２は、追加チェック手段１０２５を用いて追加のプライバシチェックを行い、問題がなければ、応答送出手段１０２６を用いて測位結果をクライアント１０１に送る。クライアント１０１では、送られてきた測位結果を受信手段１０１２を用いて受信する。
【００５８】
【第五の実施の形態の概要】
第五の実施の形態の主要な構成の概要を図２７を参照して説明する。第五の実施の形態においては、クライアント１１１は、過去の位置でも良いかを示す測位要求種別を指定した移動機の測位要求をＧＭＬＣ１１２に送信する送信手段１１１１と、ＧＭＬＣ１１２からの前記測位要求に対する応答を受信する受信手段１１１２とを備える。また、ＧＭＬＣ１１２は、クライアント１１１から移動機の測位要求を受信したときに、前記移動機のプライバシ設定情報を保持する他のＧＭＬＣ１０２を特定し、この特定したＧＭＬＣ１０２へ前記受信した前記移動機の測位要求を転送する要求転送手段１１２１と、ＧＭＬＣ１０２から前記転送した測位要求に対する応答を受信したときに、この応答をクライアント１１１へ送る応答転送手段１１２２と、ＧＭＬＣ１０２から前記移動機にかかるプライバシチェック要求メッセージを受信したときに、前記移動機が接続する地域無線網を管理するＳＧＳＮ／ＭＳＣ装置１１３に対し、プライバシ要求メッセージを送り、ＳＧＳＮ／ＭＳＣ装置１１３が前記移動機に対して通知もしくは確認処理を行ってプライバシの確認結果を送信してきたときに、この送信された確認結果をＧＭＬＣ１０２に送信する転送手段１１２５とを備える。
また、ＧＭＬＣ１０２は、前記移動機のプライバシ設定情報および過去の測位結果を保持する記憶手段１０２１と、前記移動機の測位要求が転送されてきたときに前記移動機の前記プライバシ設定情報を参照し、前記測位要求を確認する測位要求確認手段１０２２と、この確認の結果、前記測位要求が禁止されておらず、測位要求種別が過去の位置でも良いとき、前記移動機の過去の測位結果を記憶手段１０２１に保持しており且つ保持している測位結果が再利用できるかを確認する再利用性確認手段１０２３と、前記移動機の過去の測位結果を再利用可能であり、前記測位要求された前記移動機への通知もしくは確認が必要である場合に、前記移動機の移動先通信ネットワークのＧＭＬＣ１１２に対し、プライバシ要求メッセージを送る通知／確認手段１０２４と、ＧＭＬＣ１１２からプライバシの確認結果を受信した場合に、追加のプライバシチェックを行う追加チェック手段１０２６と、この追加のプライバシチェックの結果、過去の測位結果をクライアントに渡しても良い場合、前記過去の測位結果を前記測位要求を転送してきたＧＭＬＣ１１２へ送る応答送出手段１０２６とを備える。
【００５９】
次に第五の実施の形態の主要な動作の概要を図２７を参照して説明する。クライアント１１１が、送信手段１１１１を用いてＧＭＬＣ１１２に対し移動機の測位を要求すると、ＧＭＬＣ１１２は、要求転送手段１１２１を用いて測位要求された移動機のプライバシ設定情報を保持しているＧＭＬＣ１０２に対して、クライアント１１１からの測位要求を送る。なお、このとき、ＧＭＬＣ１１２は、前記測位要求された移動機の情報を管理しているＨＬＲ／ＨＳＳ装置に対し、前記測位要求された移動機のプライバシ設定情報を保持しているＧＭＬＣ１０２について問い合わせ、ＨＬＲ／ＨＳＳ装置は、前記測位要求された移動機の情報を保持しているＧＭＬＣ１０２の情報をＧＭＬＣ１１２に送るといった処理が行われる。次に、ＧＭＬＣ１０２は、測位要求確認手段１０２２を用いて前記測位要求された移動機のプライバシ設定情報を参照し、この測位要求を確認する。次に、この確認の結果、測位要求が禁止されておらず、測位要求種別が過去の位置でも構わないとき、ＧＭＬＣ１０２は、再利用性確認手段１０２３を用いて前記測位要求された移動機の測位結果を記憶手段１０２１保持しているか確認し、測位結果を保持している場合には、この測位結果が再利用できるかを確認する。次に、再利用可能であり、前記測位要求された移動機への通知が必要である場合、ＧＭＬＣ１０２は、通知／確認手段１０２４を用いて、前記測位要求された移動機が接続する移動通信ネットワークのＧＭＬＣ１１２に対し、プライバシに関するメッセージを送る。なお、このとき、ＧＭＬＣ１０２は、ＨＬＲ／ＨＳＳ装置に対し、前記測位要求された移動機が接続する地域無線網を管理するＳＧＳＮ／ＭＳＣ装置１１３について問い合わせ、前記ＨＬＲ／ＨＳＳ装置は、前記測位要求された移動機が接続する地域無線網を管理するＳＧＳＮ／ＭＳＣ装置１１３の情報、および、前記測位要求された移動機が接続する移動通信ネットワークのＧＭＬＣ１１２の情報を保持している場合は、当該ＧＭＬＣ１１２の情報について返信するといった処理が行われる。ＧＭＬＣ１１２は、転送手段１２２５を用いて、前記測位要求された移動機が接続する地域無線網を管理するＳＧＳＮ／ＭＳＣ装置１１３に対し、プライバシに関するメッセージを送る。次に、ＳＧＳＮ／ＭＳＣ装置１１３は、前記測位要求された移動機に対して通知もしくは確認処理を行い、プライバシの確認結果をＧＭＬＣ１１２に送信する。ＧＭＬＣ１１２は、転送手段１２２５を用いてこのプライバシの確認結果をＧＭＬＣ１０２に送信し、ＧＭＬＣ１０２は、追加チェック手段１０２５を用いて追加のプライバシチェックを行い、問題がなければ、応答送出手段１０２６を用いて、測位結果をＧＭＬＣ１１２に送る。ＧＭＬＣ１１２は、応答転送手段１１２２を用いて、測位結果をクライアント１１１に送る。クライアント１１１では、この測位結果を受信手段１１１２を用いて受信する。
【００６０】
【第六の実施の形態の概要】
第六の実施の形態として、先ず、移動機の測位結果をＰＰＲが保持する場合について、主要な構成の概要を図２８を参照して説明する。この実施の形態においては、クライアント１０１は、過去の位置でも良いかを示す測位要求種別を指定した移動機の測位要求をＧＭＬＣ１０２に送信する送信手段１０１１と、前記ＧＭＬＣ１０２からの前記測位要求に対する応答を受信する受信手段１０１２とを備える。また、ＧＭＬＣ１０２は、クライアント１０１から前記移動機の測位要求を受信したときに、前記移動機のプライバシ設定情報および過去の測位結果を保持するＰＰＲ１０７に対して測位処理許可要求を送る測位処理許可要求送出手段１０２７と、ＰＰＲ１０７が、前記移動機の前記プライバシ設定情報を参照して前記測位要求を確認し、前記確認の結果、前記測位要求が禁止されておらず、測位要求種別が過去の位置でも良いとき、前記移動機の過去の測位結果を保持しており且つ保持している測位結果が再利用できるかを確認し、プライバシチェックの結果と共に前記過去の測位結果を前記測位処理許可要求の応答として返してきたとき、前記移動機の過去の測位結果を再利用可能であり、前記測位要求された前記移動機への通知もしくは確認が必要である場合に、前記移動機が接続する地域無線網を管理するＳＧＳＮ／ＭＳＣ装置１０３に対し、プライバシ要求メッセージを送る通知／確認手段１０２４と、ＳＧＳＮ／ＭＳＣ装置１０３が前記移動機に対して通知もしくは確認処理を行ってプライバシの確認結果を送信してきた場合に、前記ＰＰＲ１０７に対して追加のプライバシチェックを要求する追加チェック要求手段１０２８と、ＰＰＲ１０７から返される前記追加のプライバシチェックの結果、過去の測位結果を前記クライアント１０１に渡しても良い場合、前記過去の測位結果を前記クライアント１０１へ送る応答送出手段１０２６とを備える。
【００６１】
次に、第六の実施の形態の主要な動作を、移動機の測位結果をＰＰＲが保持する場合について、図２８を参照して説明する。クライアント１０１が、ＧＭＬＣ１０２に対し移動機の測位を要求すると、ＧＭＬＣ１０２は、測位処理許可要求送出手段１０２７を用いて、前記測位要求された移動機のプライバシ設定情報を管理しているＰＰＲ１０７に対し、測位処理許可要求を送信する。この測位処理許可要求を受け取ったＰＰＲ１０７は、測位対象の移動機のプライバシ設定情報に基づいてプライバシチェックを行い、この確認の結果、測位要求が禁止されておらず、測位要求種別が過去の位置でも構わないとき、ＰＰＲ１０７は前記測位要求された移動機の測位結果を保持しているか確認し、測位結果を保持している場合には、この測位結果が再利用できるかを確認する。これらの確認の結果を受けたＧＭＬＣ１０２は、再利用可能であり、前記測位要求された移動機への通知が必要である場合、通知／確認手段１０２４を用いて、前記測位要求された移動機が接続する地域無線網を管理するＳＧＳＮ／ＭＳＣ装置１０３に対し、プライバシに関するメッセージを送る。なお、このとき、ＧＭＬＣ１０２は、ＨＬＲ／ＨＳＳ装置に対し、前記測位要求された移動機が接続する地域無線網を管理するＳＧＳＮ／ＭＳＣ装置１０３について問い合わせ、前記ＨＬＲ／ＨＳＳ装置は、前記測位要求された移動機が接続する地域無線網を管理するＳＧＳＮ／ＭＳＣ装置１０３について返信するといった処理が行われる。ＳＧＳＮ／ＭＳＣ装置１０３は、前記測位要求された移動機に対して通知もしくは確認処理を行い、プライバシの確認結果をＧＭＬＣ１０２に送信する。ＧＭＬＣ１０２は、前記プライバシの確認結果が、前記測位対象の移動機の位置情報をクライアント１０１に渡してもよいという結果である場合は、追加チェック要求手段１０２８を用いて、ＰＰＲ１０７に対して測位処理許可要求を送信して追加のプライバシチェックを要求する。この測位処理要求を受け取ったＰＰＲ１０７は、測位対象の移動機のプライバシ設定情報に基づいて追加のプライバシチェックを行い、その結果をＧＭＬＣ１０２に送信する。ＧＭＬＣ１０２は、追加のプライバシチェックの結果、問題がなければ、応答送出手段１０２６を用いて測位結果をクライアント１０１に送る。クライアント１０１では、この測位結果を受信手段１０１２を用いて受信する。
【００６２】
次に移動機の測位結果をＧＭＬＣが保持する場合の第六の実施の形態の主要な構成の概要を図２９を参照して説明する。この実施の形態においては、クライアント１０１は、過去の位置でも良いかを示す測位要求種別を指定した移動機の測位要求をＧＭＬＣ１０２に送信する送信手段１０１１と、前記ＧＭＬＣ１０２からの前記測位要求に対する応答を受信する受信手段１０１２とを備える。また、ＧＭＬＣ１０２は、移動機の過去の測位結果を保持する記憶手段１０２１と、前記クライアント１０１から前記移動機の測位要求を受信したときに、前記移動機のプライバシ設定情報を保持するＰＰＲ１０７に対して測位処理許可要求を送る測位処理許可要求送出手段１０２７と、前記ＰＰＲ１０７が、前記移動機の前記プライバシ設定情報を参照して前記測位要求を確認し、この確認の結果を返してきたときに、前記測位要求が禁止されておらず、測位要求種別が過去の位置でも良い場合、前記移動機の過去の測位結果を記憶手段１０２１に保持しており且つ保持している測位結果が再利用できるかを確認する再利用性確認手段１０２３と、前記移動機の過去の測位結果を再利用可能であり、前記測位要求された前記移動機への通知もしくは確認が必要である場合に、前記移動機が接続する地域無線網を管理するＳＧＳＮ／ＭＳＣ装置１０３に対し、プライバシ要求メッセージを送る通知／確認手段１０２４と、前記ＳＧＳＮ／ＭＳＣ装置１０３が前記移動機に対して通知もしくは確認処理を行ってプライバシの確認結果を送信してきた場合に、前記ＰＰＲ１０７に対して追加のプライバシチェックを要求する追加チェック要求手段１０２８と、前記ＰＰＲ１０７から返される前記追加のプライバシチェックの結果、過去の測位結果をクライアント１０１に渡しても良い場合、前記過去の測位結果をクライアント１０１へ送る応答送出手段１０２６とを備える。
【００６３】
次に、第六の実施の形態の主要な動作を、移動機の測位結果をＧＭＬＣが保持する場合について、図２９を参照して説明する。クライアント１０１が、ＧＭＬＣ１０２に対し移動機の測位を要求すると、ＧＭＬＣ１０２は、測位処理許可要求送出手段１０２７を用いて、前記測位要求された移動機のプライバシ設定情報を管理しているＰＰＲ１０７に対し、測位処理許可要求を送信する。この測位処理要求を受け取ったＰＰＲ１０７は、測位対象の移動機のプライバシ設定情報に基づいてプライバシチェックを行い、このチェックの結果をＧＭＬＣ１０２に応答する。この応答を受けたＧＭＬＣ１０２は、測位要求が禁止されておらず、測位要求種別が過去の位置でも構わないとき、前記測位要求された移動機の測位結果を記憶手段１０２１に保持しているか確認し、測位結果を保持している場合には、この測位結果が再利用できるかを確認する。次に、ＧＭＬＣ１０２は、再利用可能であり、前記測位要求された移動機への通知が必要である場合、前記測位要求された移動機が接続する地域無線網を管理するＳＧＳＮ／ＭＳＣ装置１０３に対し、プライバシに関するメッセージを送る。なお、このときＧＭＬＣ１０２は、ＨＬＲ／ＨＳＳ装置に対し、前記測位要求された移動機が接続する地域無線網を管理するＳＧＳＮ／ＭＳＣ装置１０３について問い合わせ、前記ＨＬＲ／ＨＳＳ装置は、前記測位要求された移動機が接続する地域無線網を管理するＳＧＳＮ／ＭＳＣ装置１０３について返信するといった処理が行われる。前記ＳＧＳＮ／ＭＳＣ装置１０３は、前記測位要求された移動機に対して通知もしくは確認処理を行い、プライバシの確認結果をＧＭＬＣ１０２に送信する。ＧＭＬＣ１０２は、前記プライバシの確認結果が、前記測位対象の移動機の位置情報をクライアント１０１に渡してもよいという結果である場合は、追加チェック要求手段１０２８を用いて、ＰＰＲ１０７に対して測位処理許可要求を送信して追加のプライバシチェックを要求する。この測位処理要求を受け取ったＰＰＲ１０７は、測位対象の移動機のプライバシ設定情報に基づいて追加のプライバシチェックを行い、その結果をＧＭＬＣ１０２に送信する。ＧＭＬＣ１０２は、追加のプライバシチェックの結果、問題がなければ、応答送出手段１０２６を用いて測位結果をクライアント１０１に送る。クライアント１０１では、この測位結果を受信手段１０１２を用いて受信する。
【００６４】
【第七の実施の形態の概要】
第七の実施の形態として、先ず、移動機の測位結果をＰＰＲが保持する場合について、主要な構成の概要を図３０を参照して説明する。この実施の形態においては、クライアント１１１は、過去の位置でも良いかを示す測位要求種別を指定した移動機の測位要求をＧＭＬＣ１１２に送信する送信手段１１１１と、ＧＭＬＣ１１２からの前記測位要求に対する応答を受信する受信手段１１１２とを備える。また、ＧＭＬＣ１１２は、クライアント１１１から移動機の測位要求を受信したときに、前記移動機のプライバシ設定情報を保持する他のＧＭＬＣ１０２を特定し、この特定したＧＭＬＣ１０２へ前記受信した前記移動機の測位要求を転送する要求転送手段１１２１と、ＧＭＬＣ１０２から前記転送した測位要求に対する応答を受信したときに、この応答をクライアント１１１へ送る応答転送手段１１２２とを備える。更に、ＧＭＬＣ１０２は、ＧＭＬＣ１１２から移動機の測位要求が転送されてきたときに、前記移動機のプライバシ設定情報および過去の測位結果を保持するＰＰＲ１０７に対して測位処理許可要求を送る測位処理許可要求送出手段１０２７と、ＰＰＲ１０７が、前記移動機の前記プライバシ設定情報を参照して前記測位要求を確認し、この確認の結果、前記測位要求が禁止されておらず、測位要求種別が過去の位置でも良いとき、前記移動機の過去の測位結果を保持しており且つ保持している測位結果が再利用できるかを確認し、プライバシチェックの結果と共に前記過去の測位結果を前記測位処理許可要求の応答として返してきたとき、前記移動機の過去の測位結果を再利用可能であり、前記測位要求された前記移動機への通知もしくは確認が必要である場合に、前記移動機が接続する地域無線網を管理するＳＧＳＮ／ＭＳＣ装置１０３に対し、プライバシ要求メッセージを送る通知／確認手段１０２４と、ＳＧＳＮ／ＭＳＣ装置１０３が前記移動機に対して通知もしくは確認処理を行ってプライバシの確認結果を送信してきた場合に、ＰＰＲ１０３に対して追加のプライバシチェックを要求する追加チェック要求手段１０２８と、ＰＰＲ１０７から返される前記追加のプライバシチェックの結果、過去の測位結果をクライアント１１１に渡しても良い場合、前記過去の測位結果を前記測位要求を転送してきたＧＭＬＣ１１２へ送る応答送出手段１０２６とを備える。
【００６５】
次に、第七の実施の形態の主要な動作を、移動機の測位結果をＰＰＲが保持する場合について、図３０を参照して説明する。クライアント１１１が、ＧＭＬＣ１１２に対し移動機の測位を要求すると、ＧＭＬＣ１１２は、要求転送手段１１２１を用いて、前記測位要求された移動機のプライバシ設定情報を保持しているＧＭＬＣ１０２に対して、クライアント１１１からの測位要求を転送する。なお、このときＧＭＬＣ１１２は、前記測位要求された移動機の情報を管理しているＨＬＲ／ＨＳＳ装置に対し、前記測位要求された移動機のプライバシ設定情報を保持しているＧＭＬＣ１０２について問い合わせ、前記ＨＬＲ／ＨＳＳ装置は、前記測位要求された移動機の情報を保持しているＧＭＬＣ１０２の情報をＧＭＬＣ１１２に送るといった処理が行われる。ＧＭＬＣ１０２は、測位処理許可要求送出手段１０２７を用いて、前記測位要求された移動機のプライバシ設定情報を管理しているＰＰＲ１０７に対し、測位処理許可要求を送信する。この測位処理許可要求を受け取ったＰＰＲ１０７は、測位対象の移動機のプライバシ設定情報に基づいてプライバシチェックを行い、この確認の結果、測位要求が禁止されておらず、測位要求種別が過去の位置でも構わないとき、ＰＰＲ１０７は前記測位要求された移動機の測位結果を保持しているか確認し、測位結果を保持している場合には、この測位結果が再利用できるかを確認する。
これらの確認の結果を受けたＧＭＬＣ１０２は、再利用可能であり、前記測位要求された移動機への通知が必要である場合、通知／確認手段１０２４を用いて、前記測位要求された移動機が接続する地域無線網を管理するＳＧＳＮ／ＭＳＣ装置１０３に対し、プライバシに関するメッセージを送る。なお、このとき、ＧＭＬＣ１０２は、ＨＬＲ／ＨＳＳ装置に対し、前記測位要求された移動機が接続する地域無線網を管理するＳＧＳＮ／ＭＳＣ装置１０３について問い合わせ、前記ＨＬＲ／ＨＳＳ装置は、前記測位要求された移動機が接続する地域無線網を管理するＳＧＳＮ／ＭＳＣ装置１０３について返信するといった処理が行われる。ＳＧＳＮ／ＭＳＣ装置１０３は、前記測位要求された移動機に対して通知もしくは確認処理を行い、プライバシの確認結果をＧＭＬＣ１０２に送信する。ＧＭＬＣ１０２は、前記プライバシの確認結果が、前記測位対象の移動機の位置情報をクライアント１１１に渡してもよいという結果である場合は、追加チェック要求手段１０２８を用いて、ＰＰＲ１０７に対して測位処理許可要求を送信して追加のプライバシチェックを要求する。この測位処理要求を受け取ったＰＰＲ１０７は、測位対象の移動機のプライバシ設定情報に基づいて追加のプライバシチェックを行い、その結果をＧＭＬＣ１０２に送信する。ＧＭＬＣ１０２は、追加のプライバシチェックの結果、問題がなければ、応答送出手段１０２６を用いて測位結果を、測位要求を転送してきたＧＭＬＣ１１２へ送出する。ＧＭＬＣ１１２は、応答転送手段１１２２を用いて、測位要求をクライアント１１１に送る。クライアント１１１では、この測位結果を受信手段１１１２を用いて受信する。
【００６６】
次に移動機の測位結果をＧＭＬＣが保持する場合の第七の実施の形態の主要な構成の概要を図３１を参照して説明する。この実施の形態においては、クライアント１１１は、過去の位置でも良いかを示す測位要求種別を指定した移動機の測位要求をＧＭＬＣ１１２に送信する送信手段１１１１と、ＧＭＬＣ１１２からの前記測位要求に対する応答を受信する受信手段１１１２とを備える。また、ＧＭＬＣ１１２は、クライアント１１１から移動機の測位要求を受信したときに、前記移動機のプライバシ設定情報を保持する他のＧＭＬＣ１０２を特定し、この特定したＧＭＬＣ１０２へ前記受信した前記移動機の測位要求を転送する要求転送手段１１２１と、ＧＭＬＣ１０２から前記転送した測位要求に対する応答を受信したときに、この応答をクライアント１１１へ送る応答転送手段１１２２とを備える。更に、ＧＭＬＣ１０２は、移動機の過去の測位結果を保持する記憶手段１０２１と、前記クライアント１０１から前記移動機の測位要求を受信したときに、前記移動機のプライバシ設定情報を保持するＰＰＲ１０７に対して測位処理許可要求を送る測位処理許可要求送出手段１０２７と、前記ＰＰＲ１０７が、前記移動機の前記プライバシ設定情報を参照して前記測位要求を確認し、この確認の結果を返してきたときに、前記測位要求が禁止されておらず、測位要求種別が過去の位置でも良い場合、前記移動機の過去の測位結果を記憶手段１０２１に保持しており且つ保持している測位結果が再利用できるかを確認する再利用性確認手段１０２３と、前記移動機の過去の測位結果を再利用可能であり、前記測位要求された前記移動機への通知もしくは確認が必要である場合に、前記移動機が接続する地域無線網を管理するＳＧＳＮ／ＭＳＣ装置１０３に対し、プライバシ要求メッセージを送る通知／確認手段１０２４と、前記ＳＧＳＮ／ＭＳＣ装置１０３が前記移動機に対して通知もしくは確認処理を行ってプライバシの確認結果を送信してきた場合に、前記ＰＰＲ１０７に対して追加のプライバシチェックを要求する追加チェック要求手段１０２８と、前記ＰＰＲ１０７から返される前記追加のプライバシチェックの結果、過去の測位結果をクライアント１１１に渡しても良い場合、前記過去の測位結果をＧＭＬＣ１１２へ送る応答送出手段１０２６とを備える。
【００６７】
次に、第七の実施の形態の主要な動作を、移動機の測位結果をＧＭＬＣが保持する場合について、図３１を参照して説明する。クライアント１１１が、ＧＭＬＣ１１２に対し移動機の測位を要求すると、ＧＭＬＣ１１２は、要求転送手段１１２１を用いて、前記測位要求された移動機のプライバシ設定情報を保持しているＧＭＬＣ１０２に対して、クライアント１１１からの測位要求を転送する。なお、このときＧＭＬＣ１１２は、前記測位要求された移動機の情報を管理しているＨＬＲ／ＨＳＳ装置に対し、前記測位要求された移動機のプライバシ設定情報を保持しているＧＭＬＣ１０２について問い合わせ、前記ＨＬＲ／ＨＳＳ装置は、前記測位要求された移動機の情報を保持しているＧＭＬＣ１０２の情報をＧＭＬＣ１１２に送るといった処理が行われる。ＧＭＬＣ１０２は、測位処理許可要求送出手段１０２７を用いて、前記測位要求された移動機のプライバシ設定情報を管理しているＰＰＲ１０７に対し、測位処理許可要求を送信する。この測位処理要求を受け取ったＰＰＲ１０７は、測位対象の移動機のプライバシ設定情報に基づいてプライバシチェックを行い、このチェックの結果をＧＭＬＣ１０２に応答する。この応答を受けたＧＭＬＣ１０２は、測位要求が禁止されておらず、測位要求種別が過去の位置でも構わないとき、前記測位要求された移動機の測位結果を記憶手段１０２１に保持しているか確認し、測位結果を保持している場合には、この測位結果が再利用できるかを確認する。次に、ＧＭＬＣ１０２は、再利用可能であり、前記測位要求された移動機への通知が必要である場合、前記測位要求された移動機が接続する地域無線網を管理するＳＧＳＮ／ＭＳＣ装置１０３に対し、プライバシに関するメッセージを送る。なお、このときＧＭＬＣ１０２は、ＨＬＲ／ＨＳＳ装置に対し、前記測位要求された移動機が接続する地域無線網を管理するＳＧＳＮ／ＭＳＣ装置１０３について問い合わせ、前記ＨＬＲ／ＨＳＳ装置は、前記測位要求された移動機が接続する地域無線網を管理するＳＧＳＮ／ＭＳＣ装置１０３について返信するといった処理が行われる。前記ＳＧＳＮ／ＭＳＣ装置１０３は、前記測位要求された移動機に対して通知もしくは確認処理を行い、プライバシの確認結果をＧＭＬＣ１０２に送信する。ＧＭＬＣ１０２は、前記プライバシの確認結果が、前記測位対象の移動機の位置情報をクライアント１１１に渡してもよいという結果である場合は、追加チェック要求手段１０２８を用いて、ＰＰＲ１０７に対して測位処理許可要求を送信して追加のプライバシチェックを要求する。この測位処理要求を受け取ったＰＰＲ１０７は、測位対象の移動機のプライバシ設定情報に基づいて追加のプライバシチェックを行い、その結果をＧＭＬＣ１０２に送信する。ＧＭＬＣ１０２は、追加のプライバシチェックの結果、問題がなければ、応答送出手段１０２６を用いて測位結果を、測位要求を転送してきたＧＭＬＣ１１２へ送出する。ＧＭＬＣ１１２は、応答転送手段１１２２を用いて、測位要求をクライアント１１１に送る。クライアント１１１では、この測位結果を受信手段１１１２を用いて受信する。
【００６８】
【第八の実施の形態の概要】
第八の実施の形態として、先ず、移動機の測位結果をＰＰＲが保持する場合について、主要な構成の概要を図３２を参照して説明する。この実施の形態においては、クライアント１１１は、過去の位置でも良いかを示す測位要求種別を指定した移動機の測位要求をＧＭＬＣ１０２に送信する送信手段１１１１と、ＧＭＬＣ１１２からの前記測位要求に対する応答を受信する受信手段１１１２とを備える。また、ＧＭＬＣ１１２は、クライアント１１１から移動機の測位要求を受信したときに、前記移動機のプライバシ設定情報を保持する他のＧＭＬＣ１０２を特定し、この特定したＧＭＬＣ１０２へ前記受信した前記移動機の測位要求を転送する要求転送手段１１２１と、ＧＭＬＣ１０２から前記転送した測位要求に対する応答を受信したときに、この応答をクライアント１１１へ送る応答転送手段１１２２とを備える。更に、ＧＭＬＣ１０２は、前記移動機の測位要求が転送されてきたときに、前記移動機のプライバシ設定情報および過去の測位結果を保持するＰＰＲ１０７に対して測位処理許可要求を送る測位処理許可要求送出手段１０２７と、前記ＰＰＲ１０７が、前記移動機の前記プライバシ設定情報を参照して前記測位要求を確認し、この確認の結果、前記測位要求が禁止されておらず、測位要求種別が過去の位置でも良いとき、前記移動機の過去の測位結果を保持しており且つ保持している測位結果が再利用できるかを確認し、プライバシチェックの結果と共に前記過去の測位結果を前記測位処理許可要求の応答として返してきたとき、前記移動機の過去の測位結果を再利用可能であり、前記測位要求された前記移動機への通知もしくは確認が必要である場合に、前記移動機の移動先通信ネットワークのＧＭＬＣ１２２に対し、プライバシチェック要求メッセージを送る通知／確認手段１０２４と、ＧＭＬＣ１２２が、前記移動機が接続する地域無線網を管理するＳＧＳＮ／ＭＳＣ装置１２３に対し、プライバシ要求メッセージを送り、ＳＧＳＮ／ＭＳＣ装置１２３が前記移動機に対して通知もしくは確認処理を行ってプライバシの確認結果を送信し、この送信された確認結果をＧＭＬＣ１２２が送信してきた場合に、追加のプライバシチェックをＰＰＲ１０７に対して要求する追加チェック要求手段１０２８と、前記追加のプライバシチェックの結果、過去の測位結果をクライアント１１１に渡しても良い場合、前記過去の測位結果を前記測位要求を転送してきたＧＭＬＣ１１２へ送る応答送出手段１０２６とを備える。また、ＧＭＬＣ１２２は、移動機のプライバシ設定情報を保持するＧＭＬＣ１０２から移動機にかかるプライバシチェック要求メッセージを受信したときに、前記移動機が接続する地域無線網を管理するＳＧＳＮ／ＭＳＣ装置１２３に対し、プライバシ要求メッセージを送るメッセージ転送手段１２２１と、ＳＧＳＮ／ＭＳＣ装置１２３が前記移動機に対して通知もしくは確認処理を行ってプライバシの確認結果を送信してきたときに、この送信された確認結果をＧＭＬＣ１０２に送信する結果転送手段１２２２とを備える。
【００６９】
次に、第八の実施の形態の主要な動作を、移動機の測位結果をＰＰＲが保持する場合について、図３２を参照して説明する。クライアント１１１が、ＧＭＬＣ１１２に対し移動機の測位を要求すると、ＧＭＬＣ１１２は、要求転送手段１１２１を用いて、前記測位要求された移動機のプライバシ設定情報を保持しているＧＭＬＣ１０２に対して、クライアント１１１からの測位要求を転送する。なお、このときＧＭＬＣ１１２は、前記測位要求された移動機の情報を管理しているＨＬＲ／ＨＳＳ装置に対し、前記測位要求された移動機のプライバシ設定情報を保持しているＧＭＬＣ１０２について問い合わせ、前記ＨＬＲ／ＨＳＳ装置は、前記測位要求された移動機の情報を保持しているＧＭＬＣ１０２の情報をＧＭＬＣ１１２に送るといった処理が行われる。ＧＭＬＣ１０２は、測位処理許可要求送出手段１０２７を用いて、前記測位要求された移動機のプライバシ設定情報を管理しているＰＰＲ１０７に対し、測位処理許可要求を送信する。この測位処理許可要求を受け取ったＰＰＲ１０７は、測位対象の移動機のプライバシ設定情報に基づいてプライバシチェックを行い、この確認の結果、測位要求が禁止されておらず、測位要求種別が過去の位置でも構わないとき、ＰＰＲ１０７は前記測位要求された移動機の測位結果を保持しているか確認し、測位結果を保持している場合には、この測位結果が再利用できるかを確認する。これらの確認の結果を受けたＧＭＬＣ１０２は、再利用可能であり、前記測位要求された移動機への通知が必要である場合、通知／確認手段１０２４を用いて、前記測位要求された移動機が接続する移動通信ネットワークのＧＭＬＣ１２２に対し、プライバシに関するメッセージを送る。なお、このときＧＭＬＣ１０２は、ＨＬＲ／ＨＳＳ装置に対し、測位要求された移動機が接続する地域無線網を管理するＳＧＳＮ／ＭＳＣ装置１２３について問い合わせ、前記ＨＬＲ／ＨＳＳ装置は、前記測位要求された移動機が接続する地域無線網を管理するＳＧＳＮ／ＭＳＣ装置１２３の情報、および、前記測位要求された移動機が接続する移動通信ネットワークのＧＭＬＣ１２２の情報を保持している場合は、当該ＧＭＬＣ１２２の情報について返信するといった処理が行われる。
ＧＭＬＣ１２２は、メッセージ転送手段１２２１を用いて、前記測位要求された移動機が接続する地域無線網を管理するＳＧＳＮ／ＭＳＣ装置１２３に対し、プライバシに関するメッセージを送る。ＳＧＳＮ／ＭＳＣ装置１２３は、前記測位要求された移動機に対して通知もしくは確認処理を行い、プライバシの確認結果をＧＭＬＣ１２２に送信する。ＧＭＬＣ１２２は、結果転送手段１２２２を用いて、このプライバシの確認結果をＧＭＬＣ１０２に送信する。ＧＭＬＣ１０２は、前記プライバシの確認結果が、前記測位対象の移動機の位置情報をクライアント１１１に渡してもよいという結果である場合は、追加チェック要求手段１０２８を用いて、ＰＰＲ１０７に対して測位処理許可要求を送信して追加のプライバシチェックを要求する。この測位処理要求を受け取ったＰＰＲ１０７は、測位対象の移動機のプライバシ設定情報に基づいて追加のプライバシチェックを行い、その結果をＧＭＬＣ１０２に送信する。ＧＭＬＣ１０２は、追加のプライバシチェックの結果、問題がなければ、応答送出手段１０２６を用いて測位結果を、測位要求を転送してきたＧＭＬＣ１１２へ送出する。ＧＭＬＣ１１２は、応答転送手段１１２２を用いて、測位結果をクライアント１１１に送る。クライアント１１１では、この測位結果を受信手段１１１２を用いて受信する。
【００７０】
次に移動機の測位結果をＧＭＬＣが保持する場合の第八の実施の形態の主要な構成の概要を図３３を参照して説明する。この実施の形態においては、クライアント１１１は、過去の位置でも良いかを示す測位要求種別を指定した移動機の測位要求をＧＭＬＣ１０２に送信する送信手段１１１１と、ＧＭＬＣ１１２からの前記測位要求に対する応答を受信する受信手段１１１２とを備える。また、ＧＭＬＣ１１２は、クライアント１１１から移動機の測位要求を受信したときに、前記移動機のプライバシ設定情報を保持する他のＧＭＬＣ１０２を特定し、この特定したＧＭＬＣ１０２へ前記受信した前記移動機の測位要求を転送する要求転送手段１１２１と、ＧＭＬＣ１０２から前記転送した測位要求に対する応答を受信したときに、この応答をクライアント１１１へ送る応答転送手段１１２２とを備える。更に、ＧＭＬＣ１０２は、移動機の過去の測位結果を保持する記憶手段１０２１と、ＧＭＬＣ１１２から前記移動機の測位要求を受信したときに、前記移動機のプライバシ設定情報を保持するＰＰＲ１０７に対して測位処理許可要求を送る測位処理許可要求送出手段１０２７と、前記ＰＰＲ１０７が、前記移動機の前記プライバシ設定情報を参照して前記測位要求を確認し、この確認の結果を返してきたときに、前記測位要求が禁止されておらず、測位要求種別が過去の位置でも良い場合、前記移動機の過去の測位結果を記憶手段１０２１に保持しており且つ保持している測位結果が再利用できるかを確認する再利用性確認手段１０２３と、前記移動機の過去の測位結果を再利用可能であり、前記測位要求された前記移動機への通知もしくは確認が必要である場合に、前記移動機の移動先通信ネットワークのＧＭＬＣ１２２に対し、プライバシチェック要求メッセージを送る通知／確認手段１０２４と、ＧＭＬＣ１２２が、前記移動機が接続する地域無線網を管理するＳＧＳＮ／ＭＳＣ装置１２３に対し、プライバシ要求メッセージを送り、ＳＧＳＮ／ＭＳＣ装置１２３が前記移動機に対して通知もしくは確認処理を行ってプライバシの確認結果を送信し、この送信された確認結果をＧＭＬＣ１２２が送信してきた場合に、追加のプライバシチェックをＰＰＲ１０７に対して要求する追加チェック要求手段１０２８と、前記追加のプライバシチェックの結果、過去の測位結果をクライアント１１１に渡しても良い場合、前記過去の測位結果を前記測位要求を転送してきたＧＭＬＣ１１２へ送る応答送出手段１０２６とを備える。また、ＧＭＬＣ１２２は、移動機のプライバシ設定情報を保持するＧＭＬＣ１０２から移動機にかかるプライバシチェック要求メッセージを受信したときに、前記移動機が接続する地域無線網を管理するＳＧＳＮ／ＭＳＣ装置１２３に対し、プライバシ要求メッセージを送るメッセージ転送手段１２２１と、ＳＧＳＮ／ＭＳＣ装置１２３が前記移動機に対して通知もしくは確認処理を行ってプライバシの確認結果を送信してきたときに、この送信された確認結果をＧＭＬＣ１０２に送信する結果転送手段１２２２とを備える。
【００７１】
次に、第八の実施の形態の主要な動作を、移動機の測位結果をＧＭＬＣが保持する場合について、図３３を参照して説明する。クライアント１１１が、ＧＭＬＣ１１２に対し移動機の測位を要求すると、ＧＭＬＣ１１２は、要求転送手段１１２１を用いて、前記測位要求された移動機のプライバシ設定情報を保持しているＧＭＬＣ１０２に対して、クライアント１１１からの測位要求を転送する。なお、このときＧＭＬＣ１１２は、前記測位要求された移動機の情報を管理しているＨＬＲ／ＨＳＳ装置に対し、前記測位要求された移動機のプライバシ設定情報を保持しているＧＭＬＣ１０２について問い合わせ、前記ＨＬＲ／ＨＳＳ装置は、前記測位要求された移動機の情報を保持しているＧＭＬＣ１０２の情報をＧＭＬＣ１１２に送るといった処理が行われる。ＧＭＬＣ１０２は、測位処理許可要求送出手段１０２７を用いて、前記測位要求された移動機のプライバシ設定情報を管理しているＰＰＲ１０７に対し、測位処理許可要求を送信する。この測位処理許可要求を受け取ったＰＰＲ１０７は、測位対象の移動機のプライバシ設定情報に基づいてプライバシチェックを行い、このチェックの結果をＧＭＬＣ１０２に応答する。この応答を受けたＧＭＬＣ１０２は、測位要求が禁止されておらず、測位要求種別が過去の位置でも構わないとき、前記測位要求された移動機の測位結果を記憶手段１０２１に保持しているか確認し、測位結果を保持している場合には、この測位結果が再利用できるかを確認する。次に、ＧＭＬＣ１０２は、再利用可能であり、前記測位要求された移動機への通知が必要である場合、通知／確認手段１０２４を用いて、前記測位要求された移動機が接続する移動通信ネットワークのＧＭＬＣ１２２に対し、プライバシに関するメッセージを送る。なお、このときＧＭＬＣ１０２は、ＨＬＲ／ＨＳＳ装置に対し、測位要求された移動機が接続する地域無線網を管理するＳＧＳＮ／ＭＳＣ装置１２３について問い合わせ、前記ＨＬＲ／ＨＳＳ装置は、前記測位要求された移動機が接続する地域無線網を管理するＳＧＳＮ／ＭＳＣ装置１２３の情報、および、前記測位要求された移動機が接続する移動通信ネットワークのＧＭＬＣ１２２の情報を保持している場合は、当該ＧＭＬＣ１２２の情報について返信するといった処理が行われる。ＧＭＬＣ１２２は、メッセージ転送手段１２２１を用いて、前記測位要求された移動機が接続する地域無線網を管理するＳＧＳＮ／ＭＳＣ装置１２３に対し、プライバシに関するメッセージを送る。ＳＧＳＮ／ＭＳＣ装置１２３は、前記測位要求された移動機に対して通知もしくは確認処理を行い、プライバシの確認結果をＧＭＬＣ１２２に送信する。ＧＭＬＣ１２２は、結果転送手段１２２２を用いて、このプライバシの確認結果をＧＭＬＣ１０２に送信する。ＧＭＬＣ１０２は、前記プライバシの確認結果が、前記測位対象の移動機の位置情報をクライアント１１１に渡してもよいという結果である場合は、追加チェック要求手段１０２８を用いて、ＰＰＲ１０７に対して測位処理許可要求を送信して追加のプライバシチェックを要求する。この測位処理要求を受け取ったＰＰＲ１０７は、測位対象の移動機のプライバシ設定情報に基づいて追加のプライバシチェックを行い、その結果をＧＭＬＣ１０２に送信する。ＧＭＬＣ１０２は、追加のプライバシチェックの結果、問題がなければ、応答送出手段１０２６を用いて測位結果を、測位要求を転送してきたＧＭＬＣ１１２へ送出する。ＧＭＬＣ１１２は、応答転送手段１１２２を用いて、測位結果をクライアント１１１に送る。クライアント１１１では、この測位結果を受信手段１１１２を用いて受信する。
【００７２】
【第九の実施の形態の概要】
第九の実施の形態として、先ず、移動機の測位結果をＰＰＲが保持する場合について、主要な構成の概要を図３４を参照して説明する。この実施の形態においては、クライアント１０１は、過去の位置でも良いかを示す測位要求種別を指定した移動機の測位要求をＧＭＬＣ１０２に送信する送信手段１０１１と、ＧＭＬＣ１０２からの前記測位要求に対する応答を受信する受信手段１０１２とを備える。また、ＧＭＬＣ１０２は、クライアント１０１から前記移動機の測位要求を受信したときに、前記移動機のプライバシ設定情報および過去の測位結果を保持するＰＰＲ１０７に対して測位処理許可要求を送る測位処理許可要求送出手段１０２７と、ＰＰＲ１０７が、前記移動機の前記プライバシ設定情報を参照して前記測位要求を確認し、この確認の結果、前記測位要求が禁止されておらず、測位要求種別が過去の位置でも良いとき、前記移動機の過去の測位結果を保持しており且つ保持している測位結果が再利用できるかを確認してプライバシチェックの結果と共に前記過去の測位結果を前記測位処理許可要求の応答として返してきたとき、前記移動機の過去の測位結果を再利用可能であり、前記測位要求された前記移動機への通知もしくは確認が必要である場合に、前記移動機の移動先通信ネットワークのＧＭＬＣ１１２に対し、プライバシチェック要求メッセージを送る通知／確認手段１０２４と、ＧＭＬＣ１１２が、前記移動機が接続する地域無線網を管理するＳＧＳＮ／ＭＳＣ装置１１３に対し、プライバシ要求メッセージを送り、ＳＧＳＮ／ＭＳＣ装置１１３が前記移動機に対して通知もしくは確認処理を行ってプライバシの確認結果を送信し、この送信された確認結果をＧＭＬＣ１１２が送信してきた場合に、追加のプライバシチェックをＰＰＲ１０７に要求する追加チェック要求手段１０２８と、この追加のプライバシチェックの結果、過去の測位結果をクライアント１０１に渡しても良い場合、前記過去の測位結果をクライアント１０１へ送る応答送出手段１０２６とを備える。更に、ＧＭＬＣ１１２は、移動機のプライバシ設定情報を保持するＧＭＬＣ１０２から移動機にかかるプライバシチェック要求メッセージを受信したときに、前記移動機が接続する地域無線網を管理するＳＧＳＮ／ＭＳＣ装置１１３に対し、プライバシ要求メッセージを送るメッセージ転送手段１２２１と、ＳＧＳＮ／ＭＳＣ装置１２３が前記移動機に対して通知もしくは確認処理を行ってプライバシの確認結果を送信してきたときに、この送信された確認結果をＧＭＬＣ１０２に送信する結果転送手段１２２２とを備える。
【００７３】
次に、第九の実施の形態の主要な動作を、移動機の測位結果をＰＰＲが保持する場合について、図３４を参照して説明する。クライアント１０１が、ＧＭＬＣ１０２に対し移動機の測位を要求すると、ＧＭＬＣ１０２は、測位処理許可要求送出手段１０２７を用いて、前記測位要求された移動機のプライバシ設定情報を管理しているＰＰＲ１０７に対し、測位処理許可要求を送信する。この測位処理許可要求を受け取ったＰＰＲ１０７は、測位対象の移動機のプライバシ設定情報に基づいてプライバシチェックを行い、この確認の結果、測位要求が禁止されておらず、測位要求種別が過去の位置でも構わないとき、ＰＰＲ１０７は前記測位要求された移動機の測位結果を保持しているか確認し、測位結果を保持している場合には、この測位結果が再利用できるかを確認する。これらの確認の結果を受けたＧＭＬＣ１０２は、再利用可能であり、前記測位要求された移動機への通知が必要である場合、通知／確認手段１０２４を用いて、前記測位要求された移動機が接続する移動通信ネットワークのＧＭＬＣ１１２に対し、プライバシに関するメッセージを送る。なお、このときＧＭＬＣ１０２は、ＨＬＲ／ＨＳＳ装置に対し、測位要求された移動機が接続する地域無線網を管理するＳＧＳＮ／ＭＳＣ装置１１３について問い合わせ、前記ＨＬＲ／ＨＳＳ装置は、前記測位要求された移動機が接続する地域無線網を管理するＳＧＳＮ／ＭＳＣ装置１１３の情報、および、前記測位要求された移動機が接続する移動通信ネットワークのＧＭＬＣ１１２の情報を保持している場合は、当該ＧＭＬＣ１１２の情報について返信するといった処理が行われる。ＧＭＬＣ１１２は、メッセージ転送手段１１２５を用いて、前記測位要求された移動機が接続する地域無線網を管理するＳＧＳＮ／ＭＳＣ装置１１３に対し、プライバシに関するメッセージを送る。ＳＧＳＮ／ＭＳＣ装置１１３は、前記測位要求された移動機に対して通知もしくは確認処理を行い、プライバシの確認結果をＧＭＬＣ１１２に送信する。ＧＭＬＣ１１２は、結果転送手段１１２４を用いて、このプライバシの確認結果をＧＭＬＣ１０２に送信する。ＧＭＬＣ１０２は、前記プライバシの確認結果が、前記測位対象の移動機の位置情報をクライアント１０１に渡してもよいという結果である場合は、追加チェック要求手段１０２８を用いて、ＰＰＲ１０７に対して測位処理許可要求を送信して追加のプライバシチェックを要求する。この測位処理要求を受け取ったＰＰＲ１０７は、測位対象の移動機のプライバシ設定情報に基づいて追加のプライバシチェックを行い、その結果をＧＭＬＣ１０２に送信する。ＧＭＬＣ１０２は、追加のプライバシチェックの結果、問題がなければ、応答送出手段１０２６を用いて測位結果をクライアント１０１に送る。クライアント１０１では、この測位結果を受信手段１０１２を用いて受信する。
【００７４】
次に移動機の測位結果をＧＭＬＣが保持する場合の第九の実施の形態の主要な構成の概要を図３５を参照して説明する。この実施の形態においては、クライアント１０１は、過去の位置でも良いかを示す測位要求種別を指定した移動機の測位要求をＧＭＬＣ１０２に送信する送信手段１０１１と、ＧＭＬＣ１０２からの前記測位要求に対する応答を受信する受信手段１０１２とを備える。また、ＧＭＬＣ１０２は、移動機の過去の測位結果を保持する記憶手段１０２１と、前記クライアント１０１から前記移動機の測位要求を受信したときに、前記移動機のプライバシ設定情報を保持するＰＰＲ１０７に対して測位処理許可要求を送る測位処理許可要求送出手段１０２７と、前記ＰＰＲ１０７が、前記移動機の前記プライバシ設定情報を参照して前記測位要求を確認し、この確認の結果を返してきたときに、前記測位要求が禁止されておらず、測位要求種別が過去の位置でも良い場合、前記移動機の過去の測位結果を記憶手段１０２１に保持しており且つ保持している測位結果が再利用できるかを確認する再利用性確認手段１０２３と、前記移動機の過去の測位結果を再利用可能であり、前記測位要求された前記移動機への通知もしくは確認が必要である場合に、前記移動機の移動先通信ネットワークのＧＭＬＣ１１２に対し、プライバシチェック要求メッセージを送る通知／確認手段１０２４と、ＧＭＬＣ１１２が、前記移動機が接続する地域無線網を管理するＳＧＳＮ／ＭＳＣ装置１１３に対し、プライバシ要求メッセージを送り、ＳＧＳＮ／ＭＳＣ装置１１３が前記移動機に対して通知もしくは確認処理を行ってプライバシの確認結果を送信し、この送信された確認結果をＧＭＬＣ１１２が送信してきた場合に、追加のプライバシチェックをＰＰＲ１０７に対して要求する追加チェック要求手段１０２８と、前記追加のプライバシチェックの結果、過去の測位結果をクライアント１０１に渡しても良い場合、前記過去の測位結果をクライアント１０１へ送る応答送出手段１０２６とを備える。また、ＧＭＬＣ１１２は、移動機のプライバシ設定情報を保持するＧＭＬＣ１０２から移動機にかかるプライバシチェック要求メッセージを受信したときに、前記移動機が接続する地域無線網を管理するＳＧＳＮ／ＭＳＣ装置１１３に対し、プライバシ要求メッセージを送るメッセージ転送手段１２２１と、ＳＧＳＮ／ＭＳＣ装置１１３が前記移動機に対して通知もしくは確認処理を行ってプライバシの確認結果を送信してきたときに、この送信された確認結果をＧＭＬＣ１０２に送信する結果転送手段１１２４とを備える。
【００７５】
次に、第九の実施の形態の主要な動作を、移動機の測位結果をＧＭＬＣが保持する場合について、図３５を参照して説明する。クライアント１０１が、ＧＭＬＣ１０２に対し移動機の測位を要求すると、ＧＭＬＣ１０２は、測位処理許可要求送出手段１０２７を用いて、前記測位要求された移動機のプライバシ設定情報を管理しているＰＰＲ１０７に対し、測位処理許可要求を送信する。この測位処理許可要求を受け取ったＰＰＲ１０７は、測位対象の移動機のプライバシ設定情報に基づいてプライバシチェックを行い、このチェックの結果をＧＭＬＣ１０２に応答する。この応答を受けたＧＭＬＣ１０２は、測位要求が禁止されておらず、測位要求種別が過去の位置でも構わないとき、前記測位要求された移動機の測位結果を記憶手段１０２１に保持しているか確認し、測位結果を保持している場合には、この測位結果が再利用できるかを確認する。次に、ＧＭＬＣ１０２は、再利用可能であり、前記測位要求された移動機への通知が必要である場合、通知／確認手段１０２４を用いて、前記測位要求された移動機が接続する移動通信ネットワークのＧＭＬＣ１１２に対し、プライバシに関するメッセージを送る。なお、このときＧＭＬＣ１０２は、ＨＬＲ／ＨＳＳ装置に対し、測位要求された移動機が接続する地域無線網を管理するＳＧＳＮ／ＭＳＣ装置１１３について問い合わせ、前記ＨＬＲ／ＨＳＳ装置は、前記測位要求された移動機が接続する地域無線網を管理するＳＧＳＮ／ＭＳＣ装置１１３の情報、および、前記測位要求された移動機が接続する移動通信ネットワークのＧＭＬＣ１１２の情報を保持している場合は、当該ＧＭＬＣ１１２の情報について返信するといった処理が行われる。ＧＭＬＣ１１２は、メッセージ転送手段１１２５を用いて、前記測位要求された移動機が接続する地域無線網を管理するＳＧＳＮ／ＭＳＣ装置１１３に対し、プライバシに関するメッセージを送る。ＳＧＳＮ／ＭＳＣ装置１１３は、前記測位要求された移動機に対して通知もしくは確認処理を行い、プライバシの確認結果をＧＭＬＣ１１２に送信する。ＧＭＬＣ１１２は、結果転送手段１１２４を用いて、このプライバシの確認結果をＧＭＬＣ１０２に送信する。ＧＭＬＣ１０２は、前記プライバシの確認結果が、前記測位対象の移動機の位置情報をクライアント１１１に渡してもよいという結果である場合は、追加チェック要求手段１０２８を用いて、ＰＰＲ１０７に対して測位処理許可要求を送信して追加のプライバシチェックを要求する。この測位処理要求を受け取ったＰＰＲ１０７は、測位対象の移動機のプライバシ設定情報に基づいて追加のプライバシチェックを行い、その結果をＧＭＬＣ１０２に送信する。ＧＭＬＣ１０２は、追加のプライバシチェックの結果、問題がなければ、応答送出手段１０２６を用いて測位結果をクライアント１０１へ送出する。クライアント１０１では、この測位結果を受信手段１０１２を用いて受信する。
【００７６】
【第十の実施の形態の概要】
第十の実施の形態として、先ず、移動機の測位結果をＰＰＲが保持する場合について、主要な構成の概要を図３６を参照して説明する。この実施の形態においては、クライアント１１１は、過去の位置でも良いかを示す測位要求種別を指定した移動機の測位要求をＧＭＬＣ１１２に送信する送信手段１１１１と、ＧＭＬＣ１１２からの前記測位要求に対する応答を受信する受信手段１１１２とを備える。また、ＧＭＬＣ１１２は、クライアント１１１から移動機の測位要求を受信したときに、前記移動機のプライバシ設定情報を保持する他のＧＭＬＣ１０２を特定し、この特定したＧＭＬＣ１０２へ前記受信した前記移動機の測位要求を転送する要求転送手段１１２１と、ＧＭＬＣ１０２から前記移動機にかかるプライバシチェック要求メッセージを受信したときに、前記移動機が接続する地域無線網を管理するＳＧＳＮ／ＭＳＣ装置１１３に対し、プライバシ要求メッセージを送り、前記ＳＧＳＮ／ＭＳＣ装置１１３が前記移動機に対して通知もしくは確認処理を行ってプライバシの確認結果を送信してきたときに、この送信された確認結果をＧＭＬＣ１０２に送信する転送手段１１２５と、ＧＭＬＣ１０２から前記転送した測位要求に対する応答を受信したときに、この応答をクライアント１１１へ送る応答転送手段１１２２とを備える。更に、ＧＭＬＣ１０２は、前記移動機の測位要求が転送されてきたときに、前記移動機のプライバシ設定情報および過去の測位結果を保持するＰＰＲ１０７に対して測位処理許可要求を送る測位処理許可要求送出手段１０２７と、前記ＰＰＲ１０７が、前記移動機の前記プライバシ設定情報を参照して前記測位要求を確認し、この確認の結果、前記測位要求が禁止されておらず、測位要求種別が過去の位置でも良いとき、前記移動機の過去の測位結果を保持しており且つ保持している測位結果が再利用できるかを確認してプライバシチェックの結果と共に前記過去の測位結果を前記測位処理許可要求の応答として返してきたとき、前記移動機の過去の測位結果を再利用可能であり、前記測位要求された前記移動機への通知もしくは確認が必要である場合に、前記移動機の移動先通信ネットワークのＧＭＬＣ１１２に対し、プライバシチェック要求メッセージを送り、ＧＭＬＣ１１２からプライバシの確認結果を受信したときに、追加のプライバシチェックを行う追加チェック要求手段１０２８と、この追加のプライバシチェックの結果、過去の測位結果をクライアント１１１に渡しても良い場合、前記過去の測位結果をＧＭＬＣ１１２へ送る応答送出手段１０２６とを備える。
【００７７】
次に、第十の実施の形態の主要な動作を、移動機の測位結果をＰＰＲが保持する場合について、図３６を参照して説明する。クライアント１１１が、ＧＭＬＣ１１２に対し移動機の測位を要求すると、ＧＭＬＣ１１２は、要求転送手段１１２１を用いて、前記測位要求された移動機のプライバシ設定情報を保持しているＧＭＬＣ１０２に対して、クライアント１１１からの測位要求を転送する。なお、このときＧＭＬＣ１１２は、前記測位要求された移動機の情報を管理しているＨＬＲ／ＨＳＳ装置に対し、前記測位要求された移動機のプライバシ設定情報を保持しているＧＭＬＣ１０２について問い合わせ、前記ＨＬＲ／ＨＳＳ装置は、前記測位要求された移動機の情報を保持しているＧＭＬＣ１０２の情報をＧＭＬＣ１１２に送るといった処理が行われる。ＧＭＬＣ１０２は、測位処理許可要求送出手段１０２７を用いて、前記測位要求された移動機のプライバシ設定情報を管理しているＰＰＲ１０７に対し、測位処理許可要求を送信する。この測位処理許可要求を受け取ったＰＰＲ１０７は、測位対象の移動機のプライバシ設定情報に基づいてプライバシチェックを行い、この確認の結果、測位要求が禁止されておらず、測位要求種別が過去の位置でも構わないとき、ＰＰＲ１０７は前記測位要求された移動機の測位結果を保持しているか確認し、測位結果を保持している場合には、この測位結果が再利用できるかを確認する。
これらの確認の結果を受けたＧＭＬＣ１０２は、再利用可能であり、前記測位要求された移動機への通知が必要である場合、通知／確認手段１０２４を用いて、前記測位要求された移動機が接続する移動通信ネットワークのＧＭＬＣ１１２に対し、プライバシに関するメッセージを送る。なお、このときＧＭＬＣ１０２は、ＨＬＲ／ＨＳＳ装置に対し、測位要求された移動機が接続する地域無線網を管理するＳＧＳＮ／ＭＳＣ装置１１３について問い合わせ、前記ＨＬＲ／ＨＳＳ装置は、前記測位要求された移動機が接続する地域無線網を管理するＳＧＳＮ／ＭＳＣ装置１１３の情報、および、前記測位要求された移動機が接続する移動通信ネットワークのＧＭＬＣ１１２の情報を保持している場合は、当該ＧＭＬＣ１１２の情報について返信するといった処理が行われる。
ＧＭＬＣ１１２は、転送手段１１２５を用いて、前記測位要求された移動機が接続する地域無線網を管理するＳＧＳＮ／ＭＳＣ装置１１３に対し、プライバシに関するメッセージを送る。ＳＧＳＮ／ＭＳＣ装置１１３は、前記測位要求された移動機に対して通知もしくは確認処理を行い、プライバシの確認結果をＧＭＬＣ１１２に送信する。ＧＭＬＣ１１２は、転送手段１１２５を用いて、このプライバシの確認結果をＧＭＬＣ１０２に送信する。ＧＭＬＣ１０２は、前記プライバシの確認結果が、前記測位対象の移動機の位置情報をクライアント１１１に渡してもよいという結果である場合は、追加チェック要求手段１０２８を用いて、ＰＰＲ１０７に対して測位処理許可要求を送信して追加のプライバシチェックを要求する。この測位処理要求を受け取ったＰＰＲ１０７は、測位対象の移動機のプライバシ設定情報に基づいて追加のプライバシチェックを行い、その結果をＧＭＬＣ１０２に送信する。ＧＭＬＣ１０２は、追加のプライバシチェックの結果、問題がなければ、応答送出手段１０２６を用いて測位結果を測位要求を転送してきたＧＭＬＣ１１２へ送出する。ＧＭＬＣ１１２は、応答転送手段１１２２を用いて、測位結果をクライアント１１１に送る。クライアント１１１では、この測位結果を受信手段１１１２を用いて受信する。
【００７８】
次に移動機の測位結果をＧＭＬＣが保持する場合の第十の実施の形態の主要な構成の概要を図３７を参照して説明する。この実施の形態においては、クライアント１１１は、過去の位置でも良いかを示す測位要求種別を指定した移動機の測位要求をＧＭＬＣ１１２に送信する送信手段１１１１と、ＧＭＬＣ１１２からの前記測位要求に対する応答を受信する受信手段１１１２とを備える。また、ＧＭＬＣ１１２は、クライアント１１１から移動機の測位要求を受信したときに、前記移動機のプライバシ設定情報を保持する他のＧＭＬＣ１０２を特定し、この特定したＧＭＬＣ１０２へ前記受信した前記移動機の測位要求を転送する要求転送手段１１２１と、ＧＭＬＣ１０２から前記移動機にかかるプライバシチェック要求メッセージを受信したときに、前記移動機が接続する地域無線網を管理するＳＧＳＮ／ＭＳＣ装置１１３に対し、プライバシ要求メッセージを送り、前記ＳＧＳＮ／ＭＳＣ装置１１３が前記移動機に対して通知もしくは確認処理を行ってプライバシの確認結果を送信してきたときに、この送信された確認結果をＧＭＬＣ１０２に送信する転送手段１１２５と、ＧＭＬＣ１０２から前記転送した測位要求に対する応答を受信したときに、この応答をクライアント１１１へ送る応答転送手段１１２２とを備える。更に、ＧＭＬＣ１０２は、移動機の過去の測位結果を保持する記憶手段１０２１と、ＧＭＬＣ１１２から前記移動機の測位要求を受信したときに、前記移動機のプライバシ設定情報を保持するＰＰＲ１０７に対して測位処理許可要求を送る測位処理許可要求送出手段１０２７と、前記ＰＰＲ１０７が、前記移動機の前記プライバシ設定情報を参照して前記測位要求を確認し、この確認の結果を返してきたときに、前記測位要求が禁止されておらず、測位要求種別が過去の位置でも良い場合、前記移動機の過去の測位結果を記憶手段１０２１に保持しており且つ保持している測位結果が再利用できるかを確認する再利用性確認手段１０２３と、前記移動機の過去の測位結果を再利用可能であり、前記測位要求された前記移動機への通知もしくは確認が必要である場合に、前記移動機の移動先通信ネットワークのＧＭＬＣ１１２に対し、プライバシチェック要求メッセージを送る通知／確認手段１０２４と、ＧＭＬＣ１１２が、前記移動機が接続する地域無線網を管理するＳＧＳＮ／ＭＳＣ装置１１３に対し、プライバシ要求メッセージを送り、ＳＧＳＮ／ＭＳＣ装置１１３が前記移動機に対して通知もしくは確認処理を行ってプライバシの確認結果を送信し、この送信された確認結果をＧＭＬＣ１１２が送信してきた場合に、追加のプライバシチェックをＰＰＲ１０７に対して要求する追加チェック要求手段１０２８と、前記追加のプライバシチェックの結果、過去の測位結果をクライアント１１１に渡しても良い場合、前記過去の測位結果をＧＭＬＣ１１２へ送る応答送出手段１０２６とを備える。
【００７９】
次に、第十の実施の形態の主要な動作を、移動機の測位結果をＧＭＬＣが保持する場合について、図３７を参照して説明する。クライアント１１１が、ＧＭＬＣ１１２に対し移動機の測位を要求すると、ＧＭＬＣ１１２は、要求転送手段１１２１を用いて、前記測位要求された移動機のプライバシ設定情報を保持しているＧＭＬＣ１０２に対して、クライアント１１１からの測位要求を転送する。なお、このときＧＭＬＣ１１２は、前記測位要求された移動機の情報を管理しているＨＬＲ／ＨＳＳ装置に対し、前記測位要求された移動機のプライバシ設定情報を保持しているＧＭＬＣ１０２について問い合わせ、前記ＨＬＲ／ＨＳＳ装置は、前記測位要求された移動機の情報を保持しているＧＭＬＣ１０２の情報をＧＭＬＣ１１２に送るといった処理が行われる。ＧＭＬＣ１０２は、測位処理許可要求送出手段１０２７を用いて、前記測位要求された移動機のプライバシ設定情報を管理しているＰＰＲ１０７に対し、測位処理許可要求を送信する。この測位処理許可要求を受け取ったＰＰＲ１０７は、測位対象の移動機のプライバシ設定情報に基づいてプライバシチェックを行い、このチェックの結果をＧＭＬＣ１０２に応答する。この応答を受けたＧＭＬＣ１０２は、測位要求が禁止されておらず、測位要求種別が過去の位置でも構わないとき、前記測位要求された移動機の測位結果を記憶手段１０２１に保持しているか確認し、測位結果を保持している場合には、この測位結果が再利用できるかを確認する。次に、ＧＭＬＣ１０２は、再利用可能であり、前記測位要求された移動機への通知が必要である場合、通知／確認手段１０２４を用いて、前記測位要求された移動機が接続する移動通信ネットワークのＧＭＬＣ１１２に対し、プライバシに関するメッセージを送る。なお、このときＧＭＬＣ１０２は、ＨＬＲ／ＨＳＳ装置に対し、測位要求された移動機が接続する地域無線網を管理するＳＧＳＮ／ＭＳＣ装置１１３について問い合わせ、前記ＨＬＲ／ＨＳＳ装置は、前記測位要求された移動機が接続する地域無線網を管理するＳＧＳＮ／ＭＳＣ装置１１３の情報、および、前記測位要求された移動機が接続する移動通信ネットワークのＧＭＬＣ１１２の情報を保持している場合は、当該ＧＭＬＣ１１２の情報について返信するといった処理が行われる。ＧＭＬＣ１１２は、転送手段１１２５を用いて、前記測位要求された移動機が接続する地域無線網を管理するＳＧＳＮ／ＭＳＣ装置１１３に対し、プライバシに関するメッセージを送る。ＳＧＳＮ／ＭＳＣ装置１１３は、前記測位要求された移動機に対して通知もしくは確認処理を行い、プライバシの確認結果をＧＭＬＣ１１２に送信する。ＧＭＬＣ１１２は、転送手段１１２５を用いて、このプライバシの確認結果をＧＭＬＣ１０２に送信する。ＧＭＬＣ１０２は、前記プライバシの確認結果が、前記測位対象の移動機の位置情報をクライアント１１１に渡してもよいという結果である場合は、追加チェック要求手段１０２８を用いて、ＰＰＲ１０７に対して測位処理許可要求を送信して追加のプライバシチェックを要求する。この測位処理要求を受け取ったＰＰＲ１０７は、測位対象の移動機のプライバシ設定情報に基づいて追加のプライバシチェックを行い、その結果をＧＭＬＣ１０２に送信する。ＧＭＬＣ１０２は、追加のプライバシチェックの結果、問題がなければ、応答送出手段１０２６を用いて測位結果を測位要求を転送してきたＧＭＬＣ１１２へ送出する。ＧＭＬＣ１１２は、応答転送手段１１２２を用いて、測位結果をクライアント１１１に送る。クライアント１１１では、この測位結果を受信手段１１１２を用いて受信する。
【００８０】
次に本発明の第一乃至第十の実施の形態について詳細に説明する。
【００８１】
【発明の第一の実施の形態】
本発明の第一の実施の形態について図面を参照して詳細に説明する。
【００８２】
【構成の説明】
図１を参照すると、本発明の第一の実施の形態は、測位要求を移動通信ネットワークに対して送信するｃｌｉｅｎｔ装置１０１他複数のｃｌｉｅｎｔ装置と、移動通信ネットワークにおいてｃｌｉｅｎｔ装置からの測位要求を受け付けるゲートウェイ装置であるＧＭＬＣ装置１０２他複数のＧＭＬＣ装置と、ひとつもしくは複数の地域無線網を管理するＳＧＳＮ／ＭＳＣ装置１０３他複数のＳＧＳＮ／ＭＳＣ装置と、地域無線網（ＲＡＮ）１０４他複数の地域無線網（ＲＡＮ）と、測位対象となる移動機であるＵＥ装置１０５他複数のＵＥ装置と、各移動機の接続する地域無線網の情報を保持する移動機データベースであるＨＬＲ／ＨＳＳ装置１０６他複数のＨＬＲ／ＨＳＳ装置などの複数のノードから構成される。ここで地域無線網（ＲＡＮ）１０４は基地局や基地局制御装置など複数の装置から構成されるのが通常であるが、地域無線網の内部構成は本実施例に影響しないためここでは地域無線網としてまとめて取り扱うものとする。本実施例においては、ＵＥ装置１０５が接続する地域無線網を管理するＳＧＳＮ／ＭＳＣ装置１０３の情報はＨＬＲ／ＨＳＳ装置１０６に保持される。ｃｌｉｅｎｔ装置１０１の情報はＧＭＬＣ装置１０２に保持される。
【００８３】
【動作の説明】
本発明の第一の実施の形態における測位処理の動作を説明する。
【００８４】
図１および図４から図６を併せ参照して、本発明の第一の実施の形態における外部起動測位（ＭＴ−ＬＲ）の動作を説明する。
【００８５】
図１および図４から図５を併せ参照して、ＵＥ装置１０５等の各ＵＥ装置のプライバシ設定情報および過去の測位結果をＧＭＬＣ装置１０２が保持する場合の外部起動測位（ＭＴ−ＬＲ）の動作を説明する。
【００８６】
ｃｌｉｅｎｔ装置１０１がＵＥ装置１０５の位置を取得する場合の、本発明の動作を図１および図４から図５を用いて説明する。図４は、ＧＭＬＣ装置１０２が保持している過去の測位結果を再利用する場合の、ネットワーク内の各ノードにおける処理および各ノード間で送受されるメッセージフローを示している。図５はＧＭＬＣ装置１０２における内部処理フローである。ｃｌｉｅｎｔ装置１０１は測位要求をＧＭＬＣ装置１０２に送信する（図４のステップ１）。測位要求には、測位対象であるＵＥ１０５の電話番号等の識別情報、ｃｌｉｅｎｔ装置１０１の識別情報、要求する位置情報の種別、要求する位置情報の精度情報（例えば１００ｍ以内といって位置の許容誤差）、要求する位置情報の鮮度情報などの付加情報が含まれている。要求位置情報の種別には、測位対象のＵＥ装置１０５の現在位置を要求する場合（Ｃｕｒｒｅｎｔ）、過去の位置を要求する場合（Ｌａｓｔ　ｋｎｏｗｎ）、現在位置が取得できない場合には過去の位置を要求する場合（Ｃｕｒｒｅｎｔ　ｏｒ　Ｌａｓｔ　ｋｎｏｗｎ）、過去の位置が取得できない場合には現在位置を要求する場合（Ｌａｓｔ　ｋｎｏｗｎ　ｏｒ　Ｃｕｒｒｅｎｔ）などの種別が考えられる。位置情報種別として過去の位置を要求する場合（Ｌａｓｔ　ｋｎｏｗｎ，　Ｃｕｒｒｅｎｔ　ｏｒ　Ｌａｓｔ　ｋｎｏｗｎ，　Ｌａｓｔ　ｋｎｏｗｎ　ｏｒ　Ｃｕｒｒｅｎｔのいずれかの場合）には、過去の位置情報に対する要求鮮度情報を伴う場合が考えられ、要求鮮度情報は何月何日何時何分何秒というような絶対時刻表記でその絶対時刻以降の位置情報が欲しいと指定する場合と、何分何秒前というように測位要求を送信した時刻に対する相対時間でその相対時間以内の位置情報が欲しいと指定する場合などの指定方法が考えられる。ＧＭＬＣ装置１０２は、必要に応じて自ノードが保持するｃｌｉｅｎｔ情報を元にｃｌｉｅｎｔ装置１０１の認証を行ない（図４のステップ２、図５のステップ５０１）、認証に失敗した場合（図５のステップ５０１のＮｏ）にはｃｌｉｅｎｔ装置１０１にエラーを通知する（図５のステップ５１４）。ｃｌｉｅｎｔ装置１０１からの測位要求の受付が許可された場合（図５のステップ５０１のＹｅｓ）には、ＧＭＬＣ装置１０２は測位対象であるＵＥ装置１０５のプライバシ設定を参照し、ＵＥ装置１０５が測位要求を受け付けるかどうかを判断する（図４のステップ３、図５のステップ５０２）。ここで参照されるプライバシ設定としては、要求元のｃｌｉｅｎｔ装置１０１からの測位要求を受け付けるかどうか、要求されている精度の位置情報をｃｌｉｅｎｔ装置１０１に渡していいかどうか、要求されている鮮度の位置情報をｃｌｉｅｎｔ装置１０１に渡していいかどうかなどが挙げられる。また、ＵＥ１０６が測位要求を受け付ける条件として通知もしくは確認を必要としているかどうかも確認する。測位要求を受け付けられないと判断した場合（図５のステップ５０２のＮｏ）にはｃｌｉｅｎｔ装置１０１にエラーを通知する（図５のステップ５１４）。測位要求を受け付けると判断した場合（図５のステップ５０２のＹｅｓ）には、ＧＭＬＣ装置１０２は測位対象のＵＥ１０５の現在位置（Ｃｕｒｒｅｎｔ）が位置情報種別として要求されているかどうかを判断する（図４のステップ４、図５のステップ５０３）。要求されている位置情報種別が、現在位置でなく過去の位置でも構わない場合（Ｌａｓｔ　ｋｎｏｗｎ，　Ｌａｓｔ　ｋｎｏｗｎ　ｏｒ　Ｃｕｒｒｅｎｔのどちらかの場合）には（図５のステップ５０３のＮｏ）、ＧＭＬＣ装置１０２は測位対象のＵＥ装置１０５の過去の測位結果を保持していないかどうかをチェックし、過去の測位結果を保持している場合には過去の測位結果を再利用することができるかどうかを判断する（図５のステップ５０４）。過去の測位結果が再利用できるかどうかを判断する要素としては、ｃｌｉｅｎｔ装置１０１から要求されている位置情報の鮮度や精度などが考えられる。また、特定の時刻以降の測位結果である場合のみｃｌｉｅｎｔ装置１０１に渡してもよいというようなプライバシ設定等がある場合には、その条件を過去の測位結果が満たしているかどうかも確認する。過去の測位結果が要求される精度、要求される鮮度などの条件を満たし再利用が可能であると判断され（図５のステップ５０５のＹｅｓ）、図４のステップ３および図５のステップ２におけるプライバシ設定の確認の結果、ＵＥ装置１０５への通知もしくは確認が必要であると判断されていた場合には（図５のステップ５０６のＹｅｓ）、ＧＭＬＣ装置１０２はＵＥ１０５が接続する地域無線網（ＲＡＮ）を管理するＳＧＳＮ／ＭＳＣ装置の情報をＨＬＲ／ＨＳＳ装置１０６に問い合わせる（図４のステップ５、図５のステップ５０７）。ＨＬＲ／ＨＳＳ装置１０６は、ＧＭＬＣ装置１０２からの問い合わせに対して、ＵＥ装置１０５が接続する地域無線網（ＲＡＮ）１０４を管理するＳＧＳＮ／ＭＳＣ装置１０３の情報を返信する（図４のステップ６）。ＨＬＲ／ＨＳＳ装置１０６からＳＧＳＮ／ＭＳＣ装置１０３の情報を受け取ることができなかった場合（図５のステップ５０８のＮｏ）には、ＧＭＬＣ装置１０２はｃｌｉｅｎｔ装置１０１にエラーを通知する（図５のステップ５１４）。ＨＬＲ／ＨＳＳ装置１０６からＳＧＳＮ／ＭＳＣ装置１０３の情報を受け取ったＧＭＬＣ装置１０２は（図５のステップ５０８のＹｅｓ）、ＳＧＳＮ／ＭＳＣ装置１０３に対してプライバシチェック要求メッセージを送信する（図４のステップ７、図５のステップ５０９）。プライバシチェック要求メッセージには、ＵＥ１０５に対する通知だけが必要なのか確認（ＵＥ１０５からの測位を許可するという応答）も必要なのかの区別と、ｃｌｉｅｎｔ装置１０１の情報などＵＥ１０５に通知すべき情報が含まれている。プライバシ要求メッセージとしては、従来例における測位要求メッセージに特定のパラメータを付加して送信することで、受信側であるＳＧＳＮ／ＭＳＣ装置１０３においてプライバシチェック要求メッセージであると判断することも可能であるし、プライバシチェック要求用に専用のメッセージを追加定義することも可能である。ＧＭＬＣ装置１０２からのプライバシチェック要求メッセージを受信したＳＧＳＮ／ＭＳＣ装置１０３は、ＵＥ装置１０５に対して通知もしくは確認処理を行なう（図４のステップ８）。プライバシチェックを行なったＳＧＳＮ／ＭＳＣ装置１０３は、プライバシチェック結果をＧＭＬＣ装置１０２に送信する（図４のステップ９）。ＳＧＳＮ／ＭＳＣ装置１０３におけるプライバシチェック結果が位置情報をｃｌｉｅｎｔ装置１０１に渡してはいけないという結果であった場合には（図５のステップ５１０のＮｏ）には、ＧＭＬＣ装置１０２はｃｌｉｅｎｔ装置１０１にエラーを通知する（図５のステップ５１４）。ＳＧＳＮ／ＭＳＣ装置１０３におけるプライバシチェック結果が位置情報をｃｌｉｅｎｔ装置１０１に渡してもよいという結果であった場合には（図５のステップ５１０のＹｅｓ）、ＧＭＬＣ装置１０２は測位対象のＵＥ装置１０５のプライバシ設定を参照し、位置情報をｃｌｉｅｎｔ装置１０１に送信してよいかどうかを判断する（図４のステップ１０、図５のステップ５１１）。このプライバシチェックにおいては、ＵＥ装置１０５がｃｌｉｅｎｔ装置１０１に測位結果を渡しても良いと設定している時間帯や場所のチェックを行ない、測位が行なわれた時刻や場所がＵＥ装置１０５が許可している時間帯や場所でない場合には、エラー通知をｃｌｉｅｎｔ装置１０１に送信する。測位結果の位置精度がＵＥ装置１０５がｃｌｉｅｎｔ装置１０１に提供することを許可している位置精度よりも良かった場合には、ＧＭＬＣ装置１０２において位置精度を劣化させる位置情報加工処理を行なうことも考えられる。図４のステップ１０、図５のステップ５１１におけるプライバシチェック結果が位置情報をｃｌｉｅｎｔ装置１０１に渡してはいけないという結果であった場合には（図５のステップ５１２のＮｏ）には、ＧＭＬＣ装置１０２はｃｌｉｅｎｔ装置１０１にエラーを通知する（図５のステップ５１４）。プライバシチェック結果が位置情報をｃｌｉｅｎｔ装置１０１に渡してもよいという結果であった場合には（図５のステップ５１２のＹｅｓ）、ＧＭＬＣ装置１０２は測位対象端末１０５の位置情報をｃｌｉｅｎｔ装置１０１に送信する（図４のステップ１１、図５のステップ５１３）。
【００８７】
上記の処理において、ｃｌｉｅｎｔ装置１０１が現在位置を要求している場合（図５のステップ５０３のＹｅｓ）および、ｃｌｉｅｎｔ装置１０１が要求している精度や鮮度を満たす過去の測位結果をＧＭＬＣ装置１０２が保持していない場合（図５のステップ５０５のＮｏ）には、ＧＭＬＣ装置１０２は図２に示した従来例と同様にＵＥ装置１０５の位置をＳＧＳＮ／ＭＳＣ装置に問い合わせる。ＧＭＬＣ装置１０２はＵＥ１０５が接続する地域無線網（ＲＡＮ）を管理するＳＧＳＮ／ＭＳＣ装置の情報をＨＬＲ／ＨＳＳ装置１０６に問い合わせる（図２のステップ２、図５のステップ５１５）。ＨＬＲ／ＨＳＳ装置１０６は、ＧＭＬＣ装置１０２からの問い合わせに対して、ＵＥ装置１０５が接続する地域無線網（ＲＡＮ）１０４を管理するＳＧＳＮ／ＭＳＣ装置１０３の情報を返信する（図２のステップ３）。ＨＬＲ／ＨＳＳ装置１０６からＳＧＳＮ／ＭＳＣ装置１０３の情報を受け取ることができなかった場合（図５のステップ５１６のＮｏ）には、ＧＭＬＣ装置１０２はｃｌｉｅｎｔ装置１０１にエラーを通知する（図５のステップ５１４）。ＨＬＲ／ＨＳＳ装置１０６からＳＧＳＮ／ＭＳＣ装置１０３の情報を受け取ったＧＭＬＣ装置１０２は（図５のステップ５１６のＹｅｓ）、ＳＧＳＮ／ＭＳＣ装置１０３に対して測位要求メッセージを送信する（図２のステップ４、図５のステップ５１７）。測位要求を受け取ったＳＧＳＮ／ＭＳＣ装置１０３はＵＥ装置１０５のプライバシ設定を参照してプライバシチェックを行ない測位要求を受け付けてもいいかどうかを判断する（図２のステップ５）。図２のステップ５のプライバシチェックにおいては、ＵＥ装置１０５への通知もしくは確認が必要であると判断された場合には、ＳＧＳＮ／ＭＳＣ装置１０３はＵＥ装置１０５と通知もしくは確認のためのメッセージを送受する。図２のステップ５において測位要求を受け付けてもよいと判断した場合には、ＳＧＳＮ／ＭＳＣ装置１０３はＲＡＮ１０４、ＵＥ装置１０５と連携してＵＥ装置１０５の位置を測定する（図２のステップ６）。その後、ＳＧＳＮ／ＭＳＣ装置１０３は測位結果をＧＭＬＣ装置１０２に返信する（図２のステップ７）。測位結果を受け取ったＧＭＬＣ装置１０２は、受け取った測位結果をその精度、鮮度に関する情報と共に内部に保存し、過去の測位結果を再利用する場合と同様に図４のステップ１０以降、図５のステップ５１０以降の処理を継続する。
【００８８】
図１および図６を併せ参照して、ＵＥ装置１０５等の各ＵＥ装置のプライバシ設定情報および過去の測位結果をＳＧＳＮ／ＭＳＣ装置１０３が保持する場合の外部起動測位（ＭＴ−ＬＲ）の動作を説明する。
【００８９】
図６は、ＳＧＳＮ／ＭＳＣ装置１０３が保持している過去の測位結果を再利用する場合の、ネットワーク内の各ノードにおける処理および各ノード間で送受されるメッセージフローを示している。図６におけるステップ１からステップ５までとステップ９、１０は、図２に示す従来例のステップ１からステップ５までとステップ８、９と同一である。図２に示す従来例においてはステップ５におけるプライバシチェック終了後にステップ６として測位処理を起動していたが、本発明においては測位処理を起動する前にＳＧＳＮ／ＭＳＣ装置１０３が保持している位置情報のチェックを行なう。ＳＧＳＮ／ＭＳＣ装置１０３は測位対象のＵＥ１０５の現在位置（Ｃｕｒｒｅｎｔ）が位置情報種別として要求されているかどうかを判断し、要求されている位置情報種別が現在位置でなく過去の位置でも構わない場合（Ｌａｓｔ　ｋｎｏｗｎ，　Ｌａｓｔ　ｋｎｏｗｎ　ｏｒ　Ｃｕｒｒｅｎｔのどちらかの場合）には、測位対象のＵＥ１０６の過去の測位結果を保持していないかどうかをチェックし、過去の測位結果を保持している場合には過去の測位結果を再利用することができるかどうかを判断する（図６のステップ６）。過去の測位結果が再利用できるかどうかを判断する要素としては、ｃｌｉｅｎｔ装置１０１から要求されている位置情報の鮮度や精度などが考えられる。また、特定の時刻以降の測位結果である場合のみｃｌｉｅｎｔ装置１０１に渡してもよいというようなプライバシ設定等がある場合には、その条件を過去の測位結果が満たしているかどうかも確認する。過去の測位結果が要求される精度、要求される鮮度などの条件を満たし再利用が可能であると判断された場合には、ＳＧＳＮ／ＭＳＣ装置１０３は測位処理（図６のステップ７）をスキップする。過去の測位結果が再利用できない場合には、ＳＧＳＮ／ＭＳＣ装置１０３は測位処理を行なう（図６のステップ７）。測位処理で得られた位置情報は、その精度、鮮度の情報と共に内部に記憶する。過去の測位結果もしくは測位処理によってＵＥ装置１０５の位置情報を取得したＳＧＳＮ／ＭＳＣ装置１０３は、測位対象のＵＥ装置１０５のプライバシ設定を参照し、位置情報をｃｌｉｅｎｔ装置１０１に送信してよいかどうかを判断する（図６のステップ８）。このプライバシチェックにおいては、ＵＥ装置１０５がｃｌｉｅｎｔ装置１０１に測位結果を渡しても良いと設定している時間帯や場所のチェックを行ない、測位が行なわれた時刻や場所がＵＥ装置１０５が許可している時間帯や場所でない場合には、エラー通知をｃｌｉｅｎｔ装置１０１に送信する。測位結果の位置精度がＵＥ装置１０５がｃｌｉｅｎｔ装置１０１に提供することを許可している位置精度よりも良かった場合には、ＳＧＳＮ／ＭＳＣ装置１０３において位置精度を劣化させる位置情報加工処理を行なうことも考えられる。その後、ＳＧＳＮ／ＭＳＣ装置１０３は測位結果をＧＭＬＣ装置１０２に返信し（図６のステップ９）、ＧＭＬＣ装置１０２はＣｌｉｅｎｔ装置１０１に転送する（図６のステップ１０）。
【００９０】
図４、図５および図６に示した外部起動測位（ＭＴ−ＬＲ）の動作の他の実施例としては、プライバシ情報をＧＭＬＣ装置１０２が保持し過去の測位結果はＳＧＳＮ／ＭＳＣ装置１０３が保持し、プライバシチェックはＧＭＬＣ装置１０２が実行しＳＧＳＮ／ＭＳＣ装置１０３が位置情報チェックを行なう実施例、または過去の測位情報をＧＭＬＣ装置１０２が保持しプライバシ情報はＳＧＳＮ／ＭＳＣ装置１０３が保持し、位置情報チェックはＧＭＬＣ装置１０２が実行しプライバシチェックをＳＧＳＮ／ＭＳＣ装置１０３が行なうという実施例などが考えられる。
【００９１】
図１および図７を併せ参照して、各ＵＥ装置の過去の測位結果をＳＧＳＮ／ＭＳＣ装置１０３等のＳＧＳＮ／ＭＳＣ装置が保持する場合の端末起動測位（ＭＯ−ＬＲ）の動作を説明する。
【００９２】
図７はＳＧＳＮ／ＭＳＣ装置１０３が過去の測位結果を保持する場合の、ネットワーク内の各ノードにおける処理および各ノード間で送受されるメッセージフローを示している。端末起動測位（ＭＯ−ＬＲ）においては、ＵＥ装置１０５はＳＧＳＮ／ＭＳＣ装置１０３に対して測位要求を送信する（図７のステップ１）。本発明においては、ＵＥ装置１０５が送信する測位要求には、要求する位置情報の種別、要求する位置情報の精度情報、要求する位置情報の鮮度情報などの付加情報が含まれている。要求位置情報の種別には、測位対象のＵＥ装置１０５の現在位置を要求する場合（Ｃｕｒｒｅｎｔ）、過去の位置を要求する場合（Ｌａｓｔ　ｋｎｏｗｎ）、現在位置が取得できない場合には過去の位置を要求する場合（Ｃｕｒｒｅｎｔ　ｏｒ　Ｌａｓｔ　ｋｎｏｗｎ）、過去の位置が取得できない場合には現在位置を要求する場合（Ｌａｓｔ　ｋｎｏｗｎ　ｏｒ　Ｃｕｒｒｅｎｔ）などの種別が考えられる。位置情報種別として過去の位置を要求する場合（Ｌａｓｔ　ｋｎｏｗｎ，　Ｃｕｒｒｅｎｔ　ｏｒ　Ｌａｓｔ　ｋｎｏｗｎ，　Ｌａｓｔ　ｋｎｏｗｎ　ｏｒ　Ｃｕｒｒｅｎｔのいずれかの場合）には、過去の位置情報に対する要求鮮度情報を伴う場合が考えられ、要求鮮度情報は何月何日何時何分何秒というような絶対時刻表記でその絶対時刻以降の位置情報が欲しいと指定する場合と、何分何秒前というように測位要求を送信した時刻に対する相対時間でその相対時間以内の位置情報が欲しいと指定する場合などの指定方法が考えられる。
【００９３】
ＳＧＳＮ／ＭＳＣ装置１０３は測位対象のＵＥ１０５の現在位置（Ｃｕｒｒｅｎｔ）が位置情報種別として要求されているかどうかを判断し、要求されている位置情報種別が、現在位置でなく過去の位置でも構わない場合（Ｌａｓｔ　ｋｎｏｗｎ，　Ｌａｓｔ　ｋｎｏｗｎ　ｏｒ　Ｃｕｒｒｅｎｔのどちらかの場合）には、ＳＧＳＮ／ＭＳＣ装置１０３は測位対象のＵＥ装置１０５の過去の測位結果を保持していないかどうかをチェックし、過去の測位結果を保持している場合には過去の測位結果を再利用することができるかどうかを判断する（図７のステップ２）。過去の測位結果が再利用できるかどうかを判断する要素としては、ＵＥ装置１０５から要求されている位置情報の鮮度や精度などが考えられる。過去の測位結果が要求される精度、要求される鮮度などの条件を満たし再利用が可能であると判断された場合には、測位処理（図７のステップ３）をスキップし、測位結果をＵＥ装置１０５に返送する（図７のステップ４）。測位結果を再利用できないと判断した場合には、測位処理を行い（図７のステップ３）、測位結果をＵＥ装置１０５に返送する（図７のステップ４）。測位結果を受け取ったＵＥ装置１０５は必要に応じて位置精度を劣化させる位置情報加工処理を行なうことも考えられる。
【００９４】
測位結果をＵＥ装置１０５が保持する実施例も考えることができ、その場合にはＵＥ装置１０５はＳＧＳＮ／ＭＳＣ装置１０３に測位要求を送信する前に自局が保持する過去の測位結果を確認し、過去の測位結果が要求される精度、要求される鮮度などの条件を満たし再利用が可能であると判断された場合には、ＳＧＳＮ／ＭＳＣ装置１０３に測位要求を投げないことも考えられる。
【００９５】
【発明の第二の実施の形態】
本発明の第二の実施の形態について図面を参照して詳細に説明する。
【００９６】
【構成の説明】
図８を参照すると、本発明の第二の実施の形態は、測位要求を移動通信ネットワークに対して送信するｃｌｉｅｎｔ装置１０１、１１１他複数のｃｌｉｅｎｔ装置と、移動通信ネットワークにおいてｃｌｉｅｎｔ装置からの測位要求を受け付けるゲートウェイ装置であるＧＭＬＣ装置１０２、１１２他複数のＧＭＬＣ装置と、ひとつもしくは複数の地域無線網を管理するＳＧＳＮ／ＭＳＣ装置１０３、１１３他複数のＳＧＳＮ／ＭＳＣ装置と、地域無線網（ＲＡＮ）１０４、１１４他複数の地域無線網（ＲＡＮ）と、測位対象となる移動機であるＵＥ装置１０５、１１５他複数のＵＥ装置と、各移動機の接続する地域無線網の情報を保持する移動機データベースであるＨＬＲ／ＨＳＳ装置１０６、１１６他複数のＨＬＲ／ＨＳＳ装置などの複数のノードから構成される。ここで地域無線網（ＲＡＮ）１０４、１１４は基地局や基地局制御装置など複数の装置から構成されるのが通常であるが、地域無線網の内部構成は本実施例に影響しないためここでは地域無線網としてまとめて取り扱うものとする。ｃｌｉｅｎｔ装置１０１、ＧＭＬＣ装置１０２、ＳＧＳＮ／ＭＳＣ装置１０３、ＲＡＮ１０４およびＨＬＲ／ＨＳＳ装置１０６から構成される移動通信ネットワークは、ｃｌｉｅｎｔ装置１１１、ＧＭＬＣ装置１１２、ＳＧＳＮ／ＭＳＣ装置１１３、ＲＡＮ１１４およびＨＬＲ／ＨＳＳ装置１１６から構成される移動通信ネットワークを運用する移動通信事業者と同じ移動通信事業者が運営する場合も考えられるし、異なる移動通信事業者が運営する場合も考えられる。ＵＥ装置１０５、１１５は地域無線網１０４、１１４他複数の地域無線網への接続を任意に切り替えられるものとする。本実施例においては、ＵＥ装置１０５が接続する地域無線網を管理するＳＧＳＮ／ＭＳＣ装置の情報はＨＬＲ／ＨＳＳ装置１０６に保持され、ＵＥ装置１１５が接続する地域無線網を管理するＳＧＳＮ／ＭＳＣ装置の情報はＨＬＲ装置１１６に保持されるものとする。また、ＵＥ装置１０５のプライバシ保護に関する情報はＧＭＬＣ装置１０２に保持され、ＵＥ装置１１５のプライバシ保護に関する情報はＧＭＬＣ装置１１２に保持されるものとする。ＨＬＲ／ＨＳＳ装置１０６はＵＥ装置１０５のプライバシ保護に関する情報がＧＭＬＣ装置１０２に保持されていることを記憶しており、ＨＬＲ／ＨＳＳ装置１１６はＵＥ装置１１５のプライバシ保護に関する情報がＧＭＬＣ装置１１２に保持されていることを記憶している。ｃｌｉｅｎｔ装置１０１の情報はＧＭＬＣ装置１０２に保持され、ｃｌｉｅｎｔ装置１１１の情報はＧＭＬＣ装置１１２に保持される。
【００９７】
【動作の説明】
次に、図８〜図９を併せ参照して、本発明の第二の実施の形態における外部起動測位の動作を説明する。
【００９８】
図８および図９を併せ参照して、ＵＥ装置１０５のプライバシ設定情報および過去の測位結果をＧＭＬＣ装置１０２が保持する場合に、ｃｌｉｅｎｔ装置１１１がＵＥ装置１０５の位置を取得するための動作を説明する。本実施例におけるＧＭＬＣ装置１０２の処理は図５に示した処理となる。図９は、ＧＭＬＣ装置１０２が保持している過去の測位結果を再利用する場合の、ネットワーク内の各ノードにおける処理および各ノード間で送受されるメッセージフローを示している。ｃｌｉｅｎｔ装置１１１は測位要求をＧＭＬＣ装置１１２に送信する（図９のステップ１）。測位要求には、測位対象であるＵＥ１０５の電話番号等の識別情報、ｃｌｉｅｎｔ装置１１１の識別情報、要求する位置情報の種別、要求する位置情報の精度情報、要求する位置情報の鮮度情報などの付加情報が含まれている。要求位置情報の種別には、測位対象のＵＥ装置１０５の現在位置を要求する場合（Ｃｕｒｒｅｎｔ）、過去の位置を要求する場合（Ｌａｓｔ　ｋｎｏｗｎ）、現在位置が取得できない場合には過去の位置を要求する場合（Ｃｕｒｒｅｎｔ　ｏｒ　Ｌａｓｔ　ｋｎｏｗｎ）、過去の位置が取得できない場合には現在位置を要求する場合（Ｌａｓｔ　ｋｎｏｗｎ　ｏｒ　Ｃｕｒｒｅｎｔ）などの種別が考えられる。位置情報種別として過去の位置を要求する場合（Ｌａｓｔ　ｋｎｏｗｎ，　Ｃｕｒｒｅｎｔ　ｏｒ　Ｌａｓｔ　ｋｎｏｗｎ，　Ｌａｓｔ　ｋｎｏｗｎ　ｏｒ　Ｃｕｒｒｅｎｔのいずれかの場合）には、過去の位置情報に対する要求鮮度情報を伴う場合が考えられ、要求鮮度情報は何月何日何時何分何秒というような絶対時刻表記でその絶対時刻以降の位置情報が欲しいと指定する場合と、何分何秒前というように測位要求を送信した時刻に対する相対時間でその相対時間以内の位置情報が欲しいと指定する場合などの指定方法が考えられる。ＧＭＬＣ装置１１２は、必要に応じてｃｌｉｅｎｔ装置１１１の認証を行ない、認証に失敗した場合にはｃｌｉｅｎｔ装置１１１にエラーを通知する（図９のステップ２）。ｃｌｉｅｎｔ装置１１１からの測位要求の受付が許可された場合には、ＧＭＬＣ装置１１２は測位対象であるＵＥ１０５の情報を管理しているＨＬＲ／ＨＳＳ装置１０６に対して、ＵＥ１０５のプライバシ設定情報を保持しているＧＭＬＣ装置の情報を問い合わせる（図９のステップ３）。ＨＬＲ／ＨＳＳ装置１０６はＧＭＬＣ装置１１２からの要求を受け取ると、ＵＥ１０５のプライバシ設定情報を保持しているＧＭＬＣ装置がＧＭＬＣ装置１０２であるという情報をＧＭＬＣ装置１１２へ渡していいかどうかを判断し、渡しても良いと判断した場合にはＧＭＬＣ装置１０２の情報をＧＭＬＣ装置１１２へ送信する（図９のステップ４）。図９のステップ４において送信されるＧＭＬＣ装置１０２の情報とは、ＧＭＬＣ装置１０２のネットワークアドレスであるが、ＧＭＬＣ装置１０２の識別情報、ＧＭＬＣ装置１０２の具備する能力などの付加情報を一緒に送信することも可能である。図９のステップ１によりｃｌｉｅｎｔ装置１１１からの測位要求を受け取ったＧＭＬＣ装置１１２が、測位対象であるＵＥ１０５のプライバシ設定情報を保持しているＧＭＬＣ装置１０２のネットワークアドレス等の情報をすでに知っていた場合には、図９のステップ３および図９のステップ４は省略することも可能である。次にＧＭＬＣ装置１１２は、ｃｌｉｅｎｔ装置１１１からの測位要求をＵＥ装置１０５のプライバシ設定情報を保持しているＧＭＬＣ装置１０２に対して転送する（図９のステップ５）。ＧＭＬＣ装置１１２はｃｌｉｅｎｔ装置１１１からの測位要求をＧＭＬＣ装置１０２に転送する際に、ＧＭＬＣ装置１１２が保持しているｃｌｉｅｎｔ装置情報の一部を転送する場合もある。転送されるｃｌｉｅｎｔ装置情報には、位置情報の表記方法等のｃｌｉｅｎｔ装置１１１がサポートしている機能に関する情報が含まれる。また、転送される測位要求には、測位対象であるＵＥ１０５の電話番号等の識別情報、ｃｌｉｅｎｔ装置１１１の識別情報、要求する位置情報の種別、要求する位置情報の精度情報、要求する位置情報の鮮度情報などの付加情報が含まれている。転送されてきた測位要求を受け取ったＧＭＬＣ装置１０２は、ＧＭＬＣ装置１１２からの測位要求を受け付けるかどうかを判断し、受け付けないと判断した場合にはエラーをＧＭＬＣ装置１１２に送信する。測位要求を受け付けると判断した場合には、ＧＭＬＣ装置１０２は管理している測位対象のＵＥ１０５のプライバシ設定情報を参照しｃｌｉｅｎｔ装置１１１からの測位要求をＵＥ１０５が受け付けるかどうかを判断する（図９のステップ６）。ここで行なわれるプライバシチェックでは、ｃｌｉｅｎｔ装置１１１が要求する位置精度と、ＵＥ装置１０５がｃｌｉｅｎｔ装置１１１に渡すことを許可している位置精度との整合性のチェックなどが行なわれる。また、ＵＥ１０５が測位要求を受け付ける条件として通知もしくは確認を必要としているかどうかも確認する。ＧＭＬＣ装置１０２は、プライバシチェックの結果、ＵＥ装置１０５がｃｌｉｅｎｔ装置１１１からの測位要求を受け付けないと判断した場合には、ＧＭＬＣ装置１１２にエラーを通知し、エラー通知を受け取ったＧＭＬＣ装置１１２はｃｌｉｅｎｔ装置１１１にエラーを通知する。ＧＭＬＣ装置１０２は、プライバシチェックの結果、ＵＥ装置１０５がｃｌｉｅｎｔ装置１１１からの測位要求を測位要求を受け付けると判断した場合には、ＧＭＬＣ装置１０２は測位対象のＵＥ１０５の現在位置（Ｃｕｒｒｅｎｔ）が位置情報種別として要求されているかどうかを判断する。要求されている位置情報種別が、現在位置でなく過去の位置でも構わない場合（Ｌａｓｔ　ｋｎｏｗｎ，　Ｌａｓｔ　ｋｎｏｗｎ　ｏｒ　Ｃｕｒｒｅｎｔのどちらかの場合）には、ＧＭＬＣ装置１０２は測位対象のＵＥ装置１０５の過去の測位結果を保持していないかどうかをチェックし、過去の測位結果を保持している場合には過去の測位結果を再利用することができるかどうかを判断する（図９のステップ７）。過去の測位結果が再利用できるかどうかを判断する要素としては、ｃｌｉｅｎｔ装置１１１から要求されている位置情報の鮮度や精度などが考えられる。また、特定の時刻以降の測位結果である場合のみｃｌｉｅｎｔ装置１１１に渡してもよいというようなプライバシ設定等がある場合には、その条件を過去の測位結果が満たしているかどうかも確認する。過去の測位結果が要求される精度、要求される鮮度などの条件を満たし再利用が可能であると判断され、図９のステップ６におけるプライバシ設定の確認の結果、ＵＥ装置１０５への通知もしくは確認が不要であると判断された場合には、図９のステップ８から１２は省略される。図９のステップ６におけるプライバシ設定の確認の結果、ＵＥ装置１０５への通知もしくは確認が必要であると判断されていた場合には、ＧＭＬＣ装置１０２はＵＥ１０５が接続する地域無線網（ＲＡＮ）を管理するＳＧＳＮ／ＭＳＣ装置の情報をＨＬＲ／ＨＳＳ装置１０６に問い合わせる（図９のステップ８）。ＨＬＲ／ＨＳＳ装置１０６は、ＧＭＬＣ装置１０２からの問い合わせに対して、ＵＥ装置１０５が接続する地域無線網（ＲＡＮ）１０４を管理するＳＧＳＮ／ＭＳＣ装置１０３の情報を返信する（図９のステップ９）。ＨＬＲ／ＨＳＳ装置１０６からＳＧＳＮ／ＭＳＣ装置１０３の情報を受け取ることができなかった場合には、ＧＭＬＣ装置１０２はＧＭＬＣ装置１１２にエラーを通知し、エラー通知を受け取ったＧＭＬＣ装置１１２はｃｌｉｅｎｔ装置１１１にエラーを通知する。ＨＬＲ／ＨＳＳ装置１０６からＳＧＳＮ／ＭＳＣ装置１０３の情報を受け取ったＧＭＬＣ装置１０２は、ＳＧＳＮ／ＭＳＣ装置１０３に対してプライバシチェック要求メッセージを送信する（図９のステップ１０）。プライバシチェック要求メッセージには、ＵＥ１０５に対する通知だけが必要なのか確認（ＵＥ１０５からの測位を許可するという応答）も必要なのかの区別と、ｃｌｉｅｎｔ装置１１１の情報などＵＥ１０５に通知すべき情報が含まれている。プライバシ要求メッセージとしては、従来例における測位要求メッセージに特定のパラメータを付加して送信することで受信側であるＳＧＳＮ／ＭＳＣ装置１０３においてプライバシチェック要求メッセージであると判断することも可能であるし、プライバシチェック要求用に専用のメッセージを追加定義することも可能である。ＧＭＬＣ装置１０２からのプライバシチェック要求メッセージを受信したＳＧＳＮ／ＭＳＣ装置１０３は、ＵＥ装置１０５に対して通知もしくは確認処理を行なう（図９のステップ１１）。プライバシチェックを行なったＳＧＳＮ／ＭＳＣ装置１０３は、プライバシチェック結果をＧＭＬＣ装置１０２に送信する（図９のステップ１２）。ＳＧＳＮ／ＭＳＣ装置１０３におけるプライバシチェック結果が位置情報をｃｌｉｅｎｔ装置１１１に渡してはいけないという結果であった場合には、ＧＭＬＣ装置１０２はＧＭＬＣ装置１１２にエラーを通知し、エラー通知を受け取ったＧＭＬＣ装置１１２はｃｌｉｅｎｔ装置１１１にエラーを通知する。ＳＧＳＮ／ＭＳＣ装置１０３におけるプライバシチェック結果が位置情報をｃｌｉｅｎｔ装置１１１に渡してもよいという結果であった場合には、ＧＭＬＣ装置１０２は測位対象のＵＥ装置１０５のプライバシ設定を参照し、位置情報をｃｌｉｅｎｔ装置１１１に送信してよいかどうかを判断する（図９のステップ１３）。このプライバシチェックにおいては、ＵＥ装置１０５がｃｌｉｅｎｔ装置１１１に測位結果を渡しても良いと設定している時間帯や場所のチェックを行ない、測位が行なわれた時刻や場所がＵＥ装置１０５が許可している時間帯や場所でない場合には、ＧＭＬＣ装置１０２はＧＭＬＣ装置１１２にエラーを通知し、エラー通知を受け取ったＧＭＬＣ装置１１２はｃｌｉｅｎｔ装置１１１にエラーを通知する。
図９のステップ１３におけるプライバシチェックにおいて、測位結果の位置精度がＵＥ装置１０５がｃｌｉｅｎｔ装置１１１に提供することを許可している位置精度よりも良かった場合には、ＧＭＬＣ装置１０２において位置精度を劣化させる位置情報加工処理を行なうことも考えられる。図９のステップ１３におけるプライバシチェック結果が位置情報をｃｌｉｅｎｔ装置１１１に渡してもよいという結果であった場合には、ＧＭＬＣ装置１０２は測位結果をＧＭＬＣ装置１１２に転送する（図９のステップ１４）。ＧＭＬＣ装置１０２からの測位結果を受け取ったＧＭＬＣ装置１１２は、保持しているｃｌｉｅｎｔ装置１１１の情報に従って、位置の表現形式の変換等の測位結果の加工を行なった後、ｃｌｉｅｎｔ装置１１１に測位結果を送信し（図９のステップ１５）、測位処理を終了する。
【００９９】
【発明の第三の実施の形態】
本発明の第三の実施の形態について図面を参照して詳細に説明する。
【０１００】
【構成の説明】
図１０を参照すると、本発明の第三の実施の形態は、測位要求を移動通信ネットワークに対して送信するｃｌｉｅｎｔ装置１０１、１１１、１２１他複数のｃｌｉｅｎｔ装置と、移動通信ネットワークにおいてｃｌｉｅｎｔ装置からの測位要求を受け付けるゲートウェイ装置であるＧＭＬＣ装置１０２、１１２、１２２他複数のＧＭＬＣ装置と、ひとつもしくは複数の地域無線網を管理するＳＧＳＮ／ＭＳＣ装置１０３、１１３、１２３他複数のＳＧＳＮ／ＭＳＣ装置と、地域無線網（ＲＡＮ）１０４、１１４、１２４他複数の地域無線網（ＲＡＮ）と、測位対象となる移動機であるＵＥ装置１０５、１１５、１２５他複数のＵＥ装置と、各移動機の接続する地域無線網の情報を保持する移動機データベースであるＨＬＲ／ＨＳＳ装置１０６、１１６、１２６他複数のＨＬＲ／ＨＳＳ装置などの複数のノードから構成される。ここで地域無線網（ＲＡＮ）１０４、１１４、１２４は基地局や基地局制御装置など複数の装置から構成されるのが通常であるが、地域無線網の内部構成は本実施例に影響しないためここでは地域無線網としてまとめて取り扱うものとする。ｃｌｉｅｎｔ装置１０１、ＧＭＬＣ装置１０２、ＳＧＳＮ／ＭＳＣ装置１０３、ＲＡＮ１０４およびＨＬＲ／ＨＳＳ装置１０６から構成される移動通信ネットワークは、ｃｌｉｅｎｔ装置１１１、ＧＭＬＣ装置１１２、ＳＧＳＮ／ＭＳＣ装置１１３、ＲＡＮ１１４およびＨＬＲ／ＨＳＳ装置１１６から構成される移動通信ネットワークを運用する移動通信事業者と同じ移動通信事業者が運営する場合も考えられるし、異なる移動通信事業者が運営する場合も考えられる。ｃｌｉｅｎｔ装置１２１、ＧＭＬＣ装置１２２、ＳＧＳＮ／ＭＳＣ装置１２３、ＲＡＮ１２４およびＨＬＲ／ＨＳＳ装置１２６から構成される移動通信ネットワークに関しても同様に、他の移動通信ネットワークを運用する移動通信事業者と同じ移動通信事業者が運営する場合も考えられるし、異なる移動通信事業者が運営する場合も考えられる。ＵＥ装置１０５、１１５、１２５は地域無線網１０４、１１４、１２４他複数の地域無線網への接続を任意に切り替えられるものとする。本実施例においては、ＵＥ装置１０５が接続する地域無線網を管理するＳＧＳＮ／ＭＳＣ装置の情報はＨＬＲ／ＨＳＳ装置１０６に保持され、ＵＥ装置１１５が接続する地域無線網を管理するＳＧＳＮ／ＭＳＣ装置の情報はＨＬＲ装置１１６に保持され、ＵＥ装置１２５が接続する地域無線網を管理するＳＧＳＮ／ＭＳＣ装置の情報はＨＬＲ装置１２６に保持されるものとする。また、ＵＥ装置１０５のプライバシ保護に関する情報はＧＭＬＣ装置１０２に保持され、ＵＥ装置１１５のプライバシ保護に関する情報はＧＭＬＣ装置１１２に保持され、ＵＥ装置１２５のプライバシ保護に関する情報はＧＭＬＣ装置１２２に保持されるものとする。ＨＬＲ／ＨＳＳ装置１０６はＵＥ装置１０５のプライバシ保護に関する情報がＧＭＬＣ装置１０２に保持されていることを記憶しており、ＨＬＲ／ＨＳＳ装置１１６はＵＥ装置１１５のプライバシ保護に関する情報がＧＭＬＣ装置１１２に保持されていることを記憶しており、ＨＬＲ／ＨＳＳ装置１２６はＵＥ装置１２５のプライバシ保護に関する情報がＧＭＬＣ装置１２２に保持されていることを記憶している。ｃｌｉｅｎｔ装置１０１の情報はＧＭＬＣ装置１０２に保持され、ｃｌｉｅｎｔ装置１１１の情報はＧＭＬＣ装置１１２に保持され、ｃｌｉｅｎｔ装置１２１の情報はＧＭＬＣ装置１２２に保持される。本実施例においては、ＵＥ装置１０５が接続する移動通信ネットワークのＧＭＬＣ装置の情報がＨＬＲ／ＨＳＳ装置１０６に保持され、ＵＥ装置１１５が接続する移動通信ネットワークのＧＭＬＣ装置の情報がＨＬＲ装置１１６に保持され、ＵＥ装置１２５が接続する移動通信ネットワークのＧＭＬＣ装置の情報がＨＬＲ装置１２６に保持されるものとする。本実施の形態においては、ＵＥ装置１０５はＲＡＮ１２４に接続しているものとする。
【０１０１】
【動作の説明】
次に、図１０〜図１１を併せ参照して、本発明の第三の実施の形態における外部起動測位の動作を説明する。
【０１０２】
図１０および図１１を併せ参照して、ＵＥ装置１０５のプライバシ設定情報および過去の測位結果をＧＭＬＣ装置１０２が保持する場合に、ｃｌｉｅｎｔ装置１１１がＵＥ装置１０５の位置を取得するための動作を説明する。図１１は、ＧＭＬＣ装置１０２が保持している過去の測位結果を再利用する場合の、ネットワーク内の各ノードにおける処理および各ノード間で送受されるメッセージフローを示している。ｃｌｉｅｎｔ装置１１１は測位要求をＧＭＬＣ装置１１２に送信する（図１１のステップ１）。測位要求には、測位対象であるＵＥ１０５の電話番号等の識別情報、ｃｌｉｅｎｔ装置１１１の識別情報、要求する位置情報の種別、要求する位置情報の精度情報、要求する位置情報の鮮度情報などの付加情報が含まれている。要求位置情報の種別には、測位対象のＵＥ装置１０５の現在位置を要求する場合（Ｃｕｒｒｅｎｔ）、過去の位置を要求する場合（Ｌａｓｔ　ｋｎｏｗｎ）、現在位置が取得できない場合には過去の位置を要求する場合（Ｃｕｒｒｅｎｔ　ｏｒ　Ｌａｓｔ　ｋｎｏｗｎ）、過去の位置が取得できない場合には現在位置を要求する場合（Ｌａｓｔ　ｋｎｏｗｎ　ｏｒ　Ｃｕｒｒｅｎｔ）などの種別が考えられる。
位置情報種別として過去の位置を要求する場合（Ｌａｓｔ　ｋｎｏｗｎ，　Ｃｕｒｒｅｎｔ　ｏｒ　Ｌａｓｔ　ｋｎｏｗｎ，　Ｌａｓｔ　ｋｎｏｗｎ　ｏｒ　Ｃｕｒｒｅｎｔのいずれかの場合）には、過去の位置情報に対する要求鮮度情報を伴う場合が考えられ、要求鮮度情報は何月何日何時何分何秒というような絶対時刻表記でその絶対時刻以降の位置情報が欲しいと指定する場合と、何分何秒前というように測位要求を送信した時刻に対する相対時間でその相対時間以内の位置情報が欲しいと指定する場合などの指定方法が考えられる。ＧＭＬＣ装置１１２は、必要に応じてｃｌｉｅｎｔ装置１１１の認証を行ない（図１１のステップ２）、認証に失敗した場合にはｃｌｉｅｎｔ装置１１１にエラーを通知する。ｃｌｉｅｎｔ装置１１１からの測位要求の受付が許可された場合には、ＧＭＬＣ装置１１２は測位対象であるＵＥ１０５の情報を管理しているＨＬＲ／ＨＳＳ装置１０６に対して、ＵＥ１０５のプライバシ設定情報を保持しているＧＭＬＣ装置の情報を問い合わせる（図１１のステップ３）。ＨＬＲ／ＨＳＳ装置１０６はＧＭＬＣ装置１１２からの要求を受け取ると、ＵＥ１０５のプライバシ設定情報を保持しているＧＭＬＣ装置がＧＭＬＣ装置１０２であるという情報をＧＭＬＣ装置１１２へ渡していいかどうかを、通信ネットワークシステム間の契約内容に基づいて判断し、渡しても良いと判断した場合にはＧＭＬＣ装置１０２の情報をＧＭＬＣ装置１１２へ送信する（図１１のステップ４）。図１１のステップ４において送信されるＧＭＬＣ装置１０２の情報とは、ＧＭＬＣ装置１０２のネットワークアドレスであるが、ＧＭＬＣ装置１０２の識別情報、ＧＭＬＣ装置１０２の具備する能力などの付加情報を一緒に送信することも可能である。図１１のステップ１によりｃｌｉｅｎｔ装置１１１からの測位要求を受け取ったＧＭＬＣ装置１１２が、測位対象であるＵＥ１０５のプライバシ設定情報を保持しているＧＭＬＣ装置１０２のネットワークアドレス等の情報をすでに知っていた場合には、図１１のステップ３および図１１のステップ４は省略することも可能である。次にＧＭＬＣ装置１１２は、ｃｌｉｅｎｔ装置１１１からの測位要求をＵＥ装置１０５のプライバシ設定情報を保持しているＧＭＬＣ装置１０２に対して転送する（図１１のステップ５）。ＧＭＬＣ装置１１２はｃｌｉｅｎｔ装置１１１からの測位要求をＧＭＬＣ装置１０２に転送する際に、ＧＭＬＣ装置１１２が保持しているｃｌｉｅｎｔ装置情報の一部を転送する場合もある。転送されるｃｌｉｅｎｔ装置情報には、位置情報の表記方法等のｃｌｉｅｎｔ装置１１１がサポートしている機能に関する情報が含まれる。また、転送される測位要求には、測位対象であるＵＥ１０５の電話番号等の識別情報、ｃｌｉｅｎｔ装置１１１の識別情報、要求する位置情報の種別、要求する位置情報の精度情報、要求する位置情報の鮮度情報などの付加情報が含まれている。転送されてきた測位要求を受け取ったＧＭＬＣ装置１０２は、ＧＭＬＣ装置１１２からの測位要求を受け付けるかどうかを、あらかじめ測位要求を受け付け可能なＧＭＬＣのアドレスを設定してある一覧を参照して判断し、受け付けないと判断した場合にはエラーをＧＭＬＣ装置１１２に送信する。測位要求を受け付けると判断した場合には、ＧＭＬＣ装置１０２は管理している測位対象のＵＥ１０５のプライバシ設定情報を参照しｃｌｉｅｎｔ装置１１１からの測位要求をＵＥ１０５が受け付けるかどうかを判断する（図１１のステップ６）。ここで行なわれるプライバシチェックでは、ｃｌｉｅｎｔ装置１１１が要求する位置精度と、ＵＥ装置１０５がｃｌｉｅｎｔ装置１１１に渡すことを許可している位置精度との整合性のチェックなども行なわれる。また、ＵＥ１０５が測位要求を受け付ける条件として通知もしくは確認を必要としているかどうかも確認する。ＧＭＬＣ装置１０２は、プライバシチェックの結果、ＵＥ装置１０５がｃｌｉｅｎｔ装置１１１からの測位要求を受け付けないと判断した場合には、ＧＭＬＣ装置１１２にエラーを通知し、エラー通知を受け取ったＧＭＬＣ装置１１２はｃｌｉｅｎｔ装置１１１にエラーを通知する。ＧＭＬＣ装置１０２は、プライバシチェックの結果、ＵＥ装置１０５がｃｌｉｅｎｔ装置１１１からの測位要求を受け付けると判断した場合には、測位対象のＵＥ１０５の現在位置（Ｃｕｒｒｅｎｔ）が位置情報種別として要求されているかどうかを判断する。要求されている位置情報種別が、現在位置でなく過去の位置でも構わない場合（Ｌａｓｔ　ｋｎｏｗｎ，　Ｌａｓｔ　ｋｎｏｗｎ　ｏｒ　Ｃｕｒｒｅｎｔのどちらかの場合）には、ＧＭＬＣ装置１０２は測位対象のＵＥ装置１０５の過去の測位結果を保持していないかどうかをチェックし、過去の測位結果を保持している場合には過去の測位結果を再利用することができるかどうかを判断する（図１１のステップ７）。過去の測位結果が再利用できるかどうかを判断する要素としては、ｃｌｉｅｎｔ装置１１１から要求されている位置情報の鮮度や精度などが考えられる。また、特定の時刻以降の測位結果である場合のみｃｌｉｅｎｔ装置１１１に渡してもよいというようなプライバシ設定等がある場合には、その条件を過去の測位結果が満たしているかどうかも確認する。過去の測位結果が要求される精度、要求される鮮度などの条件を満たし再利用が可能であると判断され、図１１のステップ６におけるプライバシ設定の確認の結果、ＵＥ装置１０５への通知もしくは確認が不要であると判断された場合には、図１１のステップ８から１４は省略される。図１１のステップ６におけるプライバシ設定の確認の結果、ＵＥ装置１０５への通知もしくは確認が必要であると判断されていた場合には、ＧＭＬＣ装置１０２はＵＥ１０５が接続する地域無線網（ＲＡＮ）を管理するＳＧＳＮ／ＭＳＣ装置の情報をＨＬＲ／ＨＳＳ装置１０６に問い合わせる（図１１のステップ８）。ＨＬＲ／ＨＳＳ装置１０６は、ＧＭＬＣ装置１０２からの問い合わせに対して、ＵＥ装置１０５が接続する地域無線網（ＲＡＮ）１２４を管理するＳＧＳＮ／ＭＳＣ装置１２３の情報を返信する（図１１のステップ９）。ここでＨＬＲ／ＨＳＳ装置１０６は、ＵＥ装置１０５が接続する移動通信ネットワークのＧＭＬＣ装置１２２のネットワークアドレス等の情報を保持していた場合には、前記ＳＧＳＮ／ＭＳＣ装置１２３の情報と合わせてＧＭＬＣ装置１０２に返信する。ＧＭＬＣ装置１０２はＨＬＲ／ＨＳＳ装置１０６からＳＧＳＮ／ＭＳＣ装置１２３の情報を受け取ることができなかった場合には、ＧＭＬＣ装置１１２にエラーを通知し、エラー通知を受け取ったＧＭＬＣ装置１１２はｃｌｉｅｎｔ装置１１１にエラーを通知する。ＨＬＲ／ＨＳＳ装置１０６からＳＧＳＮ／ＭＳＣ装置１２３の情報と共にＧＭＬＣ装置１２２の情報を受け取った場合には、ＧＭＬＣ装置１０２はＧＭＬＣ装置１２２に対してプライバシチェック要求メッセージを送信する（図１１のステップ１０）。ＨＬＲ／ＨＳＳ装置１０６からＧＭＬＣ装置１２２の情報を受け取ることができなかった場合には、ＧＭＬＣ装置１０２は、ＳＧＳＮ／ＭＳＣ装置１２３に対してプライバシチェック要求メッセージを送信する。ＧＭＬＣ装置１０２からプライバシチェック要求メッセージを受け取ったＧＭＬＣ装置１２２は、ＳＧＳＮ／ＭＳＣ装置１２３に対してプライバシチェック要求メッセージを送信する（図１１のステップ１１）。プライバシチェック要求メッセージには、ＵＥ１０５に対する通知だけが必要なのか確認（ＵＥ１０５からの測位を許可するという応答）も必要なのかの区別と、ｃｌｉｅｎｔ装置１１１の情報などＵＥ１０５に通知すべき情報が含まれている。プライバシ要求メッセージとしては、従来例における測位要求メッセージに特定のパラメータを付加して送信することで受信側であるＳＧＳＮ／ＭＳＣ装置１２３においてプライバシチェック要求メッセージであると判断することも可能であるし、プライバシチェック要求用に専用のメッセージを追加定義することも可能である。ＧＭＬＣ装置１２２もしくはＧＭＬＣ装置１０２からのプライバシチェック要求メッセージを受信したＳＧＳＮ／ＭＳＣ装置１２３は、ＵＥ装置１０５に対して通知もしくは確認処理を行なう（図１１のステップ１２）。プライバシチェックを行なったＳＧＳＮ／ＭＳＣ装置１２３は、プライバシチェック結果をＧＭＬＣ装置１２２に送信する（図１１のステップ１３）。ＳＧＳＮ／ＭＳＣ装置１２３からのプライバシチェック結果を受信したＧＭＬＣ装置１２２は、プライバシチェック結果をＧＭＬＣ装置１０２に送信する（図１１のステップ１４）。図１１のステップ１３において、ＳＧＳＮ／ＭＳＣ装置１２３がプライバシチェック要求をＧＭＬＣ装置１０２から受け取っていた場合には、ＳＧＳＮ／ＭＳＣ装置１２３は、プライバシチェック結果をＧＭＬＣ装置１０２に送信する。ＳＧＳＮ／ＭＳＣ装置１２３におけるプライバシチェック結果が位置情報をｃｌｉｅｎｔ装置１１１に渡してはいけないという結果であった場合には、ＧＭＬＣ装置１０２はＧＭＬＣ装置１１２にエラーを通知し、エラー通知を受け取ったＧＭＬＣ装置１１２はｃｌｉｅｎｔ装置１１１にエラーを通知する。ＳＧＳＮ／ＭＳＣ装置１２３におけるプライバシチェック結果が位置情報をｃｌｉｅｎｔ装置１１１に渡してもよいという結果であった場合には、ＧＭＬＣ装置１０２は測位対象のＵＥ装置１０５のプライバシ設定を参照し、位置情報をｃｌｉｅｎｔ装置１１１に送信してよいかどうかを判断する（図１１のステップ１５）。このプライバシチェックにおいては、ＵＥ装置１０５がｃｌｉｅｎｔ装置１１１に測位結果を渡しても良いと設定している時間帯や場所のチェックを行ない、測位が行なわれた時刻や場所がＵＥ装置１０５が許可している時間帯や場所でない場合には、ＧＭＬＣ装置１０２はＧＭＬＣ装置１１２にエラーを通知し、エラー通知を受け取ったＧＭＬＣ装置１１２はｃｌｉｅｎｔ装置１１１にエラーを通知する。図１１のステップ１５におけるプライバシチェックにおいて、測位結果の位置精度がＵＥ装置１０５がｃｌｉｅｎｔ装置１１１に提供することを許可している位置精度よりも良かった場合には、ＧＭＬＣ装置１０２において位置精度を劣化させる位置情報加工処理を行なうことも考えられる。図１１のステップ１５におけるプライバシチェック結果が位置情報をｃｌｉｅｎｔ装置１１１に渡してもよいという結果であった場合には、ＧＭＬＣ装置１０２は測位結果をＧＭＬＣ装置１１２に転送する（図１１のステップ１６）。ＧＭＬＣ装置１０２からの測位結果を受け取ったＧＭＬＣ装置１１２は、保持しているｃｌｉｅｎｔ装置１１１の情報に従って、必要ならば位置の表現形式の変換等の測位結果の加工を行なった後、ｃｌｉｅｎｔ装置１１１に測位結果を送信し（図１１のステップ１７）、測位処理を終了する。
【０１０３】
【発明の第四の実施の形態】
本発明の第四の実施の形態について図面を参照して詳細に説明する。
【０１０４】
【構成の説明】
図１２を参照すると、本発明の第四の実施の形態は、測位要求を移動通信ネットワークに対して送信するｃｌｉｅｎｔ装置１０１、１１１他複数のｃｌｉｅｎｔ装置と、移動通信ネットワークにおいてｃｌｉｅｎｔ装置からの測位要求を受け付けるゲートウェイ装置であるＧＭＬＣ装置１０２、１１２他複数のＧＭＬＣ装置と、ひとつもしくは複数の地域無線網を管理するＳＧＳＮ／ＭＳＣ装置１０３、１１３他複数のＳＧＳＮ／ＭＳＣ装置と、地域無線網（ＲＡＮ）１０４、１１４他複数の地域無線網（ＲＡＮ）と、測位対象となる移動機であるＵＥ装置１０５、１１５他複数のＵＥ装置と、各移動機の接続する地域無線網の情報を保持する移動機データベースであるＨＬＲ／ＨＳＳ装置１０６、１１６他複数のＨＬＲ／ＨＳＳ装置などの複数のノードから構成される。ここで地域無線網（ＲＡＮ）１０４、１１４は基地局や基地局制御装置など複数の装置から構成されるのが通常であるが、地域無線網の内部構成は本実施例に影響しないためここでは地域無線網としてまとめて取り扱うものとする。ｃｌｉｅｎｔ装置１０１、ＧＭＬＣ装置１０２、ＳＧＳＮ／ＭＳＣ装置１０３、ＲＡＮ１０４およびＨＬＲ／ＨＳＳ装置１０６から構成される移動通信ネットワークは、ｃｌｉｅｎｔ装置１１１、ＧＭＬＣ装置１１２、ＳＧＳＮ／ＭＳＣ装置１１３、ＲＡＮ１１４およびＨＬＲ／ＨＳＳ装置１１６から構成される移動通信ネットワークを運用する移動通信事業者と同じ移動通信事業者が運営する場合も考えられるし、異なる移動通信事業者が運営する場合も考えられる。ＵＥ装置１０５、１１５は地域無線網１０４、１１４他複数の地域無線網への接続を任意に切り替えられるものとする。本実施例においては、ＵＥ装置１０５が接続する地域無線網を管理するＳＧＳＮ／ＭＳＣ装置の情報はＨＬＲ／ＨＳＳ装置１０６に保持され、ＵＥ装置１１５が接続する地域無線網を管理するＳＧＳＮ／ＭＳＣ装置の情報はＨＬＲ装置１１６に保持されるものとする。また、ＵＥ装置１０５のプライバシ保護に関する情報はＧＭＬＣ装置１０２に保持され、ＵＥ装置１１５のプライバシ保護に関する情報はＧＭＬＣ装置１１２に保持されるものとする。ＨＬＲ／ＨＳＳ装置１０６はＵＥ装置１０５のプライバシ保護に関する情報がＧＭＬＣ装置１０２に保持されていることを記憶しており、ＨＬＲ／ＨＳＳ装置１１６はＵＥ装置１１５のプライバシ保護に関する情報がＧＭＬＣ装置１１２に保持されていることを記憶している。ｃｌｉｅｎｔ装置１０１の情報はＧＭＬＣ装置１０２に保持され、ｃｌｉｅｎｔ装置１１１の情報はＧＭＬＣ装置１１２に保持される。本実施例においては、ＵＥ装置１０５が接続する移動通信ネットワークのＧＭＬＣ装置の情報がＨＬＲ／ＨＳＳ装置１０６に保持され、ＵＥ装置１１５が接続する移動通信ネットワークのＧＭＬＣ装置の情報がＨＬＲ装置１１６に保持されるものとする。本実施の形態においては、ＵＥ装置１０５はＲＡＮ１１４に接続しているものとする。
【０１０５】
【動作の説明】
次に、図１２〜図１３を併せ参照して、本発明の第四の実施の形態における外部起動測位の動作を説明する。
【０１０６】
図１２および図１３を併せ参照して、ＵＥ装置１０５のプライバシ設定情報および過去の測位結果をＧＭＬＣ装置１０２が保持する場合に、ｃｌｉｅｎｔ装置１０１がＵＥ装置１０５の位置を取得するための動作を説明する。図１３は、ＧＭＬＣ装置１０２が保持している過去の測位結果を再利用する場合の、ネットワーク内の各ノードにおける処理および各ノード間で送受されるメッセージフローを示している。ｃｌｉｅｎｔ装置１０１は測位要求をＧＭＬＣ装置１０２に送信する（図１３のステップ１）。
測位要求には、測位対象であるＵＥ１０５の電話番号等の識別情報、ｃｌｉｅｎｔ装置１０１の識別情報、要求する位置情報の種別、要求する位置情報の精度情報、要求する位置情報の鮮度情報などの付加情報が含まれている。要求位置情報の種別には、測位対象のＵＥ装置１０５の現在位置を要求する場合（Ｃｕｒｒｅｎｔ）、過去の位置を要求する場合（Ｌａｓｔ　ｋｎｏｗｎ）、現在位置が取得できない場合には過去の位置を要求する場合（Ｃｕｒｒｅｎｔ　ｏｒ　Ｌａｓｔ　ｋｎｏｗｎ）、過去の位置が取得できない場合には現在位置を要求する場合（Ｌａｓｔ　ｋｎｏｗｎ　ｏｒ　Ｃｕｒｒｅｎｔ）などの種別が考えられる。位置情報種別として過去の位置を要求する場合（Ｌａｓｔ　ｋｎｏｗｎ，　Ｃｕｒｒｅｎｔ　ｏｒ　Ｌａｓｔ　ｋｎｏｗｎ，　Ｌａｓｔ　ｋｎｏｗｎ　ｏｒ　Ｃｕｒｒｅｎｔのいずれかの場合）には、過去の位置情報に対する要求鮮度情報を伴う場合が考えられ、要求鮮度情報は何月何日何時何分何秒というような絶対時刻表記でその絶対時刻以降の位置情報が欲しいと指定する場合と、何分何秒前というように測位要求を送信した時刻に対する相対時間でその相対時間以内の位置情報が欲しいと指定する場合などの指定方法が考えられる。
ＧＭＬＣ装置１０２は、必要に応じてｃｌｉｅｎｔ装置１０１の認証を行ない（図１３のステップ２）、認証に失敗した場合にはｃｌｉｅｎｔ装置１０１にエラーを通知する。ｃｌｉｅｎｔ装置１０１からの測位要求の受付が許可された場合には、ＧＭＬＣ装置１０２は管理している測位対象のＵＥ１０５のプライバシ設定情報を参照しｃｌｉｅｎｔ装置１０１からの測位要求をＵＥ１０５が受け付けるかどうかを判断する（図１３のステップ３）。ここで行なわれるプライバシチェックでは、ｃｌｉｅｎｔ装置１０１が要求する位置精度と、ＵＥ装置１０５がｃｌｉｅｎｔ装置１０１に渡すことを許可している位置精度との整合性のチェックなども行なわれる。また、ＵＥ１０５が測位要求を受け付ける条件として通知もしくは確認を必要としているかどうかも確認する。ＧＭＬＣ装置１０２は、プライバシチェックの結果、ＵＥ装置１０５がｃｌｉｅｎｔ装置１０１からの測位要求を受け付けないと判断した場合には、ｃｌｉｅｎｔ装置１０１にエラーを通知する。ＧＭＬＣ装置１０２は、プライバシチェックの結果、ＵＥ装置１０５がｃｌｉｅｎｔ装置１０１からの測位要求を測位要求を受け付けると判断した場合には、測位対象のＵＥ１０５の現在位置（Ｃｕｒｒｅｎｔ）が位置情報種別として要求されているかどうかを判断する。要求されている位置情報種別が、現在位置でなく過去の位置でも構わない場合（Ｌａｓｔ　ｋｎｏｗｎ，　Ｌａｓｔ　ｋｎｏｗｎ　ｏｒ　Ｃｕｒｒｅｎｔのどちらかの場合）には、ＧＭＬＣ装置１０２は測位対象のＵＥ装置１０５の過去の測位結果を保持していないかどうかをチェックし、過去の測位結果を保持している場合には過去の測位結果を再利用することができるかどうかを判断する（図１３のステップ４）。過去の測位結果が再利用できるかどうかを判断する要素としては、ｃｌｉｅｎｔ装置１０１から要求されている位置情報の鮮度や精度などが考えられる。また、特定の時刻以降の測位結果である場合のみｃｌｉｅｎｔ装置１０１に渡してもよいというようなプライバシ設定等がある場合には、その条件を過去の測位結果が満たしているかどうかも確認する。過去の測位結果が要求される精度、要求される鮮度などの条件を満たし再利用が可能であると判断され、図１３のステップ３におけるプライバシ設定の確認の結果、ＵＥ装置１０５への通知もしくは確認が不要であると判断された場合には、図１３のステップ５から１１は省略される。図１３のステップ３におけるプライバシ設定の確認の結果、ＵＥ装置１０５への通知もしくは確認が必要であると判断されていた場合には、ＧＭＬＣ装置１０２はＵＥ１０５が接続する地域無線網（ＲＡＮ）を管理するＳＧＳＮ／ＭＳＣ装置の情報をＨＬＲ／ＨＳＳ装置１０６に問い合わせる（図１３のステップ５）。ＨＬＲ／ＨＳＳ装置１０６は、ＧＭＬＣ装置１０２からの問い合わせに対して、ＵＥ装置１０５が接続する地域無線網（ＲＡＮ）１１４を管理するＳＧＳＮ／ＭＳＣ装置１１３の情報を返信する（図１３のステップ６）。ここでＨＬＲ／ＨＳＳ装置１０６は、ＵＥ装置１０５が接続する移動通信ネットワークのＧＭＬＣ装置１１２のネットワークアドレス等の情報を保持していた場合には、前記ＳＧＳＮ／ＭＳＣ装置１１３の情報と合わせてＧＭＬＣ装置１０２に返信する。ＧＭＬＣ装置１０２はＨＬＲ／ＨＳＳ装置１０６からＳＧＳＮ／ＭＳＣ装置１１３の情報を受け取ることができなかった場合には、ｃｌｉｅｎｔ装置１０１にエラーを通知する。ＨＬＲ／ＨＳＳ装置１０６からＳＧＳＮ／ＭＳＣ装置１１３の情報と共にＧＭＬＣ装置１１２の情報を受け取った場合には、ＧＭＬＣ装置１０２はＧＭＬＣ装置１１２に対してプライバシチェック要求メッセージを送信する（図１３のステップ７）。ＨＬＲ／ＨＳＳ装置１０６からＧＭＬＣ装置１１２の情報を受け取ることができなかった場合には、ＧＭＬＣ装置１０２は、ＳＧＳＮ／ＭＳＣ装置１１３に対してプライバシチェック要求メッセージを送信する。ＧＭＬＣ装置１０２からプライバシチェック要求メッセージを受け取ったＧＭＬＣ装置１１２は、ＳＧＳＮ／ＭＳＣ装置１１３に対してプライバシチェック要求メッセージを送信する（図１３のステップ８）。プライバシチェック要求メッセージには、ＵＥ１０５に対する通知だけが必要なのか確認（ＵＥ１０５からの測位を許可するという応答）も必要なのかの区別と、ｃｌｉｅｎｔ装置１０１の情報などＵＥ１０５に通知すべき情報が含まれている。プライバシ要求メッセージとしては、従来例における測位要求メッセージに特定のパラメータを付加して送信することで受信側であるＳＧＳＮ／ＭＳＣ装置１１３においてプライバシチェック要求メッセージであると判断することも可能であるし、プライバシチェック要求用に専用のメッセージを追加定義することも可能である。ＧＭＬＣ装置１１２もしくはＧＭＬＣ装置１０２からのプライバシチェック要求メッセージを受信したＳＧＳＮ／ＭＳＣ装置１１３は、ＵＥ装置１０５に対して通知もしくは確認処理を行なう（図１３のステップ９）。プライバシチェックを行なったＳＧＳＮ／ＭＳＣ装置１１３は、プライバシチェック結果をＧＭＬＣ装置１１２に送信する（図１３のステップ１０）。ＳＧＳＮ／ＭＳＣ装置１１３からのプライバシチェック結果を受信したＧＭＬＣ装置１１２は、プライバシチェック結果をＧＭＬＣ装置１０２に送信する（図１３のステップ１１）。図１３のステップ１０において、ＳＧＳＮ／ＭＳＣ装置１１３がプライバシチェック要求をＧＭＬＣ装置１０２から受け取っていた場合には、ＳＧＳＮ／ＭＳＣ装置１１３は、プライバシチェック結果をＧＭＬＣ装置１０２に送信する。ＳＧＳＮ／ＭＳＣ装置１１３におけるプライバシチェック結果が位置情報をｃｌｉｅｎｔ装置１０１に渡してはいけないという結果であった場合には、ＧＭＬＣ装置１０２はｃｌｉｅｎｔ装置１０１にエラーを通知する。ＳＧＳＮ／ＭＳＣ装置１１３におけるプライバシチェック結果が位置情報をｃｌｉｅｎｔ装置１０１に渡してもよいという結果であった場合には、ＧＭＬＣ装置１０２は測位対象のＵＥ装置１０５のプライバシ設定を参照し、位置情報をｃｌｉｅｎｔ装置１０１に送信してよいかどうかを判断する（図１３のステップ１２）。このプライバシチェックにおいては、ＵＥ装置１０５がｃｌｉｅｎｔ装置１０１に測位結果を渡しても良いと設定している時間帯や場所のチェックを行ない、測位が行なわれた時刻や場所がＵＥ装置１０５が許可している時間帯や場所でない場合には、ＧＭＬＣ装置１０２はｃｌｉｅｎｔ装置１０１にエラーを通知する。図１３のステップ１２におけるプライバシチェックにおいて、測位結果の位置精度がＵＥ装置１０５がｃｌｉｅｎｔ装置１０１に提供することを許可している位置精度よりも良かった場合には、ＧＭＬＣ装置１０２において位置精度を劣化させる位置情報加工処理を行なうことも考えられる。図１３のステップ１２におけるプライバシチェック結果が位置情報をｃｌｉｅｎｔ装置１０１に渡してもよいという結果であった場合には、ＧＭＬＣ装置１０２は、保持しているｃｌｉｅｎｔ装置１０１の情報に従って、必要ならば位置の表現形式の変換等の測位結果の加工を行なった後、ｃｌｉｅｎｔ装置１０１に測位結果を送信し（図１３のステップ１３）、測位処理を終了する。
【０１０７】
【発明の第五の実施の形態】
本発明の第五の実施の形態について図面を参照して詳細に説明する。
【０１０８】
【構成の説明】
図１４を参照すると、本発明の第五の実施の形態は、測位要求を移動通信ネットワークに対して送信するｃｌｉｅｎｔ装置１０１、１１１他複数のｃｌｉｅｎｔ装置と、移動通信ネットワークにおいてｃｌｉｅｎｔ装置からの測位要求を受け付けるゲートウェイ装置であるＧＭＬＣ装置１０２、１１２他複数のＧＭＬＣ装置と、ひとつもしくは複数の地域無線網を管理するＳＧＳＮ／ＭＳＣ装置１０３、１１３他複数のＳＧＳＮ／ＭＳＣ装置と、地域無線網（ＲＡＮ）１０４、１１４他複数の地域無線網（ＲＡＮ）と、測位対象となる移動機であるＵＥ装置１０５、１１５他複数のＵＥ装置と、各移動機の接続する地域無線網の情報を保持する移動機データベースであるＨＬＲ／ＨＳＳ装置１０６、１１６他複数のＨＬＲ／ＨＳＳ装置などの複数のノードから構成される。ここで地域無線網（ＲＡＮ）１０４、１１４は基地局や基地局制御装置など複数の装置から構成されるのが通常であるが、地域無線網の内部構成は本実施例に影響しないためここでは地域無線網としてまとめて取り扱うものとする。ｃｌｉｅｎｔ装置１０１、ＧＭＬＣ装置１０２、ＳＧＳＮ／ＭＳＣ装置１０３、ＲＡＮ１０４およびＨＬＲ／ＨＳＳ装置１０６から構成される移動通信ネットワークは、ｃｌｉｅｎｔ装置１１１、ＧＭＬＣ装置１１２、ＳＧＳＮ／ＭＳＣ装置１１３、ＲＡＮ１１４およびＨＬＲ／ＨＳＳ装置１１６から構成される移動通信ネットワークを運用する移動通信事業者と同じ移動通信事業者が運営する場合も考えられるし、異なる移動通信事業者が運営する場合も考えられる。ＵＥ装置１０５、１１５は地域無線網１０４、１１４他複数の地域無線網への接続を任意に切り替えられるものとする。本実施例においては、ＵＥ装置１０５が接続する地域無線網を管理するＳＧＳＮ／ＭＳＣ装置の情報はＨＬＲ／ＨＳＳ装置１０６に保持され、ＵＥ装置１１５が接続する地域無線網を管理するＳＧＳＮ／ＭＳＣ装置の情報はＨＬＲ装置１１６に保持されるものとする。また、ＵＥ装置１０５のプライバシ保護に関する情報はＧＭＬＣ装置１０２に保持され、ＵＥ装置１１５のプライバシ保護に関する情報はＧＭＬＣ装置１１２に保持されるものとする。ＨＬＲ／ＨＳＳ装置１０６はＵＥ装置１０５のプライバシ保護に関する情報がＧＭＬＣ装置１０２に保持されていることを記憶しており、ＨＬＲ／ＨＳＳ装置１１６はＵＥ装置１１５のプライバシ保護に関する情報がＧＭＬＣ装置１１２に保持されていることを記憶している。ｃｌｉｅｎｔ装置１０１の情報はＧＭＬＣ装置１０２に保持され、ｃｌｉｅｎｔ装置１１１の情報はＧＭＬＣ装置１１２に保持される。本実施例においては、ＵＥ装置１０５が接続する移動通信ネットワークのＧＭＬＣ装置の情報がＨＬＲ／ＨＳＳ装置１０６に保持され、ＵＥ装置１１５が接続する移動通信ネットワークのＧＭＬＣ装置の情報がＨＬＲ装置１１６に保持されるものとする。本実施の形態においては、ＵＥ装置１０５はＲＡＮ１１４に接続しているものとする。
【０１０９】
【動作の説明】
次に、図１４〜図１５を併せ参照して、本発明の第五の実施の形態における外部起動測位の動作を説明する。
【０１１０】
図１４および図１５を併せ参照して、ＵＥ装置１０５のプライバシ設定情報および過去の測位結果をＧＭＬＣ装置１０２が保持する場合に、ｃｌｉｅｎｔ装置１１１がＵＥ装置１０５の位置を取得するための動作を説明する。図１５は、ＧＭＬＣ装置１０２が保持している過去の測位結果を再利用する場合の、ネットワーク内の各ノードにおける処理および各ノード間で送受されるメッセージフローを示している。ｃｌｉｅｎｔ装置１１１は測位要求をＧＭＬＣ装置１１２に送信する（図１５のステップ１）。測位要求には、測位対象であるＵＥ１０５の電話番号等の識別情報、ｃｌｉｅｎｔ装置１１１の識別情報、要求する位置情報の種別、要求する位置情報の精度情報、要求する位置情報の鮮度情報などの付加情報が含まれている。要求位置情報の種別には、測位対象のＵＥ装置１０５の現在位置を要求する場合（Ｃｕｒｒｅｎｔ）、過去の位置を要求する場合（Ｌａｓｔ　ｋｎｏｗｎ）、現在位置が取得できない場合には過去の位置を要求する場合（Ｃｕｒｒｅｎｔ　ｏｒ　Ｌａｓｔ　ｋｎｏｗｎ）、過去の位置が取得できない場合には現在位置を要求する場合（Ｌａｓｔ　ｋｎｏｗｎ　ｏｒ　Ｃｕｒｒｅｎｔ）などの種別が考えられる。
位置情報種別として過去の位置を要求する場合（Ｌａｓｔ　ｋｎｏｗｎ，　Ｃｕｒｒｅｎｔ　ｏｒ　Ｌａｓｔ　ｋｎｏｗｎ，　Ｌａｓｔ　ｋｎｏｗｎ　ｏｒ　Ｃｕｒｒｅｎｔのいずれかの場合）には、過去の位置情報に対する要求鮮度情報を伴う場合が考えられ、要求鮮度情報は何月何日何時何分何秒というような絶対時刻表記でその絶対時刻以降の位置情報が欲しいと指定する場合と、何分何秒前というように測位要求を送信した時刻に対する相対時間でその相対時間以内の位置情報が欲しいと指定する場合などの指定方法が考えられる。ＧＭＬＣ装置１１２は、必要に応じてｃｌｉｅｎｔ装置１１１の認証を行ない（図１５のステップ２）、認証に失敗した場合にはｃｌｉｅｎｔ装置１１１にエラーを通知する。ｃｌｉｅｎｔ装置１１１からの測位要求の受付が許可された場合には、ＧＭＬＣ装置１１２は測位対象であるＵＥ１０５の情報を管理しているＨＬＲ／ＨＳＳ装置１０６に対して、ＵＥ１０５のプライバシ設定情報を保持しているＧＭＬＣ装置の情報を問い合わせる（図１５のステップ３）。ＨＬＲ／ＨＳＳ装置１０６はＧＭＬＣ装置１１２からの要求を受け取ると、ＵＥ１０５のプライバシ設定情報を保持しているＧＭＬＣ装置がＧＭＬＣ装置１０２であるという情報をＧＭＬＣ装置１１２へ渡していいかどうかを判断し、渡しても良いと判断した場合にはＧＭＬＣ装置１０２の情報をＧＭＬＣ装置１１２へ送信する（図１５のステップ４）。図１１のステップ４において送信されるＧＭＬＣ装置１０２の情報とは、ＧＭＬＣ装置１０２のネットワークアドレスであるが、ＧＭＬＣ装置１０２の識別情報、ＧＭＬＣ装置１０２の具備する能力などの付加情報を一緒に送信することも可能である。図１５のステップ１によりｃｌｉｅｎｔ装置１１１からの測位要求を受け取ったＧＭＬＣ装置１１２が、測位対象であるＵＥ１０５のプライバシ設定情報を保持しているＧＭＬＣ装置１０２のネットワークアドレス等の情報をすでに知っていた場合には、図１５のステップ３および図１５のステップ４は省略することも可能である。次にＧＭＬＣ装置１１２は、ｃｌｉｅｎｔ装置１１１からの測位要求をＵＥ装置１０５のプライバシ設定情報を保持しているＧＭＬＣ装置１０２に対して転送する（図１５のステップ５）。ＧＭＬＣ装置１１２はｃｌｉｅｎｔ装置１１１からの測位要求をＧＭＬＣ装置１０２に転送する際に、ＧＭＬＣ装置１１２が保持しているｃｌｉｅｎｔ装置情報の一部を転送する場合もある。転送されるｃｌｉｅｎｔ装置情報には、位置情報の表記方法等のｃｌｉｅｎｔ装置１１１がサポートしている機能に関する情報が含まれる。また、転送される測位要求には、測位対象であるＵＥ１０５の電話番号等の識別情報、ｃｌｉｅｎｔ装置１１１の識別情報、要求する位置情報の種別、要求する位置情報の精度情報、要求する位置情報の鮮度情報などの付加情報が含まれている。転送されてきた測位要求を受け取ったＧＭＬＣ装置１０２は、ＧＭＬＣ装置１１２からの測位要求を受け付けるかどうかを判断し、受け付けないと判断した場合にはエラーをＧＭＬＣ装置１１２に送信する。測位要求を受け付けると判断した場合には、ＧＭＬＣ装置１０２は管理している測位対象のＵＥ１０５のプライバシ設定情報を参照しｃｌｉｅｎｔ装置１１１からの測位要求をＵＥ１０５が受け付けるかどうかを判断する（図１５のステップ６）。ここで行なわれるプライバシチェックでは、ｃｌｉｅｎｔ装置１１１が要求する位置精度と、ＵＥ装置１０５がｃｌｉｅｎｔ装置１１１に渡すことを許可している位置精度との整合性のチェックなども行なわれる。また、ＵＥ１０５が測位要求を受け付ける条件として通知もしくは確認を必要としているかどうかも確認する。ＧＭＬＣ装置１０２は、プライバシチェックの結果、ＵＥ装置１０５がｃｌｉｅｎｔ装置１１１からの測位要求を受け付けないと判断した場合には、ＧＭＬＣ装置１１２にエラーを通知し、エラー通知を受け取ったＧＭＬＣ装置１１２はｃｌｉｅｎｔ装置１１１にエラーを通知する。ＧＭＬＣ装置１０２は、プライバシチェックの結果、ＵＥ装置１０５がｃｌｉｅｎｔ装置１１１からの測位要求を測位要求を受け付けると判断した場合には、測位対象のＵＥ１０５の現在位置（Ｃｕｒｒｅｎｔ）が位置情報種別として要求されているかどうかを判断する。要求されている位置情報種別が、現在位置でなく過去の位置でも構わない場合（Ｌａｓｔ　ｋｎｏｗｎ，　Ｌａｓｔ　ｋｎｏｗｎ　ｏｒ　Ｃｕｒｒｅｎｔのどちらかの場合）には、ＧＭＬＣ装置１０２は測位対象のＵＥ装置１０５の過去の測位結果を保持していないかどうかをチェックし、過去の測位結果を保持している場合には過去の測位結果を再利用することができるかどうかを判断する（図１５のステップ７）。過去の測位結果が再利用できるかどうかを判断する要素としては、ｃｌｉｅｎｔ装置１１１から要求されている位置情報の鮮度や精度などが考えられる。また、特定の時刻以降の測位結果である場合のみｃｌｉｅｎｔ装置１１１に渡してもよいというようなプライバシ設定等がある場合には、その条件を過去の測位結果が満たしているかどうかも確認する。過去の測位結果が要求される精度、要求される鮮度などの条件を満たし再利用が可能であると判断され、図１５のステップ６におけるプライバシ設定の確認の結果、ＵＥ装置１０５への通知もしくは確認が不要であると判断された場合には、図１５のステップ８から１４は省略される。図１５のステップ６におけるプライバシ設定の確認の結果、ＵＥ装置１０５への通知もしくは確認が必要であると判断されていた場合には、ＧＭＬＣ装置１０２はＵＥ１０５が接続する地域無線網（ＲＡＮ）を管理するＳＧＳＮ／ＭＳＣ装置の情報をＨＬＲ／ＨＳＳ装置１０６に問い合わせる（図１５のステップ８）。ＨＬＲ／ＨＳＳ装置１０６は、ＧＭＬＣ装置１０２からの問い合わせに対して、ＵＥ装置１０５が接続する地域無線網（ＲＡＮ）１１４を管理するＳＧＳＮ／ＭＳＣ装置１１３の情報を返信する（図１５のステップ９）。ここでＨＬＲ／ＨＳＳ装置１０６は、ＵＥ装置１０５が接続する移動通信ネットワークのＧＭＬＣ装置１１２のネットワークアドレス等の情報を保持していた場合には、前記ＳＧＳＮ／ＭＳＣ装置１１３の情報と合わせてＧＭＬＣ装置１０２に返信する。ＧＭＬＣ装置１０２はＨＬＲ／ＨＳＳ装置１０６からＳＧＳＮ／ＭＳＣ装置１１３の情報を受け取ることができなかった場合には、ＧＭＬＣ装置１１２にエラーを通知し、エラー通知を受け取ったＧＭＬＣ装置１１２はｃｌｉｅｎｔ装置１１１にエラーを通知する。ＨＬＲ／ＨＳＳ装置１０６からＳＧＳＮ／ＭＳＣ装置１１３の情報と共にＧＭＬＣ装置１１２の情報を受け取った場合には、ＧＭＬＣ装置１０２はＧＭＬＣ装置１１２に対してプライバシチェック要求メッセージを送信する（図１５のステップ１０）。ＨＬＲ／ＨＳＳ装置１０６からＧＭＬＣ装置１１２の情報を受け取ることができなかった場合には、ＧＭＬＣ装置１０２は、ＳＧＳＮ／ＭＳＣ装置１１３に対してプライバシチェック要求メッセージを送信する。ＧＭＬＣ装置１０２からプライバシチェック要求メッセージを受け取ったＧＭＬＣ装置１１２は、ＳＧＳＮ／ＭＳＣ装置１１３に対してプライバシチェック要求メッセージを送信する（図１５のステップ１１）。プライバシチェック要求メッセージには、ＵＥ１０５に対する通知だけが必要なのか確認（ＵＥ１０５からの測位を許可するという応答）も必要なのかの区別と、ｃｌｉｅｎｔ装置１１１の情報などＵＥ１０５に通知すべき情報が含まれている。プライバシ要求メッセージとしては、従来例における測位要求メッセージに特定のパラメータを付加して送信することで受信側であるＳＧＳＮ／ＭＳＣ装置１１３においてプライバシチェック要求メッセージであると判断することも可能であるし、プライバシチェック要求用に専用のメッセージを追加定義することも可能である。ＧＭＬＣ装置１１２もしくはＧＭＬＣ装置１０２からのプライバシチェック要求メッセージを受信したＳＧＳＮ／ＭＳＣ装置１１３は、ＵＥ装置１０５に対して通知もしくは確認処理を行なう（図１５のステップ１２）。プライバシチェックを行なったＳＧＳＮ／ＭＳＣ装置１１３は、プライバシチェック結果をＧＭＬＣ装置１１２に送信する（図１５のステップ１３）。ＳＧＳＮ／ＭＳＣ装置１１３からのプライバシチェック結果を受信したＧＭＬＣ装置１１２は、プライバシチェック結果をＧＭＬＣ装置１０２に送信する（図１５のステップ１４）。図１５のステップ１３において、ＳＧＳＮ／ＭＳＣ装置１１３がプライバシチェック要求をＧＭＬＣ装置１０２から受け取っていた場合には、ＳＧＳＮ／ＭＳＣ装置１１３は、プライバシチェック結果をＧＭＬＣ装置１０２に送信する。ＳＧＳＮ／ＭＳＣ装置１１３におけるプライバシチェック結果が位置情報をｃｌｉｅｎｔ装置１１１に渡してはいけないという結果であった場合には、ＧＭＬＣ装置１０２はＧＭＬＣ装置１１２にエラーを通知し、エラー通知を受け取ったＧＭＬＣ装置１１２はｃｌｉｅｎｔ装置１１１にエラーを通知する。ＳＧＳＮ／ＭＳＣ装置１１３におけるプライバシチェック結果が位置情報をｃｌｉｅｎｔ装置１１１に渡してもよいという結果であった場合には、ＧＭＬＣ装置１０２は測位対象のＵＥ装置１０５のプライバシ設定を参照し、位置情報をｃｌｉｅｎｔ装置１１１に送信してよいかどうかを判断する（図１５のステップ１５）。このプライバシチェックにおいては、ＵＥ装置１０５がｃｌｉｅｎｔ装置１１１に測位結果を渡しても良いと設定している時間帯や場所のチェックを行ない、測位が行なわれた時刻や場所がＵＥ装置１０５が許可している時間帯や場所でない場合には、ＧＭＬＣ装置１０２はＧＭＬＣ装置１１２にエラーを通知し、エラー通知を受け取ったＧＭＬＣ装置１１２はｃｌｉｅｎｔ装置１１１にエラーを通知する。図１５のステップ１５におけるプライバシチェックにおいて、測位結果の位置精度がＵＥ装置１０５がｃｌｉｅｎｔ装置１１１に提供することを許可している位置精度よりも良かった場合には、ＧＭＬＣ装置１０２において位置精度を劣化させる位置情報加工処理を行なうことも考えられる。図１５のステップ１５におけるプライバシチェック結果が位置情報をｃｌｉｅｎｔ装置１１１に渡してもよいという結果であった場合には、ＧＭＬＣ装置１０２は測位結果をＧＭＬＣ装置１１２に転送する（図１５のステップ１６）。ＧＭＬＣ装置１０２からの測位結果を受け取ったＧＭＬＣ装置１１２は、保持しているｃｌｉｅｎｔ装置１１１の情報に従って、必要ならば位置の表現形式の変換等の測位結果の加工を行なった後、ｃｌｉｅｎｔ装置１１１に測位結果を送信し（図１５のステップ１７）、測位処理を終了する。
【０１１１】
【発明の第六の実施の形態】
本発明の第六の実施の形態について図面を参照して詳細に説明する。
【０１１２】
【構成の説明】
図１６を参照すると、本発明の第六の実施の形態は、測位要求を移動通信ネットワークに対して送信するｃｌｉｅｎｔ装置１０１他複数のｃｌｉｅｎｔ装置と、移動通信ネットワークにおいてｃｌｉｅｎｔ装置からの測位要求を受け付けるゲートウェイ装置であるＧＭＬＣ装置１０２等ひとつもしくは複数のＧＭＬＣ装置と、ひとつもしくは複数の地域無線網を管理するＳＧＳＮ／ＭＳＣ装置１０３他複数のＳＧＳＮ／ＭＳＣ装置と、地域無線網（ＲＡＮ）１０４他複数の地域無線網（ＲＡＮ）と、測位対象となる移動機であるＵＥ装置１０５他複数のＵＥ装置と、各移動機の接続する地域無線網の情報を保持する移動機データベースであるＨＬＲ／ＨＳＳ装置１０６他複数のＨＬＲ／ＨＳＳ装置と、ＵＥ装置１０５他複数のＵＥ装置のプライバシ設定情報を保持するＰＰＲ装置１０７等のひとつもしくは複数のＰＰＲ装置などの複数のノードから構成される。ここで地域無線網（ＲＡＮ）１０４は基地局や基地局制御装置など複数の装置から構成されるのが通常であるが、地域無線網の内部構成は本実施例に影響しないためここでは地域無線網としてまとめて取り扱うものとする。ＵＥ装置１０５は地域無線網１０４他複数の地域無線網への接続を任意に切り替えられるものとする。本実施例においては、ＵＥ装置１０５が接続する地域無線網を管理するＳＧＳＮ／ＭＳＣ装置の情報はＨＬＲ／ＨＳＳ装置１０６に保持されるものとする。また、ＵＥ装置１０５のプライバシ保護に関する情報はＰＰＲ装置１０７に保持されるものとする。ＨＬＲ／ＨＳＳ装置１０６はＵＥ装置１０５のプライバシ設定情報を保持するＰＰＲ装置１０７がＧＭＬＣ装置１０２に接続されていることを記憶している。またＨＬＲ／ＨＳＳ装置１０６はＵＥ装置１０５のプライバシ設定情報を保持するＰＰＲ装置１０７のネットワークアドレス等の情報を記憶している場合もある。ｃｌｉｅｎｔ装置１０１の情報はＧＭＬＣ装置１０２に保持される。本実施の形態においては、ＵＥ装置１０５はＲＡＮ１０４に接続しているものとする。
本実施の形態は、第一の実施の形態においてＵＥ装置のプライバシ保護のためのプライバシ設定情報をＧＭＬＣ装置１０２ではなく、ＰＰＲ装置１０７で保持する場合の実施の形態である。
【０１１３】
【動作の説明】
次に、図１６および図２１、図２２を併せ参照して、本発明の第六の実施の形態における外部起動測位の動作を説明する。
【０１１４】
図１６および図２１を併せ参照して、ＵＥ装置１０５の過去の測位結果をＰＰＲ装置１０７が保持する場合に、ｃｌｉｅｎｔ装置１０１がＵＥ装置１０５の位置を取得するための動作を説明する。図２１は、ＰＰＲ装置１０７が保持している過去の測位結果を再利用する場合の、ネットワーク内の各ノードにおける処理および各ノード間で送受されるメッセージフローを示している。ｃｌｉｅｎｔ装置１０１は測位要求をＧＭＬＣ装置１０２に送信する（図２１のステップ１）。測位要求には、測位対象であるＵＥ１０５の電話番号等の識別情報、ｃｌｉｅｎｔ装置１０１の識別情報、要求する位置情報の種別、要求する位置情報の精度情報、要求する位置情報の鮮度情報などの付加情報が含まれている。要求位置情報の種別には、測位対象のＵＥ装置１０５の現在位置を要求する場合（Ｃｕｒｒｅｎｔ）、過去の位置を要求する場合（Ｌａｓｔ　ｋｎｏｗｎ）、現在位置が取得できない場合には過去の位置を要求する場合（Ｃｕｒｒｅｎｔ　ｏｒ　Ｌａｓｔ　ｋｎｏｗｎ）、過去の位置が取得できない場合には現在位置を要求する場合（Ｌａｓｔ　ｋｎｏｗｎ　ｏｒ　Ｃｕｒｒｅｎｔ）などの種別が考えられる。位置情報種別として過去の位置を要求する場合（Ｌａｓｔ　ｋｎｏｗｎ，　Ｃｕｒｒｅｎｔ　ｏｒ　Ｌａｓｔ　ｋｎｏｗｎ，　Ｌａｓｔ　ｋｎｏｗｎ　ｏｒ　Ｃｕｒｒｅｎｔのいずれかの場合）には、過去の位置情報に対する要求鮮度情報を伴う場合が考えられ、要求鮮度情報は何月何日何時何分何秒というような絶対時刻表記でその絶対時刻以降の位置情報が欲しいと指定する場合と、何分何秒前というように測位要求を送信した時刻に対する相対時間でその相対時間以内の位置情報が欲しいと指定する場合などの指定方法が考えられる。ＧＭＬＣ装置１０２は、必要に応じてｃｌｉｅｎｔ装置１０１の認証を行ない（図２１のステップ２）、認証に失敗した場合にはｃｌｉｅｎｔ装置１０１にエラーを通知する。ｃｌｉｅｎｔ装置１０１からの測位要求の受付が許可された場合には、ＧＭＬＣ装置１０２は測位対象であるＵＥ装置１０５のプライバシ情報を管理しているＰＰＲ装置１０７に測位処理許可要求を送信する（図２１のステップ３）。ここで、ＧＭＬＣ装置１０２がＵＥ装置１０５のプライバシ情報を管理しているＰＰＲ装置１０７のネットワークアドレス等の情報を保持していない場合には、図２１のステップ７およびステップ８を先に実行し、ＨＬＲ／ＨＳＳ装置１０６からＰＰＲ装置１０７の情報を取得する。ＧＭＬＣ装置１０２からの測位処理許可要求には、測位対象であるＵＥ１０５の電話番号等の識別情報、ｃｌｉｅｎｔ装置１１１の識別情報、要求する位置情報の種別、要求する位置情報の精度情報、要求する位置情報の鮮度情報などの付加情報が含まれている。測位処理許可要求を受け取ったＰＰＲ装置１０７は、ＧＭＬＣ装置１０２からの測位処理許可要求を受け付けるかどうかを、例えば同じオペレータ（通信運用者）内のＧＭＬＣであるかどうかに基づいて判断し、受け付けないと判断した場合にはエラーをＧＭＬＣ装置１０２に送信する。測位処理許可要求を受け付けると判断した場合には、ＰＰＲ装置１０７は管理している測位対象のＵＥ１０５のプライバシ設定情報を参照しｃｌｉｅｎｔ装置１０１からの測位要求をＵＥ１０５が受け付けるかどうかを判断する（図２１のステップ４）。ここで行なわれるプライバシチェックでは、ｃｌｉｅｎｔ装置１０１が要求する位置精度と、ＵＥ装置１０５がｃｌｉｅｎｔ装置１０１に渡すことを許可している位置精度との整合性のチェックなども行なわれる。また、ＵＥ１０５が測位要求を受け付ける条件として通知もしくは確認を必要としているかどうかも確認する。ＰＰＲ装置１０７は、プライバシチェックの結果、ＵＥ装置１０５がｃｌｉｅｎｔ装置１０１からの測位要求を受け付けないと判断した場合には、測位処理許可要求の応答としてＧＭＬＣ装置１０２にエラーを通知し、エラー通知を受け取ったＧＭＬＣ装置１０２はｃｌｉｅｎｔ装置１０１にエラーを通知する。ＰＰＲ装置１０７は、プライバシチェックの結果、ＵＥ装置１０５がｃｌｉｅｎｔ装置１０１からの測位要求を測位要求を受け付けると判断した場合には、測位対象のＵＥ１０５の現在位置（Ｃｕｒｒｅｎｔ）が位置情報種別として要求されているかどうかを判断する。要求されている位置情報種別が、現在位置でなく過去の位置でも構わない場合（Ｌａｓｔ　ｋｎｏｗｎ，　Ｌａｓｔ　ｋｎｏｗｎ　ｏｒ　Ｃｕｒｒｅｎｔのどちらかの場合）には、ＰＰＲ装置１０７は測位対象のＵＥ装置１０５の過去の測位結果を保持していないかどうかをチェックし、過去の測位結果を保持している場合には過去の測位結果を再利用することができるかどうかを判断する（図２１のステップ５）。過去の測位結果が再利用できるかどうかを判断する要素としては、ｃｌｉｅｎｔ装置１０１から要求されている位置情報の鮮度や精度などが考えられる。また、特定の時刻以降の測位結果である場合のみｃｌｉｅｎｔ装置１０１に渡してもよいというようなプライバシ設定等がある場合には、その条件を過去の測位結果が満たしているかどうかも確認する。過去の測位結果が要求される精度、要求される鮮度などの条件を満たし再利用が可能であると判断された場合には、ＰＰＲ装置１０７は、プライバシチェックの結果と共に過去の測位結果を測位処理許可要求の応答としてＧＭＬＣ装置１０２に送信する（図２１のステップ６）。図２１のステップ４におけるプライバシ設定の確認の結果、ＵＥ装置１０５への通知もしくは確認が不要であると判断された場合には、図２１のステップ７から１１は省略される。図２１のステップ４におけるプライバシ設定の確認の結果、ＵＥ装置１０５への通知もしくは確認が必要であると判断されていた場合には、ＰＰＲ装置１０７からの測位処理許可要求に対する応答を受信したＧＭＬＣ装置１０２は、ＵＥ１０５が接続する地域無線網（ＲＡＮ）を管理するＳＧＳＮ／ＭＳＣ装置の情報をＨＬＲ／ＨＳＳ装置１０６に問い合わせる（図２１のステップ７）。ＨＬＲ／ＨＳＳ装置１０６は、ＧＭＬＣ装置１０２からの問い合わせに対して、ＵＥ装置１０５が接続する地域無線網（ＲＡＮ）１０４を管理するＳＧＳＮ／ＭＳＣ装置１０３の情報を返信する（図２１のステップ８）。ＧＭＬＣ装置１０２はＨＬＲ／ＨＳＳ装置１０６からＳＧＳＮ／ＭＳＣ装置１０３の情報を受け取ることができなかった場合には、ｃｌｉｅｎｔ装置１０１にエラーを通知する。ＧＭＬＣ装置１０２は、ＳＧＳＮ／ＭＳＣ装置１０３に対してプライバシチェック要求メッセージを送信する（図２１のステップ９）。プライバシチェック要求メッセージには、ＵＥ１０５に対する通知だけが必要なのか確認（ＵＥ１０５からの測位を許可するという応答）も必要なのかの区別と、ｃｌｉｅｎｔ装置１０１の情報などＵＥ１０５に通知すべき情報が含まれている。プライバシ要求メッセージとしては、従来例における測位要求メッセージに特定のパラメータを付加して送信することで受信側であるＳＧＳＮ／ＭＳＣ装置１０３においてプライバシチェック要求メッセージであると判断することも可能であるし、プライバシチェック要求用に専用のメッセージを追加定義することも可能である。ＧＭＬＣ装置１０２からのプライバシチェック要求メッセージを受信したＳＧＳＮ／ＭＳＣ装置１０３は、ＵＥ装置１０５に対して通知もしくは確認処理を行なう（図２１のステップ１０）。プライバシチェックを行なったＳＧＳＮ／ＭＳＣ装置１０３は、プライバシチェック結果をＧＭＬＣ装置１０２に送信する（図２１のステップ１１）。ＳＧＳＮ／ＭＳＣ装置１０３におけるプライバシチェック結果が位置情報をｃｌｉｅｎｔ装置１０１に渡してはいけないという結果であった場合には、ＧＭＬＣ装置１０２はｃｌｉｅｎｔ装置１０１にエラーを通知する。ＳＧＳＮ／ＭＳＣ装置１０３におけるプライバシチェック結果が位置情報をｃｌｉｅｎｔ装置１０１に渡してもよいという結果であった場合には、ＧＭＬＣ装置１０２は測位対象であるＵＥ装置１０５のプライバシ情報を管理しているＰＰＲ装置１０７に測位処理許可要求を送信する（図２１のステップ１２）。測位処理許可要求を受信したＰＰＲ装置１０７は、測位対象のＵＥ装置１０５のプライバシ設定を参照し、位置情報をｃｌｉｅｎｔ装置１０１に送信してよいかどうかを判断する（図２１のステップ１３）。このプライバシチェックにおいては、ＵＥ装置１０５がｃｌｉｅｎｔ装置１０１に測位結果を渡しても良いと設定している時間帯や場所のチェックを行ない、測位が行なわれた時刻や場所がＵＥ装置１０５が許可している時間帯や場所でない場合には、ＰＰＲ装置１０７はＧＭＬＣ装置１０２にエラーを通知し、エラー通知を受け取ったＧＭＬＣ装置１０２はｃｌｉｅｎｔ装置１０１にエラーを通知する。図２１のステップ１３におけるプライバシチェックにおいて、測位結果の位置精度がＵＥ装置１０５がｃｌｉｅｎｔ装置１０１に提供することを許可している位置精度よりも良かった場合には、ＰＰＲ装置１０７において位置精度を劣化させる位置情報加工処理を行なうことも考えられる。図２１のステップ１３におけるプライバシチェック結果が位置情報をｃｌｉｅｎｔ装置１０１に渡してもよいという結果であった場合には、ＰＰＲ装置１０７は測位処理許可要求に対する応答としてプライバシチェック結果をＧＭＬＣ装置１０２に送信する（図２１のステップ１４）。ここで、ステップ４におけるＰｒｉｖａｃｙチェックの結果としてステップ１３におけるプライバシチェックが不要と判断されていた場合には、ステップ１２からステップ１４の処理は不要である。ＧＭＬＣ装置１０２は保持しているｃｌｉｅｎｔ装置１０１の情報に従って、必要ならば位置の表現形式の変換等の測位結果の加工を行なった後、ｃｌｉｅｎｔ装置１０１に測位結果を送信し（図２１のステップ１５）、測位処理を終了する。
【０１１５】
図１６および図２２を併せ参照して、ＵＥ装置１０５の過去の測位結果をＧＭＬＣ装置１０２が保持する場合に、ｃｌｉｅｎｔ装置１０１がＵＥ装置１０５の位置を取得するための動作を説明する。図２２は、ＧＭＬＣ装置１０２が保持している過去の測位結果を再利用する場合の、ネットワーク内の各ノードにおける処理および各ノード間で送受されるメッセージフローを示している。ｃｌｉｅｎｔ装置１０１は測位要求をＧＭＬＣ装置１０２に送信する（図２２のステップ１）。測位要求には、測位対象であるＵＥ１０５の電話番号等の識別情報、ｃｌｉｅｎｔ装置１０１の識別情報、要求する位置情報の種別、要求する位置情報の精度情報、要求する位置情報の鮮度情報などの付加情報が含まれている。要求位置情報の種別には、測位対象のＵＥ装置１０５の現在位置を要求する場合（Ｃｕｒｒｅｎｔ）、過去の位置を要求する場合（Ｌａｓｔ　ｋｎｏｗｎ）、現在位置が取得できない場合には過去の位置を要求する場合（Ｃｕｒｒｅｎｔ　ｏｒ　Ｌａｓｔ　ｋｎｏｗｎ）、過去の位置が取得できない場合には現在位置を要求する場合（Ｌａｓｔ　ｋｎｏｗｎ　ｏｒ　Ｃｕｒｒｅｎｔ）などの種別が考えられる。位置情報種別として過去の位置を要求する場合（Ｌａｓｔ　ｋｎｏｗｎ，　Ｃｕｒｒｅｎｔ　ｏｒ　Ｌａｓｔ　ｋｎｏｗｎ，　Ｌａｓｔ　ｋｎｏｗｎ　ｏｒ　Ｃｕｒｒｅｎｔのいずれかの場合）には、過去の位置情報に対する要求鮮度情報を伴う場合が考えられ、要求鮮度情報は何月何日何時何分何秒というような絶対時刻表記でその絶対時刻以降の位置情報が欲しいと指定する場合と、何分何秒前というように測位要求を送信した時刻に対する相対時間でその相対時間以内の位置情報が欲しいと指定する場合などの指定方法が考えられる。ＧＭＬＣ装置１０２は、必要に応じてｃｌｉｅｎｔ装置１０１の認証を行ない（図２２のステップ２）、認証に失敗した場合にはｃｌｉｅｎｔ装置１０１にエラーを通知する。ｃｌｉｅｎｔ装置１０１からの測位要求の受付が許可された場合には、ＧＭＬＣ装置１０２は測位対象であるＵＥ装置１０５のプライバシ情報を管理しているＰＰＲ装置１０７に測位処理許可要求を送信する（図２２のステップ３）。ここで、ＧＭＬＣ装置１０２がＵＥ装置１０５のプライバシ情報を管理しているＰＰＲ装置１０７のネットワークアドレス等の情報を保持していない場合には、図２２のステップ７およびステップ８を先に実行し、ＨＬＲ／ＨＳＳ装置１０６からＰＰＲ装置１０７の情報を取得する。ＧＭＬＣ装置１０２からの測位処理許可要求には、測位対象であるＵＥ１０５の電話番号等の識別情報、ｃｌｉｅｎｔ装置１１１の識別情報、要求する位置情報の種別、要求する位置情報の精度情報、要求する位置情報の鮮度情報などの付加情報が含まれている。測位処理許可要求を受け取ったＰＰＲ装置１０７は、ＧＭＬＣ装置１０２からの測位処理許可要求を受け付けるかどうかを判断し、受け付けないと判断した場合にはエラーをＧＭＬＣ装置１０２に送信する。測位処理許可要求を受け付けると判断した場合には、ＰＰＲ装置１０７は管理している測位対象のＵＥ１０５のプライバシ設定情報を参照しｃｌｉｅｎｔ装置１０１からの測位要求をＵＥ１０５が受け付けるかどうかを判断する（図２２のステップ４）。ここで行なわれるプライバシチェックでは、ｃｌｉｅｎｔ装置１０１が要求する位置精度と、ＵＥ装置１０５がｃｌｉｅｎｔ装置１０１に渡すことを許可している位置精度との整合性のチェックなども行なわれる。また、ＵＥ１０５が測位要求を受け付ける条件として通知もしくは確認を必要としているかどうかも確認する。
ＰＰＲ装置１０７は、プライバシチェックの結果、ＵＥ装置１０５がｃｌｉｅｎｔ装置１０１からの測位要求を受け付けないと判断した場合には、測位処理許可要求の応答としてＧＭＬＣ装置１０２にエラーを通知し、エラー通知を受け取ったＧＭＬＣ装置１０２はｃｌｉｅｎｔ装置１０１にエラーを通知する。ＰＰＲ装置１０７は、プライバシチェックの結果、ＵＥ装置１０５がｃｌｉｅｎｔ装置１０１からの測位要求を測位要求を受け付けると判断した場合には、ＰＰＲ装置１０７は、プライバシチェックの結果を測位処理許可要求の応答としてＧＭＬＣ装置１０２に送信する（図２２のステップ５）。測位要求が受け付けられるというプライバシチェック結果を受け取ったＧＭＬＣ装置１０２は、測位対象のＵＥ１０５の現在位置（Ｃｕｒｒｅｎｔ）が位置情報種別として要求されているかどうかを判断する。要求されている位置情報種別が、現在位置でなく過去の位置でも構わない場合（Ｌａｓｔ　ｋｎｏｗｎ，　Ｌａｓｔ　ｋｎｏｗｎ　ｏｒ　Ｃｕｒｒｅｎｔのどちらかの場合）には、ＧＭＬＣ装置１０２は測位対象のＵＥ装置１０５の過去の測位結果を保持していないかどうかをチェックし、過去の測位結果を保持している場合には過去の測位結果を再利用することができるかどうかを判断する（図２２のステップ６）。過去の測位結果が再利用できるかどうかを判断する要素としては、ｃｌｉｅｎｔ装置１０１から要求されている位置情報の鮮度や精度などが考えられる。
また、特定の時刻以降の測位結果である場合のみｃｌｉｅｎｔ装置１０１に渡してもよいというようなプライバシ設定等がある場合には、その条件を過去の測位結果が満たしているかどうかも確認する。過去の測位結果が要求される精度、要求される鮮度などの条件を満たし再利用が可能であると判断され、図２２のステップ４におけるプライバシ設定の確認の結果、ＵＥ装置１０５への通知もしくは確認が不要であると判断された場合には、図２２のステップ７から１１は省略される。図２２のステップ４におけるプライバシ設定の確認の結果、ＵＥ装置１０５への通知もしくは確認が必要であると判断されていた場合には、ＰＰＲ装置１０７からの測位処理許可要求に対する応答を受信したＧＭＬＣ装置１０２は、ＵＥ１０５が接続する地域無線網（ＲＡＮ）を管理するＳＧＳＮ／ＭＳＣ装置の情報をＨＬＲ／ＨＳＳ装置１０６に問い合わせる（図２２のステップ７）。ＨＬＲ／ＨＳＳ装置１０６は、ＧＭＬＣ装置１０２からの問い合わせに対して、ＵＥ装置１０５が接続する地域無線網（ＲＡＮ）１０４を管理するＳＧＳＮ／ＭＳＣ装置１０３の情報を返信する（図２２のステップ８）。ＧＭＬＣ装置１０２はＨＬＲ／ＨＳＳ装置１０６からＳＧＳＮ／ＭＳＣ装置１０３の情報を受け取ることができなかった場合には、ｃｌｉｅｎｔ装置１０１にエラーを通知する。ＧＭＬＣ装置１０２は、ＳＧＳＮ／ＭＳＣ装置１０３に対してプライバシチェック要求メッセージを送信する（図２２のステップ９）。プライバシチェック要求メッセージには、ＵＥ１０５に対する通知だけが必要なのか確認（ＵＥ１０５からの測位を許可するという応答）も必要なのかの区別と、ｃｌｉｅｎｔ装置１０１の情報などＵＥ１０５に通知すべき情報が含まれている。プライバシ要求メッセージとしては、従来例における測位要求メッセージに特定のパラメータを付加して送信することで受信側であるＳＧＳＮ／ＭＳＣ装置１０３においてプライバシチェック要求メッセージであると判断することも可能であるし、プライバシチェック要求用に専用のメッセージを追加定義することも可能である。ＧＭＬＣ装置１０２からのプライバシチェック要求メッセージを受信したＳＧＳＮ／ＭＳＣ装置１０３は、ＵＥ装置１０５に対して通知もしくは確認処理を行なう（図２２のステップ１０）。プライバシチェックを行なったＳＧＳＮ／ＭＳＣ装置１０３は、プライバシチェック結果をＧＭＬＣ装置１０２に送信する（図２２のステップ１１）。ＳＧＳＮ／ＭＳＣ装置１０３におけるプライバシチェック結果が位置情報をｃｌｉｅｎｔ装置１０１に渡してはいけないという結果であった場合には、ＧＭＬＣ装置１０２はｃｌｉｅｎｔ装置１０１にエラーを通知する。ＳＧＳＮ／ＭＳＣ装置１０３におけるプライバシチェック結果が位置情報をｃｌｉｅｎｔ装置１０１に渡してもよいという結果であった場合には、ＧＭＬＣ装置１０２は測位対象であるＵＥ装置１０５のプライバシ情報を管理しているＰＰＲ装置１０７に測位処理許可要求を送信する（図２２のステップ１２）。測位処理許可要求を受信したＰＰＲ装置１０７は、測位対象のＵＥ装置１０５のプライバシ設定を参照し、位置情報をｃｌｉｅｎｔ装置１０１に送信してよいかどうかを判断する（図２２のステップ１３）。このプライバシチェックにおいては、ＵＥ装置１０５がｃｌｉｅｎｔ装置１０１に測位結果を渡しても良いと設定している時間帯や場所のチェックを行ない、測位が行なわれた時刻や場所がＵＥ装置１０５が許可している時間帯や場所でない場合には、ＰＰＲ装置１０７はＧＭＬＣ装置１０２にエラーを通知し、エラー通知を受け取ったＧＭＬＣ装置１０２はｃｌｉｅｎｔ装置１０１にエラーを通知する。図２２のステップ１３におけるプライバシチェックにおいて、測位結果の位置精度がＵＥ装置１０５がｃｌｉｅｎｔ装置１０１に提供することを許可している位置精度よりも良かった場合には、ＰＰＲ装置１０７において位置精度を劣化させる位置情報加工処理を行なうことも考えられる。図２２のステップ１３におけるプライバシチェック結果が位置情報をｃｌｉｅｎｔ装置１０１に渡してもよいという結果であった場合には、ＰＰＲ装置１０７は測位処理許可要求に対する応答としてプライバシチェック結果をＧＭＬＣ装置１０２に送信する（図２２のステップ１４）。ここで、ステップ４におけるＰｒｉｖａｃｙチェックの結果としてステップ１３におけるプライバシチェックが不要と判断されていた場合には、ステップ１２からステップ１４の処理は不要である。ＧＭＬＣ装置１０２は保持しているｃｌｉｅｎｔ装置１０１の情報に従って、必要ならば位置の表現形式の変換等の測位結果の加工を行なった後、ｃｌｉｅｎｔ装置１０１に測位結果を送信し（図２２のステップ１５）、測位処理を終了する。
【０１１６】
【発明の第七の実施の形態】
本発明の第七の実施の形態について図面を参照して詳細に説明する。
【０１１７】
【構成の説明】
図１７を参照すると、本発明の第七の実施の形態は、測位要求を移動通信ネットワークに対して送信するｃｌｉｅｎｔ装置１０１、１１１他複数のｃｌｉｅｎｔ装置と、移動通信ネットワークにおいてｃｌｉｅｎｔ装置からの測位要求を受け付けるゲートウェイ装置であるＧＭＬＣ装置１０２、１１２等ひとつもしくは複数のＧＭＬＣ装置と、ひとつもしくは複数の地域無線網を管理するＳＧＳＮ／ＭＳＣ装置１０３、１１３他複数のＳＧＳＮ／ＭＳＣ装置と、地域無線網（ＲＡＮ）１０４、１１４他複数の地域無線網（ＲＡＮ）と、測位対象となる移動機であるＵＥ装置１０５、１１５他複数のＵＥ装置と、各移動機の接続する地域無線網の情報を保持する移動機データベースであるＨＬＲ／ＨＳＳ装置１０６、１１６他複数のＨＬＲ／ＨＳＳ装置と、ＵＥ装置１０５、１１５他複数のＵＥ装置のプライバシ設定情報を保持するＰＰＲ装置１０７、１１７等のひとつもしくは複数のＰＰＲ装置などの複数のノードから構成される。ここで地域無線網（ＲＡＮ）１０４、１１４は基地局や基地局制御装置など複数の装置から構成されるのが通常であるが、地域無線網の内部構成は本実施例に影響しないためここでは地域無線網としてまとめて取り扱うものとする。ＵＥ装置１０５、１１５は地域無線網１０４、１１４他複数の地域無線網への接続を任意に切り替えられるものとする。本実施例においては、ＵＥ装置１０５が接続する地域無線網を管理するＳＧＳＮ／ＭＳＣ装置の情報はＨＬＲ／ＨＳＳ装置１０６に保持されるものとし、ＵＥ装置１１５が接続する地域無線網を管理するＳＧＳＮ／ＭＳＣ装置の情報はＨＬＲ／ＨＳＳ装置１１６に保持されるものとする。また、ＵＥ装置１０５のプライバシ保護に関する情報はＰＰＲ装置１０７に保持され、ＵＥ装置１１５のプライバシ保護に関する情報はＰＰＲ装置１１７に保持されるものとする。ＨＬＲ／ＨＳＳ装置１０６はＵＥ装置１０５のプライバシ設定情報を保持するＰＰＲ装置１０７がＧＭＬＣ装置１０２に接続されていることを記憶しており、ＨＬＲ／ＨＳＳ装置１１６はＵＥ装置１１５のプライバシ設定情報を保持するＰＰＲ装置１１７がＧＭＬＣ装置１１２に接続されていることを記憶している。またＨＬＲ／ＨＳＳ装置１０６はＵＥ装置１０５のプライバシ設定情報を保持するＰＰＲ装置１０７のネットワークアドレス等の情報を記憶している場合もあり、ＨＬＲ／ＨＳＳ装置１１６はＵＥ装置１１５のプライバシ設定情報を保持するＰＰＲ装置１１７のネットワークアドレス等の情報を記憶している場合もある。ｃｌｉｅｎｔ装置１０１の情報はＧＭＬＣ装置１０２に保持され、ｃｌｉｅｎｔ装置１１１の情報はＧＭＬＣ装置１１２に保持される。本実施の形態においては、ＵＥ装置１０５はＲＡＮ１０４に接続しているものとする。本実施の形態は、第二の実施の形態にＰＰＲ装置１０７、１１７を追加し、第二の実施の形態においてはＧＭＬＣ装置１０２、１１２が保持していたＵＥ装置のプライバシ保護のためのプライバシ設定情報を、ＰＰＲ装置１０７、１１７で保持するように変更した場合の実施の形態である。
【０１１８】
【動作の説明】
次に、図１７および図９、図２１、図２２を併せ参照して、本発明の第七の実施の形態における外部起動測位の動作を説明する。
【０１１９】
図１７および図９、図２１を併せ参照して、ＵＥ装置１０５の過去の測位結果をＰＰＲ装置１０７が保持する場合に、ｃｌｉｅｎｔ装置１１１がＵＥ装置１０５の位置を取得するための動作を説明する。ｃｌｉｅｎｔ装置１１１は測位要求をＧＭＬＣ装置１１２に送信する（図９のステップ１）。測位要求には、測位対象であるＵＥ１０５の電話番号等の識別情報、ｃｌｉｅｎｔ装置１１１の識別情報、要求する位置情報の種別、要求する位置情報の精度情報、要求する位置情報の鮮度情報などの付加情報が含まれている。要求位置情報の種別には、測位対象のＵＥ装置１０５の現在位置を要求する場合（Ｃｕｒｒｅｎｔ）、過去の位置を要求する場合（Ｌａｓｔ　ｋｎｏｗｎ）、現在位置が取得できない場合には過去の位置を要求する場合（Ｃｕｒｒｅｎｔ　ｏｒ　Ｌａｓｔ　ｋｎｏｗｎ）、過去の位置が取得できない場合には現在位置を要求する場合（Ｌａｓｔ　ｋｎｏｗｎ　ｏｒ　Ｃｕｒｒｅｎｔ）などの種別が考えられる。位置情報種別として過去の位置を要求する場合（Ｌａｓｔ　ｋｎｏｗｎ，　Ｃｕｒｒｅｎｔ　ｏｒ　Ｌａｓｔ　ｋｎｏｗｎ，　Ｌａｓｔ　ｋｎｏｗｎ　ｏｒ　Ｃｕｒｒｅｎｔのいずれかの場合）には、過去の位置情報に対する要求鮮度情報を伴う場合が考えられ、要求鮮度情報は何月何日何時何分何秒というような絶対時刻表記でその絶対時刻以降の位置情報が欲しいと指定する場合と、何分何秒前というように測位要求を送信した時刻に対する相対時間でその相対時間以内の位置情報が欲しいと指定する場合などの指定方法が考えられる。ＧＭＬＣ装置１１２は、必要に応じてｃｌｉｅｎｔ装置１１１の認証を行ない、認証に失敗した場合にはｃｌｉｅｎｔ装置１１１にエラーを通知する（図９のステップ２）。ｃｌｉｅｎｔ装置１１１からの測位要求の受付が許可された場合には、ＧＭＬＣ装置１１２は測位対象であるＵＥ１０５の情報を管理しているＨＬＲ／ＨＳＳ装置１０６に対して、ＵＥ１０５のプライバシ設定情報を保持しているＧＭＬＣ装置の情報を問い合わせる（図９のステップ３）。ＨＬＲ／ＨＳＳ装置１０６はＧＭＬＣ装置１１２からの要求を受け取ると、ＵＥ１０５のプライバシ設定情報を保持しているＧＭＬＣ装置がＧＭＬＣ装置１０２であるという情報をＧＭＬＣ装置１１２へ渡していいかどうかを判断し、渡しても良いと判断した場合にはＧＭＬＣ装置１０２の情報をＧＭＬＣ装置１１２へ送信する（図９のステップ４）。図９のステップ４において送信されるＧＭＬＣ装置１０２の情報とは、ＧＭＬＣ装置１０２のネットワークアドレスであるが、ＧＭＬＣ装置１０２の識別情報、ＧＭＬＣ装置１０２の具備する能力などの付加情報を一緒に送信することも可能である。図９のステップ１によりｃｌｉｅｎｔ装置１１１からの測位要求を受け取ったＧＭＬＣ装置１１２が、測位対象であるＵＥ１０５のプライバシ設定情報を保持しているＧＭＬＣ装置１０２のネットワークアドレス等の情報をすでに知っていた場合には、図９のステップ３および図９のステップ４は省略することも可能である。次にＧＭＬＣ装置１１２は、ｃｌｉｅｎｔ装置１１１からの測位要求をＵＥ装置１０５のプライバシ設定情報を保持しているＧＭＬＣ装置１０２に対して転送する（図９のステップ５）。ＧＭＬＣ装置１１２はｃｌｉｅｎｔ装置１１１からの測位要求をＧＭＬＣ装置１０２に転送する際に、ＧＭＬＣ装置１１２が保持しているｃｌｉｅｎｔ装置情報の一部を転送する場合もある。転送されるｃｌｉｅｎｔ装置情報には、位置情報の表記方法等のｃｌｉｅｎｔ装置１１１がサポートしている機能に関する情報が含まれる。また、転送される測位要求には、測位対象であるＵＥ１０５の電話番号等の識別情報、ｃｌｉｅｎｔ装置１１１の識別情報、要求する位置情報の種別、要求する位置情報の精度情報、要求する位置情報の鮮度情報などの付加情報が含まれている。転送されてきた測位要求を受け取ったＧＭＬＣ装置１０２は、ＧＭＬＣ装置１１２からの測位要求を受け付けるかどうかを判断し、受け付けないと判断した場合にはエラーをＧＭＬＣ装置１１２に送信する。ＧＭＬＣ装置１１２からの測位要求の受付が許可された場合には、ＧＭＬＣ装置１０２は測位対象であるＵＥ装置１０５のプライバシ情報を管理しているＰＰＲ装置１０７に測位処理許可要求を送信する（図２１のステップ３）。ここで、ＧＭＬＣ装置１０２がＵＥ装置１０５のプライバシ情報を管理しているＰＰＲ装置１０７のネットワークアドレス等の情報を保持していない場合には、図９のステップ８およびステップ９を先に実行し、ＨＬＲ／ＨＳＳ装置１０６からＰＰＲ装置１０７の情報を取得する。ＧＭＬＣ装置１０２からの測位処理許可要求には、測位対象であるＵＥ１０５の電話番号等の識別情報、ｃｌｉｅｎｔ装置１１１の識別情報、要求する位置情報の種別、要求する位置情報の精度情報、要求する位置情報の鮮度情報などの付加情報が含まれている。測位処理許可要求を受け取ったＰＰＲ装置１０７は、ＧＭＬＣ装置１０２からの測位処理許可要求を受け付けるかどうかを判断し、受け付けないと判断した場合にはエラーをＧＭＬＣ装置１０２に送信する。測位処理許可要求を受け付けると判断した場合には、ＰＰＲ装置１０７は管理している測位対象のＵＥ１０５のプライバシ設定情報を参照しｃｌｉｅｎｔ装置１０１からの測位要求をＵＥ１０５が受け付けるかどうかを判断する（図２１のステップ４）。ここで行なわれるプライバシチェックでは、ｃｌｉｅｎｔ装置１０１が要求する位置精度と、ＵＥ装置１０５がｃｌｉｅｎｔ装置１０１に渡すことを許可している位置精度との整合性のチェックなども行なわれる。また、ＵＥ１０５が測位要求を受け付ける条件として通知もしくは確認を必要としているかどうかも確認する。ＰＰＲ装置１０７は、プライバシチェックの結果、ＵＥ装置１０５がｃｌｉｅｎｔ装置１０１からの測位要求を受け付けないと判断した場合には、測位処理許可要求の応答としてＧＭＬＣ装置１０２にエラーを通知し、エラー通知を受け取ったＧＭＬＣ装置１０２はｃｌｉｅｎｔ装置１０１にエラーを通知する。ＰＰＲ装置１０７は、プライバシチェックの結果、ＵＥ装置１０５がｃｌｉｅｎｔ装置１０１からの測位要求を測位要求を受け付けると判断した場合には、測位対象のＵＥ１０５の現在位置（Ｃｕｒｒｅｎｔ）が位置情報種別として要求されているかどうかを判断する。要求されている位置情報種別が、現在位置でなく過去の位置でも構わない場合（Ｌａｓｔ　ｋｎｏｗｎ，　Ｌａｓｔ　ｋｎｏｗｎ　ｏｒ　Ｃｕｒｒｅｎｔのどちらかの場合）には、ＰＰＲ装置１０７は測位対象のＵＥ装置１０５の過去の測位結果を保持していないかどうかをチェックし、過去の測位結果を保持している場合には過去の測位結果を再利用することができるかどうかを判断する（図２１のステップ５）。過去の測位結果が再利用できるかどうかを判断する要素としては、ｃｌｉｅｎｔ装置１０１から要求されている位置情報の鮮度や精度などが考えられる。また、特定の時刻以降の測位結果である場合のみｃｌｉｅｎｔ装置１０１に渡してもよいというようなプライバシ設定等がある場合には、その条件を過去の測位結果が満たしているかどうかも確認する。過去の測位結果が要求される精度、要求される鮮度などの条件を満たし再利用が可能であると判断された場合には、ＰＰＲ装置１０７は、プライバシチェックの結果と共に過去の測位結果を測位処理許可要求の応答としてＧＭＬＣ装置１０２に送信する（図２１のステップ６）。図２１のステップ４におけるプライバシ設定の確認の結果、ＵＥ装置１０５への通知もしくは確認が必要であると判断されていた場合には、ＧＭＬＣ装置１０２はＵＥ１０５が接続する地域無線網（ＲＡＮ）を管理するＳＧＳＮ／ＭＳＣ装置の情報をＨＬＲ／ＨＳＳ装置１０６に問い合わせる（図９のステップ８）。ＨＬＲ／ＨＳＳ装置１０６は、ＧＭＬＣ装置１０２からの問い合わせに対して、ＵＥ装置１０５が接続する地域無線網（ＲＡＮ）１０４を管理するＳＧＳＮ／ＭＳＣ装置１０３の情報を返信する（図９のステップ９）。ＨＬＲ／ＨＳＳ装置１０６からＳＧＳＮ／ＭＳＣ装置１０３の情報を受け取ることができなかった場合には、ＧＭＬＣ装置１０２はＧＭＬＣ装置１１２にエラーを通知し、エラー通知を受け取ったＧＭＬＣ装置１１２はｃｌｉｅｎｔ装置１１１にエラーを通知する。ＨＬＲ／ＨＳＳ装置１０６からＳＧＳＮ／ＭＳＣ装置１０３の情報を受け取ったＧＭＬＣ装置１０２は、ＳＧＳＮ／ＭＳＣ装置１０３に対してプライバシチェック要求メッセージを送信する（図９のステップ１０）。プライバシチェック要求メッセージには、ＵＥ１０５に対する通知だけが必要なのか確認（ＵＥ１０５からの測位を許可するという応答）も必要なのかの区別と、ｃｌｉｅｎｔ装置１１１の情報などＵＥ１０５に通知すべき情報が含まれている。プライバシ要求メッセージとしては、従来例における測位要求メッセージに特定のパラメータを付加して送信することで受信側であるＳＧＳＮ／ＭＳＣ装置１０３においてプライバシチェック要求メッセージであると判断することも可能であるし、プライバシチェック要求用に専用のメッセージを追加定義することも可能である。ＧＭＬＣ装置１０２からのプライバシチェック要求メッセージを受信したＳＧＳＮ／ＭＳＣ装置１０３は、ＵＥ装置１０５に対して通知もしくは確認処理を行なう（図９のステップ１１）。プライバシチェックを行なったＳＧＳＮ／ＭＳＣ装置１０３は、プライバシチェック結果をＧＭＬＣ装置１０２に送信する（図９のステップ１２）。ＳＧＳＮ／ＭＳＣ装置１０３におけるプライバシチェック結果が位置情報をｃｌｉｅｎｔ装置１１１に渡してはいけないという結果であった場合には、ＧＭＬＣ装置１０２はＧＭＬＣ装置１１２にエラーを通知し、エラー通知を受け取ったＧＭＬＣ装置１１２はｃｌｉｅｎｔ装置１１１にエラーを通知する。ＳＧＳＮ／ＭＳＣ装置１０３におけるプライバシチェック結果が位置情報をｃｌｉｅｎｔ装置１１１に渡してもよいという結果であった場合には、ＧＭＬＣ装置１０２は測位対象であるＵＥ装置１０５のプライバシ情報を管理しているＰＰＲ装置１０７に測位処理許可要求を送信する（図２１のステップ１２）。測位処理許可要求を受信したＰＰＲ装置１０７は、測位対象のＵＥ装置１０５のプライバシ設定を参照し、位置情報をｃｌｉｅｎｔ装置１０１に送信してよいかどうかを判断する（図２１のステップ１３）。このプライバシチェックにおいては、ＵＥ装置１０５がｃｌｉｅｎｔ装置１０１に測位結果を渡しても良いと設定している時間帯や場所のチェックを行ない、測位が行なわれた時刻や場所がＵＥ装置１０５が許可している時間帯や場所でない場合には、ＰＰＲ装置１０７はＧＭＬＣ装置１０２にエラーを通知し、エラー通知を受け取ったＧＭＬＣ装置１０２はｃｌｉｅｎｔ装置１０１にエラーを通知する。図２１のステップ１３におけるプライバシチェックにおいて、測位結果の位置精度がＵＥ装置１０５がｃｌｉｅｎｔ装置１０１に提供することを許可している位置精度よりも良かった場合には、ＰＰＲ装置１０７において位置精度を劣化させる位置情報加工処理を行なうことも考えられる。図２１のステップ１３におけるプライバシチェック結果が位置情報をｃｌｉｅｎｔ装置１０１に渡してもよいという結果であった場合には、ＰＰＲ装置１０７は測位処理許可要求に対する応答としてプライバシチェック結果をＧＭＬＣ装置１０２に送信する（図２１のステップ１４）。ここで、ステップ４におけるＰｒｉｖａｃｙチェックの結果としてステップ１３におけるプライバシチェックが不要と判断されていた場合には、ステップ１２からステップ１４の処理は不要である。図２１のステップ１３におけるプライバシチェック結果が位置情報をｃｌｉｅｎｔ装置１１１に渡してもよいという結果であった場合もしくは、図２１のステップ４におけるＰｒｉｖａｃｙチェックの結果としてステップ１３におけるプライバシチェックが不要と判断されていた場合には、ＧＭＬＣ装置１０２は測位結果をＧＭＬＣ装置１１２に転送する（図９のステップ１４）。ＧＭＬＣ装置１０２からの測位結果を受け取ったＧＭＬＣ装置１１２は、保持しているｃｌｉｅｎｔ装置１１１の情報に従って、位置の表現形式の変換等の測位結果の加工を行なった後、ｃｌｉｅｎｔ装置１１１に測位結果を送信し（図９のステップ１５）、測位処理を終了する。
【０１２０】
図１７および図９、図２２を併せ参照して、ＵＥ装置１０５の過去の測位結果をＧＭＬＣ装置１０２が保持する場合に、ｃｌｉｅｎｔ装置１１１がＵＥ装置１０５の位置を取得するための動作を説明する。ｃｌｉｅｎｔ装置１１１は測位要求をＧＭＬＣ装置１１２に送信する（図９のステップ１）。測位要求には、測位対象であるＵＥ１０５の電話番号等の識別情報、ｃｌｉｅｎｔ装置１１１の識別情報、要求する位置情報の種別、要求する位置情報の精度情報、要求する位置情報の鮮度情報などの付加情報が含まれている。要求位置情報の種別には、測位対象のＵＥ装置１０５の現在位置を要求する場合（Ｃｕｒｒｅｎｔ）、過去の位置を要求する場合（Ｌａｓｔ　ｋｎｏｗｎ）、現在位置が取得できない場合には過去の位置を要求する場合（Ｃｕｒｒｅｎｔ　ｏｒ　Ｌａｓｔ　ｋｎｏｗｎ）、過去の位置が取得できない場合には現在位置を要求する場合（Ｌａｓｔ　ｋｎｏｗｎ　ｏｒ　Ｃｕｒｒｅｎｔ）などの種別が考えられる。位置情報種別として過去の位置を要求する場合（Ｌａｓｔ　ｋｎｏｗｎ，　Ｃｕｒｒｅｎｔ　ｏｒ　Ｌａｓｔ　ｋｎｏｗｎ，　Ｌａｓｔ　ｋｎｏｗｎ　ｏｒ　Ｃｕｒｒｅｎｔのいずれかの場合）には、過去の位置情報に対する要求鮮度情報を伴う場合が考えられ、要求鮮度情報は何月何日何時何分何秒というような絶対時刻表記でその絶対時刻以降の位置情報が欲しいと指定する場合と、何分何秒前というように測位要求を送信した時刻に対する相対時間でその相対時間以内の位置情報が欲しいと指定する場合などの指定方法が考えられる。ＧＭＬＣ装置１１２は、必要に応じてｃｌｉｅｎｔ装置１１１の認証を行ない、認証に失敗した場合にはｃｌｉｅｎｔ装置１１１にエラーを通知する（図９のステップ２）。ｃｌｉｅｎｔ装置１１１からの測位要求の受付が許可された場合には、ＧＭＬＣ装置１１２は測位対象であるＵＥ１０５の情報を管理しているＨＬＲ／ＨＳＳ装置１０６に対して、ＵＥ１０５のプライバシ設定情報を保持しているＧＭＬＣ装置の情報を問い合わせる（図９のステップ３）。ＨＬＲ／ＨＳＳ装置１０６はＧＭＬＣ装置１１２からの要求を受け取ると、ＵＥ１０５のプライバシ設定情報を保持しているＧＭＬＣ装置がＧＭＬＣ装置１０２であるという情報をＧＭＬＣ装置１１２へ渡していいかどうかを判断し、渡しても良いと判断した場合にはＧＭＬＣ装置１０２の情報をＧＭＬＣ装置１１２へ送信する（図９のステップ４）。図９のステップ４において送信されるＧＭＬＣ装置１０２の情報とは、ＧＭＬＣ装置１０２のネットワークアドレスであるが、ＧＭＬＣ装置１０２の識別情報、ＧＭＬＣ装置１０２の具備する能力などの付加情報を一緒に送信することも可能である。図９のステップ１によりｃｌｉｅｎｔ装置１１１からの測位要求を受け取ったＧＭＬＣ装置１１２が、測位対象であるＵＥ１０５のプライバシ設定情報を保持しているＧＭＬＣ装置１０２のネットワークアドレス等の情報をすでに知っていた場合には、図９のステップ３および図９のステップ４は省略することも可能である。次にＧＭＬＣ装置１１２は、ｃｌｉｅｎｔ装置１１１からの測位要求をＵＥ装置１０５のプライバシ設定情報を保持しているＧＭＬＣ装置１０２に対して転送する（図９のステップ５）。ＧＭＬＣ装置１１２はｃｌｉｅｎｔ装置１１１からの測位要求をＧＭＬＣ装置１０２に転送する際に、ＧＭＬＣ装置１１２が保持しているｃｌｉｅｎｔ装置情報の一部を転送する場合もある。転送されるｃｌｉｅｎｔ装置情報には、位置情報の表記方法等のｃｌｉｅｎｔ装置１１１がサポートしている機能に関する情報が含まれる。また、転送される測位要求には、測位対象であるＵＥ１０５の電話番号等の識別情報、ｃｌｉｅｎｔ装置１１１の識別情報、要求する位置情報の種別、要求する位置情報の精度情報、要求する位置情報の鮮度情報などの付加情報が含まれている。転送されてきた測位要求を受け取ったＧＭＬＣ装置１０２は、ＧＭＬＣ装置１１２からの測位要求を受け付けるかどうかを判断し、受け付けないと判断した場合にはエラーをＧＭＬＣ装置１１２に送信する。ＧＭＬＣ装置１１２からの測位要求の受付が許可された場合には、ＧＭＬＣ装置１０２は測位対象であるＵＥ装置１０５のプライバシ情報を管理しているＰＰＲ装置１０７に測位処理許可要求を送信する（図２２のステップ３）。ここで、ＧＭＬＣ装置１０２がＵＥ装置１０５のプライバシ情報を管理しているＰＰＲ装置１０７のネットワークアドレス等の情報を保持していない場合には、図９のステップ８およびステップ９を先に実行し、ＨＬＲ／ＨＳＳ装置１０６からＰＰＲ装置１０７の情報を取得する。ＧＭＬＣ装置１０２からの測位処理許可要求には、測位対象であるＵＥ１０５の電話番号等の識別情報、ｃｌｉｅｎｔ装置１１１の識別情報、要求する位置情報の種別、要求する位置情報の精度情報、要求する位置情報の鮮度情報などの付加情報が含まれている。測位処理許可要求を受け取ったＰＰＲ装置１０７は、ＧＭＬＣ装置１０２からの測位処理許可要求を受け付けるかどうかを判断し、受け付けないと判断した場合にはエラーをＧＭＬＣ装置１０２に送信する。測位処理許可要求を受け付けると判断した場合には、ＰＰＲ装置１０７は管理している測位対象のＵＥ１０５のプライバシ設定情報を参照しｃｌｉｅｎｔ装置１０１からの測位要求をＵＥ１０５が受け付けるかどうかを判断する（図２２のステップ４）。ここで行なわれるプライバシチェックでは、ｃｌｉｅｎｔ装置１０１が要求する位置精度と、ＵＥ装置１０５がｃｌｉｅｎｔ装置１０１に渡すことを許可している位置精度との整合性のチェックなども行なわれる。また、ＵＥ１０５が測位要求を受け付ける条件として通知もしくは確認を必要としているかどうかも確認する。ＰＰＲ装置１０７は、プライバシチェックの結果、ＵＥ装置１０５がｃｌｉｅｎｔ装置１０１からの測位要求を受け付けないと判断した場合には、測位処理許可要求の応答としてＧＭＬＣ装置１０２にエラーを通知し、エラー通知を受け取ったＧＭＬＣ装置１０２はｃｌｉｅｎｔ装置１０１にエラーを通知する。ＰＰＲ装置１０７は、プライバシチェックの結果、ＵＥ装置１０５がｃｌｉｅｎｔ装置１０１からの測位要求を測位要求を受け付けると判断した場合には、ＰＰＲ装置１０７は、プライバシチェックの結果を測位処理許可要求の応答としてＧＭＬＣ装置１０２に送信する（図２２のステップ５）。測位要求が受け付けられるというプライバシチェック結果を受け取ったＧＭＬＣ装置１０２は、測位対象のＵＥ１０５の現在位置（Ｃｕｒｒｅｎｔ）が位置情報種別として要求されているかどうかを判断する。要求されている位置情報種別が、現在位置でなく過去の位置でも構わない場合（Ｌａｓｔ　ｋｎｏｗｎ，　Ｌａｓｔ　ｋｎｏｗｎ　ｏｒ　Ｃｕｒｒｅｎｔのどちらかの場合）には、ＧＭＬＣ装置１０２は測位対象のＵＥ装置１０５の過去の測位結果を保持していないかどうかをチェックし、過去の測位結果を保持している場合には過去の測位結果を再利用することができるかどうかを判断する（図２２のステップ６）。過去の測位結果が再利用できるかどうかを判断する要素としては、ｃｌｉｅｎｔ装置１０１から要求されている位置情報の鮮度や精度などが考えられる。また、特定の時刻以降の測位結果である場合のみｃｌｉｅｎｔ装置１０１に渡してもよいというようなプライバシ設定等がある場合には、その条件を過去の測位結果が満たしているかどうかも確認する。過去の測位結果が要求される精度、要求される鮮度などの条件を満たし再利用が可能であると判断され、図２２のステップ４におけるプライバシ設定の確認の結果、ＵＥ装置１０５への通知もしくは確認が不要であると判断された場合には、図２２のステップ７から１１は省略される。図２２のステップ４におけるプライバシ設定の確認の結果、ＵＥ装置１０５への通知もしくは確認が必要であると判断されていた場合には、ＧＭＬＣ装置１０２はＵＥ１０５が接続する地域無線網（ＲＡＮ）を管理するＳＧＳＮ／ＭＳＣ装置の情報をＨＬＲ／ＨＳＳ装置１０６に問い合わせる（図９のステップ８）。ＨＬＲ／ＨＳＳ装置１０６は、ＧＭＬＣ装置１０２からの問い合わせに対して、ＵＥ装置１０５が接続する地域無線網（ＲＡＮ）１０４を管理するＳＧＳＮ／ＭＳＣ装置１０３の情報を返信する（図９のステップ９）。ＨＬＲ／ＨＳＳ装置１０６からＳＧＳＮ／ＭＳＣ装置１０３の情報を受け取ることができなかった場合には、ＧＭＬＣ装置１０２はＧＭＬＣ装置１１２にエラーを通知し、エラー通知を受け取ったＧＭＬＣ装置１１２はｃｌｉｅｎｔ装置１１１にエラーを通知する。ＨＬＲ／ＨＳＳ装置１０６からＳＧＳＮ／ＭＳＣ装置１０３の情報を受け取ったＧＭＬＣ装置１０２は、ＳＧＳＮ／ＭＳＣ装置１０３に対してプライバシチェック要求メッセージを送信する（図９のステップ１０）。プライバシチェック要求メッセージには、ＵＥ１０５に対する通知だけが必要なのか確認（ＵＥ１０５からの測位を許可するという応答）も必要なのかの区別と、ｃｌｉｅｎｔ装置１１１の情報などＵＥ１０５に通知すべき情報が含まれている。プライバシ要求メッセージとしては、従来例における測位要求メッセージに特定のパラメータを付加して送信することで受信側であるＳＧＳＮ／ＭＳＣ装置１０３においてプライバシチェック要求メッセージであると判断することも可能であるし、プライバシチェック要求用に専用のメッセージを追加定義することも可能である。ＧＭＬＣ装置１０２からのプライバシチェック要求メッセージを受信したＳＧＳＮ／ＭＳＣ装置１０３は、ＵＥ装置１０５に対して通知もしくは確認処理を行なう（図９のステップ１１）。プライバシチェックを行なったＳＧＳＮ／ＭＳＣ装置１０３は、プライバシチェック結果をＧＭＬＣ装置１０２に送信する（図９のステップ１２）。ＳＧＳＮ／ＭＳＣ装置１０３におけるプライバシチェック結果が位置情報をｃｌｉｅｎｔ装置１１１に渡してはいけないという結果であった場合には、ＧＭＬＣ装置１０２はＧＭＬＣ装置１１２にエラーを通知し、エラー通知を受け取ったＧＭＬＣ装置１１２はｃｌｉｅｎｔ装置１１１にエラーを通知する。ＳＧＳＮ／ＭＳＣ装置１０３におけるプライバシチェック結果が位置情報をｃｌｉｅｎｔ装置１１１に渡してもよいという結果であった場合には、ＧＭＬＣ装置１０２は測位対象であるＵＥ装置１０５のプライバシ情報を管理しているＰＰＲ装置１０７に測位処理許可要求を送信する（図２２のステップ１２）。測位処理許可要求を受信したＰＰＲ装置１０７は、測位対象のＵＥ装置１０５のプライバシ設定を参照し、位置情報をｃｌｉｅｎｔ装置１０１に送信してよいかどうかを判断する（図２２のステップ１３）。このプライバシチェックにおいては、ＵＥ装置１０５がｃｌｉｅｎｔ装置１０１に測位結果を渡しても良いと設定している時間帯や場所のチェックを行ない、測位が行なわれた時刻や場所がＵＥ装置１０５が許可している時間帯や場所でない場合には、ＰＰＲ装置１０７はＧＭＬＣ装置１０２にエラーを通知し、エラー通知を受け取ったＧＭＬＣ装置１０２はｃｌｉｅｎｔ装置１０１にエラーを通知する。図２２のステップ１３におけるプライバシチェックにおいて、測位結果の位置精度がＵＥ装置１０５がｃｌｉｅｎｔ装置１０１に提供することを許可している位置精度よりも良かった場合には、ＰＰＲ装置１０７において位置精度を劣化させる位置情報加工処理を行なうことも考えられる。図２２のステップ１３におけるプライバシチェック結果が位置情報をｃｌｉｅｎｔ装置１０１に渡してもよいという結果であった場合には、ＰＰＲ装置１０７は測位処理許可要求に対する応答としてプライバシチェック結果をＧＭＬＣ装置１０２に送信する（図２２のステップ１４）。ここで、ステップ４におけるＰｒｉｖａｃｙチェックの結果としてステップ１３におけるプライバシチェックが不要と判断されていた場合には、ステップ１２からステップ１４の処理は不要である。図２２のステップ１３におけるプライバシチェック結果が位置情報をｃｌｉｅｎｔ装置１１１に渡してもよいという結果であった場合もしくは、図２２のステップ４におけるＰｒｉｖａｃｙチェックの結果としてステップ１３におけるプライバシチェックが不要と判断されていた場合には、ＧＭＬＣ装置１０２は測位結果をＧＭＬＣ装置１１２に転送する（図９のステップ１４）。ＧＭＬＣ装置１０２からの測位結果を受け取ったＧＭＬＣ装置１１２は、保持しているｃｌｉｅｎｔ装置１１１の情報に従って、位置の表現形式の変換等の測位結果の加工を行なった後、ｃｌｉｅｎｔ装置１１１に測位結果を送信し（図９のステップ１５）、測位処理を終了する。
【０１２１】
第二の実施の形態のようにプライバシ設定情報をＧＭＬＣ装置が保持する移動通信ネットワークと、第七の実施の形態のようにプライバシ設定情報をＰＰＲ装置が保持する移動通信ネットワークが混在する実施の形態も考えられる。その場合には測位対象のＵＥ装置の情報を保持するＨＬＲ／ＨＳＳ装置が属する移動通信ネットワークがどちらの実施の形態に相当するかによって本発明の動作は異なる。測位対象のＵＥ装置の情報を保持するＨＬＲ／ＨＳＳ装置が属する移動通信ネットワークが第二の実施の形態に相当する場合は、第二の実施の形態における処理が行なわれ、測位対象のＵＥ装置の情報を保持するＨＬＲ／ＨＳＳ装置が属する移動通信ネットワークが第七の実施の形態に相当する場合は、第七の実施の形態における処理が行なわれる。
【０１２２】
【発明の第八の実施の形態】
本発明の第八の実施の形態について図面を参照して詳細に説明する。
【０１２３】
【構成の説明】
図１８を参照すると、本発明の第八の実施の形態は、測位要求を移動通信ネットワークに対して送信するｃｌｉｅｎｔ装置１０１、１１１、１２１他複数のｃｌｉｅｎｔ装置と、移動通信ネットワークにおいてｃｌｉｅｎｔ装置からの測位要求を受け付けるゲートウェイ装置であるＧＭＬＣ装置１０２、１１２、１２２他複数のＧＭＬＣ装置と、ひとつもしくは複数の地域無線網を管理するＳＧＳＮ／ＭＳＣ装置１０３、１１３、１２３他複数のＳＧＳＮ／ＭＳＣ装置と、地域無線網（ＲＡＮ）１０４、１１４、１２４他複数の地域無線網（ＲＡＮ）と、測位対象となる移動機であるＵＥ装置１０５、１１５、１２５他複数のＵＥ装置と、各移動機の接続する地域無線網の情報を保持する移動機データベースであるＨＬＲ／ＨＳＳ装置１０６、１１６、１２６他複数のＨＬＲ／ＨＳＳ装置と、ＵＥ装置１０５、１１５、１２５他複数のＵＥ装置のプライバシ設定情報を保持するＰＰＲ装置１０７、１１７、１２７等複数のＰＰＲ装置などの複数のノードから構成される。ここで地域無線網（ＲＡＮ）１０４、１１４、１２４は基地局や基地局制御装置など複数の装置から構成されるのが通常であるが、地域無線網の内部構成は本実施例に影響しないためここでは地域無線網としてまとめて取り扱うものとする。ｃｌｉｅｎｔ装置１０１、ＧＭＬＣ装置１０２、ＳＧＳＮ／ＭＳＣ装置１０３、ＲＡＮ１０４、ＨＬＲ／ＨＳＳ装置１０６およびＰＰＲ装置１０７から構成される移動通信ネットワークは、ｃｌｉｅｎｔ装置１１１、ＧＭＬＣ装置１１２、ＳＧＳＮ／ＭＳＣ装置１１３、ＲＡＮ１１４、ＨＬＲ／ＨＳＳ装置１１６およびＰＰＲ装置１１７から構成される移動通信ネットワークを運用する移動通信事業者と同じ移動通信事業者が運営する場合も考えられるし、異なる移動通信事業者が運営する場合も考えられる。ｃｌｉｅｎｔ装置１２１、ＧＭＬＣ装置１２２、ＳＧＳＮ／ＭＳＣ装置１２３、ＲＡＮ１２４、ＨＬＲ／ＨＳＳ装置１２６およびＰＰＲ装置１２７から構成される移動通信ネットワークに関しても同様に、他の移動通信ネットワークを運用する移動通信事業者と同じ移動通信事業者が運営する場合も考えられるし、異なる移動通信事業者が運営する場合も考えられる。ＵＥ装置１０５、１１５、１２５は地域無線網１０４、１１４、１２４他複数の地域無線網への接続を任意に切り替えられるものとする。本実施例においては、ＵＥ装置１０５が接続する地域無線網を管理するＳＧＳＮ／ＭＳＣ装置の情報はＨＬＲ／ＨＳＳ装置１０６に保持され、ＵＥ装置１１５が接続する地域無線網を管理するＳＧＳＮ／ＭＳＣ装置の情報はＨＬＲ装置１１６に保持され、ＵＥ装置１２５が接続する地域無線網を管理するＳＧＳＮ／ＭＳＣ装置の情報はＨＬＲ装置１２６に保持されるものとする。また、ＵＥ装置１０５のプライバシ保護に関する情報はＰＰＲ装置１０７に保持され、ＵＥ装置１１５のプライバシ保護に関する情報はＰＰＲ装置１１７に保持され、ＵＥ装置１２５のプライバシ保護に関する情報はＰＰＲ装置１２７に保持されるものとする。ＨＬＲ／ＨＳＳ装置１０６はＵＥ装置１０５のプライバシ設定情報を保持するＰＰＲ装置１０７がＧＭＬＣ装置１０２に接続されていることを記憶しており、ＨＬＲ／ＨＳＳ装置１１６はＵＥ装置１１５のプライバシ設定情報を保持するＰＰＲ装置１１７がＧＭＬＣ装置１１２に接続されていることを記憶しており、ＨＬＲ／ＨＳＳ装置１２６はＵＥ装置１２５のプライバシ設定情報を保持するＰＰＲ装置１２７がＧＭＬＣ装置１２２に接続されていることを記憶している。またＨＬＲ／ＨＳＳ装置１０６はＵＥ装置１０５のプライバシ設定情報を保持するＰＰＲ装置１０７のネットワークアドレス等の情報を記憶している場合もあり、ＨＬＲ／ＨＳＳ装置１１６はＵＥ装置１１５のプライバシ設定情報を保持するＰＰＲ装置１１７のネットワークアドレス等の情報を記憶している場合もあり、ＨＬＲ／ＨＳＳ装置１２６はＵＥ装置１２５のプライバシ設定情報を保持するＰＰＲ装置１２７のネットワークアドレス等の情報を記憶している場合もある。ｃｌｉｅｎｔ装置１０１の情報はＧＭＬＣ装置１０２に保持され、ｃｌｉｅｎｔ装置１１１の情報はＧＭＬＣ装置１１２に保持され、ｃｌｉｅｎｔ装置１２１の情報はＧＭＬＣ装置１２２に保持される。本実施例においては、ＵＥ装置１０５が接続する移動通信ネットワークのＧＭＬＣ装置の情報がＨＬＲ／ＨＳＳ装置１０６に保持され、ＵＥ装置１１５が接続する移動通信ネットワークのＧＭＬＣ装置の情報がＨＬＲ装置１１６に保持され、ＵＥ装置１２５が接続する移動通信ネットワークのＧＭＬＣ装置の情報がＨＬＲ装置１２６に保持されるものとする。本実施の形態においては、ＵＥ装置１０５はＲＡＮ１２４に接続しているものとする。本実施の形態は、第三の実施の形態にＰＰＲ装置１０７、１１７、１２７を追加し、第三の実施の形態においてはＧＭＬＣ装置１０２、１１２、１２２が保持していたＵＥ装置のプライバシ保護のためのプライバシ設定情報を、ＰＰＲ装置１０７、１１７、１２７で保持するように変更した場合の実施の形態である。
【０１２４】
【動作の説明】
次に、図１８および図１１、図２１、図２２を併せ参照して、本発明の第八の実施の形態における外部起動測位の動作を説明する。
【０１２５】
図１８および図１１、図２１を併せ参照して、ＵＥ装置１０５の過去の測位結果をＰＰＲ装置１０７が保持する場合に、ｃｌｉｅｎｔ装置１１１がＵＥ装置１０５の位置を取得するための動作を説明する。ｃｌｉｅｎｔ装置１１１は測位要求をＧＭＬＣ装置１１２に送信する（図１１のステップ１）。測位要求には、測位対象であるＵＥ１０５の電話番号等の識別情報、ｃｌｉｅｎｔ装置１１１の識別情報、要求する位置情報の種別、要求する位置情報の精度情報、要求する位置情報の鮮度情報などの付加情報が含まれている。要求位置情報の種別には、測位対象のＵＥ装置１０５の現在位置を要求する場合（Ｃｕｒｒｅｎｔ）、過去の位置を要求する場合（Ｌａｓｔ　ｋｎｏｗｎ）、現在位置が取得できない場合には過去の位置を要求する場合（Ｃｕｒｒｅｎｔ　ｏｒ　Ｌａｓｔ　ｋｎｏｗｎ）、過去の位置が取得できない場合には現在位置を要求する場合（Ｌａｓｔ　ｋｎｏｗｎ　ｏｒ　Ｃｕｒｒｅｎｔ）などの種別が考えられる。位置情報種別として過去の位置を要求する場合（Ｌａｓｔ　ｋｎｏｗｎ，　Ｃｕｒｒｅｎｔ　ｏｒ　Ｌａｓｔ　ｋｎｏｗｎ，　Ｌａｓｔ　ｋｎｏｗｎ　ｏｒ　Ｃｕｒｒｅｎｔのいずれかの場合）には、過去の位置情報に対する要求鮮度情報を伴う場合が考えられ、要求鮮度情報は何月何日何時何分何秒というような絶対時刻表記でその絶対時刻以降の位置情報が欲しいと指定する場合と、何分何秒前というように測位要求を送信した時刻に対する相対時間でその相対時間以内の位置情報が欲しいと指定する場合などの指定方法が考えられる。ＧＭＬＣ装置１１２は、必要に応じてｃｌｉｅｎｔ装置１１１の認証を行ない（図１１のステップ２）、認証に失敗した場合にはｃｌｉｅｎｔ装置１１１にエラーを通知する。ｃｌｉｅｎｔ装置１１１からの測位要求の受付が許可された場合には、ＧＭＬＣ装置１１２は測位対象であるＵＥ１０５の情報を管理しているＨＬＲ／ＨＳＳ装置１０６に対して、ＵＥ１０５のプライバシ設定情報を保持しているＧＭＬＣ装置の情報を問い合わせる（図１１のステップ３）。ＨＬＲ／ＨＳＳ装置１０６はＧＭＬＣ装置１１２からの要求を受け取ると、ＵＥ１０５のプライバシ設定情報を保持しているＧＭＬＣ装置がＧＭＬＣ装置１０２であるという情報をＧＭＬＣ装置１１２へ渡していいかどうかを判断し、渡しても良いと判断した場合にはＧＭＬＣ装置１０２の情報をＧＭＬＣ装置１１２へ送信する（図１１のステップ４）。図１１のステップ４において送信されるＧＭＬＣ装置１０２の情報とは、ＧＭＬＣ装置１０２のネットワークアドレスであるが、ＧＭＬＣ装置１０２の識別情報、ＧＭＬＣ装置１０２の具備する能力などの付加情報を一緒に送信することも可能である。図１１のステップ１によりｃｌｉｅｎｔ装置１１１からの測位要求を受け取ったＧＭＬＣ装置１１２が、測位対象であるＵＥ１０５のプライバシ設定情報を保持しているＧＭＬＣ装置１０２のネットワークアドレス等の情報をすでに知っていた場合には、図１１のステップ３および図１１のステップ４は省略することも可能である。次にＧＭＬＣ装置１１２は、ｃｌｉｅｎｔ装置１１１からの測位要求をＵＥ装置１０５のプライバシ設定情報を保持しているＧＭＬＣ装置１０２に対して転送する（図１１のステップ５）。ＧＭＬＣ装置１１２はｃｌｉｅｎｔ装置１１１からの測位要求をＧＭＬＣ装置１０２に転送する際に、ＧＭＬＣ装置１１２が保持しているｃｌｉｅｎｔ装置情報の一部を転送する場合もある。転送されるｃｌｉｅｎｔ装置情報には、位置情報の表記方法等のｃｌｉｅｎｔ装置１１１がサポートしている機能に関する情報が含まれる。また、転送される測位要求には、測位対象であるＵＥ１０５の電話番号等の識別情報、ｃｌｉｅｎｔ装置１１１の識別情報、要求する位置情報の種別、要求する位置情報の精度情報、要求する位置情報の鮮度情報などの付加情報が含まれている。転送されてきた測位要求を受け取ったＧＭＬＣ装置１０２は、ＧＭＬＣ装置１１２からの測位要求を受け付けるかどうかを判断し、受け付けないと判断した場合にはエラーをＧＭＬＣ装置１１２に送信する。測位要求を受け付けると判断した場合には、ＧＭＬＣ装置１０２は測位対象であるＵＥ装置１０５のプライバシ情報を管理しているＰＰＲ装置１０７に測位処理許可要求を送信する（図２１のステップ３）。ここで、ＧＭＬＣ装置１０２がＵＥ装置１０５のプライバシ情報を管理しているＰＰＲ装置１０７のネットワークアドレス等の情報を保持していない場合には、図１１のステップ８およびステップ９を先に実行し、ＨＬＲ／ＨＳＳ装置１０６からＰＰＲ装置１０７の情報を取得する。ＧＭＬＣ装置１０２からの測位処理許可要求には、測位対象であるＵＥ１０５の電話番号等の識別情報、ｃｌｉｅｎｔ装置１１１の識別情報、要求する位置情報の種別、要求する位置情報の精度情報、要求する位置情報の鮮度情報などの付加情報が含まれている。測位処理許可要求を受け取ったＰＰＲ装置１０７は、ＰＰＲ装置１０７は管理している測位対象のＵＥ１０５のプライバシ設定情報を参照しｃｌｉｅｎｔ装置１０１からの測位要求をＵＥ１０５が受け付けるかどうかを判断する（図２１のステップ４）。ここで行なわれるプライバシチェックでは、ｃｌｉｅｎｔ装置１０１が要求する位置精度と、ＵＥ装置１０５がｃｌｉｅｎｔ装置１０１に渡すことを許可している位置精度との整合性のチェックなども行なわれる。また、ＵＥ１０５が測位要求を受け付ける条件として通知もしくは確認を必要としているかどうかも確認する。ＰＰＲ装置１０７は、プライバシチェックの結果、ＵＥ装置１０５がｃｌｉｅｎｔ装置１０１からの測位要求を受け付けないと判断した場合には、測位処理許可要求の応答としてＧＭＬＣ装置１０２にエラーを通知し、エラー通知を受け取ったＧＭＬＣ装置１０２はｃｌｉｅｎｔ装置１０１にエラーを通知する。ＰＰＲ装置１０７は、プライバシチェックの結果、ＵＥ装置１０５がｃｌｉｅｎｔ装置１０１からの測位要求を測位要求を受け付けると判断した場合には、測位対象のＵＥ１０５の現在位置（Ｃｕｒｒｅｎｔ）が位置情報種別として要求されているかどうかを判断する。要求されている位置情報種別が、現在位置でなく過去の位置でも構わない場合（Ｌａｓｔ　ｋｎｏｗｎ，　Ｌａｓｔ　ｋｎｏｗｎ　ｏｒ　Ｃｕｒｒｅｎｔのどちらかの場合）には、ＰＰＲ装置１０７は測位対象のＵＥ装置１０５の過去の測位結果を保持していないかどうかをチェックし、過去の測位結果を保持している場合には過去の測位結果を再利用することができるかどうかを判断する（図２１のステップ５）。過去の測位結果が再利用できるかどうかを判断する要素としては、ｃｌｉｅｎｔ装置１０１から要求されている位置情報の鮮度や精度などが考えられる。また、特定の時刻以降の測位結果である場合のみｃｌｉｅｎｔ装置１０１に渡してもよいというようなプライバシ設定等がある場合には、その条件を過去の測位結果が満たしているかどうかも確認する。過去の測位結果が要求される精度、要求される鮮度などの条件を満たし再利用が可能であると判断された場合には、ＰＰＲ装置１０７は、プライバシチェックの結果と共に過去の測位結果を測位処理許可要求の応答としてＧＭＬＣ装置１０２に送信する（図２１のステップ６）。過去の測位結果が要求される精度、要求される鮮度などの条件を満たし再利用が可能であると判断され、図２１のステップ４におけるプライバシ設定の確認の結果、ＵＥ装置１０５への通知もしくは確認が不要であると判断された場合には、図１１のステップ８から１４は省略される。図２１のステップ４におけるプライバシ設定の確認の結果、ＵＥ装置１０５への通知もしくは確認が必要であると判断されていた場合には、ＧＭＬＣ装置１０２はＵＥ１０５が接続する地域無線網（ＲＡＮ）を管理するＳＧＳＮ／ＭＳＣ装置の情報をＨＬＲ／ＨＳＳ装置１０６に問い合わせる（図１１のステップ８）。ＨＬＲ／ＨＳＳ装置１０６は、ＧＭＬＣ装置１０２からの問い合わせに対して、ＵＥ装置１０５が接続する地域無線網（ＲＡＮ）１２４を管理するＳＧＳＮ／ＭＳＣ装置１２３の情報を返信する（図１１のステップ９）。ここでＨＬＲ／ＨＳＳ装置１０６は、ＵＥ装置１０５が接続する移動通信ネットワークのＧＭＬＣ装置１２２のネットワークアドレス等の情報を保持していた場合には、前記ＳＧＳＮ／ＭＳＣ装置１２３の情報と合わせてＧＭＬＣ装置１０２に返信する。ＧＭＬＣ装置１０２はＨＬＲ／ＨＳＳ装置１０６からＳＧＳＮ／ＭＳＣ装置１２３の情報を受け取ることができなかった場合には、ＧＭＬＣ装置１１２にエラーを通知し、エラー通知を受け取ったＧＭＬＣ装置１１２はｃｌｉｅｎｔ装置１１１にエラーを通知する。ＨＬＲ／ＨＳＳ装置１０６からＳＧＳＮ／ＭＳＣ装置１２３の情報と共にＧＭＬＣ装置１２２の情報を受け取った場合には、ＧＭＬＣ装置１０２はＧＭＬＣ装置１２２に対してプライバシチェック要求メッセージを送信する（図１１のステップ１０）。ＨＬＲ／ＨＳＳ装置１０６からＧＭＬＣ装置１２２の情報を受け取ることができなかった場合には、ＧＭＬＣ装置１０２は、ＳＧＳＮ／ＭＳＣ装置１２３に対してプライバシチェック要求メッセージを送信する。ＧＭＬＣ装置１０２からプライバシチェック要求メッセージを受け取ったＧＭＬＣ装置１２２は、ＳＧＳＮ／ＭＳＣ装置１２３に対してプライバシチェック要求メッセージを送信する（図１１のステップ１１）。プライバシチェック要求メッセージには、ＵＥ１０５に対する通知だけが必要なのか確認（ＵＥ１０５からの測位を許可するという応答）も必要なのかの区別と、ｃｌｉｅｎｔ装置１１１の情報などＵＥ１０５に通知すべき情報が含まれている。
プライバシ要求メッセージとしては、従来例における測位要求メッセージに特定のパラメータを付加して送信することで受信側であるＳＧＳＮ／ＭＳＣ装置１２３においてプライバシチェック要求メッセージであると判断することも可能であるし、プライバシチェック要求用に専用のメッセージを追加定義することも可能である。
ＧＭＬＣ装置１２２もしくはＧＭＬＣ装置１０２からのプライバシチェック要求メッセージを受信したＳＧＳＮ／ＭＳＣ装置１２３は、ＵＥ装置１０５に対して通知もしくは確認処理を行なう（図１１のステップ１２）。プライバシチェックを行なったＳＧＳＮ／ＭＳＣ装置１２３は、プライバシチェック結果をＧＭＬＣ装置１２２に送信する（図１１のステップ１３）。ＳＧＳＮ／ＭＳＣ装置１２３からのプライバシチェック結果を受信したＧＭＬＣ装置１２２は、プライバシチェック結果をＧＭＬＣ装置１０２に送信する（図１１のステップ１４）。図１１のステップ１３において、ＳＧＳＮ／ＭＳＣ装置１２３がプライバシチェック要求をＧＭＬＣ装置１０２から受け取っていた場合には、ＳＧＳＮ／ＭＳＣ装置１２３は、プライバシチェック結果をＧＭＬＣ装置１０２に送信する。ＳＧＳＮ／ＭＳＣ装置１２３におけるプライバシチェック結果が位置情報をｃｌｉｅｎｔ装置１１１に渡してはいけないという結果であった場合には、ＧＭＬＣ装置１０２はＧＭＬＣ装置１１２にエラーを通知し、エラー通知を受け取ったＧＭＬＣ装置１１２はｃｌｉｅｎｔ装置１１１にエラーを通知する。ＳＧＳＮ／ＭＳＣ装置１２３におけるプライバシチェック結果が位置情報をｃｌｉｅｎｔ装置１１１に渡してもよいという結果であった場合には、ＧＭＬＣ装置１０２は測位対象であるＵＥ装置１０５のプライバシ情報を管理しているＰＰＲ装置１０７に測位処理許可要求を送信する（図２１のステップ１２）。測位処理許可要求を受信したＰＰＲ装置１０７は、測位対象のＵＥ装置１０５のプライバシ設定を参照し、位置情報をｃｌｉｅｎｔ装置１０１に送信してよいかどうかを判断する（図２１のステップ１３）。このプライバシチェックにおいては、ＵＥ装置１０５がｃｌｉｅｎｔ装置１０１に測位結果を渡しても良いと設定している時間帯や場所のチェックを行ない、測位が行なわれた時刻や場所がＵＥ装置１０５が許可している時間帯や場所でない場合には、ＰＰＲ装置１０７はＧＭＬＣ装置１０２にエラーを通知し、エラー通知を受け取ったＧＭＬＣ装置１０２はｃｌｉｅｎｔ装置１０１にエラーを通知する。
図２１のステップ１３におけるプライバシチェックにおいて、測位結果の位置精度がＵＥ装置１０５がｃｌｉｅｎｔ装置１０１に提供することを許可している位置精度よりも良かった場合には、ＰＰＲ装置１０７において位置精度を劣化させる位置情報加工処理を行なうことも考えられる。図２１のステップ１３におけるプライバシチェック結果が位置情報をｃｌｉｅｎｔ装置１０１に渡してもよいという結果であった場合には、ＰＰＲ装置１０７は測位処理許可要求に対する応答としてプライバシチェック結果をＧＭＬＣ装置１０２に送信する（図２１のステップ１４）。ここで、ステップ４におけるＰｒｉｖａｃｙチェックの結果としてステップ１３におけるプライバシチェックが不要と判断されていた場合には、ステップ１２からステップ１４の処理は不要である。図２１のステップ１３におけるプライバシチェック結果が位置情報をｃｌｉｅｎｔ装置１１１に渡してもよいという結果であった場合もしくは、図２１のステップ４におけるＰｒｉｖａｃｙチェックの結果としてステップ１３におけるプライバシチェックが不要と判断されていた場合には、ＧＭＬＣ装置１０２は測位結果をＧＭＬＣ装置１１２に転送する（図１１のステップ１６）。ＧＭＬＣ装置１０２からの測位結果を受け取ったＧＭＬＣ装置１１２は、保持しているｃｌｉｅｎｔ装置１１１の情報に従って、必要ならば位置の表現形式の変換等の測位結果の加工を行なった後、ｃｌｉｅｎｔ装置１１１に測位結果を送信し（図１１のステップ１７）、測位処理を終了する。
【０１２６】
図１８および図１１、図２２を併せ参照して、ＵＥ装置１０５の過去の測位結果をＧＭＬＣ装置１０２が保持する場合に、ｃｌｉｅｎｔ装置１１１がＵＥ装置１０５の位置を取得するための動作を説明する。ｃｌｉｅｎｔ装置１１１は測位要求をＧＭＬＣ装置１１２に送信する（図１１のステップ１）。測位要求には、測位対象であるＵＥ１０５の電話番号等の識別情報、ｃｌｉｅｎｔ装置１１１の識別情報、要求する位置情報の種別、要求する位置情報の精度情報、要求する位置情報の鮮度情報などの付加情報が含まれている。要求位置情報の種別には、測位対象のＵＥ装置１０５の現在位置を要求する場合（Ｃｕｒｒｅｎｔ）、過去の位置を要求する場合（Ｌａｓｔ　ｋｎｏｗｎ）、現在位置が取得できない場合には過去の位置を要求する場合（Ｃｕｒｒｅｎｔ　ｏｒ　Ｌａｓｔ　ｋｎｏｗｎ）、過去の位置が取得できない場合には現在位置を要求する場合（Ｌａｓｔ　ｋｎｏｗｎ　ｏｒ　Ｃｕｒｒｅｎｔ）などの種別が考えられる。位置情報種別として過去の位置を要求する場合（Ｌａｓｔ　ｋｎｏｗｎ，　Ｃｕｒｒｅｎｔ　ｏｒ　Ｌａｓｔ　ｋｎｏｗｎ，　Ｌａｓｔ　ｋｎｏｗｎ　ｏｒ　Ｃｕｒｒｅｎｔのいずれかの場合）には、過去の位置情報に対する要求鮮度情報を伴う場合が考えられ、要求鮮度情報は何月何日何時何分何秒というような絶対時刻表記でその絶対時刻以降の位置情報が欲しいと指定する場合と、何分何秒前というように測位要求を送信した時刻に対する相対時間でその相対時間以内の位置情報が欲しいと指定する場合などの指定方法が考えられる。ＧＭＬＣ装置１１２は、必要に応じてｃｌｉｅｎｔ装置１１１の認証を行ない（図１１のステップ２）、認証に失敗した場合にはｃｌｉｅｎｔ装置１１１にエラーを通知する。ｃｌｉｅｎｔ装置１１１からの測位要求の受付が許可された場合には、ＧＭＬＣ装置１１２は測位対象であるＵＥ１０５の情報を管理しているＨＬＲ／ＨＳＳ装置１０６に対して、ＵＥ１０５のプライバシ設定情報を保持しているＧＭＬＣ装置の情報を問い合わせる（図１１のステップ３）。ＨＬＲ／ＨＳＳ装置１０６はＧＭＬＣ装置１１２からの要求を受け取ると、ＵＥ１０５のプライバシ設定情報を保持しているＧＭＬＣ装置がＧＭＬＣ装置１０２であるという情報をＧＭＬＣ装置１１２へ渡していいかどうかを判断し、渡しても良いと判断した場合にはＧＭＬＣ装置１０２の情報をＧＭＬＣ装置１１２へ送信する（図１１のステップ４）。図１１のステップ４において送信されるＧＭＬＣ装置１０２の情報とは、ＧＭＬＣ装置１０２のネットワークアドレスであるが、ＧＭＬＣ装置１０２の識別情報、ＧＭＬＣ装置１０２の具備する能力などの付加情報を一緒に送信することも可能である。図１１のステップ１によりｃｌｉｅｎｔ装置１１１からの測位要求を受け取ったＧＭＬＣ装置１１２が、測位対象であるＵＥ１０５のプライバシ設定情報を保持しているＧＭＬＣ装置１０２のネットワークアドレス等の情報をすでに知っていた場合には、図１１のステップ３および図１１のステップ４は省略することも可能である。次にＧＭＬＣ装置１１２は、ｃｌｉｅｎｔ装置１１１からの測位要求をＵＥ装置１０５のプライバシ設定情報を保持しているＧＭＬＣ装置１０２に対して転送する（図１１のステップ５）。ＧＭＬＣ装置１１２はｃｌｉｅｎｔ装置１１１からの測位要求をＧＭＬＣ装置１０２に転送する際に、ＧＭＬＣ装置１１２が保持しているｃｌｉｅｎｔ装置情報の一部を転送する場合もある。転送されるｃｌｉｅｎｔ装置情報には、位置情報の表記方法等のｃｌｉｅｎｔ装置１１１がサポートしている機能に関する情報が含まれる。また、転送される測位要求には、測位対象であるＵＥ１０５の電話番号等の識別情報、ｃｌｉｅｎｔ装置１１１の識別情報、要求する位置情報の種別、要求する位置情報の精度情報、要求する位置情報の鮮度情報などの付加情報が含まれている。転送されてきた測位要求を受け取ったＧＭＬＣ装置１０２は、ＧＭＬＣ装置１１２からの測位要求を受け付けるかどうかを判断し、受け付けないと判断した場合にはエラーをＧＭＬＣ装置１１２に送信する。測位要求を受け付けると判断した場合には、ＧＭＬＣ装置１０２は測位対象であるＵＥ装置１０５のプライバシ情報を管理しているＰＰＲ装置１０７に測位処理許可要求を送信する（図２２のステップ３）。ここで、ＧＭＬＣ装置１０２がＵＥ装置１０５のプライバシ情報を管理しているＰＰＲ装置１０７のネットワークアドレス等の情報を保持していない場合には、図１１のステップ８およびステップ９を先に実行し、ＨＬＲ／ＨＳＳ装置１０６からＰＰＲ装置１０７の情報を取得する。ＧＭＬＣ装置１０２からの測位処理許可要求には、測位対象であるＵＥ１０５の電話番号等の識別情報、ｃｌｉｅｎｔ装置１１１の識別情報、要求する位置情報の種別、要求する位置情報の精度情報、要求する位置情報の鮮度情報などの付加情報が含まれている。測位処理許可要求を受け取ったＰＰＲ装置１０７は、ＧＭＬＣ装置１０２からの測位処理許可要求を受け付けるかどうかを判断し、受け付けないと判断した場合にはエラーをＧＭＬＣ装置１０２に送信する。測位処理許可要求を受け付けると判断した場合には、ＰＰＲ装置１０７は管理している測位対象のＵＥ１０５のプライバシ設定情報を参照しｃｌｉｅｎｔ装置１０１からの測位要求をＵＥ１０５が受け付けるかどうかを判断する（図２２のステップ４）。ここで行なわれるプライバシチェックでは、ｃｌｉｅｎｔ装置１０１が要求する位置精度と、ＵＥ装置１０５がｃｌｉｅｎｔ装置１０１に渡すことを許可している位置精度との整合性のチェックなども行なわれる。また、ＵＥ１０５が測位要求を受け付ける条件として通知もしくは確認を必要としているかどうかも確認する。ＰＰＲ装置１０７は、プライバシチェックの結果、ＵＥ装置１０５がｃｌｉｅｎｔ装置１０１からの測位要求を受け付けないと判断した場合には、測位処理許可要求の応答としてＧＭＬＣ装置１０２にエラーを通知し、エラー通知を受け取ったＧＭＬＣ装置１０２はｃｌｉｅｎｔ装置１０１にエラーを通知する。ＰＰＲ装置１０７は、プライバシチェックの結果、ＵＥ装置１０５がｃｌｉｅｎｔ装置１０１からの測位要求を測位要求を受け付けると判断した場合には、ＰＰＲ装置１０７は、プライバシチェックの結果を測位処理許可要求の応答としてＧＭＬＣ装置１０２に送信する（図２２のステップ５）。測位要求が受け付けられるというプライバシチェック結果を受け取ったＧＭＬＣ装置１０２は、測位対象のＵＥ１０５の現在位置（Ｃｕｒｒｅｎｔ）が位置情報種別として要求されているかどうかを判断する。要求されている位置情報種別が、現在位置でなく過去の位置でも構わない場合（Ｌａｓｔ　ｋｎｏｗｎ，　Ｌａｓｔ　ｋｎｏｗｎ　ｏｒ　Ｃｕｒｒｅｎｔのどちらかの場合）には、ＧＭＬＣ装置１０２は測位対象のＵＥ装置１０５の過去の測位結果を保持していないかどうかをチェックし、過去の測位結果を保持している場合には過去の測位結果を再利用することができるかどうかを判断する（図２２のステップ６）。過去の測位結果が再利用できるかどうかを判断する要素としては、ｃｌｉｅｎｔ装置１０１から要求されている位置情報の鮮度や精度などが考えられる。また、特定の時刻以降の測位結果である場合のみｃｌｉｅｎｔ装置１０１に渡してもよいというようなプライバシ設定等がある場合には、その条件を過去の測位結果が満たしているかどうかも確認する。過去の測位結果が要求される精度、要求される鮮度などの条件を満たし再利用が可能であると判断され、図２２のステップ４におけるプライバシ設定の確認の結果、ＵＥ装置１０５への通知もしくは確認が不要であると判断された場合には、図１１のステップ８から１４は省略される。図２２のステップ４におけるプライバシ設定の確認の結果、ＵＥ装置１０５への通知もしくは確認が必要であると判断されていた場合には、ＧＭＬＣ装置１０２はＵＥ１０５が接続する地域無線網（ＲＡＮ）を管理するＳＧＳＮ／ＭＳＣ装置の情報をＨＬＲ／ＨＳＳ装置１０６に問い合わせる（図１１のステップ８）。ＨＬＲ／ＨＳＳ装置１０６は、ＧＭＬＣ装置１０２からの問い合わせに対して、ＵＥ装置１０５が接続する地域無線網（ＲＡＮ）１２４を管理するＳＧＳＮ／ＭＳＣ装置１２３の情報を返信する（図１１のステップ９）。ここでＨＬＲ／ＨＳＳ装置１０６は、ＵＥ装置１０５が接続する移動通信ネットワークのＧＭＬＣ装置１２２のネットワークアドレス等の情報を保持していた場合には、前記ＳＧＳＮ／ＭＳＣ装置１２３の情報と合わせてＧＭＬＣ装置１０２に返信する。ＧＭＬＣ装置１０２はＨＬＲ／ＨＳＳ装置１０６からＳＧＳＮ／ＭＳＣ装置１２３の情報を受け取ることができなかった場合には、ＧＭＬＣ装置１１２にエラーを通知し、エラー通知を受け取ったＧＭＬＣ装置１１２はｃｌｉｅｎｔ装置１１１にエラーを通知する。ＨＬＲ／ＨＳＳ装置１０６からＳＧＳＮ／ＭＳＣ装置１２３の情報と共にＧＭＬＣ装置１２２の情報を受け取った場合には、ＧＭＬＣ装置１０２はＧＭＬＣ装置１２２に対してプライバシチェック要求メッセージを送信する（図１１のステップ１０）。ＨＬＲ／ＨＳＳ装置１０６からＧＭＬＣ装置１２２の情報を受け取ることができなかった場合には、ＧＭＬＣ装置１０２は、ＳＧＳＮ／ＭＳＣ装置１２３に対してプライバシチェック要求メッセージを送信する。ＧＭＬＣ装置１０２からプライバシチェック要求メッセージを受け取ったＧＭＬＣ装置１２２は、ＳＧＳＮ／ＭＳＣ装置１２３に対してプライバシチェック要求メッセージを送信する（図１１のステップ１１）。
プライバシチェック要求メッセージには、ＵＥ１０５に対する通知だけが必要なのか確認（ＵＥ１０５からの測位を許可するという応答）も必要なのかの区別と、ｃｌｉｅｎｔ装置１１１の情報などＵＥ１０５に通知すべき情報が含まれている。プライバシ要求メッセージとしては、従来例における測位要求メッセージに特定のパラメータを付加して送信することで受信側であるＳＧＳＮ／ＭＳＣ装置１２３においてプライバシチェック要求メッセージであると判断することも可能であるし、プライバシチェック要求用に専用のメッセージを追加定義することも可能である。ＧＭＬＣ装置１２２もしくはＧＭＬＣ装置１０２からのプライバシチェック要求メッセージを受信したＳＧＳＮ／ＭＳＣ装置１２３は、ＵＥ装置１０５に対して通知もしくは確認処理を行なう（図１１のステップ１２）。プライバシチェックを行なったＳＧＳＮ／ＭＳＣ装置１２３は、プライバシチェック結果をＧＭＬＣ装置１２２に送信する（図１１のステップ１３）。ＳＧＳＮ／ＭＳＣ装置１２３からのプライバシチェック結果を受信したＧＭＬＣ装置１２２は、プライバシチェック結果をＧＭＬＣ装置１０２に送信する（図１１のステップ１４）。図１１のステップ１３において、ＳＧＳＮ／ＭＳＣ装置１２３がプライバシチェック要求をＧＭＬＣ装置１０２から受け取っていた場合には、ＳＧＳＮ／ＭＳＣ装置１２３は、プライバシチェック結果をＧＭＬＣ装置１０２に送信する。ＳＧＳＮ／ＭＳＣ装置１２３におけるプライバシチェック結果が位置情報をｃｌｉｅｎｔ装置１１１に渡してはいけないという結果であった場合には、ＧＭＬＣ装置１０２はＧＭＬＣ装置１１２にエラーを通知し、エラー通知を受け取ったＧＭＬＣ装置１１２はｃｌｉｅｎｔ装置１１１にエラーを通知する。ＳＧＳＮ／ＭＳＣ装置１２３におけるプライバシチェック結果が位置情報をｃｌｉｅｎｔ装置１１１に渡してもよいという結果であった場合には、ＧＭＬＣ装置１０２は測位対象であるＵＥ装置１０５のプライバシ情報を管理しているＰＰＲ装置１０７に測位処理許可要求を送信する（図２２のステップ１２）。測位処理許可要求を受信したＰＰＲ装置１０７は、測位対象のＵＥ装置１０５のプライバシ設定を参照し、位置情報をｃｌｉｅｎｔ装置１０１に送信してよいかどうかを判断する（図２２のステップ１３）。このプライバシチェックにおいては、ＵＥ装置１０５がｃｌｉｅｎｔ装置１０１に測位結果を渡しても良いと設定している時間帯や場所のチェックを行ない、測位が行なわれた時刻や場所がＵＥ装置１０５が許可している時間帯や場所でない場合には、ＰＰＲ装置１０７はＧＭＬＣ装置１０２にエラーを通知し、エラー通知を受け取ったＧＭＬＣ装置１０２はｃｌｉｅｎｔ装置１０１にエラーを通知する。図２２のステップ１３におけるプライバシチェックにおいて、測位結果の位置精度がＵＥ装置１０５がｃｌｉｅｎｔ装置１０１に提供することを許可している位置精度よりも良かった場合には、ＰＰＲ装置１０７において位置精度を劣化させる位置情報加工処理を行なうことも考えられる。図２２のステップ１３におけるプライバシチェック結果が位置情報をｃｌｉｅｎｔ装置１０１に渡してもよいという結果であった場合には、ＰＰＲ装置１０７は測位処理許可要求に対する応答としてプライバシチェック結果をＧＭＬＣ装置１０２に送信する（図２２のステップ１４）。ここで、ステップ４におけるＰｒｉｖａｃｙチェックの結果としてステップ１３におけるプライバシチェックが不要と判断されていた場合には、ステップ１２からステップ１４の処理は不要である。図２２のステップ１３におけるプライバシチェック結果が位置情報をｃｌｉｅｎｔ装置１１１に渡してもよいという結果であった場合もしくは、図２２のステップ４におけるＰｒｉｖａｃｙチェックの結果としてステップ１３におけるプライバシチェックが不要と判断されていた場合には、ＧＭＬＣ装置１０２は測位結果をＧＭＬＣ装置１１２に転送する（図１１のステップ１６）。ＧＭＬＣ装置１０２からの測位結果を受け取ったＧＭＬＣ装置１１２は、保持しているｃｌｉｅｎｔ装置１１１の情報に従って、必要ならば位置の表現形式の変換等の測位結果の加工を行なった後、ｃｌｉｅｎｔ装置１１１に測位結果を送信し（図１１のステップ１７）、測位処理を終了する。
【０１２７】
第三の実施の形態のようにプライバシ設定情報をＧＭＬＣ装置が保持する移動通信ネットワークと、第八の実施の形態のようにプライバシ設定情報をＰＰＲ装置が保持する移動通信ネットワークが混在する実施の形態も考えられる。その場合には測位対象のＵＥ装置の情報を保持するＨＬＲ／ＨＳＳ装置が属する移動通信ネットワークがどちらの実施の形態に相当するかによって本発明の動作は異なる。測位対象のＵＥ装置の情報を保持するＨＬＲ／ＨＳＳ装置が属する移動通信ネットワークが第三の実施の形態に相当する場合は、第三の実施の形態における処理が行なわれ、測位対象のＵＥ装置の情報を保持するＨＬＲ／ＨＳＳ装置が属する移動通信ネットワークが第八の実施の形態に相当する場合は、第八の実施の形態における処理が行なわれる。
【０１２８】
【発明の第九の実施の形態】
本発明の第九の実施の形態について図面を参照して詳細に説明する。
【０１２９】
【構成の説明】
図１９を参照すると、本発明の第九の実施の形態は、測位要求を移動通信ネットワークに対して送信するｃｌｉｅｎｔ装置１０１、１１１他複数のｃｌｉｅｎｔ装置と、移動通信ネットワークにおいてｃｌｉｅｎｔ装置からの測位要求を受け付けるゲートウェイ装置であるＧＭＬＣ装置１０２、１１２他複数のＧＭＬＣ装置と、ひとつもしくは複数の地域無線網を管理するＳＧＳＮ／ＭＳＣ装置１０３、１１３他複数のＳＧＳＮ／ＭＳＣ装置と、地域無線網（ＲＡＮ）１０４、１１４他複数の地域無線網（ＲＡＮ）と、測位対象となる移動機であるＵＥ装置１０５、１１５他複数のＵＥ装置と、各移動機の接続する地域無線網の情報を保持する移動機データベースであるＨＬＲ／ＨＳＳ装置１０６、１１６他複数のＨＬＲ／ＨＳＳ装置と、ＵＥ装置１０５、１１５他複数のＵＥ装置のプライバシ設定情報を保持するＰＰＲ装置１０７、１１７等複数のＰＰＲ装置などの複数のノードから構成される。ここで地域無線網（ＲＡＮ）１０４、１１４は基地局や基地局制御装置など複数の装置から構成されるのが通常であるが、地域無線網の内部構成は本実施例に影響しないためここでは地域無線網としてまとめて取り扱うものとする。ｃｌｉｅｎｔ装置１０１、ＧＭＬＣ装置１０２、ＳＧＳＮ／ＭＳＣ装置１０３、ＲＡＮ１０４、ＨＬＲ／ＨＳＳ装置１０６およびＰＰＲ装置１０７から構成される移動通信ネットワークは、ｃｌｉｅｎｔ装置１１１、ＧＭＬＣ装置１１２、ＳＧＳＮ／ＭＳＣ装置１１３、ＲＡＮ１１４、ＨＬＲ／ＨＳＳ装置１１６およびＰＰＲ装置１１７から構成される移動通信ネットワークを運用する移動通信事業者と同じ移動通信事業者が運営する場合も考えられるし、異なる移動通信事業者が運営する場合も考えられる。ＵＥ装置１０５、１１５は地域無線網１０４、１１４他複数の地域無線網への接続を任意に切り替えられるものとする。本実施例においては、ＵＥ装置１０５が接続する地域無線網を管理するＳＧＳＮ／ＭＳＣ装置の情報はＨＬＲ／ＨＳＳ装置１０６に保持され、ＵＥ装置１１５が接続する地域無線網を管理するＳＧＳＮ／ＭＳＣ装置の情報はＨＬＲ装置１１６に保持されるものとする。また、ＵＥ装置１０５のプライバシ保護に関する情報はＰＰＲ装置１０７に保持され、ＵＥ装置１１５のプライバシ保護に関する情報はＰＰＲ装置１１７に保持されるものとする。ＨＬＲ／ＨＳＳ装置１０６はＵＥ装置１０５のプライバシ設定情報を保持するＰＰＲ装置１０７がＧＭＬＣ装置１０２に接続されていることを記憶しており、ＨＬＲ／ＨＳＳ装置１１６はＵＥ装置１１５のプライバシ設定情報を保持するＰＰＲ装置１１７がＧＭＬＣ装置１１２に接続されていることを記憶している。またＨＬＲ／ＨＳＳ装置１０６はＵＥ装置１０５のプライバシ設定情報を保持するＰＰＲ装置１０７のネットワークアドレス等の情報を記憶している場合もあり、ＨＬＲ／ＨＳＳ装置１１６はＵＥ装置１１５のプライバシ設定情報を保持するＰＰＲ装置１１７のネットワークアドレス等の情報を記憶している場合もある。ｃｌｉｅｎｔ装置１０１の情報はＧＭＬＣ装置１０２に保持され、ｃｌｉｅｎｔ装置１１１の情報はＧＭＬＣ装置１１２に保持される。本実施例においては、ＵＥ装置１０５が接続する移動通信ネットワークのＧＭＬＣ装置の情報がＨＬＲ／ＨＳＳ装置１０６に保持され、ＵＥ装置１１５が接続する移動通信ネットワークのＧＭＬＣ装置の情報がＨＬＲ装置１１６に保持されるものとする。本実施の形態においては、ＵＥ装置１０５はＲＡＮ１１４に接続しているものとする。本実施の形態は、第四の実施の形態にＰＰＲ装置１０７、１１７を追加し、第四の実施の形態においてはＧＭＬＣ装置１０２、１１２が保持していたＵＥ装置のプライバシ保護のためのプライバシ設定情報を、ＰＰＲ装置１０７、１１７で保持するように変更した場合の実施の形態である。
【０１３０】
【動作の説明】
次に、図１９および図１３，図２１，図２２を併せ参照して、本発明の第九の実施の形態における外部起動測位の動作を説明する。
【０１３１】
図１９および図１３，図２１を併せ参照して、ＵＥ装置１０５のプライバシ設定情報および過去の測位結果をＰＰＲ装置１０７が保持する場合に、ｃｌｉｅｎｔ装置１０１がＵＥ装置１０５の位置を取得するための動作を説明する。ｃｌｉｅｎｔ装置１０１は測位要求をＧＭＬＣ装置１０２に送信する（図１３のステップ１）。測位要求には、測位対象であるＵＥ１０５の電話番号等の識別情報、ｃｌｉｅｎｔ装置１０１の識別情報、要求する位置情報の種別、要求する位置情報の精度情報、要求する位置情報の鮮度情報などの付加情報が含まれている。要求位置情報の種別には、測位対象のＵＥ装置１０５の現在位置を要求する場合（Ｃｕｒｒｅｎｔ）、過去の位置を要求する場合（Ｌａｓｔ　ｋｎｏｗｎ）、現在位置が取得できない場合には過去の位置を要求する場合（Ｃｕｒｒｅｎｔ　ｏｒ　Ｌａｓｔ　ｋｎｏｗｎ）、過去の位置が取得できない場合には現在位置を要求する場合（Ｌａｓｔ　ｋｎｏｗｎ　ｏｒ　Ｃｕｒｒｅｎｔ）などの種別が考えられる。位置情報種別として過去の位置を要求する場合（Ｌａｓｔ　ｋｎｏｗｎ，　Ｃｕｒｒｅｎｔ　ｏｒ　Ｌａｓｔ　ｋｎｏｗｎ，　Ｌａｓｔ　ｋｎｏｗｎ　ｏｒ　Ｃｕｒｒｅｎｔのいずれかの場合）には、過去の位置情報に対する要求鮮度情報を伴う場合が考えられ、要求鮮度情報は何月何日何時何分何秒というような絶対時刻表記でその絶対時刻以降の位置情報が欲しいと指定する場合と、何分何秒前というように測位要求を送信した時刻に対する相対時間でその相対時間以内の位置情報が欲しいと指定する場合などの指定方法が考えられる。ＧＭＬＣ装置１０２は、必要に応じてｃｌｉｅｎｔ装置１０１の認証を行ない（図１３のステップ２）、認証に失敗した場合にはｃｌｉｅｎｔ装置１０１にエラーを通知する。ｃｌｉｅｎｔ装置１０１からの測位要求の受付が許可された場合には、ＧＭＬＣ装置１０２は測位対象であるＵＥ装置１０５のプライバシ情報を管理しているＰＰＲ装置１０７に測位処理許可要求を送信する（図２１のステップ３）。ここで、ＧＭＬＣ装置１０２がＵＥ装置１０５のプライバシ情報を管理しているＰＰＲ装置１０７のネットワークアドレス等の情報を保持していない場合には、図１３のステップ５およびステップ６を先に実行し、ＨＬＲ／ＨＳＳ装置１０６からＰＰＲ装置１０７の情報を取得する。ＧＭＬＣ装置１０２からの測位処理許可要求には、測位対象であるＵＥ１０５の電話番号等の識別情報、ｃｌｉｅｎｔ装置１１１の識別情報、要求する位置情報の種別、要求する位置情報の精度情報、要求する位置情報の鮮度情報などの付加情報が含まれている。測位処理許可要求を受け取ったＰＰＲ装置１０７は、ＰＰＲ装置１０７は管理している測位対象のＵＥ１０５のプライバシ設定情報を参照しｃｌｉｅｎｔ装置１０１からの測位要求をＵＥ１０５が受け付けるかどうかを判断する（図２１のステップ４）。ここで行なわれるプライバシチェックでは、ｃｌｉｅｎｔ装置１０１が要求する位置精度と、ＵＥ装置１０５がｃｌｉｅｎｔ装置１０１に渡すことを許可している位置精度との整合性のチェックなども行なわれる。また、ＵＥ１０５が測位要求を受け付ける条件として通知もしくは確認を必要としているかどうかも確認する。ＰＰＲ装置１０７は、プライバシチェックの結果、ＵＥ装置１０５がｃｌｉｅｎｔ装置１０１からの測位要求を受け付けないと判断した場合には、測位処理許可要求の応答としてＧＭＬＣ装置１０２にエラーを通知し、エラー通知を受け取ったＧＭＬＣ装置１０２はｃｌｉｅｎｔ装置１０１にエラーを通知する。ＰＰＲ装置１０７は、プライバシチェックの結果、ＵＥ装置１０５がｃｌｉｅｎｔ装置１０１からの測位要求を測位要求を受け付けると判断した場合には、測位対象のＵＥ１０５の現在位置（Ｃｕｒｒｅｎｔ）が位置情報種別として要求されているかどうかを判断する。要求されている位置情報種別が、現在位置でなく過去の位置でも構わない場合（Ｌａｓｔ　ｋｎｏｗｎ，　Ｌａｓｔ　ｋｎｏｗｎ　ｏｒ　Ｃｕｒｒｅｎｔのどちらかの場合）には、ＰＰＲ装置１０７は測位対象のＵＥ装置１０５の過去の測位結果を保持していないかどうかをチェックし、過去の測位結果を保持している場合には過去の測位結果を再利用することができるかどうかを判断する（図２１のステップ５）。
過去の測位結果が再利用できるかどうかを判断する要素としては、ｃｌｉｅｎｔ装置１０１から要求されている位置情報の鮮度や精度などが考えられる。また、特定の時刻以降の測位結果である場合のみｃｌｉｅｎｔ装置１０１に渡してもよいというようなプライバシ設定等がある場合には、その条件を過去の測位結果が満たしているかどうかも確認する。過去の測位結果が要求される精度、要求される鮮度などの条件を満たし再利用が可能であると判断された場合には、ＰＰＲ装置１０７は、プライバシチェックの結果と共に過去の測位結果を測位処理許可要求の応答としてＧＭＬＣ装置１０２に送信する（図２１のステップ６）。過去の測位結果が要求される精度、要求される鮮度などの条件を満たし再利用が可能であると判断され、図２１のステップ４におけるプライバシ設定の確認の結果、ＵＥ装置１０５への通知もしくは確認が不要であると判断された場合には、図１３のステップ５から１１は省略される。図２１のステップ４におけるプライバシ設定の確認の結果、ＵＥ装置１０５への通知もしくは確認が必要であると判断されていた場合には、ＧＭＬＣ装置１０２はＵＥ１０５が接続する地域無線網（ＲＡＮ）を管理するＳＧＳＮ／ＭＳＣ装置の情報をＨＬＲ／ＨＳＳ装置１０６に問い合わせる（図１３のステップ５）。ＨＬＲ／ＨＳＳ装置１０６は、ＧＭＬＣ装置１０２からの問い合わせに対して、ＵＥ装置１０５が接続する地域無線網（ＲＡＮ）１１４を管理するＳＧＳＮ／ＭＳＣ装置１１３の情報を返信する（図１３のステップ６）。ここでＨＬＲ／ＨＳＳ装置１０６は、ＵＥ装置１０５が接続する移動通信ネットワークのＧＭＬＣ装置１１２のネットワークアドレス等の情報を保持していた場合には、前記ＳＧＳＮ／ＭＳＣ装置１１３の情報と合わせてＧＭＬＣ装置１０２に返信する。ＧＭＬＣ装置１０２はＨＬＲ／ＨＳＳ装置１０６からＳＧＳＮ／ＭＳＣ装置１１３の情報を受け取ることができなかった場合には、ｃｌｉｅｎｔ装置１０１にエラーを通知する。ＨＬＲ／ＨＳＳ装置１０６からＳＧＳＮ／ＭＳＣ装置１１３の情報と共にＧＭＬＣ装置１１２の情報を受け取った場合には、ＧＭＬＣ装置１０２はＧＭＬＣ装置１１２に対してプライバシチェック要求メッセージを送信する（図１３のステップ７）。ＨＬＲ／ＨＳＳ装置１０６からＧＭＬＣ装置１１２の情報を受け取ることができなかった場合には、ＧＭＬＣ装置１０２は、ＳＧＳＮ／ＭＳＣ装置１１３に対してプライバシチェック要求メッセージを送信する。ＧＭＬＣ装置１０２からプライバシチェック要求メッセージを受け取ったＧＭＬＣ装置１１２は、ＳＧＳＮ／ＭＳＣ装置１１３に対してプライバシチェック要求メッセージを送信する（図１３のステップ８）。プライバシチェック要求メッセージには、ＵＥ１０５に対する通知だけが必要なのか確認（ＵＥ１０５からの測位を許可するという応答）も必要なのかの区別と、ｃｌｉｅｎｔ装置１０１の情報などＵＥ１０５に通知すべき情報が含まれている。プライバシ要求メッセージとしては、従来例における測位要求メッセージに特定のパラメータを付加して送信することで受信側であるＳＧＳＮ／ＭＳＣ装置１１３においてプライバシチェック要求メッセージであると判断することも可能であるし、プライバシチェック要求用に専用のメッセージを追加定義することも可能である。ＧＭＬＣ装置１１２もしくはＧＭＬＣ装置１０２からのプライバシチェック要求メッセージを受信したＳＧＳＮ／ＭＳＣ装置１１３は、ＵＥ装置１０５に対して通知もしくは確認処理を行なう（図１３のステップ９）。プライバシチェックを行なったＳＧＳＮ／ＭＳＣ装置１１３は、プライバシチェック結果をＧＭＬＣ装置１１２に送信する（図１３のステップ１０）。ＳＧＳＮ／ＭＳＣ装置１１３からのプライバシチェック結果を受信したＧＭＬＣ装置１１２は、プライバシチェック結果をＧＭＬＣ装置１０２に送信する（図１３のステップ１１）。図１３のステップ１０において、ＳＧＳＮ／ＭＳＣ装置１１３がプライバシチェック要求をＧＭＬＣ装置１０２から受け取っていた場合には、ＳＧＳＮ／ＭＳＣ装置１１３は、プライバシチェック結果をＧＭＬＣ装置１０２に送信する。ＳＧＳＮ／ＭＳＣ装置１１３におけるプライバシチェック結果が位置情報をｃｌｉｅｎｔ装置１０１に渡してはいけないという結果であった場合には、ＧＭＬＣ装置１０２はｃｌｉｅｎｔ装置１０１にエラーを通知する。ＳＧＳＮ／ＭＳＣ装置１１３におけるプライバシチェック結果が位置情報をｃｌｉｅｎｔ装置１０１に渡してもよいという結果であった場合には、ＧＭＬＣ装置１０２は測位対象であるＵＥ装置１０５のプライバシ情報を管理しているＰＰＲ装置１０７に測位処理許可要求を送信する（図２１のステップ１２）。測位処理許可要求を受信したＰＰＲ装置１０７は、測位対象のＵＥ装置１０５のプライバシ設定を参照し、位置情報をｃｌｉｅｎｔ装置１０１に送信してよいかどうかを判断する（図２１のステップ１３）。このプライバシチェックにおいては、ＵＥ装置１０５がｃｌｉｅｎｔ装置１０１に測位結果を渡しても良いと設定している時間帯や場所のチェックを行ない、測位が行なわれた時刻や場所がＵＥ装置１０５が許可している時間帯や場所でない場合には、ＰＰＲ装置１０７はＧＭＬＣ装置１０２にエラーを通知し、エラー通知を受け取ったＧＭＬＣ装置１０２はｃｌｉｅｎｔ装置１０１にエラーを通知する。図２１のステップ１３におけるプライバシチェックにおいて、測位結果の位置精度がＵＥ装置１０５がｃｌｉｅｎｔ装置１０１に提供することを許可している位置精度よりも良かった場合には、ＰＰＲ装置１０７において位置精度を劣化させる位置情報加工処理を行なうことも考えられる。図２１のステップ１３におけるプライバシチェック結果が位置情報をｃｌｉｅｎｔ装置１０１に渡してもよいという結果であった場合には、ＰＰＲ装置１０７は測位処理許可要求に対する応答としてプライバシチェック結果をＧＭＬＣ装置１０２に送信する（図２１のステップ１４）。ここで、ステップ４におけるＰｒｉｖａｃｙチェックの結果としてステップ１３におけるプライバシチェックが不要と判断されていた場合には、ステップ１２からステップ１４の処理は不要である。図２１のステップ１３におけるプライバシチェック結果が位置情報をｃｌｉｅｎｔ装置１０１に渡してもよいという結果であった場合もしくは、図２１のステップ４におけるＰｒｉｖａｃｙチェックの結果としてステップ１３におけるプライバシチェックが不要と判断されていた場合には、ＧＭＬＣ装置１０２は、保持しているｃｌｉｅｎｔ装置１０１の情報に従って、必要ならば位置の表現形式の変換等の測位結果の加工を行なった後、ｃｌｉｅｎｔ装置１０１に測位結果を送信し（図１３のステップ１３）、測位処理を終了する。
【０１３２】
図１９および図１３，図２１を併せ参照して、ＵＥ装置１０５の過去の測位結果をＧＭＬＣ装置１０２が保持する場合に、ｃｌｉｅｎｔ装置１０１がＵＥ装置１０５の位置を取得するための動作を説明する。ｃｌｉｅｎｔ装置１０１は測位要求をＧＭＬＣ装置１０２に送信する（図１３のステップ１）。測位要求には、測位対象であるＵＥ１０５の電話番号等の識別情報、ｃｌｉｅｎｔ装置１０１の識別情報、要求する位置情報の種別、要求する位置情報の精度情報、要求する位置情報の鮮度情報などの付加情報が含まれている。要求位置情報の種別には、測位対象のＵＥ装置１０５の現在位置を要求する場合（Ｃｕｒｒｅｎｔ）、過去の位置を要求する場合（Ｌａｓｔ　ｋｎｏｗｎ）、現在位置が取得できない場合には過去の位置を要求する場合（Ｃｕｒｒｅｎｔ　ｏｒ　Ｌａｓｔ　ｋｎｏｗｎ）、過去の位置が取得できない場合には現在位置を要求する場合（Ｌａｓｔ　ｋｎｏｗｎ　ｏｒ　Ｃｕｒｒｅｎｔ）などの種別が考えられる。位置情報種別として過去の位置を要求する場合（Ｌａｓｔ　ｋｎｏｗｎ，　Ｃｕｒｒｅｎｔ　ｏｒ　Ｌａｓｔ　ｋｎｏｗｎ，　Ｌａｓｔ　ｋｎｏｗｎ　ｏｒ　Ｃｕｒｒｅｎｔのいずれかの場合）には、過去の位置情報に対する要求鮮度情報を伴う場合が考えられ、要求鮮度情報は何月何日何時何分何秒というような絶対時刻表記でその絶対時刻以降の位置情報が欲しいと指定する場合と、何分何秒前というように測位要求を送信した時刻に対する相対時間でその相対時間以内の位置情報が欲しいと指定する場合などの指定方法が考えられる。ＧＭＬＣ装置１０２は、必要に応じてｃｌｉｅｎｔ装置１０１の認証を行ない（図１３のステップ２）、認証に失敗した場合にはｃｌｉｅｎｔ装置１０１にエラーを通知する。ｃｌｉｅｎｔ装置１０１からの測位要求の受付が許可された場合には、ＧＭＬＣ装置１０２は測位対象であるＵＥ装置１０５のプライバシ情報を管理しているＰＰＲ装置１０７に測位処理許可要求を送信する（図２２のステップ３）。ここで、ＧＭＬＣ装置１０２がＵＥ装置１０５のプライバシ情報を管理しているＰＰＲ装置１０７のネットワークアドレス等の情報を保持していない場合には、図１３のステップ５およびステップ６を先に実行し、ＨＬＲ／ＨＳＳ装置１０６からＰＰＲ装置１０７の情報を取得する。ＧＭＬＣ装置１０２からの測位処理許可要求には、測位対象であるＵＥ１０５の電話番号等の識別情報、ｃｌｉｅｎｔ装置１１１の識別情報、要求する位置情報の種別、要求する位置情報の精度情報、要求する位置情報の鮮度情報などの付加情報が含まれている。測位処理許可要求を受け取ったＰＰＲ装置１０７は、ＧＭＬＣ装置１０２からの測位処理許可要求を受け付けるかどうかを判断し、受け付けないと判断した場合にはエラーをＧＭＬＣ装置１０２に送信する。測位処理許可要求を受け付けると判断した場合には、ＰＰＲ装置１０７は管理している測位対象のＵＥ１０５のプライバシ設定情報を参照しｃｌｉｅｎｔ装置１０１からの測位要求をＵＥ１０５が受け付けるかどうかを判断する（図２２のステップ４）。ここで行なわれるプライバシチェックでは、ｃｌｉｅｎｔ装置１０１が要求する位置精度と、ＵＥ装置１０５がｃｌｉｅｎｔ装置１０１に渡すことを許可している位置精度との整合性のチェックなども行なわれる。また、ＵＥ１０５が測位要求を受け付ける条件として通知もしくは確認を必要としているかどうかも確認する。ＰＰＲ装置１０７は、プライバシチェックの結果、ＵＥ装置１０５がｃｌｉｅｎｔ装置１０１からの測位要求を受け付けないと判断した場合には、測位処理許可要求の応答としてＧＭＬＣ装置１０２にエラーを通知し、エラー通知を受け取ったＧＭＬＣ装置１０２はｃｌｉｅｎｔ装置１０１にエラーを通知する。ＰＰＲ装置１０７は、プライバシチェックの結果、ＵＥ装置１０５がｃｌｉｅｎｔ装置１０１からの測位要求を測位要求を受け付けると判断した場合には、ＰＰＲ装置１０７は、プライバシチェックの結果を測位処理許可要求の応答としてＧＭＬＣ装置１０２に送信する（図２２のステップ５）。測位要求が受け付けられるというプライバシチェック結果を受け取ったＧＭＬＣ装置１０２は、測位対象のＵＥ１０５の現在位置（Ｃｕｒｒｅｎｔ）が位置情報種別として要求されているかどうかを判断する。要求されている位置情報種別が、現在位置でなく過去の位置でも構わない場合（Ｌａｓｔ　ｋｎｏｗｎ，　Ｌａｓｔ　ｋｎｏｗｎ　ｏｒ　Ｃｕｒｒｅｎｔのどちらかの場合）には、ＧＭＬＣ装置１０２は測位対象のＵＥ装置１０５の過去の測位結果を保持していないかどうかをチェックし、過去の測位結果を保持している場合には過去の測位結果を再利用することができるかどうかを判断する（図２２のステップ６）。過去の測位結果が再利用できるかどうかを判断する要素としては、ｃｌｉｅｎｔ装置１０１から要求されている位置情報の鮮度や精度などが考えられる。また、特定の時刻以降の測位結果である場合のみｃｌｉｅｎｔ装置１０１に渡してもよいというようなプライバシ設定等がある場合には、その条件を過去の測位結果が満たしているかどうかも確認する。過去の測位結果が要求される精度、要求される鮮度などの条件を満たし再利用が可能であると判断され、図２２のステップ４におけるプライバシ設定の確認の結果、ＵＥ装置１０５への通知もしくは確認が不要であると判断された場合には、図１３のステップ５から１１は省略される。図２２のステップ４におけるプライバシ設定の確認の結果、ＵＥ装置１０５への通知もしくは確認が必要であると判断されていた場合には、ＧＭＬＣ装置１０２はＵＥ１０５が接続する地域無線網（ＲＡＮ）を管理するＳＧＳＮ／ＭＳＣ装置の情報をＨＬＲ／ＨＳＳ装置１０６に問い合わせる（図１３のステップ５）。ＨＬＲ／ＨＳＳ装置１０６は、ＧＭＬＣ装置１０２からの問い合わせに対して、ＵＥ装置１０５が接続する地域無線網（ＲＡＮ）１１４を管理するＳＧＳＮ／ＭＳＣ装置１１３の情報を返信する（図１３のステップ６）。ここでＨＬＲ／ＨＳＳ装置１０６は、ＵＥ装置１０５が接続する移動通信ネットワークのＧＭＬＣ装置１１２のネットワークアドレス等の情報を保持していた場合には、前記ＳＧＳＮ／ＭＳＣ装置１１３の情報と合わせてＧＭＬＣ装置１０２に返信する。ＧＭＬＣ装置１０２はＨＬＲ／ＨＳＳ装置１０６からＳＧＳＮ／ＭＳＣ装置１１３の情報を受け取ることができなかった場合には、ｃｌｉｅｎｔ装置１０１にエラーを通知する。ＨＬＲ／ＨＳＳ装置１０６からＳＧＳＮ／ＭＳＣ装置１１３の情報と共にＧＭＬＣ装置１１２の情報を受け取った場合には、ＧＭＬＣ装置１０２はＧＭＬＣ装置１１２に対してプライバシチェック要求メッセージを送信する（図１３のステップ７）。ＨＬＲ／ＨＳＳ装置１０６からＧＭＬＣ装置１１２の情報を受け取ることができなかった場合には、ＧＭＬＣ装置１０２は、ＳＧＳＮ／ＭＳＣ装置１１３に対してプライバシチェック要求メッセージを送信する。ＧＭＬＣ装置１０２からプライバシチェック要求メッセージを受け取ったＧＭＬＣ装置１１２は、ＳＧＳＮ／ＭＳＣ装置１１３に対してプライバシチェック要求メッセージを送信する（図１３のステップ８）。プライバシチェック要求メッセージには、ＵＥ１０５に対する通知だけが必要なのか確認（ＵＥ１０５からの測位を許可するという応答）も必要なのかの区別と、ｃｌｉｅｎｔ装置１０１の情報などＵＥ１０５に通知すべき情報が含まれている。プライバシ要求メッセージとしては、従来例における測位要求メッセージに特定のパラメータを付加して送信することで受信側であるＳＧＳＮ／ＭＳＣ装置１１３においてプライバシチェック要求メッセージであると判断することも可能であるし、プライバシチェック要求用に専用のメッセージを追加定義することも可能である。ＧＭＬＣ装置１１２もしくはＧＭＬＣ装置１０２からのプライバシチェック要求メッセージを受信したＳＧＳＮ／ＭＳＣ装置１１３は、ＵＥ装置１０５に対して通知もしくは確認処理を行なう（図１３のステップ９）。プライバシチェックを行なったＳＧＳＮ／ＭＳＣ装置１１３は、プライバシチェック結果をＧＭＬＣ装置１１２に送信する（図１３のステップ１０）。ＳＧＳＮ／ＭＳＣ装置１１３からのプライバシチェック結果を受信したＧＭＬＣ装置１１２は、プライバシチェック結果をＧＭＬＣ装置１０２に送信する（図１３のステップ１１）。図１３のステップ１０において、ＳＧＳＮ／ＭＳＣ装置１１３がプライバシチェック要求をＧＭＬＣ装置１０２から受け取っていた場合には、ＳＧＳＮ／ＭＳＣ装置１１３は、プライバシチェック結果をＧＭＬＣ装置１０２に送信する。ＳＧＳＮ／ＭＳＣ装置１１３におけるプライバシチェック結果が位置情報をｃｌｉｅｎｔ装置１０１に渡してはいけないという結果であった場合には、ＧＭＬＣ装置１０２はｃｌｉｅｎｔ装置１０１にエラーを通知する。ＳＧＳＮ／ＭＳＣ装置１１３におけるプライバシチェック結果が位置情報をｃｌｉｅｎｔ装置１０１に渡してもよいという結果であった場合には、ＧＭＬＣ装置１０２は測位対象であるＵＥ装置１０５のプライバシ情報を管理しているＰＰＲ装置１０７に測位処理許可要求を送信する（図２２のステップ１２）。測位処理許可要求を受信したＰＰＲ装置１０７は、測位対象のＵＥ装置１０５のプライバシ設定を参照し、位置情報をｃｌｉｅｎｔ装置１０１に送信してよいかどうかを判断する（図２２のステップ１３）。このプライバシチェックにおいては、ＵＥ装置１０５がｃｌｉｅｎｔ装置１０１に測位結果を渡しても良いと設定している時間帯や場所のチェックを行ない、測位が行なわれた時刻や場所がＵＥ装置１０５が許可している時間帯や場所でない場合には、ＰＰＲ装置１０７はＧＭＬＣ装置１０２にエラーを通知し、エラー通知を受け取ったＧＭＬＣ装置１０２はｃｌｉｅｎｔ装置１０１にエラーを通知する。図２２のステップ１３におけるプライバシチェックにおいて、測位結果の位置精度がＵＥ装置１０５がｃｌｉｅｎｔ装置１０１に提供することを許可している位置精度よりも良かった場合には、ＰＰＲ装置１０７において位置精度を劣化させる位置情報加工処理を行なうことも考えられる。図２２のステップ１３におけるプライバシチェック結果が位置情報をｃｌｉｅｎｔ装置１０１に渡してもよいという結果であった場合には、ＰＰＲ装置１０７は測位処理許可要求に対する応答としてプライバシチェック結果をＧＭＬＣ装置１０２に送信する（図２２のステップ１４）。ここで、ステップ４におけるＰｒｉｖａｃｙチェックの結果としてステップ１３におけるプライバシチェックが不要と判断されていた場合には、ステップ１２からステップ１４の処理は不要である。図２２のステップ１３におけるプライバシチェック結果が位置情報をｃｌｉｅｎｔ装置１０１に渡してもよいという結果であった場合もしくは、図２２のステップ４におけるＰｒｉｖａｃｙチェックの結果としてステップ１３におけるプライバシチェックが不要と判断されていた場合には、ＧＭＬＣ装置１０２は、保持しているｃｌｉｅｎｔ装置１０１の情報に従って、必要ならば位置の表現形式の変換等の測位結果の加工を行なった後、ｃｌｉｅｎｔ装置１０１に測位結果を送信し（図１３のステップ１３）、測位処理を終了する。
【０１３３】
第四の実施の形態のようにプライバシ設定情報をＧＭＬＣ装置が保持する移動通信ネットワークと、第九の実施の形態のようにプライバシ設定情報をＰＰＲ装置が保持する移動通信ネットワークが混在する実施の形態も考えられる。その場合には測位対象のＵＥ装置の情報を保持するＨＬＲ／ＨＳＳ装置が属する移動通信ネットワークがどちらの実施の形態に相当するかによって本発明の動作は異なる。測位対象のＵＥ装置の情報を保持するＨＬＲ／ＨＳＳ装置が属する移動通信ネットワークが第四の実施の形態に相当する場合は、第四の実施の形態における処理が行なわれ、測位対象のＵＥ装置の情報を保持するＨＬＲ／ＨＳＳ装置が属する移動通信ネットワークが第九の実施の形態に相当する場合は、第九の実施の形態における処理が行なわれる。
【０１３４】
【発明の第十の実施の形態】
本発明の第十の実施の形態について図面を参照して詳細に説明する。
【０１３５】
【構成の説明】
図２０を参照すると、本発明の第十の実施の形態は、測位要求を移動通信ネットワークに対して送信するｃｌｉｅｎｔ装置１０１、１１１他複数のｃｌｉｅｎｔ装置と、移動通信ネットワークにおいてｃｌｉｅｎｔ装置からの測位要求を受け付けるゲートウェイ装置であるＧＭＬＣ装置１０２、１１２他複数のＧＭＬＣ装置と、ひとつもしくは複数の地域無線網を管理するＳＧＳＮ／ＭＳＣ装置１０３、１１３他複数のＳＧＳＮ／ＭＳＣ装置と、地域無線網（ＲＡＮ）１０４、１１４他複数の地域無線網（ＲＡＮ）と、測位対象となる移動機であるＵＥ装置１０５、１１５他複数のＵＥ装置と、各移動機の接続する地域無線網の情報を保持する移動機データベースであるＨＬＲ／ＨＳＳ装置１０６、１１６他複数のＨＬＲ／ＨＳＳ装置と、ＵＥ装置１０５、１１５他複数のＵＥ装置のプライバシ設定情報を保持するＰＰＲ装置１０７、１１７等複数のＰＰＲ装置などの複数のノードから構成される。ここで地域無線網（ＲＡＮ）１０４、１１４は基地局や基地局制御装置など複数の装置から構成されるのが通常であるが、地域無線網の内部構成は本実施例に影響しないためここでは地域無線網としてまとめて取り扱うものとする。ｃｌｉｅｎｔ装置１０１、ＧＭＬＣ装置１０２、ＳＧＳＮ／ＭＳＣ装置１０３、ＲＡＮ１０４、ＨＬＲ／ＨＳＳ装置１０６およびＰＰＲ装置１０７から構成される移動通信ネットワークは、ｃｌｉｅｎｔ装置１１１、ＧＭＬＣ装置１１２、ＳＧＳＮ／ＭＳＣ装置１１３、ＲＡＮ１１４、ＨＬＲ／ＨＳＳ装置１１６およびＰＰＲ装置１１７から構成される移動通信ネットワークを運用する移動通信事業者と同じ移動通信事業者が運営する場合も考えられるし、異なる移動通信事業者が運営する場合も考えられる。ＵＥ装置１０５、１１５は地域無線網１０４、１１４他複数の地域無線網への接続を任意に切り替えられるものとする。本実施例においては、ＵＥ装置１０５が接続する地域無線網を管理するＳＧＳＮ／ＭＳＣ装置の情報はＨＬＲ／ＨＳＳ装置１０６に保持され、ＵＥ装置１１５が接続する地域無線網を管理するＳＧＳＮ／ＭＳＣ装置の情報はＨＬＲ装置１１６に保持されるものとする。また、ＵＥ装置１０５のプライバシ保護に関する情報はＰＰＲ装置１０７に保持され、ＵＥ装置１１５のプライバシ保護に関する情報はＰＰＲ装置１１７に保持されるものとする。ＨＬＲ／ＨＳＳ装置１０６はＵＥ装置１０５のプライバシ設定情報を保持するＰＰＲ装置１０７がＧＭＬＣ装置１０２に接続されていることを記憶しており、ＨＬＲ／ＨＳＳ装置１１６はＵＥ装置１１５のプライバシ設定情報を保持するＰＰＲ装置１１７がＧＭＬＣ装置１１２に接続されていることを記憶している。またＨＬＲ／ＨＳＳ装置１０６はＵＥ装置１０５のプライバシ設定情報を保持するＰＰＲ装置１０７のネットワークアドレス等の情報を記憶している場合もあり、ＨＬＲ／ＨＳＳ装置１１６はＵＥ装置１１５のプライバシ設定情報を保持するＰＰＲ装置１１７のネットワークアドレス等の情報を記憶している場合もある。ｃｌｉｅｎｔ装置１０１の情報はＧＭＬＣ装置１０２に保持され、ｃｌｉｅｎｔ装置１１１の情報はＧＭＬＣ装置１１２に保持される。本実施例においては、ＵＥ装置１０５が接続する移動通信ネットワークのＧＭＬＣ装置の情報がＨＬＲ／ＨＳＳ装置１０６に保持され、ＵＥ装置１１５が接続する移動通信ネットワークのＧＭＬＣ装置の情報がＨＬＲ装置１１６に保持されるものとする。本実施の形態においては、ＵＥ装置１０５はＲＡＮ１１４に接続しているものとする。本実施の形態は、第五の実施の形態にＰＰＲ装置１０７、１１７を追加し、第五の実施の形態においてはＧＭＬＣ装置１０２、１１２が保持していたＵＥ装置のプライバシ保護のためのプライバシ設定情報を、ＰＰＲ装置１０７、１１７で保持するように変更した場合の実施の形態である。
【０１３６】
【動作の説明】
次に、図２０および図１５，図２１，図２２を併せ参照して、本発明の第十の実施の形態における外部起動測位の動作を説明する。
【０１３７】
図２０および図１５，図２１を併せ参照して、ＵＥ装置１０５のプライバシ設定情報および過去の測位結果をＰＰＲ装置１０７が保持する場合に、ｃｌｉｅｎｔ装置１１１がＵＥ装置１０５の位置を取得するための動作を説明する。ｃｌｉｅｎｔ装置１１１は測位要求をＧＭＬＣ装置１１２に送信する（図１５のステップ１）。測位要求には、測位対象であるＵＥ１０５の電話番号等の識別情報、ｃｌｉｅｎｔ装置１１１の識別情報、要求する位置情報の種別、要求する位置情報の精度情報、要求する位置情報の鮮度情報などの付加情報が含まれている。要求位置情報の種別には、測位対象のＵＥ装置１０５の現在位置を要求する場合（Ｃｕｒｒｅｎｔ）、過去の位置を要求する場合（Ｌａｓｔ　ｋｎｏｗｎ）、現在位置が取得できない場合には過去の位置を要求する場合（Ｃｕｒｒｅｎｔ　ｏｒ　Ｌａｓｔ　ｋｎｏｗｎ）、過去の位置が取得できない場合には現在位置を要求する場合（Ｌａｓｔ　ｋｎｏｗｎ　ｏｒ　Ｃｕｒｒｅｎｔ）などの種別が考えられる。位置情報種別として過去の位置を要求する場合（Ｌａｓｔ　ｋｎｏｗｎ，　Ｃｕｒｒｅｎｔ　ｏｒ　Ｌａｓｔ　ｋｎｏｗｎ，　Ｌａｓｔ　ｋｎｏｗｎ　ｏｒ　Ｃｕｒｒｅｎｔのいずれかの場合）には、過去の位置情報に対する要求鮮度情報を伴う場合が考えられ、要求鮮度情報は何月何日何時何分何秒というような絶対時刻表記でその絶対時刻以降の位置情報が欲しいと指定する場合と、何分何秒前というように測位要求を送信した時刻に対する相対時間でその相対時間以内の位置情報が欲しいと指定する場合などの指定方法が考えられる。ＧＭＬＣ装置１１２は、必要に応じてｃｌｉｅｎｔ装置１１１の認証を行ない（図１５のステップ２）、認証に失敗した場合にはｃｌｉｅｎｔ装置１１１にエラーを通知する。ｃｌｉｅｎｔ装置１１１からの測位要求の受付が許可された場合には、ＧＭＬＣ装置１１２は測位対象であるＵＥ１０５の情報を管理しているＨＬＲ／ＨＳＳ装置１０６に対して、ＵＥ１０５のプライバシ設定情報を保持しているＧＭＬＣ装置の情報を問い合わせる（図１５のステップ３）。ＨＬＲ／ＨＳＳ装置１０６はＧＭＬＣ装置１１２からの要求を受け取ると、ＵＥ１０５のプライバシ設定情報を保持しているＧＭＬＣ装置がＧＭＬＣ装置１０２であるという情報をＧＭＬＣ装置１１２へ渡していいかどうかを判断し、渡しても良いと判断した場合にはＧＭＬＣ装置１０２の情報をＧＭＬＣ装置１１２へ送信する（図１５のステップ４）。図１１のステップ４において送信されるＧＭＬＣ装置１０２の情報とは、ＧＭＬＣ装置１０２のネットワークアドレスであるが、ＧＭＬＣ装置１０２の識別情報、ＧＭＬＣ装置１０２の具備する能力などの付加情報を一緒に送信することも可能である。図１５のステップ１によりｃｌｉｅｎｔ装置１１１からの測位要求を受け取ったＧＭＬＣ装置１１２が、測位対象であるＵＥ１０５のプライバシ設定情報を保持しているＧＭＬＣ装置１０２のネットワークアドレス等の情報をすでに知っていた場合には、図１５のステップ３および図１５のステップ４は省略することも可能である。次にＧＭＬＣ装置１１２は、ｃｌｉｅｎｔ装置１１１からの測位要求をＵＥ装置１０５のプライバシ設定情報を保持しているＧＭＬＣ装置１０２に対して転送する（図１５のステップ５）。ＧＭＬＣ装置１１２はｃｌｉｅｎｔ装置１１１からの測位要求をＧＭＬＣ装置１０２に転送する際に、ＧＭＬＣ装置１１２が保持しているｃｌｉｅｎｔ装置情報の一部を転送する場合もある。転送されるｃｌｉｅｎｔ装置情報には、位置情報の表記方法等のｃｌｉｅｎｔ装置１１１がサポートしている機能に関する情報が含まれる。また、転送される測位要求には、測位対象であるＵＥ１０５の電話番号等の識別情報、ｃｌｉｅｎｔ装置１１１の識別情報、要求する位置情報の種別、要求する位置情報の精度情報、要求する位置情報の鮮度情報などの付加情報が含まれている。転送されてきた測位要求を受け取ったＧＭＬＣ装置１０２は、ＧＭＬＣ装置１１２からの測位要求を受け付けるかどうかを判断し、受け付けないと判断した場合にはエラーをＧＭＬＣ装置１１２に送信する。測位要求を受け付けると判断した場合には、ＧＭＬＣ装置１０２は測位対象であるＵＥ装置１０５のプライバシ情報を管理しているＰＰＲ装置１０７に測位処理許可要求を送信する（図２１のステップ３）。ここで、ＧＭＬＣ装置１０２がＵＥ装置１０５のプライバシ情報を管理しているＰＰＲ装置１０７のネットワークアドレス等の情報を保持していない場合には、図１５のステップ８およびステップ９を先に実行し、ＨＬＲ／ＨＳＳ装置１０６からＰＰＲ装置１０７の情報を取得する。ＧＭＬＣ装置１０２からの測位処理許可要求には、測位対象であるＵＥ１０５の電話番号等の識別情報、ｃｌｉｅｎｔ装置１１１の識別情報、要求する位置情報の種別、要求する位置情報の精度情報、要求する位置情報の鮮度情報などの付加情報が含まれている。測位処理許可要求を受け取ったＰＰＲ装置１０７は、ＧＭＬＣ装置１０２からの測位処理許可要求を受け付けるかどうかを判断し、受け付けないと判断した場合にはエラーをＧＭＬＣ装置１０２に送信する。測位処理許可要求を受け付けると判断した場合には、ＰＰＲ装置１０７は管理している測位対象のＵＥ１０５のプライバシ設定情報を参照しｃｌｉｅｎｔ装置１０１からの測位要求をＵＥ１０５が受け付けるかどうかを判断する（図２１のステップ４）。ここで行なわれるプライバシチェックでは、ｃｌｉｅｎｔ装置１０１が要求する位置精度と、ＵＥ装置１０５がｃｌｉｅｎｔ装置１０１に渡すことを許可している位置精度との整合性のチェックなども行なわれる。また、ＵＥ１０５が測位要求を受け付ける条件として通知もしくは確認を必要としているかどうかも確認する。ＰＰＲ装置１０７は、プライバシチェックの結果、ＵＥ装置１０５がｃｌｉｅｎｔ装置１０１からの測位要求を受け付けないと判断した場合には、測位処理許可要求の応答としてＧＭＬＣ装置１０２にエラーを通知し、エラー通知を受け取ったＧＭＬＣ装置１０２はｃｌｉｅｎｔ装置１０１にエラーを通知する。ＰＰＲ装置１０７は、プライバシチェックの結果、ＵＥ装置１０５がｃｌｉｅｎｔ装置１０１からの測位要求を測位要求を受け付けると判断した場合には、測位対象のＵＥ１０５の現在位置（Ｃｕｒｒｅｎｔ）が位置情報種別として要求されているかどうかを判断する。要求されている位置情報種別が、現在位置でなく過去の位置でも構わない場合（Ｌａｓｔ　ｋｎｏｗｎ，　Ｌａｓｔ　ｋｎｏｗｎ　ｏｒ　Ｃｕｒｒｅｎｔのどちらかの場合）には、ＰＰＲ装置１０７は測位対象のＵＥ装置１０５の過去の測位結果を保持していないかどうかをチェックし、過去の測位結果を保持している場合には過去の測位結果を再利用することができるかどうかを判断する（図２１のステップ５）。過去の測位結果が再利用できるかどうかを判断する要素としては、ｃｌｉｅｎｔ装置１０１から要求されている位置情報の鮮度や精度などが考えられる。また、特定の時刻以降の測位結果である場合のみｃｌｉｅｎｔ装置１０１に渡してもよいというようなプライバシ設定等がある場合には、その条件を過去の測位結果が満たしているかどうかも確認する。過去の測位結果が要求される精度、要求される鮮度などの条件を満たし再利用が可能であると判断された場合には、ＰＰＲ装置１０７は、プライバシチェックの結果と共に過去の測位結果を測位処理許可要求の応答としてＧＭＬＣ装置１０２に送信する（図２１のステップ６）。図２１のステップ４におけるプライバシ設定の確認の結果、ＵＥ装置１０５への通知もしくは確認が不要であると判断された場合には、図１５のステップ８から１４は省略される。図２１のステップ４におけるプライバシ設定の確認の結果、ＵＥ装置１０５への通知もしくは確認が必要であると判断されていた場合には、ＧＭＬＣ装置１０２はＵＥ１０５が接続する地域無線網（ＲＡＮ）を管理するＳＧＳＮ／ＭＳＣ装置の情報をＨＬＲ／ＨＳＳ装置１０６に問い合わせる（図１５のステップ８）。
ＨＬＲ／ＨＳＳ装置１０６は、ＧＭＬＣ装置１０２からの問い合わせに対して、ＵＥ装置１０５が接続する地域無線網（ＲＡＮ）１１４を管理するＳＧＳＮ／ＭＳＣ装置１１３の情報を返信する（図１５のステップ９）。ここでＨＬＲ／ＨＳＳ装置１０６は、ＵＥ装置１０５が接続する移動通信ネットワークのＧＭＬＣ装置１１２のネットワークアドレス等の情報を保持していた場合には、前記ＳＧＳＮ／ＭＳＣ装置１１３の情報と合わせてＧＭＬＣ装置１０２に返信する。ＧＭＬＣ装置１０２はＨＬＲ／ＨＳＳ装置１０６からＳＧＳＮ／ＭＳＣ装置１１３の情報を受け取ることができなかった場合には、ＧＭＬＣ装置１１２にエラーを通知し、エラー通知を受け取ったＧＭＬＣ装置１１２はｃｌｉｅｎｔ装置１１１にエラーを通知する。ＨＬＲ／ＨＳＳ装置１０６からＳＧＳＮ／ＭＳＣ装置１１３の情報と共にＧＭＬＣ装置１１２の情報を受け取った場合には、ＧＭＬＣ装置１０２はＧＭＬＣ装置１１２に対してプライバシチェック要求メッセージを送信する（図１５のステップ１０）。ＨＬＲ／ＨＳＳ装置１０６からＧＭＬＣ装置１１２の情報を受け取ることができなかった場合には、ＧＭＬＣ装置１０２は、ＳＧＳＮ／ＭＳＣ装置１１３に対してプライバシチェック要求メッセージを送信する。ＧＭＬＣ装置１０２からプライバシチェック要求メッセージを受け取ったＧＭＬＣ装置１１２は、ＳＧＳＮ／ＭＳＣ装置１１３に対してプライバシチェック要求メッセージを送信する（図１５のステップ１１）。プライバシチェック要求メッセージには、ＵＥ１０５に対する通知だけが必要なのか確認（ＵＥ１０５からの測位を許可するという応答）も必要なのかの区別と、ｃｌｉｅｎｔ装置１１１の情報などＵＥ１０５に通知すべき情報が含まれている。プライバシ要求メッセージとしては、従来例における測位要求メッセージに特定のパラメータを付加して送信することで受信側であるＳＧＳＮ／ＭＳＣ装置１１３においてプライバシチェック要求メッセージであると判断することも可能であるし、プライバシチェック要求用に専用のメッセージを追加定義することも可能である。ＧＭＬＣ装置１１２もしくはＧＭＬＣ装置１０２からのプライバシチェック要求メッセージを受信したＳＧＳＮ／ＭＳＣ装置１１３は、ＵＥ装置１０５に対して通知もしくは確認処理を行なう（図１５のステップ１２）。プライバシチェックを行なったＳＧＳＮ／ＭＳＣ装置１１３は、プライバシチェック結果をＧＭＬＣ装置１１２に送信する（図１５のステップ１３）。ＳＧＳＮ／ＭＳＣ装置１１３からのプライバシチェック結果を受信したＧＭＬＣ装置１１２は、プライバシチェック結果をＧＭＬＣ装置１０２に送信する（図１５のステップ１４）。図１５のステップ１３において、ＳＧＳＮ／ＭＳＣ装置１１３がプライバシチェック要求をＧＭＬＣ装置１０２から受け取っていた場合には、ＳＧＳＮ／ＭＳＣ装置１１３は、プライバシチェック結果をＧＭＬＣ装置１０２に送信する。ＳＧＳＮ／ＭＳＣ装置１１３におけるプライバシチェック結果が位置情報をｃｌｉｅｎｔ装置１１１に渡してはいけないという結果であった場合には、ＧＭＬＣ装置１０２はＧＭＬＣ装置１１２にエラーを通知し、エラー通知を受け取ったＧＭＬＣ装置１１２はｃｌｉｅｎｔ装置１１１にエラーを通知する。ＳＧＳＮ／ＭＳＣ装置１１３におけるプライバシチェック結果が位置情報をｃｌｉｅｎｔ装置１１１に渡してもよいという結果であった場合には、ＧＭＬＣ装置１０２は測位対象であるＵＥ装置１０５のプライバシ情報を管理しているＰＰＲ装置１０７に測位処理許可要求を送信する（図２１のステップ１２）。測位処理許可要求を受信したＰＰＲ装置１０７は、測位対象のＵＥ装置１０５のプライバシ設定を参照し、位置情報をｃｌｉｅｎｔ装置１０１に送信してよいかどうかを判断する（図２１のステップ１３）。このプライバシチェックにおいては、ＵＥ装置１０５がｃｌｉｅｎｔ装置１０１に測位結果を渡しても良いと設定している時間帯や場所のチェックを行ない、測位が行なわれた時刻や場所がＵＥ装置１０５が許可している時間帯や場所でない場合には、ＰＰＲ装置１０７はＧＭＬＣ装置１０２にエラーを通知し、エラー通知を受け取ったＧＭＬＣ装置１０２はｃｌｉｅｎｔ装置１０１にエラーを通知する。図２１のステップ１３におけるプライバシチェックにおいて、測位結果の位置精度がＵＥ装置１０５がｃｌｉｅｎｔ装置１０１に提供することを許可している位置精度よりも良かった場合には、ＰＰＲ装置１０７において位置精度を劣化させる位置情報加工処理を行なうことも考えられる。図２１のステップ１３におけるプライバシチェック結果が位置情報をｃｌｉｅｎｔ装置１０１に渡してもよいという結果であった場合には、ＰＰＲ装置１０７は測位処理許可要求に対する応答としてプライバシチェック結果をＧＭＬＣ装置１０２に送信する（図２１のステップ１４）。ここで、ステップ４におけるＰｒｉｖａｃｙチェックの結果としてステップ１３におけるプライバシチェックが不要と判断されていた場合には、ステップ１２からステップ１４の処理は不要である。図２１のステップ１３におけるプライバシチェック結果が位置情報をｃｌｉｅｎｔ装置１１１に渡してもよいという結果であった場合もしくは、図２１のステップ４におけるＰｒｉｖａｃｙチェックの結果としてステップ１３におけるプライバシチェックが不要と判断されていた場合には、ＧＭＬＣ装置１０２は測位結果をＧＭＬＣ装置１１２に転送する（図１５のステップ１６）。ＧＭＬＣ装置１０２からの測位結果を受け取ったＧＭＬＣ装置１１２は、保持しているｃｌｉｅｎｔ装置１１１の情報に従って、必要ならば位置の表現形式の変換等の測位結果の加工を行なった後、ｃｌｉｅｎｔ装置１１１に測位結果を送信し（図１５のステップ１７）、測位処理を終了する。
【０１３８】
図２０および図１５，図２２を併せ参照して、ＵＥ装置１０５の過去の測位結果をＧＭＬＣ装置１０２が保持する場合に、ｃｌｉｅｎｔ装置１１１がＵＥ装置１０５の位置を取得するための動作を説明する。ｃｌｉｅｎｔ装置１１１は測位要求をＧＭＬＣ装置１１２に送信する（図１５のステップ１）。測位要求には、測位対象であるＵＥ１０５の電話番号等の識別情報、ｃｌｉｅｎｔ装置１１１の識別情報、要求する位置情報の種別、要求する位置情報の精度情報、要求する位置情報の鮮度情報などの付加情報が含まれている。要求位置情報の種別には、測位対象のＵＥ装置１０５の現在位置を要求する場合（Ｃｕｒｒｅｎｔ）、過去の位置を要求する場合（Ｌａｓｔ　ｋｎｏｗｎ）、現在位置が取得できない場合には過去の位置を要求する場合（Ｃｕｒｒｅｎｔ　ｏｒ　Ｌａｓｔ　ｋｎｏｗｎ）、過去の位置が取得できない場合には現在位置を要求する場合（Ｌａｓｔ　ｋｎｏｗｎ　ｏｒ　Ｃｕｒｒｅｎｔ）などの種別が考えられる。位置情報種別として過去の位置を要求する場合（Ｌａｓｔ　ｋｎｏｗｎ，　Ｃｕｒｒｅｎｔ　ｏｒ　Ｌａｓｔ　ｋｎｏｗｎ，　Ｌａｓｔ　ｋｎｏｗｎ　ｏｒ　Ｃｕｒｒｅｎｔのいずれかの場合）には、過去の位置情報に対する要求鮮度情報を伴う場合が考えられ、要求鮮度情報は何月何日何時何分何秒というような絶対時刻表記でその絶対時刻以降の位置情報が欲しいと指定する場合と、何分何秒前というように測位要求を送信した時刻に対する相対時間でその相対時間以内の位置情報が欲しいと指定する場合などの指定方法が考えられる。ＧＭＬＣ装置１１２は、必要に応じてｃｌｉｅｎｔ装置１１１の認証を行ない（図１５のステップ２）、認証に失敗した場合にはｃｌｉｅｎｔ装置１１１にエラーを通知する。ｃｌｉｅｎｔ装置１１１からの測位要求の受付が許可された場合には、ＧＭＬＣ装置１１２は測位対象であるＵＥ１０５の情報を管理しているＨＬＲ／ＨＳＳ装置１０６に対して、ＵＥ１０５のプライバシ設定情報を保持しているＧＭＬＣ装置の情報を問い合わせる（図１５のステップ３）。ＨＬＲ／ＨＳＳ装置１０６はＧＭＬＣ装置１１２からの要求を受け取ると、ＵＥ１０５のプライバシ設定情報を保持しているＧＭＬＣ装置がＧＭＬＣ装置１０２であるという情報をＧＭＬＣ装置１１２へ渡していいかどうかを判断し、渡しても良いと判断した場合にはＧＭＬＣ装置１０２の情報をＧＭＬＣ装置１１２へ送信する（図１５のステップ４）。図１１のステップ４において送信されるＧＭＬＣ装置１０２の情報とは、ＧＭＬＣ装置１０２のネットワークアドレスであるが、ＧＭＬＣ装置１０２の識別情報、ＧＭＬＣ装置１０２の具備する能力などの付加情報を一緒に送信することも可能である。図１５のステップ１によりｃｌｉｅｎｔ装置１１１からの測位要求を受け取ったＧＭＬＣ装置１１２が、測位対象であるＵＥ１０５のプライバシ設定情報を保持しているＧＭＬＣ装置１０２のネットワークアドレス等の情報をすでに知っていた場合には、図１５のステップ３および図１５のステップ４は省略することも可能である。次にＧＭＬＣ装置１１２は、ｃｌｉｅｎｔ装置１１１からの測位要求をＵＥ装置１０５のプライバシ設定情報を保持しているＧＭＬＣ装置１０２に対して転送する（図１５のステップ５）。ＧＭＬＣ装置１１２はｃｌｉｅｎｔ装置１１１からの測位要求をＧＭＬＣ装置１０２に転送する際に、ＧＭＬＣ装置１１２が保持しているｃｌｉｅｎｔ装置情報の一部を転送する場合もある。転送されるｃｌｉｅｎｔ装置情報には、位置情報の表記方法等のｃｌｉｅｎｔ装置１１１がサポートしている機能に関する情報が含まれる。また、転送される測位要求には、測位対象であるＵＥ１０５の電話番号等の識別情報、ｃｌｉｅｎｔ装置１１１の識別情報、要求する位置情報の種別、要求する位置情報の精度情報、要求する位置情報の鮮度情報などの付加情報が含まれている。転送されてきた測位要求を受け取ったＧＭＬＣ装置１０２は、ＧＭＬＣ装置１１２からの測位要求を受け付けるかどうかを判断し、受け付けないと判断した場合にはエラーをＧＭＬＣ装置１１２に送信する。測位要求を受け付けると判断した場合には、ＧＭＬＣ装置１０２は測位対象であるＵＥ装置１０５のプライバシ情報を管理しているＰＰＲ装置１０７に測位処理許可要求を送信する（図２２のステップ３）。ここで、ＧＭＬＣ装置１０２がＵＥ装置１０５のプライバシ情報を管理しているＰＰＲ装置１０７のネットワークアドレス等の情報を保持していない場合には、図１５のステップ８およびステップ９を先に実行し、ＨＬＲ／ＨＳＳ装置１０６からＰＰＲ装置１０７の情報を取得する。ＧＭＬＣ装置１０２からの測位処理許可要求には、測位対象であるＵＥ１０５の電話番号等の識別情報、ｃｌｉｅｎｔ装置１１１の識別情報、要求する位置情報の種別、要求する位置情報の精度情報、要求する位置情報の鮮度情報などの付加情報が含まれている。測位処理許可要求を受け取ったＰＰＲ装置１０７は、ＧＭＬＣ装置１０２からの測位処理許可要求を受け付けるかどうかを判断し、受け付けないと判断した場合にはエラーをＧＭＬＣ装置１０２に送信する。測位処理許可要求を受け付けると判断した場合には、ＰＰＲ装置１０７は管理している測位対象のＵＥ１０５のプライバシ設定情報を参照しｃｌｉｅｎｔ装置１０１からの測位要求をＵＥ１０５が受け付けるかどうかを判断する（図２２のステップ４）。ここで行なわれるプライバシチェックでは、ｃｌｉｅｎｔ装置１０１が要求する位置精度と、ＵＥ装置１０５がｃｌｉｅｎｔ装置１０１に渡すことを許可している位置精度との整合性のチェックなども行なわれる。また、ＵＥ１０５が測位要求を受け付ける条件として通知もしくは確認を必要としているかどうかも確認する。ＰＰＲ装置１０７は、プライバシチェックの結果、ＵＥ装置１０５がｃｌｉｅｎｔ装置１０１からの測位要求を受け付けないと判断した場合には、測位処理許可要求の応答としてＧＭＬＣ装置１０２にエラーを通知し、エラー通知を受け取ったＧＭＬＣ装置１０２はｃｌｉｅｎｔ装置１０１にエラーを通知する。ＰＰＲ装置１０７は、プライバシチェックの結果、ＵＥ装置１０５がｃｌｉｅｎｔ装置１０１からの測位要求を測位要求を受け付けると判断した場合には、ＰＰＲ装置１０７は、プライバシチェックの結果を測位処理許可要求の応答としてＧＭＬＣ装置１０２に送信する（図２２のステップ５）。測位要求が受け付けられるというプライバシチェック結果を受け取ったＧＭＬＣ装置１０２は、測位対象のＵＥ１０５の現在位置（Ｃｕｒｒｅｎｔ）が位置情報種別として要求されているかどうかを判断する。要求されている位置情報種別が、現在位置でなく過去の位置でも構わない場合（Ｌａｓｔ　ｋｎｏｗｎ，　Ｌａｓｔ　ｋｎｏｗｎ　ｏｒ　Ｃｕｒｒｅｎｔのどちらかの場合）には、ＧＭＬＣ装置１０２は測位対象のＵＥ装置１０５の過去の測位結果を保持していないかどうかをチェックし、過去の測位結果を保持している場合には過去の測位結果を再利用することができるかどうかを判断する（図２２のステップ６）。過去の測位結果が再利用できるかどうかを判断する要素としては、ｃｌｉｅｎｔ装置１０１から要求されている位置情報の鮮度や精度などが考えられる。また、特定の時刻以降の測位結果である場合のみｃｌｉｅｎｔ装置１０１に渡してもよいというようなプライバシ設定等がある場合には、その条件を過去の測位結果が満たしているかどうかも確認する。過去の測位結果が要求される精度、要求される鮮度などの条件を満たし再利用が可能であると判断され、図２２のステップ４におけるプライバシ設定の確認の結果、ＵＥ装置１０５への通知もしくは確認が不要であると判断された場合には、図１５のステップ８から１３は省略される。図２２のステップ４におけるプライバシ設定の確認の結果、ＵＥ装置１０５への通知もしくは確認が不要であると判断された場合には、図１５のステップ８から１４は省略される。図２２のステップ４におけるプライバシ設定の確認の結果、ＵＥ装置１０５への通知もしくは確認が必要であると判断されていた場合には、ＧＭＬＣ装置１０２はＵＥ１０５が接続する地域無線網（ＲＡＮ）を管理するＳＧＳＮ／ＭＳＣ装置の情報をＨＬＲ／ＨＳＳ装置１０６に問い合わせる（図１５のステップ８）。ＨＬＲ／ＨＳＳ装置１０６は、ＧＭＬＣ装置１０２からの問い合わせに対して、ＵＥ装置１０５が接続する地域無線網（ＲＡＮ）１１４を管理するＳＧＳＮ／ＭＳＣ装置１１３の情報を返信する（図１５のステップ９）。ここでＨＬＲ／ＨＳＳ装置１０６は、ＵＥ装置１０５が接続する移動通信ネットワークのＧＭＬＣ装置１１２のネットワークアドレス等の情報を保持していた場合には、前記ＳＧＳＮ／ＭＳＣ装置１１３の情報と合わせてＧＭＬＣ装置１０２に返信する。ＧＭＬＣ装置１０２はＨＬＲ／ＨＳＳ装置１０６からＳＧＳＮ／ＭＳＣ装置１１３の情報を受け取ることができなかった場合には、ＧＭＬＣ装置１１２にエラーを通知し、エラー通知を受け取ったＧＭＬＣ装置１１２はｃｌｉｅｎｔ装置１１１にエラーを通知する。ＨＬＲ／ＨＳＳ装置１０６からＳＧＳＮ／ＭＳＣ装置１１３の情報と共にＧＭＬＣ装置１１２の情報を受け取った場合には、ＧＭＬＣ装置１０２はＧＭＬＣ装置１１２に対してプライバシチェック要求メッセージを送信する（図１５のステップ１０）。ＨＬＲ／ＨＳＳ装置１０６からＧＭＬＣ装置１１２の情報を受け取ることができなかった場合には、ＧＭＬＣ装置１０２は、ＳＧＳＮ／ＭＳＣ装置１１３に対してプライバシチェック要求メッセージを送信する。ＧＭＬＣ装置１０２からプライバシチェック要求メッセージを受け取ったＧＭＬＣ装置１１２は、ＳＧＳＮ／ＭＳＣ装置１１３に対してプライバシチェック要求メッセージを送信する（図１５のステップ１１）。プライバシチェック要求メッセージには、ＵＥ１０５に対する通知だけが必要なのか確認（ＵＥ１０５からの測位を許可するという応答）も必要なのかの区別と、ｃｌｉｅｎｔ装置１１１の情報などＵＥ１０５に通知すべき情報が含まれている。プライバシ要求メッセージとしては、従来例における測位要求メッセージに特定のパラメータを付加して送信することで受信側であるＳＧＳＮ／ＭＳＣ装置１１３においてプライバシチェック要求メッセージであると判断することも可能であるし、プライバシチェック要求用に専用のメッセージを追加定義することも可能である。ＧＭＬＣ装置１１２もしくはＧＭＬＣ装置１０２からのプライバシチェック要求メッセージを受信したＳＧＳＮ／ＭＳＣ装置１１３は、ＵＥ装置１０５に対して通知もしくは確認処理を行なう（図１５のステップ１２）。プライバシチェックを行なったＳＧＳＮ／ＭＳＣ装置１１３は、プライバシチェック結果をＧＭＬＣ装置１１２に送信する（図１５のステップ１３）。ＳＧＳＮ／ＭＳＣ装置１１３からのプライバシチェック結果を受信したＧＭＬＣ装置１１２は、プライバシチェック結果をＧＭＬＣ装置１０２に送信する（図１５のステップ１４）。図１５のステップ１３において、ＳＧＳＮ／ＭＳＣ装置１１３がプライバシチェック要求をＧＭＬＣ装置１０２から受け取っていた場合には、ＳＧＳＮ／ＭＳＣ装置１１３は、プライバシチェック結果をＧＭＬＣ装置１０２に送信する。ＳＧＳＮ／ＭＳＣ装置１１３におけるプライバシチェック結果が位置情報をｃｌｉｅｎｔ装置１１１に渡してはいけないという結果であった場合には、ＧＭＬＣ装置１０２はＧＭＬＣ装置１１２にエラーを通知し、エラー通知を受け取ったＧＭＬＣ装置１１２はｃｌｉｅｎｔ装置１１１にエラーを通知する。ＳＧＳＮ／ＭＳＣ装置１１３におけるプライバシチェック結果が位置情報をｃｌｉｅｎｔ装置１１１に渡してもよいという結果であった場合には、ＧＭＬＣ装置１０２は測位対象であるＵＥ装置１０５のプライバシ情報を管理しているＰＰＲ装置１０７に測位処理許可要求を送信する（図２２のステップ１２）。測位処理許可要求を受信したＰＰＲ装置１０７は、測位対象のＵＥ装置１０５のプライバシ設定を参照し、位置情報をｃｌｉｅｎｔ装置１０１に送信してよいかどうかを判断する（図２２のステップ１３）。このプライバシチェックにおいては、ＵＥ装置１０５がｃｌｉｅｎｔ装置１０１に測位結果を渡しても良いと設定している時間帯や場所のチェックを行ない、測位が行なわれた時刻や場所がＵＥ装置１０５が許可している時間帯や場所でない場合には、ＰＰＲ装置１０７はＧＭＬＣ装置１０２にエラーを通知し、エラー通知を受け取ったＧＭＬＣ装置１０２はｃｌｉｅｎｔ装置１０１にエラーを通知する。図２２のステップ１３におけるプライバシチェックにおいて、測位結果の位置精度がＵＥ装置１０５がｃｌｉｅｎｔ装置１０１に提供することを許可している位置精度よりも良かった場合には、ＰＰＲ装置１０７において位置精度を劣化させる位置情報加工処理を行なうことも考えられる。図２２のステップ１３におけるプライバシチェック結果が位置情報をｃｌｉｅｎｔ装置１０１に渡してもよいという結果であった場合には、ＰＰＲ装置１０７は測位処理許可要求に対する応答としてプライバシチェック結果をＧＭＬＣ装置１０２に送信する（図２２のステップ１４）。ここで、ステップ４におけるＰｒｉｖａｃｙチェックの結果としてステップ１３におけるプライバシチェックが不要と判断されていた場合には、ステップ１２からステップ１４の処理は不要である。図２２のステップ１３におけるプライバシチェック結果が位置情報をｃｌｉｅｎｔ装置１１１に渡してもよいという結果であった場合もしくは、図２２のステップ４におけるＰｒｉｖａｃｙチェックの結果としてステップ１３におけるプライバシチェックが不要と判断されていた場合には、ＧＭＬＣ装置１０２は測位結果をＧＭＬＣ装置１１２に転送する（図１５のステップ１６）。ＧＭＬＣ装置１０２からの測位結果を受け取ったＧＭＬＣ装置１１２は、保持しているｃｌｉｅｎｔ装置１１１の情報に従って、必要ならば位置の表現形式の変換等の測位結果の加工を行なった後、ｃｌｉｅｎｔ装置１１１に測位結果を送信し（図１５のステップ１７）、測位処理を終了する。
【０１３９】
第五の実施の形態のようにプライバシ設定情報をＧＭＬＣ装置が保持する移動通信ネットワークと、第十の実施の形態のようにプライバシ設定情報をＰＰＲ装置が保持する移動通信ネットワークが混在する実施の形態も考えられる。その場合には測位対象のＵＥ装置の情報を保持するＨＬＲ／ＨＳＳ装置が属する移動通信ネットワークがどちらの実施の形態に相当するかによって本発明の動作は異なる。測位対象のＵＥ装置の情報を保持するＨＬＲ／ＨＳＳ装置が属する移動通信ネットワークが第五の実施の形態に相当する場合は、第五の実施の形態における処理が行なわれ、測位対象のＵＥ装置の情報を保持するＨＬＲ／ＨＳＳ装置が属する移動通信ネットワークが第十の実施の形態に相当する場合は、第十の実施の形態における処理が行なわれる。
【０１４０】
以上本発明の実施の形態について説明したが、本発明は以上の実施の形態にのみ限定されず、その他各種の付加変更が可能である。また、ｃｌｉｅｎｔ装置、ＧＭＬＣ装置、ＳＧＳＮ／ＭＳＣ装置、地域無線網（ＲＡＮ）、移動機（ＵＥ装置）、ＨＬＲ／ＨＳＳ装置は、その有する機能をハードウェア的に実現することは勿論、コンピュータとプログラムとで実現することができる。プログラムは、磁気ディスクや半導体メモリ等のコンピュータ可読記録媒体に記録されて提供され、コンピュータの立ち上げ時などにコンピュータに読み取られ、そのコンピュータの動作を制御することにより、そのコンピュータを前述した各実施の形態におけるｃｌｉｅｎｔ装置、ＧＭＬＣ装置、ＳＧＳＮ／ＭＳＣ装置、地域無線網（ＲＡＮ）、移動機（ＵＥ装置）、ＨＬＲ／ＨＳＳ装置として機能させる。
【０１４１】
【発明の効果】
第１の効果は、外部起動測位（ＭＴ−ＬＲ）において測位処理に失敗した場合以外にも過去の測位結果の再利用が可能になったことである。
【０１４２】
第２の効果は、端末起動測位（ＭＯ−ＬＲ）において過去の測位結果の再利用が可能になったことである。
【０１４３】
第３の効果は、外部起動測位（ＭＴ−ＬＲ）における測位結果の再利用時のプライバシ保護が実現されたことである。
【０１４４】
第４の効果は、過去の測位結果再利用時に、どれぐらい過去に測定された位置ならば受け入れることができるかを示す鮮度情報を、ｃｌｉｅｎｔ装置やＵＥ装置が指定できるようになり、その鮮度情報に基づいて過去の測位結果の再利用が可能となったことである。
【図面の簡単な説明】
【図１】従来および本発明の第一の実施の形態における移動通信システムの構成図である。
【図２】本発明の第一の実施の形態における外部起動測位（ＭＴ−ＬＲ）における従来の測位処理手順を示す信号フロー図である。
【図３】本発明の第一の実施の形態における端末起動測位（ＭＯ−ＬＲ）における従来の測位処理手順を示す信号フロー図である。
【図４】本発明の第一の実施の形態においてＧＭＬＣ装置が過去の測位結果を保持する場合の外部起動測位（ＭＴ−ＬＲ）の測位処理手順を示す信号フロー図である。
【図５】本発明の第一の実施の形態においてＧＭＬＣ装置が過去の測位結果を保持する場合の外部起動測位（ＭＴ−ＬＲ）の測位処理手順におけるＧＭＬＣ装置の測位処理動作を示す流れ図である。
【図６】本発明の第一の実施の形態においてＳＧＳＮ／ＭＳＣ装置が過去の測位結果を保持する場合の外部起動測位（ＭＴ−ＬＲ）の測位処理手順を示す信号フロー図である。
【図７】本発明の第一の実施の形態においてＳＧＳＮ／ＭＳＣ装置が過去の測位結果を保持する場合の端末起動測位（ＭＯ−ＬＲ）の測位処理手順を示す信号フロー図である。
【図８】本発明の第二の実施の形態の移動通信システムの構成図である。
【図９】本発明の第二の実施の形態における測位処理手順を示す信号フロー図である。
【図１０】本発明の第三の実施の形態の移動通信システムの構成図である。
【図１１】本発明の第三の実施の形態における測位処理手順を示す信号フロー図である。
【図１２】本発明の第四の実施の形態の移動通信システムの構成図である。
【図１３】本発明の第四の実施の形態における測位処理手順を示す信号フロー図である。
【図１４】本発明の第五の実施の形態の移動通信システムの構成図である。
【図１５】本発明の第五の実施の形態における測位処理手順を示す信号フロー図である。
【図１６】本発明の第六の実施の形態の移動通信システムの構成図である。
【図１７】本発明の第七の実施の形態の移動通信システムの構成図である。
【図１８】本発明の第八の実施の形態の移動通信システムの構成図である。
【図１９】本発明の第九の実施の形態の移動通信システムの構成図である。
【図２０】本発明の第十の実施の形態の移動通信システムの構成図である。
【図２１】本発明の実施の形態における測位処理手順を示す信号フロー図である。
【図２２】本発明の実施の形態における測位処理手順を示す信号フロー図である。
【図２３】本発明の第一の実施の形態の概略を説明するためのブロック図である。
【図２４】本発明の第二の実施の形態の概略を説明するためのブロック図である。
【図２５】本発明の第三の実施の形態の概略を説明するためのブロック図である。
【図２６】本発明の第四の実施の形態の概略を説明するためのブロック図である。
【図２７】本発明の第五の実施の形態の概略を説明するためのブロック図である。
【図２８】本発明の第六の実施の形態の概略を説明するためのブロック図である。
【図２９】本発明の第六の実施の形態の概略を説明するためのブロック図である。
【図３０】本発明の第七の実施の形態の概略を説明するためのブロック図である。
【図３１】本発明の第七の実施の形態の概略を説明するためのブロック図である。
【図３２】本発明の第八の実施の形態の概略を説明するためのブロック図である。
【図３３】本発明の第八の実施の形態の概略を説明するためのブロック図である。
【図３４】本発明の第九の実施の形態の概略を説明するためのブロック図である。
【図３５】本発明の第九の実施の形態の概略を説明するためのブロック図である。
【図３６】本発明の第十の実施の形態の概略を説明するためのブロック図である。
【図３７】本発明の第十の実施の形態の概略を説明するためのブロック図である。
【符号の説明】
１０１、１１１、１２１　端末の測位結果を必要とするｃｌｉｅｎｔ装置
１０２、１１２、１２２　測位処理を制御するＧＭＬＣ装置
１０３、１１３、１２３　端末が接続する地域無線網（ＲＡＮ）を制御するＳＧＳＮ／ＭＳＣ装置
１０４、１１４、１２４　端末が接続する地域無線網（ＲＡＮ）
１０５、１１５、１２５　測位対象となる移動機（ＵＥ装置）
１０６、１１６、１２６　移動機が接続している地域無線網を制御するＳＧＳＮ／ＭＳＣの情報を保持するＨＬＲ／ＨＳＳ装置
１０７、１１７、１２７　移動機のプライバシ情報を保持するＰＰＲ装置
１０１１、１１１１　送信手段
１０１２、１１１２　受信手段
１０２１　記憶手段
１０２２　測位要求確認手段
１０２３　再利用性確認手段
１０２４　通知／確認手段
１０２５　追加チェック手段
１０２６　応答送出手段
１０２７　測位処理許可要求送出手段
１０２８　追加チェック要求手段
１１２１　要求転送手段
１１２２　応答転送手段
１１２３、１２２１　メッセージ転送手段
１１２４、１２２２　結果転送手段
１１２５　転送手段
【図１】
2004129026.tif 000003
【図２】
2004129026.tif 000004
【図３】
2004129026.tif 000005
【図４】
2004129026.tif 000006
【図５】
2004129026.tif 000007
【図６】
2004129026.tif 000008
【図７】
2004129026.tif 000009
【図８】
2004129026.tif 000010
【図９】
2004129026.tif 000011
【図１０】
2004129026.tif 000012
【図１１】
2004129026.tif 000013
【図１２】
2004129026.tif 000014
【図１３】
2004129026.tif 000015
【図１４】
2004129026.tif 000016
【図１５】
2004129026.tif 000017
【図１６】
2004129026.tif 000018
【図１７】
2004129026.tif 000019
【図１８】
2004129026.tif 000020
【図１９】
2004129026.tif 000021
【図２０】
2004129026.tif 000022
【図２１】
2004129026.tif 000023
【図２２】
2004129026.tif 000024
【図２３】
2004129026.tif 000025
【図２４】
2004129026.tif 000026
【図２５】
2004129026.tif 000027
【図２６】
2004129026.tif 000028
【図２７】
2004129026.tif 000029
【図２８】
2004129026.tif 000030
【図２９】
2004129026.tif 000031
【図３０】
2004129026.tif 000032
【図３１】
2004129026.tif 000033
【図３２】
2004129026.tif 000034
【図３３】
2004129026.tif 000035
【図３４】
2004129026.tif 000036
【図３５】
2004129026.tif 000037
【図３６】
2004129026.tif 000038
【図３７】
2004129026.tif 000039